(57)【要約】【課題】遊技機において遊技の興趣の低下を防止する。【解決手段】  遊技制御手段は、主始動領域への遊技球の入球に基づいて実行される主変動表示ゲームと、従始動領域への遊技球の入球に基づいて実行される従変動表示ゲームを共に変動中の状態とすることが可能であり、前記従変動表示ゲームが特別結果となった場合に、前記主変動表示ゲームを強制的に終了させ、前記特別結果となる前記従変動表示ゲームが変動中であり且つ残りの変動時間が所定時間以内である場合に、前記主変動表示ゲームが開始する際に所定の情報を演出制御手段に送信し、前記演出制御手段は、前記所定の情報を受信した場合に、特定の演出を実行しないように設定する。【選択図】図５６
2020065813.tif 000002
【特許請求の範囲】
【請求項１】
主始動領域への遊技球の入球、又は、当該主始動領域と異なる従始動領域への遊技球の入球に基づいて、識別情報を変動表示させる変動表示ゲームを実行可能な遊技制御手段と、前記変動表示ゲームに関連する演出を制御可能な演出制御手段と、を備え、前記変動表示ゲームの結果が特別結果となる場合に、遊技者に有利な特別遊技状態を発生可能な遊技機において、
前記遊技制御手段は、
前記主始動領域への遊技球の入球に基づいて実行される主変動表示ゲームと、前記従始動領域への遊技球の入球に基づいて実行される従変動表示ゲームを共に変動中の状態とすることが可能であり、
前記従変動表示ゲームが前記特別結果となった場合に、前記主変動表示ゲームを強制的に終了させ、
前記特別結果となる前記従変動表示ゲームが変動中であり且つ残りの変動時間が所定時間以内である場合に、前記主変動表示ゲームが開始する際に所定の情報を前記演出制御手段に送信し、
前記演出制御手段は、
前記所定の情報を受信した場合に、特定の演出を実行しないように設定することを特徴とする遊技機。
【請求項２】
前記所定時間が、前記主変動表示ゲームの最長の変動時間よりも長いことを特徴とする請求項１に記載の遊技機。
【請求項３】
前記演出制御手段は、
前記所定の情報を受信した場合に、前記特定の演出を実行しないように設定するとともに、表示装置において所定の画像を表示することを特徴とする請求項１に記載の遊技機。
【請求項４】
主始動領域への遊技球の入球、又は、当該主始動領域と異なる従始動領域への遊技球の入球に基づいて、識別情報を変動表示させる変動表示ゲームを実行可能な遊技制御手段と、前記変動表示ゲームに関連する演出を制御可能な演出制御手段と、を備え、前記変動表示ゲームの結果が特別結果となる場合に、遊技者に有利な特別遊技状態を発生可能な遊技機において、
前記遊技制御手段は、
前記主始動領域への遊技球の入球に基づいて実行される主変動表示ゲームと、前記従始動領域への遊技球の入球に基づいて実行される従変動表示ゲームを共に変動中の状態とすることが可能であり、
前記従変動表示ゲームが第１特別結果となった場合に、前記主変動表示ゲームを強制的に終了させ、
前記第１特別結果となる前記従変動表示ゲームが変動中である場合に、前記主変動表示ゲームが開始する際に所定の情報を前記演出制御手段に送信し、
前記演出制御手段は、
前記主変動表示ゲームに対応する飾り変動表示ゲームを演出として表示装置に表示可能であり、
前記所定の情報を受信した後に、前記主変動表示ゲームが第２特別結果となったとしても、前記飾り変動表示ゲームの結果として前記第２特別結果に対応しない結果を前記表示装置に表示することを特徴とする遊技機。
【発明の詳細な説明】
【技術分野】
【０００１】
本発明は、遊技球の入球が推奨される主始動領域、又は、当該主始動領域と異なる従始動領域への遊技球の入球に基づいて、識別情報を変動表示させる変動表示ゲームを実行可能な遊技制御手段と、前記変動表示ゲームに関連する演出を制御可能な演出制御手段と、を備え、前記変動表示ゲームの結果が特別結果となる場合に、遊技者に有利な特別遊技状態を発生可能な遊技機に関する。
【背景技術】
【０００２】
従来、主始動領域への遊技球の入球に基づいて実行される主変動表示ゲームと、従始動領域への遊技球の入球に基づいて実行される従変動表示ゲームとを共に変動中の状態とすることが可能な遊技機が存在している（例えば、特許文献１）。
【先行技術文献】
【特許文献】
【０００３】
【特許文献１】特開２０１７−１４８１２７号公報
【発明の概要】
【発明が解決しようとする課題】
【０００４】
しかしながら、従来の遊技機において、従始動領域への遊技球の入球に基づいて実行されるために遊技者が注目しない従変動表示ゲームによって、唐突に大当り状態が発生すると、遊技者が驚くなどして遊技の興趣が低下する可能性がある。
【０００５】
本発明は、遊技の興趣の低下を防止することを目的とする。
【課題を解決するための手段】
【０００６】
本発明の代表的な一形態では、主始動領域への遊技球の入球、又は、当該主始動領域と異なる従始動領域への遊技球の入球に基づいて、識別情報を変動表示させる変動表示ゲームを実行可能な遊技制御手段と、前記変動表示ゲームに関連する演出を制御可能な演出制御手段と、を備え、前記変動表示ゲームの結果が特別結果となる場合に、遊技者に有利な特別遊技状態を発生可能な遊技機において、前記遊技制御手段は、前記主始動領域への遊技球の入球に基づいて実行される主変動表示ゲームと、前記従始動領域への遊技球の入球に基づいて実行される従変動表示ゲームを共に変動中の状態とすることが可能であり、前記従変動表示ゲームが前記特別結果となった場合に、前記主変動表示ゲームを強制的に終了させ、前記特別結果となる前記従変動表示ゲームが変動中であり且つ残りの変動時間が所定時間以内である場合に、前記主変動表示ゲームが開始する際に所定の情報を前記演出制御手段に送信し、前記演出制御手段は、前記所定の情報を受信した場合に、特定の演出を実行しないように設定する。
【発明の効果】
【０００７】
本発明の一形態によれば、遊技の興趣の低下を防止することができる。
【図面の簡単な説明】
【０００８】
【図１】遊技機を前面側から見た斜視図である。
【図２】遊技盤の正面図である。
【図３】遊技機の遊技制御系の構成例を示すブロック図である。
【図４】遊技機の演出制御系の構成例を示すブロック図である。
【図５】遊技機の電源投入時の移行状態を説明する図である。
【図６Ａ】遊技制御のメイン処理の前半部分の手順を示すフローチャートである。
【図６Ｂ】遊技制御のメイン処理の後半部分の手順を示すフローチャートである。
【図７】タイマ割込み処理の手順を示すフローチャートである。
【図８】確率設定変更／確認処理の手順を示すフローチャートである。
【図９】性能表示装置の表示例を示す図である。
【図１０】始動口スイッチ監視処理の手順を示すフローチャートである。
【図１１】特図始動口スイッチ共通処理の手順を示すフローチャートである。
【図１２Ａ】特図保留情報判定処理（前半）の手順を示すフローチャートである。
【図１２Ｂ】特図保留情報判定処理（後半）の手順を示すフローチャートである。
【図１３】先読み大当り判定処理の手順を示すフローチャートである。
【図１４】特図１ゲーム処理の手順を示すフローチャートである。
【図１５Ａ】特図２ゲーム処理（前半）の手順を示すフローチャートである。
【図１５Ｂ】特図２ゲーム処理（後半）の手順を示すフローチャートである。
【図１６】特図１普段処理の手順を示すフローチャートである。
【図１７】特図２普段処理の手順を示すフローチャートである。
【図１８】特図１変動開始処理の手順を示すフローチャートである。
【図１９】特図２変動開始処理の手順を示すフローチャートである。
【図２０】転落抽選処理の手順を示すフローチャートである。
【図２１】大当りフラグ１設定処理の手順を示すフローチャートである。
【図２２】大当りフラグ２設定処理の手順を示すフローチャートである。
【図２３】大当り判定処理の手順を示すフローチャートである。
【図２４】小当り判定処理の手順を示すフローチャートである。
【図２５】大当り確率、小当り確率、転落確率を例示するテーブルである。
【図２６】特図１停止図柄設定処理の手順を示すフローチャートである。
【図２７】特図２停止図柄設定処理の手順を示すフローチャートである。
【図２８】大当りの種類の振分を例示するテーブルである。
【図２９】特図１情報設定処理の手順を示すフローチャートである。
【図３０】特図２情報設定処理の手順を示すフローチャートである。
【図３１】特図１変動パターン設定処理の手順を示すフローチャートである。
【図３２】特図２変動パターン設定処理の手順を示すフローチャートである。
【図３３】変動開始情報設定処理の手順を示すフローチャートである。
【図３４】時間短縮変動回数更新処理の手順を示すフローチャートである。
【図３５】特図１変動中処理の手順を示すフローチャートである。
【図３６】特図２変動中処理の手順を示すフローチャートである。
【図３７】特図１表示中処理の前半部分の手順を示すフローチャートである。
【図３８Ａ】特図２表示中処理の前半部分の手順を示すフローチャートである。
【図３８Ｂ】特図２表示中処理の後半部分の手順を示すフローチャートである。
【図３９Ａ】ファンファーレ／インターバル中処理（前半）の手順を示すフローチャートである。
【図３９Ｂ】ファンファーレ／インターバル中処理（後半）の手順を示すフローチャートである。
【図４０】特図１大当り終了処理の手順を示すフローチャートである。
【図４１】特図２大当り終了処理の手順を示すフローチャートである。
【図４２】大当り終了設定処理１の手順を示すフローチャートである。
【図４３】大当り終了設定処理２の手順を示すフローチャートである。
【図４４】大当り終了設定処理３の手順を示すフローチャートである。
【図４５】小当りファンファーレ中処理の手順を示すフローチャートである。
【図４６】特図２小当り終了処理の手順を示すフローチャートである。
【図４７】演出制御装置のメイン処理の手順を示すフローチャートである。
【図４８】受信コマンドチェック処理の手順を示すフローチャートである。
【図４９】受信コマンド解析処理の手順を示すフローチャートである。
【図５０】単発系コマンド処理の手順を示すフローチャートである。
【図５１】先読み図柄系コマンド処理の手順を示すフローチャートである。
【図５２】先読み変動系コマンド処理の手順を示すフローチャートである。
【図５３】図柄系コマンド処理の手順を示すフローチャートである。
【図５４】変動系コマンド処理の手順を示すフローチャートである。
【図５５】変動演出設定処理の手順を示すフローチャートである。
【図５６】演出調整処理の手順を示すフローチャートである。
【図５７】停止図柄設定処理の手順を示すフローチャートである。
【図５８】役物動作設定処理の手順を示すフローチャートである。
【図５９】当り系コマンド処理の手順を示すフローチャートである。
【図６０】ファンファーレ演出設定処理の手順を示すフローチャートである。
【図６１】通常遊技状態において実行される特図１変動表示ゲーム及び特図２変動表示ゲームの様子を例示するタイムチャートである。
【図６２】時短状態／確変状態において実行される特図１変動表示ゲーム及び特図２変動表示ゲームの様子を例示するタイムチャートである。
【図６３】通常遊技状態からイレギュラー大当りが発生する場合の演出について示すタイムチャートである。
【図６４Ａ】通常遊技状態からイレギュラー大当りが発生する場合の画面遷移を示す画面遷移図（その１）である。
【図６４Ｂ】通常遊技状態からイレギュラー大当りが発生する場合の画面遷移を示す画面遷移図（その２）である。
【図６５Ａ】通常遊技状態での客待ち中からイレギュラー大当りが発生する場合の画面遷移を示す画面遷移図である。
【図６５Ｂ】通常遊技状態での客待ち中からイレギュラー大当りが発生する場合の画面遷移を示す画面遷移図の別例である。
【図６６】時短状態／確変状態からイレギュラー大当りが発生する場合の演出について示すタイムチャートである。
【図６７Ａ】時短状態／確変状態からイレギュラー大当りが発生する場合の画面遷移を示す画面遷移図（その１）である。
【図６７Ｂ】時短状態／確変状態からイレギュラー大当りが発生する場合の画面遷移を示す画面遷移図（その２）である。
【図６７Ｃ】時短状態／確変状態からイレギュラー大当りが発生する場合の画面遷移を示す画面遷移図（その３）である。
【図６８】時短状態／確変状態での客待ち中からイレギュラー大当りが発生する場合の画面遷移を示す画面遷移図である。
【図６９】第２実施形態に係るホール・遊技者設定モード処理の手順を示すフローチャートである。
【図７０】第２実施形態に係る設定選択画面（メニュー画面）の一例を説明する図である。
【図７１】第２実施形態に係る音量・輝度の調整画面の一例を示す図である。
【図７２】第２実施形態に係る音量・輝度の調整画面の別の例を説明する図である。
【図７３】図７１の調整画面で設定された音量・輝度による報知が実行される場合について、画面遷移を示す画面遷移図である。
【図７４Ａ】第２実施形態において、遊技者による報知に関するパラメータの設定を、所定の演出に対応して設定可能とした調整画面の一例を示す図である。
【図７４Ｂ】第２実施形態において、音量を段階的にアップする演出を具体的に説明する図である。
【図７５】第２実施形態において、図７４Ａの調整画面で設定された内容による報知が実行される場合について、画面遷移を示す画面遷移図である。
【発明を実施するための形態】
【０００９】
[第１実施形態]
以下、本発明の好適な実施の形態を図面に基づいて説明する。なお、遊技機の説明における前後左右とは、遊技中の遊技者から見た方向を指すものとする。
【００１０】
〔遊技機全体図〕
図１は、遊技機を説明する図である。
【００１１】
遊技機１０は島設備に固定される枠１１に、ヒンジを介して開閉回動自在に取り付けられる開閉枠を備える。開閉枠は、前面枠１２（本体枠）及びガラス枠１５によって構成されている。
【００１２】
前面枠１２には、遊技盤３０（図２参照）が配設されるとともに、遊技盤３０の前面を覆うカバーガラス１４を有するガラス枠１５が取り付けられる。カバーガラス１４は、遊技盤３０に形成される遊技領域３２（図２参照）を視認可能とする遊技視認領域として機能する。
【００１３】
前面枠１２及びガラス枠１５は、それぞれ個別に開放することが可能となっている。例えば、ガラス枠１５のみを開放することで、遊技盤３０の遊技領域３２にアクセスすることができる。また、前面枠１２をガラス枠１５が開放されていない状態で開放することで、遊技盤３０の裏面側に配設された遊技制御装置（主基板）１００（図３参照）等にアクセスすることができる。
【００１４】
ガラス枠１５のカバーガラス１４周囲の縁部分には、種々の枠構成部材が配設されている。
【００１５】
ガラス枠１５の上部中央及び左側部には、遊技状態に応じて発光演出可能な装飾装置１８ａ，１８ｂが配設されている。装飾装置１８ａ，１８ｂは、内部にＬＥＤ等の照明部材を収容しており、遊技状態に応じた発光演出を行う。これら装飾装置１８ａ，１８ｂの内部に配設される照明部材は、枠装飾装置１８（図４参照）の一部を構成している。
【００１６】
ガラス枠１５の上右角部分及び上左角部分には、上スピーカ１９ａがそれぞれ配設される。これら上スピーカ１９ａとは別に遊技機１０の下部には、２つの下スピーカ１９ｂが設けられている。下スピーカ１９ｂは、ガラス枠１５の下左角部分及び前面枠１２の下右角部分に配設されている。これら上スピーカ１９ａ及び下スピーカ１９ｂは、効果音や警報音、報知音等を発するものである。
【００１７】
ガラス枠１５の右側部には、遊技機１０の上下方向に延設されるとともに、前方（遊技者側）に向かって突出する突出演出ユニット１３が配設されている。突出演出ユニット１３は、遊技の進行状態に応じて発光演出等を行う演出装置である。突出演出ユニット１３の内部に配設される照明部材も枠装飾装置１８（図４参照）の一部を構成している。
【００１８】
ガラス枠１５の下部には、遊技球を貯留可能な上皿２１を有する上皿ユニットが取り付けられている。上皿２１は、上面が開口した箱状に形成されている。上皿２１に貯留されている遊技球は、一球ずつ球発射装置（図示省略）に供給される。
【００１９】
上皿ユニットは、遊技者からの入力操作を受け付ける演出操作装置と、遊技者からの入力操作を受け付ける球貸操作装置と、遊技状態に応じて発光演出等を行う装飾装置２２と、をさらに備える。
【００２０】
演出操作装置は、演出ボタン２５にタッチパネル２５ｂを組み込んだ操作装置であり、遊技者が操作しやすいように上皿ユニットの上部中央に設けられている。また、演出ボタン２５には、図示しないが、演出ボタン２５を振動させるための振動機構が内蔵されている。
【００２１】
遊技者が演出操作装置を操作することによって、表示装置４１（図２参照）に表示される特図変動表示ゲーム等において遊技者の操作を介入させた演出を行うことができる。例えば、演出パターン（演出態様）を選択したり、始動記憶に対応する変動表示ゲームの結果を事前に予告する予告演出を実行したりすることができる。なお、変動表示ゲームには特図変動表示ゲームが含まれ、単に変動表示ゲームとした場合には、本明細書では特図変動表示ゲームを指すものとする。
【００２２】
また、変動表示ゲームの実行中だけでなく、非実行中に遊技者が演出操作装置を操作することによっても演出パターンを変更するようにしてもよい。
【００２３】
なお、変動表示ゲームが実行される際の遊技状態は、複数の遊技状態からなる。通常遊技状態（通常状態）とは、特別な遊技状態が発生していない遊技状態である。また、特別な遊技状態とは、例えば、特定遊技状態としての時短状態や変動表示ゲームにおいて特別結果（例えば大当り）の発生確率が高い状態（確変状態、確率変動状態、高確率状態）、大当り状態（特別遊技状態）、小当り遊技状態（小当り状態）である。
【００２４】
ここで、確変状態（特定遊技状態）は、次の大当りが発生するまで継続するもの（ループタイプ）、所定回数の変動表示ゲームが実行されるまで継続するもの（回数切りタイプ、ＳＴ）、及び所定の確率転落抽選に当選するまで継続するもの（転落抽選タイプ）等がある。
【００２５】
さらに、確変状態を発生させるか否かを大当り図柄乱数によって決定せずに、大当りが発生した場合に必ず確変状態を発生させるようにしてもよいし、特定領域を備える入賞装置等を設け、特定領域を遊技球が通過した場合に確変状態を発生させるようにしてもよい。
【００２６】
球貸操作装置は、遊技者が遊技球を借りる場合に操作する操作装置であって、上皿ユニットの上部右側に設けられている。球貸操作装置は、球貸ボタン２７と、返却ボタン２８と、残高表示部２６と、を備えている。球貸ボタン２７は遊技球を借りる場合に遊技者が操作するボタンであり、返却ボタン２８は遊技機１０に隣接するように配置されるカードユニット（図示省略）からプリペイドカード等を排出させる場合に遊技者が操作するボタンである。残高表示部２６は、プリペイドカード等の残高が表示される表示領域である。
【００２７】
装飾装置２２は、内部にＬＥＤ等の照明部材を収容しており、遊技状態に応じて発光演出等を行う装置であって、上皿ユニットの前側部分に設けられている。装飾装置２２の内部に配設される照明部材は、枠装飾装置１８（図４参照）の一部を構成している。
【００２８】
上記した上皿ユニット等を備えるガラス枠１５の下方であって、前面枠１２の下部には、球発射装置（図示省略）の動作を制御するための操作ハンドル２４と、遊技球を貯留可能な下皿２３とが設けられている。操作ハンドル２４には、添えられた遊技者の手指に向けて断続的にエア（空気）を吹き付けることでバイブ感（振動感）を与えるエアバイブ機構が搭載されている。
【００２９】
操作ハンドル２４は、前面枠１２の右下部であって、右側の下スピーカ１９ｂの下方に配置されている。遊技者が操作ハンドル２４を回動操作することによって、球発射装置は上皿２１から供給された遊技球を遊技盤３０の遊技領域３２に発射する。球発射装置から発射される遊技球の発射速度は、操作ハンドル２４の回動操作量が大きくなるほど速くなるように設定されている。即ち、球発射装置は、遊技領域に遊技球を発射する勢（速度）である発射勢を、遊技者による操作ハンドル２４の操作に対応して変更でき、発射勢の異なる種々の発射態様で遊技球を発射できる。発射態様には、遊技領域３２の左側において遊技球を流下させる左打ち（通常打ち）と、遊技領域３２の右側において遊技球を流下させる右打ちが含まれる。
【００３０】
下皿２３は、上皿ユニットに対して所定の間隔をあけて、上皿ユニットの下方に配置されている。下皿２３は、当該下皿２３の底面を上下方向に貫通する球抜き穴２３ａと、球抜き穴２３ａを開閉するための開閉操作部２３ｂと、を有している。遊技者が開閉操作部２３ｂを操作して、球抜き穴２３ａを開くことによって、下皿２３に貯留されていた遊技球を球抜き穴２３ａを通じて外部に排出することができる。
【００３１】
〔遊技盤〕
続いて、図２を参照して、遊技機１０の遊技盤３０について説明する。図２は、遊技機１０に備えられる遊技盤３０の正面図である。
【００３２】
図２に示すように、遊技盤３０は、各種部材の取付ベースとなる平板状の遊技盤本体３０ａを備える。遊技盤本体３０ａは木製又は合成樹脂製であって、当該遊技盤本体３０ａの前面にはガイドレール３１で囲まれた遊技領域３２が設けられている。遊技機１０は、ガイドレール３１で囲まれた遊技領域３２内に球発射装置から遊技球を発射して遊技を行うように構成されている。遊技領域３２には遊技球の流下方向を変換する部材として風車や障害釘等が配設されており、発射された遊技球はこれら部材により転動方向を変えながら遊技領域３２を流下する。
【００３３】
遊技領域３２の略中央には、変動表示ゲームの表示領域となる窓部を形成するセンターケース（前面構成体）４０が取り付けられている。センターケース４０に形成された窓部の後方には、複数の識別情報を変動表示（可変表示）する演出表示装置（変動表示装置）としての表示装置４１が配置されている。表示装置４１は、例えば、液晶ディスプレイを備え、センターケース４０の窓部を介して遊技盤３０の前面側から表示内容が視認可能となるように配置される。なお、表示装置４１は、液晶ディスプレイを備えるものに限らず、ＥＬやＣＲＴ等のディスプレイを備えるものであってもよい。
【００３４】
表示装置４１の表示画面（表示部）には、複数の変動表示領域が設けられており、各変動表示領域に識別情報（特別図柄）や変動表示ゲームを演出するキャラクタが表示される。その他、表示画面には遊技の進行に基づく画像（大当り表示やファンファーレ表示、エンディング表示等）が表示される。
【００３５】
また、センターケース４０には、遊技領域３２を流下する遊技球をセンターケース４０の内側に導くためのワープ通路４０ｅへの流入口４０ａと、ワープ通路４０ｅを通過した遊技球が転動可能なステージ部４０ｂとが設けられている。センターケース４０のステージ部４０ｂは、始動入賞口３６及び普通変動入賞装置３７の上方に配置されているため、ステージ部４０ｂ上で転動した遊技球は始動入賞口３６又は普通変動入賞装置３７に入賞しやすくなっている。
【００３６】
センターケース４０の上部及び右側部には、それぞれ上部演出ユニット４０ｃ及び側部演出ユニット４０ｄが設けられる。上部演出ユニット４０ｃ及び側部演出ユニット４０ｄは、盤装飾装置４６（図４参照）及び盤演出装置４４（図４参照）の一部を構成している。
【００３７】
センターケース４０の右側方の遊技領域３２には、普通図柄始動ゲート（普図始動ゲート）３４が設けられている。普図始動ゲート３４の内部には、当該普図始動ゲート３４を通過した遊技球を検出するためのゲートスイッチ（ＳＷ）３４ａ（図３参照）が設けられている。遊技領域３２内に打ち込まれた遊技球が普図始動ゲート３４を通過すると、普図変動表示ゲームが実行される。
【００３８】
センターケース４０の左下方の遊技領域３２には一般入賞口３５が配置されており、センターケース４０の右下方の遊技領域３２にも一般入賞口３５が配置されている。これら一般入賞口３５への遊技球の入賞は、一般入賞口３５に備えられた入賞口スイッチ（ＳＷ）３５ａ〜３５ｎ（図３参照）によって検出される。
【００３９】
センターケース４０の下方の遊技領域３２には、特図変動表示ゲームの開始条件を付与する始動入賞口（始動口１、第１始動入賞領域）３６が設けられる。センターケース４０の右側の遊技領域３２において、普図始動ゲート３４の下方には第２始動入賞口（始動口２、第２始動入賞領域）を備えた普通変動入賞装置３７（普通電動役物、普電）が設けられる。普通変動入賞装置３７は、前方から奥側に引っ込むようにスライドすることで、遊技球が流入し易い状態に変換する可動部材（可動片）３７ｂを備える。可動部材３７ｂが閉状態である場合には遊技球が普通変動入賞装置３７に入賞できないようになっている。遊技球が始動入賞口３６又は普通変動入賞装置３７に入賞した場合には、補助遊技として特図変動表示ゲームが実行される。なお、始動入賞口３６には、左打ち時に遊技球が入賞し易くなり、普通変動入賞装置３７には、右打ち時に遊技球が入賞し易くなる。
【００４０】
可動部材３７ｂは、スライド開閉式の普通電動役物であり、普図変動表示ゲームの結果が所定の停止表示態様となった場合に、普電ソレノイド３７ｃ（図３参照）を介して動作して開いて、遊技球が普通変動入賞装置３７に流入しやすい開状態（遊技者にとって有利な入賞容易状態）に変化する。
【００４１】
なお、可動部材３７ｂは、後述する遊技制御装置１００によって制御される。遊技制御装置１００は、普図変動表示ゲームの変動時間を短縮したり普図変動表示ゲームの当り確率を通常よりも高確率としたりすることで入賞容易状態の発生頻度を高めたり、通常遊技状態で発生する入賞容易状態よりも入賞容易状態の発生時間を長くしたりすることで、前述の特定遊技状態として時短状態（普電サポート状態）を発生させる。なお、確変状態（潜伏確変状態を除く）においても、重複して時短状態（普電サポート状態）が発生する。
【００４２】
始動入賞口３６の右方の遊技領域３２には、下大入賞口ソレノイド３８ｂ（図７参照）によって前方から奥側に引っ込むことで大入賞口を開放する下大入賞口を開放するアタッカ形式の開閉扉３８ｃを有する第１特別変動入賞装置３８（特別電動役物）が設けられている。第１特別変動入賞装置３８は、特図変動表示ゲームの結果によって大入賞口を閉じた状態（遊技者にとって不利な閉塞状態）から開放状態（遊技者にとって有利な遊技状態）に変換し、下大入賞口内への遊技球の流入を容易にさせることで、遊技者に所定の遊技価値（賞球）を付与するようになっている。なお、下大入賞口内には、当該大入賞口に入った遊技球を検出する検出手段として下大入賞口スイッチ３８ａ（カウントスイッチ）が配設されている。なお、第１特別変動入賞装置３８には、右打ち時に遊技球が入賞し易くなる。
【００４３】
普通変動入賞装置３７の上方の遊技領域３２には、上大入賞口ソレノイド３９ｂ（図３参照）によって上端側が右側に倒れる方向に回動することで上大入賞口を開放する開閉扉３９ｃを有する第２特別変動入賞装置３９が設けられている。第２特別変動入賞装置３９は、特図変動表示ゲームの結果によって大入賞口を閉じた状態（遊技者にとって不利な閉塞状態）から開放状態（遊技者にとって有利な特別遊技状態）に変換し、大入賞口内への遊技球の流入を容易にさせることで、遊技者に所定の遊技価値（賞球）を付与するようになっている。なお、大入賞口内には、当該大入賞口に入った遊技球を検出する検出手段として上大入賞口スイッチ３９ａ（カウントスイッチ）（図３参照）が配設されている。なお、第２特別変動入賞装置３９には、右打ち時に遊技球が入賞し易くなる。また、下大入賞口スイッチ３８ａと上大入賞口スイッチ３９ａを総称して、大入賞口スイッチ４３と呼ぶ。
【００４４】
第２特別変動入賞装置３９の内部には、特定領域８６（いわゆるＶ入賞口）が設けられている。特定領域８６（Ｖ入賞口）に遊技球が入球した場合に大当り終了後の確変状態（高確率状態、特定遊技状態）が確定する。特定領域８６は、確変大当りの場合にのみ、長時間開放されるなどして遊技球が容易に通過できるようにしてよい。なお、遊技制御装置１００は、特定領域８６への遊技球の通過（Ｖ入賞）をセンサ（後述の特定領域スイッチ７２）等を介して検知でき、Ｖ入賞を検知すると大当り終了後に確変状態に移行することを確定するとともに、後述の演出制御装置３００にＶ入賞があったことを示す情報（特定領域通過コマンド等）を送信する。そして、演出制御装置３００は、Ｖ入賞を表示装置４１などにおいて報知できる。
【００４５】
一般入賞口３５、始動入賞口３６、普通変動入賞装置３７、及び特別変動入賞装置３８、３９の大入賞口に遊技球が入賞すると、払出制御装置２００（図３参照）は、入賞した入賞口の種類に応じた数の賞球を払出装置から上皿２１に排出する。また、下方の遊技領域３２には、入賞口等に入賞しなかった遊技球を回収するアウト口３０ｂが設けられている。また、一般入賞口３５、始動入賞口３６、普通変動入賞装置３７、及び特別変動入賞装置３８、３９やその近傍には、遊技球が入賞した場合などに発光可能なＬＥＤ（後述の盤装飾装置４６の一部）が配設されている。
【００４６】
また、遊技領域３２の外側であって遊技盤本体３０ａの右下角部には、特図変動表示ゲーム（特図１変動表示ゲーム、特図２変動表示ゲーム）及び普図変動表示ゲームを実行する一括表示装置５０が設けられている。一括表示装置５０は、現在の遊技状態等の情報を表示する表示部５１〜６０を備える。
【００４７】
一括表示装置５０は、７セグメント型の表示器（ＬＥＤランプ）等で構成された変動表示ゲーム用の第１特図変動表示部５１（特図１表示器、ランプＤ１）及び第２特図変動表示部５２（特図２表示器、ランプＤ２）と、普図変動表示ゲーム用の変動表示部５３（普図表示器、ランプＤ８、Ｄ１０、Ｄ１８）と、各変動表示ゲームの始動（保留）記憶数報知用の記憶表示部（特図１保留表示器５４、特図２保留表示器５５、普図保留表示器５６）と、を有している。特図１保留表示器５４はランプＤ１１、Ｄ１２により構成される。特図２保留表示器５５は、ランプＤ１３、Ｄ１４により構成される。普図保留表示器５６は、ランプＤ１５、Ｄ１６により構成される。
【００４８】
また、一括表示装置５０には、右打ち時（右打ちすべき時）又は左打ち時（通常打ち時）であることを報知する第１遊技状態表示部５７（第１遊技状態表示器、ランプＤ７）、時短状態が発生すると点灯して時短状態発生を報知する第２遊技状態表示部５８（第２遊技状態表示器、ランプＤ１７）、遊技機１０の電源投入時に大当りの確率状態が高確率状態となっていることを表示する第３遊技状態表示部５９（第３遊技状態表示器、確率状態表示部、ランプＤ９）、大当り時のラウンド数（特別変動入賞装置３８、３９の開閉回数）を表示するラウンド表示部６０（ランプＤ３−Ｄ６）が設けられている。
【００４９】
特図１表示器５１と特図２表示器５２において、変動表示ゲームは、識別情報（例えば、中央のセグメント）の点灯消灯（点滅）を繰り返す変動表示によって実行される。なお、特図１表示器５１、特図２表示器５２は、このようなセグメント型の表示部に限らず、複数のＬＥＤの集合体により構成されていてもよいし、変動表示を実行する場合に、表示器として設けられるすべてのＬＥＤにより全点灯全消灯（全ＬＥＤの同時点滅）や、循環点灯（何れか１のＬＥＤから所定時間毎に所定の順序で点灯し、消灯する）、または複数のＬＥＤのうちの所定数のＬＥＤによる点灯消灯（点滅）や循環点灯によって行ってもよい。普図表示器５３においても、変動表示ゲームは、ランプＤ１０、Ｄ１８の点灯消灯を繰り返す変動表示（点滅）によって実行される。また、普図表示器５３も特図１表示器５１、特図２表示器５２と同様に適宜構成することが可能である。
【００５０】
ランプ表示装置８０は、図柄（後述の第四特別図柄）として点灯表示と消灯表示を繰り返す変動表示（点滅）を実行するランプ表示部１、２（ＬＥＤ）と、各特図変動表示ゲームの始動（保留）記憶数報知用のランプ表示部３−６（ＬＥＤ）を有する。なお、ランプ表示装置８０は、演出制御装置３００（後述）で制御される。
【００５１】
ランプ表示部１、２は、変動表示として所定の点滅周期（例えば２００ｍｓｅｃ（ミリ秒））で点滅する。一括表示装置５０の特図１表示器５１、特図２表示器５２、普図表示器５３における変動表示の変動時間が遊技制御装置１００で計測されるのに対して、ランプ表示装置８０のランプ表示部１、２の変動時間は演出制御装置３００（後述）で計測される。
【００５２】
ランプ表示部３、４（特図１保留ＬＥＤ１、特図１保留ＬＥＤ２）は、消灯状態、点灯状態、点滅状態の組合せによって、特図１保留数（第１始動記憶数）を表示する。同様に、ランプ表示部５、６（特図２保留ＬＥＤ１、特図２保留ＬＥＤ２）は、消灯状態、点灯状態、点滅状態の組合せによって、特図２保留数（第２始動記憶数）を表示する。ランプ表示部３−６は、大当り発生により保留数の表示を終了するが、大当り状態中以外の場合（表示装置４１で後述のリーチが発生している場合も含む）では、保留数の表示を行う。
【００５３】
次に、遊技機１０における遊技の流れ、普図変動表示ゲーム及び特図変動表示ゲームの詳細について説明する。
【００５４】
遊技機１０では、図示しない球発射装置から遊技領域３２に向けて遊技球が打ち出されることによって遊技が行われる。打ち出された遊技球は、遊技領域３２内の各所に配置された障害釘や風車等によって転動方向を変えながら遊技領域３２を流下し、普図始動ゲート３４、一般入賞口３５、始動入賞口３６、普通変動入賞装置３７、又は特別変動入賞装置３８、３９に入賞するか、遊技領域３２の最下部に設けられたアウト口３０ｂへ流入し、遊技領域３２から排出される。そして、一般入賞口３５、始動入賞口３６、普通変動入賞装置３７、又は特別変動入賞装置３８、３９に遊技球が入賞すると、入賞した入賞口の種類に応じた数の賞球が払出装置を介して上皿２１に排出される。
【００５５】
普図始動ゲート３４には、当該普図始動ゲート３４を通過した遊技球を検出するゲートスイッチ３４ａ（図３参照）が設けられている。遊技球が普図始動ゲート３４を通過すると、ゲートスイッチ３４ａによって検出され、このときに抽出された当り判定用乱数値の判定結果に基づき普図変動表示ゲームが実行される。
【００５６】
普図変動表示ゲームを開始できない状態、例えば、既に普図変動表示ゲームが行われており当該普図変動表示ゲームが終了していない場合や、普図変動表示ゲームの結果が当りとなって普通変動入賞装置３７が開放状態に変換されている場合に、遊技球が普図始動ゲート３４を通過すると、普図始動記憶数が上限数未満ならば当該記憶数が加算（＋１）される。
【００５７】
普図始動記憶には普図変動表示ゲームの当りはずれを決定するための当り判定用乱数値が記憶されており、この当り判定用乱数値が判定値と一致した場合に、当該普図変動表示ゲームが当りとなって特定の結果態様（特定結果）が導出される。
【００５８】
普図変動表示ゲームは、一括表示装置５０に設けられた普図表示器５３で実行されるようになっている。普図表示器５３は、普通識別情報（普図）として点灯状態の場合に当りを示し、消灯状態の場合にはずれを示すＬＥＤから構成され、このＬＥＤを点滅表示することで普通識別情報の変動表示を行い、所定の変動表示時間の経過後、ＬＥＤを点灯又は消灯することで結果を表示するようになっている。
【００５９】
普図始動ゲート３４通過時に抽出された普図乱数値が当り値である場合には、普図表示器５３に表示される普通図柄が当り状態で停止し、当り状態となる。このとき、普電ソレノイド３７ｃ（図３参照）が駆動されることにより、可動部材３７ｂが所定の時間（例えば０．３秒間）だけ開状態に変換され、普通変動入賞装置３７への遊技球の入賞が許容される。
【００６０】
遊技球の始動入賞口３６への入賞及び普通変動入賞装置３７への入賞は、始動口１スイッチ３６ａ（図３参照）及び始動口２スイッチ３７ａ（図３参照）によって検出される。始動入賞口３６に入賞した遊技球は特図１変動表示ゲームの始動入賞球として検出され、所定の上限数を限度に記憶されるとともに、普通変動入賞装置３７に入賞した遊技球は特図２変動表示ゲームの始動入賞球として検出され、所定の上限数を限度に記憶される。
【００６１】
特図変動表示ゲームの始動入賞球の検出時には、大当り乱数値や大当り図柄乱数値、各変動パターン乱数値等が抽出される。これら乱数値は、遊技制御装置１００の特図保留記憶領域（ＲＡＭの一部）に特図始動入賞記憶として各々所定回数分（例えば最大で８回分）を限度に記憶される。特図始動入賞記憶の記憶数は、一括表示装置５０の始動入賞数報知用の特図１保留表示器５４や特図２保留表示器５５に表示されるとともに、表示装置４１の表示画面にも表示される。
【００６２】
遊技制御装置１００は、始動入賞口３６への入賞若しくは第１始動記憶に基づいて、特図１表示器５１で特図１変動表示ゲームを実行する。また、遊技制御装置１００は、普通変動入賞装置３７への入賞若しくは第２始動記憶に基づいて、特図２表示器５２で特図２変動表示ゲームを実行する。
【００６３】
特図１変動表示ゲーム（第１特図変動表示ゲーム）及び特図２変動表示ゲーム（第２特図変動表示ゲーム）は、特図１表示器５１及び特図２表示器５２において識別情報（特別図柄、特図）を変動表示した後に所定の結果態様を停止表示することで行われる。
【００６４】
なお、本実施形態において、遊技機１０は、いわゆる同時変動機であり、特図１変動表示ゲーム及び特図２変動表示ゲームは互いに独立して、同時に（共に）実行状態にすることができる。特図１変動表示ゲームで大当り（本実施形態で特図１変動表示ゲームに小当りはない）が発生する場合には、実行中の特図２変動表示ゲームは、強制的にはずれ結果で停止する。特図２変動表示ゲームで大当りが発生する場合には、実行中の特図１変動表示ゲームは、強制的にはずれ結果で停止する。
【００６５】
特図２変動表示ゲームで小当りが発生する場合には、実行中の特図１変動表示ゲームは中断する。この場合、特図１ゲーム処理タイマによる変動時間の計測を中断して、特図１変動表示ゲームの結果の導出（停止図柄番号に対応する停止図柄の表示）を延期し、特図２変動表示ゲームに関する小当り動作の終了後に、中断していた特図１変動表示ゲームを再開できる。
【００６６】
また、通常遊技状態において右打ちによって普通変動入賞装置３７に遊技球が入賞した場合には、特図２変動表示ゲームは変動開始するが、基本的に長時間変動（長変動、例えば１０分）が行われるため、この間に特図１変動表示ゲームにて大当りが発生すると強制的にはずれ停止されることになる。
【００６７】
また、表示装置４１では、各特図変動表示ゲームに対応して複数種類の識別情報（例えば、数字、記号、キャラクタ図柄など）を変動表示させる飾り特図変動表示ゲームが実行される。
【００６８】
表示装置４１における飾り特図変動表示ゲームは、前述した数字等で構成される飾り特別図柄（識別情報）が左（第一特別図柄）、右（第二特別図柄）、中（第三特別図柄）の順に変動表示（スクロール表示）を開始して、所定時間後に変動している図柄を順次停止させて、特図変動表示ゲームの結果を表示することで行われる。また、表示装置４１では、興趣向上のためにキャラクタの出現等の多様な演出表示が行われる。さらに、飾り特図変動表示ゲームでは、他の飾り特別図柄（識別情報）として、ランプ表示装置８０のランプ表示部１、２において、点灯表示と消灯表示の繰り返し（点滅）によって第四特別図柄が変動する。ランプ表示部１、２の変動表示は、開始から所定時間後に、はずれの場合は「消灯」、大当りもしくは小当りの場合は「点灯」で停止する。
【００６９】
表示装置４１における飾り特図変動表示ゲームについては、特図１変動表示ゲームと特図２変動表示ゲームとを別々の表示装置や別々の表示領域で実行するようにしてもよいし、同一の表示装置や表示領域で実行するようにしてもよい。また、特図１変動表示ゲーム及び特図２変動表示ゲームに対応する飾り特図変動表示ゲームは共に同時に実行状態（実行されている状態）をとってよい。
【００７０】
始動入賞口３６又は普通変動入賞装置３７への遊技球の入賞が所定のタイミングでなされた場合（入賞検出時の大当り乱数値が大当り値である場合）には、特図変動表示ゲームの結果として表示図柄により特定の結果態様（特別結果態様）が導出され、大当り状態（特別遊技状態）となる。これに対応して、表示装置４１の表示態様は特別結果態様（例えば「７，７，７」等の数字が揃った状態）となる。
【００７１】
このとき、特別変動入賞装置３８、３９は、大入賞口ソレノイド（３８ｂ、３９ｂ）（図３参照）への通電によって、大入賞口が所定の時間（例えば３０秒）だけ閉状態から開状態に変換される。すなわち、特別変動入賞装置３８、３９に備えられた大入賞口が所定の時間又は所定数の遊技球が入賞するまで大きく開き、この間遊技者は多くの遊技球を獲得することができるという特典が付与される。
【００７２】
第１始動入賞口３６又は普通変動入賞装置３７への遊技球の入賞が所定のタイミングでなされた場合（入賞検出時の大当り乱数値が小当り値である場合）には、特図変動表示ゲームの結果として表示図柄により特定結果態様（小当り結果態様）が導出され、小当り状態となる。これに対応して、表示装置４１の表示態様は小当り結果態様となる。なお、本実施形態では、小当りの判定にも大当り乱数値が使用されるが、小当り値（小当り判定値）は、大当り値（大当り判定値）と異なる。
【００７３】
このとき、特別変動入賞装置３８、３９は、大入賞口ソレノイド３８ｂ、３９ｂ（図３参照）への通電によって、大入賞口が所定の短時間だけ閉状態から開状態に変換される。なお、大入賞口の全開放時間は、小当り状態（小当り遊技状態）の方が大当り状態（特別遊技状態）よりも短いため、小当り状態では大当り状態よりも遊技者が獲得可能な遊技価値（獲得球数）が少ない。なお、小当り状態と大当り状態では両方とも大入賞口が開放状態となるが、大当り状態を第１特別遊技状態と呼び、小当り状態を第２特別遊技状態と呼んでもよい。
【００７４】
なお、本実施形態では、小当り状態では、特別変動入賞装置３８のみが作動して下大入賞口だけが開放される構成とするが、小当り状態で特別変動入賞装置３８、３９の両方が作動して下大入賞口と上大入賞口の両方が開放される構成としてもよい。
【００７５】
また、本実施形態において、確変状態では、特図２変動表示ゲームにより小当りが頻繁に発生する小当りＲＵＳＨ（ラッシュ）状態となる。そして、小当りラッシュでは、特別変動入賞装置３８が高い頻度で開放されることになる。なお、時短状態でも、小当りＲＵＳＨ（ラッシュ）状態になる構成も可能である。
【００７６】
ここで、大当りと小当りとの違いについて説明する。
【００７７】
大当りとは条件装置の作動を伴う特別結果であり、小当りとは条件装置の作動を伴わない特定結果である。条件装置とは、特図変動表示ゲームで大当りが発生（大当り図柄の停止表示）した場合に作動するもので、条件装置が作動するとは、例えば大当り状態が発生して特別電動役物としての特別変動入賞装置３８、３９を連続して作動させるための特定のフラグがセットされることを意味する。条件装置が作動しないとは、例えば小当り抽選に当選した場合のように上述の特定のフラグがセットされないことを意味する。なお、「条件装置」は、上記のようなソフトウェア的にオンオフされるフラグのようなソフトウェア手段であっても良いし、電気的にオンオフされるスイッチのようなハードウェア手段であっても良い。また、「条件装置」は、その作動が電動役物の連続作動に必要条件とされる装置として、パチンコ遊技機の分野においては一般的に使用されている用語であり、本明細書においても同様の意味を有する用語として使用している。
【００７８】
具体的には、大当りの場合は、大当りフラグが設定されることにより特別変動入賞装置が開放されるのに対して、小当りの場合は、小当りフラグが設定されることにより特別変動入賞装置が開放される。
【００７９】
なお、大当り状態の終了後は、大当り状態中にＶ入賞（特定領域８６への遊技球の通過）があれば確変状態に移行し、Ｖ入賞がなければ確変状態以外の他の遊技状態（通常遊技状態や時短状態）に移行する。一方、小当り状態（大当り状態に比較して短時間）の終了後は、小当り状態の開始前の元の遊技状態に戻る。なお、大当り状態中において大当り確率は低確率となるが、小当り状態中において、小当り状態の開始前の大当り確率が維持される（小当りでは確率状態は変化しない）。従って、小当りが頻発する小当りラッシュ状態は、確変状態の開始から大当り状態の発生まで（特図変動表示ゲームの結果が大当り結果になるまで）継続し、小当りラッシュ状態の全体を通して大当り確率が高確率（確変状態）に維持される。
【００８０】
なお、特図１表示器５１及び特図２表示器５２は、別々の表示器として構成してもよいし同一の表示器として構成してもよいが、各特図変動表示ゲームが同時に実行されないように設定される。
【００８１】
なお、以下の説明において、特図１変動表示ゲームと特図２変動表示ゲームを区別しない場合は、単に特図変動表示ゲームと称する。
【００８２】
また、特に限定されるわけではないが、上記始動入賞口３６内の始動口１スイッチ３６ａ、普通変動入賞装置３７内の始動口２スイッチ３７ａ、ゲートスイッチ３４ａ、入賞口スイッチ３５ａ、カウントスイッチ（３８ａ、３９ａ）には、磁気検出用のコイルを備え該コイルに金属が近接すると磁界が変化する現象を利用して遊技球を検出する非接触型の磁気近接センサ（以下、近接スイッチと称する）が使用されている。また、遊技機１０のガラス枠１５等に設けられたガラス枠開放検出スイッチ６３や前面枠（遊技枠）１２等に設けられた前面枠開放検出スイッチ６４（本体枠開放検出スイッチ）には、機械的な接点を有するマイクロスイッチを用いることができる。
【００８３】
ここで、本実施形態における主変動表示ゲームと従変動表示ゲームについて説明しておく。主変動表示ゲームは、遊技球の入球することが多い主始動領域（主領域、主始動入賞口）への遊技球の入球に基づいて実行され、従変動表示ゲームは、主始動領域よりも遊技球の入球することが少ない従始動領域（従領域、従始動入賞口）への遊技球の入球に基づいて実行される。主変動表示ゲームと従変動表示ゲームとは、同時に（共に）実行中の状態となることが可能である（同時変動可能）。
【００８４】
通常遊技状態において、後述のように特図２変動表示ゲームの変動時間が長時間変動（長変動、例えば１０分）であり、第１始動入賞口３６への遊技球の入球が推奨される。そのため、通常遊技状態では、主始動領域は第１始動入賞口３６（始動口１、第１始動入賞領域）となり従始動領域は普通変動入賞装置３７（始動口２、第２始動入賞領域）となることから、主変動表示ゲームは特図１変動表示ゲームとなり、従変動表示ゲームは特図２変動表示ゲームとなる。また、通常遊技状態において、第１始動入賞口３６への遊技球の入球を容易にする左打ちが、右打ちよりも遊技者にとって有利となり推奨される。
【００８５】
時短状態において、遊技制御装置１００は、大当り確率（特図の大当り確率）を低確率とし、且つ、普電サポート（電サポ）が実行されるように制御する。そのため、時短状態では、主始動領域は普通変動入賞装置３７となり従始動領域は第１始動入賞口３６となることから、主変動表示ゲームは特図２変動表示ゲームとなり、従変動表示ゲームは特図１変動表示ゲームとなる。また、時短状態において、遊技球の発射態様として右打ちが推奨される。
【００８６】
確変状態において、遊技制御装置１００は、小当りが頻繁に発生する小当りラッシュ状態となるように制御する。従って、確変状態において、遊技球の発射態様として、普通変動入賞装置３７と特別変動入賞装置３８を狙う右打ちが推奨される。そのため、確変状態では、時短状態と同様に、主始動領域は普通変動入賞装置３７となり従始動領域は第１始動入賞口３６となることから、主変動表示ゲームは特図２変動表示ゲームとなり、従変動表示ゲームは特図１変動表示ゲームとなる。
【００８７】
また、大当りには、主変動表示ゲームの大当り結果（第１特別結果）によって大当り状態が発生する正常大当りと、従変動表示ゲームの大当り結果（第１特別結果）によって大当り状態が発生するイレギュラー大当りがある。また、小当りには、主変動表示ゲームの小当り結果（第２特別結果）によって小当り状態が発生する正常小当り（通常小当り）と、従変動表示ゲームの小当り結果（第２特別結果）によって小当り状態が発生するイレギュラー小当りがある。なお、本実施形態では、特図１変動表示ゲームに小当り結果はなく、特図２変動表示ゲームにおいてのみ小当り結果があることから、通常遊技状態においてイレギュラー小当りのみが発生でき、時短状態と確変状態において正常小当りのみが発生できる。
【００８８】
〔遊技制御装置〕
図３は、遊技機１０の遊技制御系のブロック図である。遊技機１０は遊技制御装置１００（主基板）を備え、遊技制御装置１００は、遊技を統括的に制御する主制御装置（主基板）であって、遊技用マイクロコンピュータ（以下、遊技用マイコンと称する）１１１を有するＣＰＵ部１１０と、入力ポートを有する入力部１２０と、出力ポートやドライバなどを有する出力部１３０、ＣＰＵ部１１０と入力部１２０と出力部１３０との間を接続するデータバス１４０などからなる。
【００８９】
ＣＰＵ部１１０は、アミューズメントチップ（ＩＣ）と呼ばれる遊技用マイコン（ＣＰＵ）１１１と、水晶振動子のような発振子を備え、ＣＰＵの動作クロックやタイマ割込み、乱数生成回路の基準となるクロックを生成する発振回路（水晶発振器）１１３などを有する。遊技制御装置１００及び該遊技制御装置１００によって駆動されるソレノイドやモータなどの電子部品には、電源装置４００で生成されたＤＣ３２Ｖ，ＤＣ１２Ｖ，ＤＣ５Ｖなど所定のレベルの直流電圧が供給されて動作可能にされる。
【００９０】
電源装置４００は、２４Ｖの交流電源からＤＣ３２Ｖの直流電圧を生成するＡＣＤＣコンバータやＤＣ３２Ｖの電圧からＤＣ１２Ｖ，ＤＣ５Ｖなどのより低いレベルの直流電圧を生成するＤＣ−ＤＣコンバータなどを有する通常電源部４１０と、遊技用マイコン１１１の内部のＲＡＭに対して停電時に電源電圧を供給するバックアップ電源部４２０と、停電監視回路を有し、遊技制御装置１００に停電の発生、回復を知らせる停電監視信号やリセット信号などの制御信号を生成して出力する制御信号生成部４３０などを備える。
【００９１】
本実施形態では、電源装置４００は、遊技制御装置１００と別個に構成されているが、バックアップ電源部４２０及び制御信号生成部４３０は、別個の基板上あるいは遊技制御装置１００と一体、すなわち、主基板上に設けるように構成してもよい。遊技盤３０及び遊技制御装置１００は機種変更の際に交換の対象となるので、実施例のように、電源装置４００若しくは主基板とは別の基板にバックアップ電源部４２０及び制御信号生成部４３０を設けることにより、交換の対象から外しコストダウンを図ることができる。
【００９２】
バックアップ電源部４２０は、電解コンデンサのような大容量のコンデンサ１つで構成することができる。バックアップ電源は、遊技制御装置１００の遊技用マイコン１１１（特に内蔵ＲＡＭ）に供給され、停電中あるいは電源遮断後もＲＡＭに記憶されたデータが保持されるようになっている。制御信号生成部４３０は、例えば通常電源部４１０で生成された３２Ｖの電圧を監視してそれが例えば１７Ｖ以下に下がると停電発生を検出して停電監視信号を変化させるとともに、所定時間後にリセット信号を出力する。また、電源投入時や停電回復時にもその時点から所定時間経過後にリセット信号を出力する。
【００９３】
また、遊技制御装置１００にはＲＡＭ初期化スイッチ１１２が設けられている。ＲＡＭ初期化スイッチ１１２が押下げられてオン操作されると初期化スイッチ信号が生成され、これに基づき遊技用マイコン１１１内のＲＡＭ１１１ｃ及び払出制御装置２００内のＲＡＭに記憶されている情報を強制的に初期化する処理が行われる。特に限定されるわけではないが初期化スイッチ信号は電源投入時に読み込まれ、停電監視信号は遊技用マイコン１１１が実行するメインプログラムのメインループの中で繰り返し読み込まれる。リセット信号は強制割込み信号の一種であり、制御システム全体をリセットさせる。
【００９４】
また、遊技制御装置１００（主基板）は、設定キースイッチ９３を備える。設定キースイッチ９３は、操作者の回転操作等によってオンすることによって遊技条件（遊技）に関する設定に応じた確率設定値（設定値）を変更可能な状態にする。なお、ＲＡＭ初期化スイッチ１１２は、操作者の操作に応じて確率設定値を変更可能な設定値変更スイッチとしても使用可能である。本実施形態では、確率設定値は、大当り確率や小当り確率などの当選確率を設定するための設定値であるが、確率以外の他の遊技条件（演出など）も確率設定値に応じて変更可能である。設定キースイッチ９３とＲＡＭ初期化スイッチ１１２は、遊技条件に関する設定（確率設定値）を変更可能な設定変更手段（設定変更装置４２）を構成する。なお、ＲＡＭ初期化スイッチ１１２ではなく、他のスイッチが、設定値変更スイッチを兼用してもよいし、専用に独自の設定値変更スイッチを設けてもよい。
【００９５】
設定キースイッチ９３とＲＡＭ初期化スイッチ１１２は、遊技機１０内部の遊技制御装置１００上に設けられることによって、前面枠１２（本体枠）が開放されなければ操作できない位置（アクセスできない位置）に配置される。即ち、一般の遊技者は、設定キースイッチ９３とＲＡＭ初期化スイッチ１１２にアクセスして操作することができない。
【００９６】
後述するように、遊技機１０の電源投入（停電復旧、復電）の際に、遊技機１０は、設定キースイッチ９３とＲＡＭ初期化スイッチ１１２のオン／オフ状態に応じて、確率設定値を変更可能な設定可変状態（設定変更状態、設定変更モード）、確率設定値を確認可能な設定確認状態（設定確認モード）などの各種状態に、移行することができる。
【００９７】
本実施形態において、確率設定値は、例えば６段階で規定され、確率設定値１（設定１）、確率設定値２（設定２）、確率設定値３（設定３）、確率設定値４（設定４）、確率設定値５（設定５）、確率設定値６（設定６）がある。一般的に、設定１が遊技者に最も不利な設定であり、設定６が遊技者に最も有利な設定である。設定１、２が低設定であり、設定３、４が中間の設定（中間設定）であり、設定５、６が高設定である。
【００９８】
確率設定変更処理では、操作者によってＲＡＭ初期化スイッチ１１２が押下操作される度に、作業用設定値領域の作業用設定値（設定）が、設定値０（設定１、確率設定値１）→設定値１（設定２、確率設定値２）→設定値２（設定３、確率設定値３）→設定値３（設定４、確率設定値４）→設定値４（設定５、確率設定値５）→設定値５（設定６、確率設定値６）→設定値０（設定１）→設定値１（設定２）→・・・のように変更される。このように、ＲＡＭ初期化スイッチ１１２は、設定値変更スイッチとしても機能する。なお、説明の都合上、設定変更状態（設定変更モード）中に、作業用設定値０〜５をそれぞれ確率設定値１〜６に対応して設けるが、作業用設定値と確率設定値は同じ数値範囲（即ち０〜５又は１〜６）に揃えて同じものとして取り扱ってもよい（作業用設定値と確率設定値を同じ数値にする）。
【００９９】
なお、ＲＡＭ初期化スイッチ１１２（設定値変更スイッチ）の操作ではなく、設定キースイッチ９３を所定の位置に回転操作して確率設定値を変更する構成としてもよい。また、確率設定値は６段階に限られない。そして、選択されている０〜５の作業用設定値に対応する表示用確率設定値が、例えば４桁の７セグメント型（ドットＤｐを含めると８セグメント型）の表示器である性能表示装置１５２等に表示される。
【０１００】
遊技用マイコン１１１は、ＣＰＵ（中央処理ユニット：マイクロプロセッサ）１１１ａ、読出し専用のＲＯＭ（リードオンリメモリ）１１１ｂ及び随時読出し書込み可能なＲＡＭ（ランダムアクセスメモリ）１１１ｃを備える。
【０１０１】
ＲＯＭ１１１ｂは、遊技制御のための不変の情報（プログラム、固定データ、各種乱数の判定値等）を不揮発的に記憶する。ＲＡＭ１１１ｃは、遊技制御時にＣＰＵ１１１ａの作業領域や各種信号や乱数値の記憶領域として利用されるもので、遊技に関する情報（遊技情報）が記憶され、停電が発生しても記憶された情報の記憶保持が可能な保持記憶手段となる。ＲＯＭ１１１ｂ又はＲＡＭ１１１ｃとして、ＥＥＰＲＯＭのような電気的に書換え可能な不揮発性メモリを用いてもよい。
【０１０２】
また、ＲＯＭ１１１ｂは、例えば、特図変動表示ゲームの実行時間、演出内容、リーチ状態の発生の有無などを規定する変動パターン（変動態様）を決定するための変動パターンテーブルを記憶している。変動パターンテーブルとは、始動記憶として記憶されている変動パターン乱数１〜３をＣＰＵ１１１ａが参照して変動パターンを決定するためのテーブルである。また、変動パターンテーブルには、結果がはずれとなる場合に選択されるはずれ変動パターンテーブル、結果が大当りとなる場合に選択される大当り変動パターンテーブル等が含まれる。さらに、これらのパターンテーブルには、リーチ状態となった後の変動パターンである後半変動パターンを決定するためのテーブル（後半変動グループテーブルや後半変動パターン選択テーブル等）、リーチ状態となる前の変動パターンである前半変動パターンを決定するためのテーブル（前半変動グループテーブルや前半変動パターン選択テーブル等）が含まれている。
【０１０３】
ここでリーチ（リーチ状態）とは、表示状態が変化可能な表示装置を有し、該表示装置が時期を異ならせて複数の表示結果を導出表示し、該複数の表示結果が予め定められた特別結果態様となった場合に、遊技状態が遊技者にとって有利な遊技状態（特別遊技状態）となる遊技機１０において、複数の表示結果の一部がまだ導出表示されていない段階で、既に導出表示されている表示結果が特別結果態様となる条件を満たしている表示状態をいう。また、別の表現をすれば、リーチ状態とは、表示装置の変動表示制御が進行して表示結果が導出表示される前段階にまで達した時点でも、特別結果態様となる表示条件からはずれていない表示態様をいう。そして、例えば、特別結果態様が揃った状態を維持しながら複数の変動表示領域による変動表示を行う状態（いわゆる全回転リーチ）もリーチ状態に含まれる。また、リーチ状態とは、表示装置の表示制御が進行して表示結果が導出表示される前段階にまで達した時点での表示状態であって、表示結果が導出表示される以前に決定されている複数の変動表示領域の表示結果の少なくとも一部が特別結果態様となる条件を満たしている場合の表示状態をいう。
【０１０４】
よって、例えば、特図変動表示ゲームに対応して表示装置に表示される飾り特図変動表示ゲームが、表示装置における左、中、右の変動表示領域の各々で所定時間複数の識別情報を変動表示した後、左、右、中の順で変動表示を停止して結果態様を表示するものである場合、左、右の変動表示領域で、特別結果態様となる条件を満たした状態（例えば、同一の識別情報）で変動表示が停止した状態がリーチ状態となる。他に、すべての変動表示領域の変動表示を一旦停止した時点で、左、中、右のうちいずれか二つの変動表示領域で特別結果態様となる条件を満たした状態（例えば、同一の識別情報となった状態、ただし特別結果態様は除く）をリーチ状態とし、リーチ状態から残りの一つの変動表示領域を変動表示するようにしてもよい。
【０１０５】
そして、リーチ状態には複数のリーチ演出が含まれ、特別結果態様（大当り態様）が導出される可能性が異なる（期待度が異なる）リーチ演出の系統（種類）として、ノーマルリーチ（Ｎリーチ）、スペシャル１リーチ（ＳＰ１リーチ）、スペシャル２リーチ（ＳＰ２リーチ）、スペシャル３リーチ（ＳＰ３リーチ）、プレミアリーチが設定されている。なお、大当りの期待度（期待値）は、リーチなし＜ノーマルリーチ＜スペシャル１リーチ＜スペシャル２リーチ＜スペシャル３リーチ＜プレミアリーチの順に高くなるようになっている。また、リーチ状態は、少なくとも特図変動表示ゲームで特別結果態様が導出される場合（大当りとなる場合）における変動表示態様に含まれるようになっている。すなわち、特図変動表示ゲームで特別結果態様が導出されないと判定する場合（はずれとなる場合）における変動表示態様に含まれることもある。よって、リーチ状態が発生した状態は、リーチ状態が発生しない場合と比較して大当りとなる可能性の高い状態である。
【０１０６】
ＣＰＵ１１１ａは、ＲＯＭ１１１ｂ内の遊技制御用プログラムを実行して、払出制御装置２００や演出制御装置３００に対する制御信号（コマンド）を生成したりソレノイドや表示装置の駆動信号を生成して出力して遊技機１０全体の制御を行う。また、図示しないが、遊技用マイコン１１１は、特図変動表示ゲームの大当りを判定するための大当り乱数や大当りの図柄を決定するための大当り図柄乱数、小当りの図柄を決定するための小当り図柄乱数、特図変動表示ゲームでの変動パターン（各種リーチやリーチなしの変動表示における変動表示ゲームの実行時間等を含む）を決定するための変動パターン乱数等を生成するための乱数生成回路と、発振回路１１３からの発振信号（原クロック信号）に基づいてＣＰＵ１１１ａに対する所定周期（例えば、４ｍｓｅｃ（ミリ秒））のタイマ割込み信号や乱数生成回路の更新タイミングを与えるクロックを生成するクロックジェネレータを備えている。
【０１０７】
また、ＣＰＵ１１１ａは、特図変動表示ゲームに関する処理において、ＲＯＭ１１１ｂに記憶されている複数の変動パターンテーブルの中から、いずれか一の変動パターンテーブルを取得する。具体的には、ＣＰＵ１１１ａは、特図変動表示ゲームの遊技結果（大当りあるいははずれ）や、現在の遊技状態としての特図変動表示ゲームの確率状態（通常確率状態あるいは高確率状態）、始動記憶数などに基づいて、複数の変動パターンテーブルの中から、いずれか一の変動パターンテーブルを選択して取得する。ここで、ＣＰＵ１１１ａは、特図変動表示ゲームを実行する場合に、ＲＯＭ１１１ｂに記憶された複数の変動パターンテーブルのうち、いずれか一の変動パターンテーブルを取得する変動振り分け情報取得手段をなす。
【０１０８】
払出制御装置２００は、ＣＰＵ、ＲＯＭ、ＲＡＭ、入力インタフェース、出力インタフェース等を備え、遊技制御装置１００からの賞球払出し指令（コマンドやデータ）に従って、払出ユニットの払出モータ９１を駆動させ、賞球を払い出させるための制御を行う。また、払出制御装置２００は、カードユニット６００からの貸球要求信号に基づいて払出ユニットの払出モータ９１を駆動させ、貸球を払い出させるための制御を行う。
【０１０９】
遊技用マイコン１１１の入力部１２０には、遊技機に対する電波の発射を検出する電波センサ６２（盤電波センサ）、普図始動ゲート３４のゲートスイッチ３４ａ、第１始動入賞口３６内の始動口１スイッチ３６ａ、第２始動入賞口３７（普通変動入賞装置）内の始動口２スイッチ３７ａ、一般入賞口３５の入賞口スイッチ３５ａ、特別変動入賞装置３８、３９の大入賞口スイッチ４３（下大入賞口スイッチ３８ａ、上大入賞口スイッチ３９ａ）に接続され、これらのスイッチから供給されるハイレベルが１１Ｖでロウレベルが７Ｖのような負論理の信号が入力され、０Ｖ−５Ｖの正論理の信号に変換するインタフェースチップ（近接Ｉ／Ｆ）１２１が設けられている。
【０１１０】
さらに、インタフェースチップ（近接Ｉ／Ｆ）１２１は、特定領域スイッチ７２、残存球排出口スイッチ７３、アウト球検出スイッチ７４に接続される。特定領域スイッチ７２は、特定領域８６（Ｖ入賞口）への遊技球の通過（Ｖ入賞）を検出する。残存球排出口スイッチ７３は、特別変動入賞装置３８、３９からの遊技球を排出する残存球排出口を通過した遊技球を検出する。アウト球検出スイッチ７４は、アウト口３０ｂを通過する遊技球のみを検出してもよいし、遊技領域に発射されて遊技を終えた全ての遊技球を検出してもよい。
【０１１１】
近接Ｉ／Ｆ１２１の出力は、第２入力ポート１２３、第３入力ポート１２４、又は、第４入力ポート１２６に供給されデータバス１４０を介して遊技用マイコン１１１に読み込まれる。なお、近接Ｉ／Ｆ１２１の出力のうち、ゲートスイッチ３４ａ、始動口１スイッチ３６ａ、始動口２スイッチ３７ａ、入賞口スイッチ３５ａ、大入賞口スイッチ４３の検出信号は第３入力ポート１２４に入力される。
【０１１２】
また、近接Ｉ／Ｆ１２１の出力のうち、電波センサ６２の検出信号及びセンサやスイッチの異常を検出した際に出力される異常検知信号は第２入力ポート１２３に入力される。
【０１１３】
また、近接Ｉ／Ｆ１２１の出力のうち、特定領域スイッチ７２、残存球排出口スイッチ７３、又は、アウト球検出スイッチ７４の検出信号は第４入力ポート１２６に入力される。
【０１１４】
また、第２入力ポート１２３には、遊技機１０の前面枠１２等に設けられた不正検出用の磁気センサスイッチ６１の検出信号、遊技機１０のガラス枠１５等に設けられたガラス枠開放検出スイッチ６３、前面枠１２（本体枠）等に設けられた前面枠開放検出スイッチ６４（本体枠開放検出スイッチ）からの信号、遊技機１０の振動を検出する振動センサ６５からの信号が入力される。
【０１１５】
また、第２入力ポート１２３は、設定キースイッチ９３からの設定キースイッチ信号を取り込んでデータバス１４０を介して遊技用マイコン１１１に供給する。
【０１１６】
また、近接Ｉ／Ｆ１２１の出力のうち、第３入力ポート１２４への出力は、遊技制御装置１００から中継基板７０を介して図示しない試射試験装置へも供給されるようになっている。さらに、近接Ｉ／Ｆ１２１の出力のうち始動口１スイッチ３６ａと始動口２スイッチ３７ａの検出信号は、第３入力ポート１２４の他、遊技用マイコン１１１に入力されるように構成されている。
【０１１７】
前述のように近接Ｉ／Ｆ１２１は、信号のレベル変換機能を有する。このようなレベル変換機能を可能にするため、近接Ｉ／Ｆ１２１には、電源装置４００から通常のＩＣの動作に必要な例えば５Ｖのような電圧の他に、１２Ｖの電圧が供給されるようになっている。
【０１１８】
第３入力ポート１２４が保持しているデータは、遊技用マイコン１１１が第３入力ポート１２４に割り当てられているアドレスをデコードすることによってイネーブル信号ＣＥ２をアサート（有効レベルに変化）することよって、読み出すことができる。第２入力ポート１２３、第４入力ポート１２６や後述の第１入力ポート１２２も同様である。
【０１１９】
また、入力部１２０には、払出制御装置２００から出力される枠電波不正信号、払出ビジー信号、払出異常を示すステータス信号、払出前の遊技球の不足を示すシュート球切れスイッチ信号、オーバーフローを示すオーバーフロースイッチ信号、操作ハンドル２４に設けられたタッチスイッチの入力に基づくタッチスイッチ信号、ＲＡＭ初期化スイッチ１１２からの信号を取り込んでデータバス１４０を介して遊技用マイコン１１１に供給する第１入力ポート１２２が設けられている。オーバーフロースイッチ信号は、下皿２３に遊技球が所定量以上貯留されていること（満杯になったこと）を検出したときに出力される信号である。枠電波不正信号は前面枠１２（本体枠）に設けられた枠電波センサが電波を検出することに基づき出力される信号であり、払出ビジー信号は払出制御装置２００がコマンドを受付可能な状態か否かを示す信号である。
【０１２０】
また、入力部１２０には、電源装置４００からの停電監視信号やリセット信号などの信号を遊技用マイコン１１１等に入力するためのシュミットバッファ１２５が設けられており、シュミットバッファ１２５はこれらの入力信号からノイズを除去する機能を有する。電源装置４００からの停電監視信号は、一旦第１入力ポート１２２に入力され、データバス１４０を介して遊技用マイコン１１１に取り込まれる。つまり、前述の各種スイッチからの信号と同等の信号として扱われる。遊技用マイコン１１１に設けられている外部からの信号を受ける端子の数には制約があるためである。
【０１２１】
一方、シュミットバッファ１２５によりノイズ除去されたリセット信号ＲＳＴは、遊技用マイコン１１１に設けられているリセット端子に直接入力されるとともに、出力部１３０の各ポートに供給される。また、リセット信号ＲＳＴは出力部１３０を介さずに直接中継基板７０に出力することで、試射試験装置に出力するために中継基板７０のポート（図示省略）に保持される試射試験信号をオフするように構成されている。
【０１２２】
また、リセット信号ＲＳＴを中継基板７０を介して試射試験装置に出力可能に構成するようにしてもよい。なお、リセット信号ＲＳＴは入力部１２０の各ポート１２２，１２３，１２４には供給されない。リセット信号ＲＳＴが入る直前に遊技用マイコン１１１によって出力部１３０の各ポートに設定されたデータはシステムの誤動作を防止するためリセットする必要があるが、リセット信号ＲＳＴが入る直前に入力部１２０の各ポートから遊技用マイコン１１１が読み込んだデータは、遊技用マイコン１１１のリセットによって廃棄されるためである。
【０１２３】
出力部１３０には、遊技用マイコン１１１から演出制御装置３００への通信経路及び遊技用マイコン１１１から払出制御装置２００への通信経路に配されるシュミットバッファ１３２が設けられている。遊技制御装置１００から演出制御装置３００及び払出制御装置２００へは、シリアル通信でデータが送信される。なお、演出制御装置３００の側から遊技制御装置１００へ信号を入力できないようにした片方向通信とされている。
【０１２４】
さらに、出力部１３０には、データバス１４０に接続され図示しない認定機関の試射試験装置へ変動表示ゲームの特図図柄情報を知らせるデータや大当りの確率状態を示す信号などを中継基板７０を介して出力するバッファ１３３が実装可能に構成されている。バッファ１３３は遊技店に設置される実機（量産販売品）としてのパチンコ遊技機の遊技制御装置（主基板）には実装されない部品である。なお、前記近接Ｉ／Ｆ１２１から出力される始動口スイッチなど加工の必要のないスイッチの検出信号は、バッファ１３３を通さずに中継基板７０を介して試射試験装置に供給される。
【０１２５】
一方、磁気センサスイッチ６１や電波センサ６２のようにそのままでは試射試験装置に供給できない検出信号は、一旦遊技用マイコン１１１に取り込まれて他の信号若しくは情報に加工されて、例えば遊技機が遊技制御できない状態であることを示すエラー信号としてデータバス１４０からバッファ１３３、中継基板７０を介して試射試験装置に供給される。
【０１２６】
なお、中継基板７０には、バッファ１３３から出力された信号を取り込んで試射試験装置に供給するポートや、バッファを介さないスイッチの検出信号の信号線を中継して伝達するコネクタなどが設けられている。中継基板７０上のポートには、遊技用マイコン１１１から出力されるチップイネーブル信号ＣＥも供給され、該信号ＣＥにより選択制御されたポートの信号が試射試験装置に供給されるようになっている。
【０１２７】
また、出力部１３０には、データバス１４０に接続され普通変動入賞装置３７を開放させるソレノイド（普電ソレノイド）３７ｃ、第１特別変動入賞装置３８を開放させる下大入賞口ソレノイド３８ｂ（大入賞口ソレノイド１）、第２特別変動入賞装置３９を開放させる上大入賞口ソレノイド３９ｂ（大入賞口ソレノイド２）、レバーを動作させ特定領域８６を開放させるレバーソレノイド８６ｂの開閉データを出力するための第２出力ポート１３４が設けられている。
【０１２８】
また、出力部１３０には、一括表示装置５０に表示する内容に応じてＬＥＤのアノード端子が接続されているセグメント線のオン／オフデータを出力するための第３出力ポート１３５、一括表示装置５０のＬＥＤのカソード端子が接続されているデジット線のオン／オフデータを出力するための第４出力ポート１３６が設けられている。
【０１２９】
また、出力部１３０には、大当り情報など遊技機１０に関する情報を外部情報端子７１に出力するための第５出力ポート１３７が設けられている。外部情報端子７１にはフォトリレーが備えられ、例えば遊技店に設置された外部装置（情報収集端末や遊技場内部管理装置（ホールコンピュータ）など）に接続可能であり、遊技機１０に関する情報を外部装置に供給することができるようになっている。また、第５出力ポート１３７からはシュミットバッファ１３２を介して払出制御装置２００に発射許可信号も出力される。
【０１３０】
さらに、出力部１３０には、第２出力ポート１３４から出力される普電ソレノイド３７ｃや大入賞口ソレノイド３８ｂ、３９ｂなどの開閉データ信号を受けてソレノイド駆動信号を生成し出力する第１ドライバ（駆動回路）１３８ａ、第３出力ポート１３５から出力される一括表示装置５０の電流供給側のセグメント線のオン／オフ駆動信号を出力する第２ドライバ１３８ｂ、第４出力ポート１３６から出力される一括表示装置５０の電流引き込み側のデジット線のオン／オフ駆動信号を出力する第３ドライバ１３８ｃ、第５出力ポート１３７から管理装置等の外部装置に供給する外部情報信号を外部情報端子７１に出力する第４ドライバ１３８ｄが設けられている。
【０１３１】
第１ドライバ１３８ａには、３２Ｖで動作するソレノイドを駆動できるようにするため、電源電圧としてＤＣ３２Ｖが電源装置４００から供給される。また、一括表示装置５０のセグメント線を駆動する第２ドライバ１３８ｂには、ＤＣ１２Ｖが供給される。デジット線を駆動する第３ドライバ１３８ｃは、表示データに応じたデジット線を電流で引き抜くためのものであるため、電源電圧は１２Ｖ又は５Ｖのいずれであってもよい。
【０１３２】
１２Ｖを出力する第２ドライバ１３８ｂによりセグメント線を介してＬＥＤのアノード端子に電流を流し込み、接地電位を出力する第３ドライバ１３８ｃによりカソード端子よりセグメント線を介して電流を引き抜くことで、ダイナミック駆動方式で順次選択されたＬＥＤに電源電圧が流れて点灯される。外部情報信号を外部情報端子７１に出力する第４ドライバ１３８ｄは、外部情報信号に１２Ｖのレベルを与えるため、ＤＣ１２Ｖが供給される。なお、バッファ１３３や第２出力ポート１３４、第１ドライバ１３８ａ等は、遊技制御装置１００の出力部１３０、すなわち、主基板ではなく、中継基板７０側に設けるようにしてもよい。
【０１３３】
さらに、出力部１３０には、外部の検査装置５００へ各遊技機の識別コードやプログラムなどの情報を送信するためのフォトカプラ１３９が設けられている。フォトカプラ１３９は、遊技用マイコン１１１が検査装置５００との間でシリアル通信によってデータの送受信を行えるように双方通信可能に構成されている。なお、かかるデータの送受信は、通常の汎用マイクロプロセッサと同様に遊技用マイコン１１１が有するシリアル通信端子を利用して行われるため、入力ポート１２２，１２３，１２４のようなポートは設けられていない。
【０１３４】
さらに、出力部１３０には、第２出力ポート１３４から出力されるシリアルデータ（制御用データ、点灯パターンデータ、キャラクタコード（文字コード）など）を受けて、性能表示装置１５２（状態表示装置）を駆動するドライバ１５０が設けられている。本実施形態では、性能表示装置１５２は、複数（４つ）の７セグメント型（ドットＤｐを含めると８セグメント型）の表示器（ＬＥＤランプ）からなり、ドライバ１５０はＬＥＤドライバであるが、これに限られるものではない。
【０１３５】
性能表示装置１５２は、遊技制御装置１００（主基板）上に設けられるものであるが、他の場所に設けられてもよい。例えば、性能表示装置１５２は、表示用確率設定値や役物比率や出玉率や排出球数を表示可能である。
【０１３６】
ここで、排出球数は、遊技領域３２から排出された遊技球の数（アウト球数とも呼ぶ）であり、入賞口を通過した遊技球の数（入賞数）とアウト口３０ｂを通過した遊技球の数との合計である。排出球数は、アウト球検出スイッチ７４の信号などをカウント（計数）することにより取得できる。本実施形態では、入賞口には、一般入賞口３５、始動入賞口３６（第１始動入賞口、始動口１）、普通変動入賞装置３７（第２始動入賞口、始動口２）、及び、特別変動入賞装置３８、３９（大入賞口）が含まれる。
【０１３７】
出玉率は、排出球数（或は発射球数）に対する賞球数の合計の比率（割合）であり、（獲得球数÷排出球数）×１００（％）で計算される。即ち、出玉率は、排出球数１００個当りの獲得球数（賞球数の合計）となる。
【０１３８】
例えば、役物比率は、所定期間（例えば、遊技機１０の電源投入から現在まで）に入賞口に入賞したことで得られた全賞球数（賞球の合計数）のうち、大当り状態中に大入賞口に入賞したことで得られた賞球数（役物別獲得球数）の割合（％）（＝いわゆる連続役物比率）である。なお、役物比率は、全賞球数のうち、大入賞口に入賞したことで得られた賞球数（大当り状態中と小当り状態中）の割合（＝大入賞口比率）でもよいし、或は、大入賞口及び普通変動入賞装置３７（第２始動入賞口）に入賞したことで得られた賞球数の割合（＝一般的に使用されるいわゆる役物比率（全役物比率））でもよい。
【０１３９】
〔演出制御装置〕
次に、図４を用いて、演出制御装置３００（サブ基板）の構成について説明する。図４は、遊技機１０の演出制御系のブロック図である。
【０１４０】
演出制御装置３００は、遊技用マイコン１１１と同様にアミューズメントチップ（ＩＣ）からなる主制御用マイコン（ＣＰＵ）３１１と、主制御用マイコン３１１からのコマンドやデータに従って表示装置４１への映像表示のための画像処理を行うグラフィックプロセッサとしてのＶＤＰ（Video Display Processor）３１２と、各種のメロディや効果音などをスピーカ１９から再生させるため音の出力を制御する音源ＬＳＩ３１４を備えている。
【０１４１】
主制御用マイコン３１１には、ＣＰＵが実行するプログラムや各種データを格納したＰＲＯＭ（プログラマブルリードオンリメモリ）からなるプログラムＲＯＭ３２１、作業領域を提供するＲＡＭ３２２、停電時に電力が供給されなくとも記憶内容を保持可能なＦｅＲＡＭ３２３、現在の日時（年月日や曜日、時刻など）を示す情報を生成する計時手段をなすＲＴＣ（リアルタイムクロック）３３８が接続されている。なお、主制御用マイコン３１１の内部にも作業領域を提供するＲＡＭが設けられている。
【０１４２】
また、主制御用マイコン３１１にはＷＤＴ（ウォッチドッグ・タイマ）回路３２４が接続されている。主制御用マイコン３１１は、遊技用マイコン１１１からのコマンドを解析し、演出内容を決定してＶＤＰ３１２に出力映像の内容を指示したり、音源ＬＳＩ３１４への再生音の指示、装飾ランプの点灯、モータやソレノイドの駆動制御、演出時間の管理などの処理を実行する。
【０１４３】
ＶＤＰ３１２には、作業領域を提供するＲＡＭ３１２ａや、画像を拡大、縮小処理するためのスケーラ３１２ｂが設けられている。また、ＶＤＰ３１２にはキャラクタ画像や映像データが記憶された画像ＲＯＭ３２５や、画像ＲＯＭ３２５から読み出されたキャラクタなどの画像データを展開したり加工したりするのに使用される超高速なＶＲＡＭ（ビデオＲＡＭ）３２６が接続されている。
【０１４４】
特に限定されるわけではないが、主制御用マイコン３１１とＶＤＰ３１２との間は、パラレル方式でデータの送受信が行われるように構成されている。パラレル方式でデータを送受信することで、シリアルの場合よりも短時間にコマンドやデータを送信することができる。
【０１４５】
ＶＤＰ３１２から主制御用マイコン３１１へは、表示装置４１の映像とガラス枠１５や遊技盤３０に設けられている装飾ランプの点灯を同期させるための垂直同期信号ＶＳＹＮＣ、データの送信タイミングを与える同期信号ＳＴＳが入力される。なお、ＶＤＰ３１２から主制御用マイコン３１１へは、ＶＲＡＭへの描画の終了等処理状況を知らせるため割込み信号ＩＮＴ０〜ｎ及び主制御用マイコン３１１からのコマンドやデータの受信待ちの状態にあることを知らせるためのウェイト信号ＷＡＩＴなども入力される。
【０１４６】
演出制御装置３００には、ＬＶＤＳ（小振幅信号伝送）方式で表示装置４１に送信する映像信号を生成する信号変換回路３１３が設けられている。ＶＤＰ３１２から信号変換回路３１３へは、映像データ、水平同期信号ＨＳＹＮＣ及び垂直同期信号ＶＳＹＮＣが入力されるようになっており、ＶＤＰ３１２で生成された映像は、信号変換回路３１３を介して表示装置４１に表示される。
【０１４７】
音源ＬＳＩ３１４には音声データが記憶された音ＲＯＭ３２７が接続されている。主制御用マイコン３１１と音源ＬＳＩ３１４は、アドレス／データバス３４０を介して接続されている。また、音源ＬＳＩ３１４から主制御用マイコン３１１へは割込み信号ＩＮＴが入力されるようになっている。演出制御装置に３００には、ガラス枠１５に設けられた上スピーカ１９ａ及び前面枠１２に設けられた下スピーカ１９ｂを駆動するオーディオパワーアンプなどからなるアンプ回路３３７が設けられており、音源ＬＳＩ３１４で生成された音声はアンプ回路３３７を介して上スピーカ１９ａ及び下スピーカ１９ｂから出力される。
【０１４８】
また、演出制御装置３００には、遊技制御装置１００から送信されるコマンドを受信するインタフェースチップ（コマンドＩ／Ｆ）３３１が設けられている。コマンドＩ／Ｆ３３１を介して、遊技制御装置１００から演出制御装置３００に送信された飾り特図保留数コマンド、飾り特図コマンド、変動コマンド、停止情報コマンド等を、演出制御指令信号（演出コマンド）として受信する。遊技制御装置１００の遊技用マイコン１１１はＤＣ５Ｖで動作し、演出制御装置３００の主制御用マイコン３１１はＤＣ３．３Ｖで動作するため、コマンドＩ／Ｆ３３１には信号のレベル変換の機能が設けられている。
【０１４９】
また、演出制御装置３００には、遊技盤３０（センターケース４０を含む）に設けられているＬＥＤ（発光ダイオード）を有する盤装飾装置４６を駆動制御する盤装飾ＬＥＤ制御回路３３２、ガラス枠１５に設けられているＬＥＤ（発光ダイオード）を有する枠装飾装置（例えば枠装飾装置１８等）を駆動制御する枠装飾ＬＥＤ制御回路３３３、遊技盤３０（センターケース４０を含む）に設けられている盤演出装置４４（例えば表示装置４１における演出表示と協働して演出効果を高める可動役物等）を駆動制御する盤演出可動体制御回路３３４が設けられている。なお、盤装飾装置４６には、前述のランプ表示装置８０が含まれてよい。
【０１５０】
ランプやモータ及びソレノイドなどを駆動制御するこれらの制御回路３３２〜３３４は、アドレス／データバス３４０を介して主制御用マイコン３１１と接続されている。なお、ガラス枠１５に設けられているモータ等の枠演出装置を駆動制御する枠演出可動体制御回路を備えていてもよい。
【０１５１】
さらに、演出制御装置３００には、ガラス枠１５に設けられた演出ボタン２５に内蔵されている演出ボタンスイッチ２５ａ、演出ボタン２５の表面に設けられているタッチパネル２５ｂ、盤演出装置４４内のモータの初期位置等を検出する演出役物スイッチ４７（演出モータスイッチ）のオン／オフ状態を検出して主制御用マイコン３１１に検出信号を入力する機能や、演出制御装置３００に設けられた音量調節スイッチ３３５の状態を検出して主制御用マイコン３１１に検出信号を入力するスイッチ入力回路３３６が設けられている。
【０１５２】
電源装置４００の通常電源部４１０は、前述のような構成を有する演出制御装置３００やそれによって制御される電子部品に対して所望のレベルの直流電圧を供給するため、モータやソレノイドを駆動するためのＤＣ３２Ｖ、液晶パネルからなる表示装置４１、モータやＬＥＤを駆動するためのＤＣ１２Ｖ、コマンドＩ／Ｆ３３１の電源電圧となるＤＣ５Ｖの他に、モータやＬＥＤ、スピーカを駆動するためのＤＣ１５Ｖの電圧を生成するように構成されている。
【０１５３】
さらに、主制御用マイコン３１１として、３．３Ｖあるいは１．２Ｖのような低電圧で動作するＬＳＩを使用する場合には、ＤＣ５Ｖに基づいてＤＣ３．３ＶやＤＣ１．２Ｖを生成するためのＤＣ−ＤＣコンバータが演出制御装置３００に設けられる。なお、ＤＣ−ＤＣコンバータは通常電源部４１０に設けるようにしてもよい。
【０１５４】
電源装置４００の制御信号生成部４３０により生成されたリセット信号は、主制御用マイコン３１１に供給され、当該デバイスをリセット状態にする。また、主制御用マイコン３１１から出力される形で、ＶＤＰ３１２（ＶＤＰＲＥＳＥＴ信号）、音源ＬＳＩ３１４、スピーカを駆動するアンプ回路３３７（ＳＮＤＲＥＳＥＴ信号）、ランプやモータなどを駆動制御する制御回路３３２〜３３４（ＩＯＲＥＳＥＴ信号）に供給され、これらをリセット状態にする。また、演出制御装置３００には遊技機１０の各所を冷却する冷却ＦＡＮ４５が接続され、演出制御装置３００の電源が投入された状態では冷却ＦＡＮ４５が駆動するようにされている。
【０１５５】
次に、これらの制御回路において行われる遊技制御について説明する。遊技制御装置１００の遊技用マイコン１１１のＣＰＵ１１１ａでは、普図始動ゲート３４に備えられたゲートスイッチ３４ａからの遊技球の検出信号の入力に基づき、普図の当り判定用乱数値を抽出してＲＯＭ１１１ｂに記憶されている判定値と比較し、普図変動表示ゲームの当り外れを判定する。
【０１５６】
そして、普図表示器に、識別図柄を所定時間変動表示した後、停止表示する普図変動表示ゲームを表示する。普図変動表示ゲームの結果が当りの場合は、普図表示器に特別の結果態様を表示するとともに、普電ソレノイド３７ｃを動作させ、普通変動入賞装置３７の可動部材３７ｂを所定時間（例えば、０．３秒間）前述のように開放する制御を行う。すなわち、遊技制御装置１００が、変換部材（可動部材３７ｂ）の変換制御を行う変換制御実行手段をなす。なお、普図変動表示ゲームの結果がはずれの場合は、普図表示器にはずれの結果態様を表示する制御を行う。
【０１５７】
また、始動入賞口３６に備えられた始動口１スイッチ３６ａからの遊技球の検出信号の入力に基づき始動入賞（始動記憶）を記憶し、始動記憶に基づき、特図１変動表示ゲームの大当り判定用乱数値を抽出してＲＯＭ１１１ｂに記憶されている判定値と比較し、特図１変動表示ゲームの当り外れを判定する。
【０１５８】
また、普通変動入賞装置３７に備えられた始動口２スイッチ３７ａからの遊技球の検出信号の入力に基づき始動記憶を記憶し、始動記憶に基づき、特図２変動表示ゲームの大当り判定用乱数値を抽出してＲＯＭ１１１ｂに記憶されている判定値と比較し、特図２変動表示ゲームの当り外れを判定する。
【０１５９】
そして、遊技制御装置１００のＣＰＵ１１１ａは、特図１変動表示ゲームや特図２変動表示ゲームの判定結果を含む制御信号（演出制御コマンド）を、演出制御装置３００に出力する。そして、特図１表示器５１や特図２表示器５２に、識別図柄を所定時間変動表示した後、停止表示する特図変動表示ゲームを表示する。すなわち、遊技制御装置１００が、遊技領域３２を流下する遊技球の始動入賞領域（第１始動入賞口３６、普通変動入賞装置３７）への入賞に基づき変動表示ゲームの進行制御を行う遊技制御手段をなす。
【０１６０】
また、演出制御装置３００では、遊技制御装置１００からの制御信号に基づき、表示装置４１で特図変動表示ゲームに対応した飾り特図変動表示ゲームを表示する。さらに、演出制御装置３００では、遊技制御装置１００からの制御信号に基づき、演出状態の設定や、スピーカ１９ａ，１９ｂからの音の出力、各種ＬＥＤの発光を制御する処理等を行う。すなわち、演出制御装置３００が、遊技（変動表示ゲーム等）に関する演出を制御する演出制御手段をなす。
【０１６１】
そして、遊技制御装置１００のＣＰＵ１１１ａは、特図変動表示ゲームの結果が当りの場合は、特図１表示器５１や特図２表示器５２に特別結果態様を表示するとともに、特別遊技状態を発生させる。特別遊技状態を発生させる処理においては、ＣＰＵ１１１ａは、例えば、大入賞口ソレノイド３９ｂにより特別変動入賞装置３９の開閉扉３９ｃを開放させ、大入賞口内への遊技球の流入を可能とする制御を行う。
【０１６２】
そして、大入賞口に所定個数（例えば、１０個）の遊技球が入賞するか、大入賞口の開放から所定の開放可能時間（例えば、２７秒又は０．０５秒）が経過するかのいずれかの条件が達成されるまで大入賞口を開放することを１ラウンド（Ｒ）とし、これを所定ラウンド回数（例えば、１５回、１１回又は２回）継続する（繰り返す）制御（サイクル遊技）を行う。すなわち、遊技制御装置１００が、停止結果態様が特別結果態様となった場合に、大入賞口を開閉する制御を行う大入賞口開閉制御手段をなす。また、特図変動表示ゲームの結果がはずれの場合は、特図１表示器５１や特図２表示器５２にはずれの結果態様を表示する制御を行う。
【０１６３】
また、遊技制御装置１００は、特図変動表示ゲームの結果態様に基づき、特別遊技状態の終了後に、遊技状態として高確率状態を発生可能となっている。高確率状態（確変状態）は、特図変動表示ゲームにて当り結果となる確率が、通常確率状態と比較して高い状態である。また、特図１変動表示ゲーム及び特図２変動表示ゲームのどちらの特図変動表示ゲームの結果態様に基づき高確率状態となっても、特図１変動表示ゲーム及び特図２変動表示ゲームの両方が高確率状態となる。
【０１６４】
また、遊技制御装置１００は、特図変動表示ゲームの結果態様に基づき、特別遊技状態の終了後に、遊技状態として時短状態（特定遊技状態）を発生可能となっている。時短状態においては、普図変動表示ゲーム及び普通変動入賞装置３７を時短動作状態とする制御を行い、普通変動入賞装置３７が通常動作状態である場合よりも、単位時間当りの普通変動入賞装置３７の開放時間が実質的に多くなるように制御するため、普電サポート状態となる。なお、潜伏確変状態を除く高確率状態（通常の確変状態）でも、重複して時短状態にして普電サポート（電サポ）を実行する。
【０１６５】
例えば、時短状態においては、前述の普図変動表示ゲームの実行時間（普図変動時間）を通常の第１変動表示時間よりも短い第２変動表示時間にする時間短縮変動が可能である（例えば、１００００ｍｓｅｃが１０００ｍｓｅｃ）。なお、時短状態においては、特図変動表示ゲームの実行時間（特図変動時間）も通常より短縮され、特図変動表示ゲームの時間短縮変動も実行する。
【０１６６】
また、時短状態においては、普図変動表示ゲームの結果を表示する普図停止時間を第１停止時間（例えば１６０４ｍｓｅｃ）よりも短い第２停止時間（例えば７０４ｍｓｅｃ）となるように制御することが可能である。
【０１６７】
また、時短状態においては、普図変動表示ゲームが当り結果となって普通変動入賞装置３７が開放される場合に、開放時間（普電開放時間）が通常状態の第１開放時間（例えば１００ｍｓｅｃ）よりも長い第２開放時間（例えば１３５２ｍｓｅｃ）となるように制御することが可能である。
【０１６８】
また、時短状態においては、普図変動表示ゲームの１回の当り結果に対して、普通変動入賞装置３７の開放回数（普電開放回数）を第１開放回数（例えば２回）よりも多い回数（例えば、４回）の第２開放回数に設定することが可能である。また、時短状態においては、普図変動表示ゲームの当り結果となる確率（普図確率）を通常動作状態である場合の通常確率（低確率）よりも高い高確率とすることが可能である。
【０１６９】
時短状態においては、普図変動時間、普図停止時間、普電開放回数、普電開放時間、普図確率のいずれか一つ又は複数を変化させることで普通変動入賞装置３７を開状態に状態変換する時間を通常よりも延長するようにする。これにより、時短状態では、通常遊技状態よりも普通変動入賞装置３７への入賞が容易化して、単位時間当たりの特図変動表示ゲームの実行回数が通常遊技状態よりも増加可能である。また、変化させるものが異なる複数種類の時短状態を設定することも可能である。また、通常動作状態において可動部材３７ｂを開放しないように設定（普図確率が０）してもよい。また、当りとなった場合に第１開放態様と第２開放態様のいずれかを選択するようにしてもよい。この場合、第１開放態様と第２開放態様の選択確率を異ならせてもよい。また、高確率状態と時短状態は、それぞれ独立して発生可能であり、両方を同時に発生することも可能であるし一方のみを発生させることも可能である。
【０１７０】
〔電源投入時の移行状態〕
図５は、遊技機１０の電源投入（電源復旧）時の移行状態を説明する図である。前述のように、電源投入時のＲＡＭ初期化スイッチ１１２及び設定キースイッチ９３のオンオフ状態によって、図５に示すように４つの状態（モード）へ移行する。
【０１７１】
まず、電源投入時に、ＲＡＭ初期化スイッチ１１２と設定キースイッチ９３とがオンにされている場合には、確率設定値（設定値）を変更可能な設定可変状態（設定変更状態、設定変更モード）に移行する（図６ＢのＡ１０２７−Ａ１０３６と図８参照）。
【０１７２】
次に、電源投入時に、設定キースイッチ９３がオンにされているがＲＡＭ初期化スイッチ１１２がオフの場合には、確率設定値を確認可能な設定確認状態（設定確認モード）に移行する（図６ＢのＡ１０３１−Ａ１０３６と図８参照）。
【０１７３】
また、電源投入時に、設定キースイッチ９３がオフであるがＲＡＭ初期化スイッチ１１２がオンにされている場合には、ＲＡＭ初期化状態（ＲＡＭクリアモード）に移行し、ＲＡＭ初期化処理（ＲＡＭクリア処理）が実行されて、ＲＡＭ１１１ｃが初期化される（図６ＢのＡ１０４２−１０４４参照）。
【０１７４】
電源投入時に、設定キースイッチ９３とＲＡＭ初期化スイッチ１１２とがオフである場合には、通常復電状態（通常復電モード）に移行し、単に復電されるだけの状態になる。
【０１７５】
［遊技制御装置の制御］
以下、このような遊技を行う遊技機の制御について説明する。まず、上記遊技制御装置１００の遊技用マイクロコンピュータ（遊技用マイコン）１１１によって実行される制御について説明する。遊技用マイコン１１１による制御処理は、主に図６Ａ及び図６Ｂに示すメイン処理と、所定時間周期（本実施形態では４ｍｓｅｃ（ミリ秒））で行われる図７に示すタイマ割込み処理とからなる。即ち、遊技用マイコン１１１の制御処理に対応する遊技制御用プログラムは、メイン処理に対応するメインプログラム（呼出元ルーチン）と、タイマ割込み処理に対応する割込み処理プログラム（割込み処理ルーチン）から構成される。
【０１７６】
〔メイン処理（遊技制御装置）〕
まず、メイン処理について説明する。図６Ａ及び図６Ｂは、遊技制御装置１００によるメイン処理の手順を示すフローチャートである。メイン処理は、電源が投入されることで開始される。なお、遊技制御装置１００が実行する処理のフローチャートにおいて、ステップの符号（番号）は「Ａ＊＊＊＊」と表されている。
【０１７７】
図６Ａに示すように、遊技制御装置１００は、メイン処理を開始すると、まず、割込みを禁止する処理を実行する（Ａ１００１）。さらに、割込み発生時にレジスタ等の値を退避する領域の先頭アドレスであるスタックポインタを設定するスタックポインタ設定処理を実行する（Ａ１００２）。
【０１７８】
続いて、使用するレジスタバンクとしてレジスタバンク０を指定し（Ａ１００３）、所定のレジスタにＲＡＭ先頭アドレスの上位アドレスをセットする（Ａ１００４）。例えば、ＲＡＭのアドレスが００００ｈ〜０１ＦＦｈの範囲である場合に、上位アドレスとして００ｈをセットする。
【０１７９】
次に、遊技制御装置１００は、発射禁止の信号を出力して発射許可信号を禁止状態に設定する（Ａ１００５）。発射許可信号は遊技制御装置１００と払出制御装置２００の少なくとも一方が発射禁止の信号を出力している場合に禁止状態に設定され、遊技球の発射が禁止されるようになっている。その後、遊技制御装置１００は、設定キースイッチ９３とＲＡＭ初期化スイッチ１１２の状態を読み込む（Ａ１００６）。即ち、設定キースイッチ９３とＲＡＭ初期化スイッチ１１２からの信号を読み込む。
【０１８０】
さらに、遊技制御装置１００は、電源ディレイタイマを設定する（Ａ１００７）。電源ディレイタイマに所定の初期値を設定することにより、主制御手段をなす遊技制御装置１００からの指示に従い種々の制御を行う従制御手段（例えば、払出制御装置２００や演出制御装置３００）のプログラムが正常に起動するまで待機するための待機時間（例えば３秒）が設定される。これにより、電源投入の際に仮に遊技制御装置１００が先に立ち上がって従制御装置（例えば払出制御装置２００や演出制御装置３００）が立ち上がる前にコマンドを従制御装置に送ってしまい、従制御装置がコマンドを取りこぼすことを回避することができる。すなわち、遊技制御装置１００が、電源投入時において、主制御手段（遊技制御装置１００）の起動を遅らせて従制御装置（払出制御装置２００、演出制御装置３００等）の起動を待つための所定の待機時間を設定する待機手段をなす。
【０１８１】
また、電源ディレイタイマの計時は、ＲＡＭの正当性判定（チェックサム算出）の対象とならない記憶領域（正当性判定対象外のＲＡＭ領域又はレジスタ等）を用いて行われる。これにより、ＲＡＭ領域のチェックサム等のチェックデータを算出する際に、一部のＲＡＭ領域を除外して算出する必要がないため電源投入時の制御が複雑になることを防止することができる。
【０１８２】
なお、待機時間の開始前に設定キースイッチ９３とＲＡＭ初期化スイッチ１１２の状態を読み込むことで、設定キースイッチ９３とＲＡＭ初期化スイッチ１１２の操作を確実に検出できる。すなわち、待機時間の経過後に設定キースイッチ９３とＲＡＭ初期化スイッチ１１２の状態を読み込むようにすると、待機時間の経過を待ってから設定キースイッチ９３とＲＡＭ初期化スイッチ１１２を操作したり、電源投入から待機時間の経過まで設定キースイッチ９３とＲＡＭ初期化スイッチ１１２を操作し続けたりする必要がある。しかし、待機時間の開始前に状態を読み込むことで、このような煩わしい操作を行わなくても、電源投入時に行った設定キースイッチ９３とＲＡＭ初期化スイッチ１１２の操作が受け付けられないような事態を防止できる。
【０１８３】
電源ディレイタイマを設定すると（Ａ１００７）、遊技制御装置１００は、待機時間の計時と、待機時間中における停電の発生を監視する処理とを実行する（Ａ１００８からＡ１０１０）。
【０１８４】
停電監視処理が開始されると、遊技制御装置１００は、まず、電源装置４００から入力されている停電監視信号をポート及びデータバスを介して読み込むなどして、停電が発生しているか否か判定する（Ａ１００８）。停電が発生している場合に（Ａ１００８の結果が「Ｙ」）、遊技機の電源が遮断されるまで待機する。
【０１８５】
遊技制御装置１００は、停電が発生していない場合には（Ａ１００８の結果が「Ｎ」）、電源投入ディレイタイマを−１更新し（Ａ１００９）、タイマの値が０であるか否かを判定する（Ａ１０１０）。タイマの値が０でない場合（Ａ１０１０の結果が「Ｎ」）、すなわち、待機時間が終了していない場合には、ステップＡ１００８の処理に戻る。
【０１８６】
すなわち、遊技制御装置１００が、所定の待機時間において停電の発生を監視する停電監視手段をなす。これにより、主制御手段をなす遊技制御装置１００の起動を遅らせている期間において発生した停電に対応することが可能となり、電源投入時における不具合に適切に対処することができる。なお、待機時間の終了まではＲＡＭへのアクセスが許可されておらず、前回の電源遮断時の記憶内容が保持されたままとなっているため、ここでの停電発生時にはバックアップの処理等は行う必要がない。したがって、待機時間中に停電が発生してもＲＡＭのバックアップを取る必要がなく、制御の負担を軽減することができる。
【０１８７】
一方、遊技制御装置１００は、タイマの値が０である場合（Ａ１０１０の結果が「Ｙ」）、すなわち、待機時間が終了した場合には、ＲＡＭやＥＥＰＲＯＭ等の読出し書込み可能なＲＷＭ（リードライトメモリ）のアクセスを許可し（Ａ１０１１）、全出力ポートにオフデータを出力（出力が無い状態に設定）する（Ａ１０１２）。
【０１８８】
次に、遊技制御装置１００は、シリアルポート（遊技用マイコン１１１に予め搭載されているポートで、本実施形態では、演出制御装置３００や払出制御装置２００との通信に使用）を設定する（Ａ１０１３）。
【０１８９】
さらに、ここで、性能表示装置１５２（状態表示装置）を駆動するドライバ１５０を初期設定してもよい。遊技制御装置１００は、初期設定の内容に対応する制御用データを含むコマンドを、第２出力ポート１３４（シリアル通信回路）の送信バッファに書き込んでドライバ１５０に送信する。例えば、遊技制御装置１００は、初期設定においてデューティ比を設定する。デューティ比は、性能表示装置１５２の各ＬＥＤ（各セグメント）の明るさに対応する。遊技制御装置１００は、初期設定において、性能表示装置１５２の使用桁数を設定する。本実施形態では、使用桁数は４である。
【０１９０】
次に、遊技制御装置１００は、遊技用マイコン１１１（クロックジェネレータ）内のタイマ割込み信号及び乱数更新トリガ信号（ＣＴＣ）を発生するＣＴＣ（Counter／Timer Circuit）回路を起動する（Ａ１０１４）。なお、ＣＴＣ回路は、遊技用マイコン１１１内のクロックジェネレータに設けられている。クロックジェネレータは、発振回路１１３からの発振信号（原クロック信号）を分周する分周回路と、分周された信号に基づいてＣＰＵ１１１ａに対して所定周期（例えば、４ミリ秒）のタイマ割込み信号及び乱数生成回路に供給する乱数更新のトリガを与える信号ＣＴＣを発生するＣＴＣ回路とを備えている。
【０１９１】
続いて、遊技制御装置１００は、ＲＡＭ（ここではＲＡＭ１１１ｃ）の異常を示すＲＡＭ異常フラグをセットする（Ａ１０１５）。ここでは、一旦、異常前提のフラグを所定のレジスタにセットしておく。
【０１９２】
次に、遊技制御装置１００は、ＲＷＭ内の停電検査領域１の値が正常な停電検査領域チェックデータであるか否かを判定する（Ａ１０１６）。そして、正常であれば（Ａ１０１６の結果が「Ｙ」）、ＲＷＭ内の停電検査領域２の値が正常な停電検査領域チェックデータであるか否かを判定する（Ａ１０１７）。
【０１９３】
さらに、遊技制御装置１００は、停電検査領域２の値が正常であれば（Ａ１０１７の結果が「Ｙ」）、ＲＷＭ内の所定領域（例えば遊技制御用作業領域）のチェックサムを算出するチェックサム算出処理を実行し（Ａ１０１８）、算出されたチェックサムと電源断時のチェックサムが一致するか否かを判定する（Ａ１０１９）。チェックサムが一致する場合には（Ａ１０１９の結果が「Ｙ」）、ＲＡＭは正常であり、ＲＡＭの異常を示すＲＡＭ異常フラグをクリアする（Ａ１０２０）。その後、ステップＡ１０２１の処理に移行する。
【０１９４】
また、遊技制御装置１００は、停電検査領域のチェックデータが正常なデータでないと判定された場合（Ａ１０１６の結果が「Ｎ」、又は、Ａ１０１７の結果が「Ｎ」）、チェックサムが一致しない場合には（Ａ１０１９の結果が「Ｎ」）、ＲＡＭ異常フラグをクリアすることなく、ステップＡ１０２１の処理に移行する。
【０１９５】
次に、遊技制御装置１００は、設定キースイッチ９３及びＲＡＭ初期化スイッチ１１２の両スイッチがオンであるか否かを判定する（Ａ１０２１）。遊技制御装置１００は、両スイッチがオンである場合に（Ａ１０２１の結果が「Ｙ」）、設定可変状態（設定変更モード）に移行し、ステップＡ１０２７−Ａ１０３７の確率設定変更中の処理を実行する。
【０１９６】
遊技制御装置１００は、設定キースイッチ９３及びＲＡＭ初期化スイッチ１１２の少なくとも一方がオフである場合に（Ａ１０２１の結果が「Ｎ」）、ＲＡＭ（ここではＲＡＭ１１１ｃ）の異常を示すＲＡＭ異常フラグがセットされているか否か判定する（Ａ１０２２）。ＲＡＭ異常フラグがセットされていない場合に（Ａ１０２２の結果が「Ｎ」）、確率設定変更中フラグがセットされているか否かを判定する（Ａ１０２３）。確率設定変更中フラグがセットされていない場合に（Ａ１０２３の結果が「Ｎ」）、ステップＡ１０３１−Ａ１０３７の確率設定確認中（設定確認状態中、設定確認モード中）の処理、ステップＡ１０４１−１０４４のＲＡＭ初期化処理（ＲＡＭクリア処理）、又は、ステップＡ１０４１、Ａ１０４５、Ａ１０４６の通常の電源投入時（電源復旧時）の処理を実行する。
【０１９７】
遊技制御装置１００は、確率設定変更中フラグがセットされている場合に（Ａ１０２３の結果が「Ｙ」）、遊技制御装置１００（主基板、メイン基板）に異常があったことを報知するメイン異常エラー報知のコマンドを演出制御装置３００に送信する（Ａ１０２４）。メイン異常エラー報知のコマンドを受信した演出制御装置３００は、遊技制御装置１００の異常があったことを報知する。
【０１９８】
続いて、遊技制御装置１００は、遊技停止時の７セグ表示データ（図９（Ｃ）の「Ｅ１」のエラー表示のデータ）を性能表示装置１５２で表示するために性能表示装置１５２のドライバ１５０に出力する（Ａ１０２５）。そして、外部装置（遊技場内部管理装置（ホールコンピュータ）や情報収集端末など）に異常を知らせるためのセキュリティ信号のオンデータを外部情報端子７１に出力する（Ａ１０２６）。なお、ここで、大当りに関する情報がＲＡＭ１１１ｃに残っている場合でも、大当り信号など外部情報端子７１への他の信号はオフ状態に維持される。その後、ステップＡ１０２５とＡ１０２６の処理を繰り返して待機し、再度、設定変更の操作（設定キースイッチ９３及びＲＡＭ初期化スイッチ１１２の両方のオン操作）をして電源が投入されるのを待つ。なお、ステップＡ１０２５とＡ１０２６の処理を繰り返して待機して待機している間、割込みは禁止されたままであり（Ａ１００１）、特図１、２ゲーム処理や普図ゲーム処理を実行可能なタイマ割込み処理（図７）が実行できないため、遊技（特図変動表示ゲーム、普図変動表示ゲーム）は実行できない。
【０１９９】
このように、設定変更の操作（設定キースイッチ９３及びＲＡＭ初期化スイッチ１１２の両方のオン操作）を実行していないのに、確率設定変更中フラグがセットされている場合に異常があったとして、Ａ１０２４−Ａ１０２６の処理を実行する。例えば、確率設定変更中（設定変更が完了する前）に電源がオフして再起動した場合などに、設定変更の操作を実行していないのに、確率設定変更中フラグがセットされることがある。
【０２００】
一方、遊技制御装置１００は、ＲＡＭ異常フラグがセットされている場合も（Ａ１０２２の結果が「Ｙ」）、遊技制御装置１００（メイン基板）に異常があったことを報知するメイン異常エラー報知のコマンドを演出制御装置３００に送信し（Ａ１０２４）、遊技停止時の７セグ表示データ（図９（Ｃ）の「Ｅ１」のエラー表示のデータ）を性能表示装置１５２のドライバ１５０に出力し（Ａ１０２５）、外部装置にＲＡＭ異常を知らせるために、セキュリティ信号のオンデータを外部情報端子７１に出力する（Ａ１０２６）。なお、前述と同様に、大当りに関する情報がＲＡＭ１１１ｃに残っている場合でも、大当り信号など外部情報端子７１への他の信号はオフ状態に維持される。その後、ステップＡ１０２５とＡ１０２６の処理を繰り返して待機する。
【０２０１】
遊技制御装置１００は、設定キースイッチ９３及びＲＡＭ初期化スイッチ１１２の両スイッチがオンである場合に（Ａ１０２１の結果が「Ｙ」）、確率設定変更中（設定可変状態中）の処理を開始して、まず、ＲＡＭ異常フラグがセットされているか否かを判定する（Ａ１０２７）。ＲＡＭ異常フラグがセットされている場合に（Ａ１０２７の結果が「Ｙ」）、確率設定値が正しいものであるか不明であるため、ＲＡＭ１１１ｃの確率設定値領域に記憶されている確率設定値をクリアし初期値（例えば最低設定値「１」）にしてから（Ａ１０２８）、確率設定変更中であることを示す確率設定変更中フラグをセットする（Ａ１０２９）。ＲＡＭ異常フラグがセットされていない場合に（Ａ１０２７の結果が「Ｎ」）、確率設定値をクリアせずに、確率設定変更中フラグをセットする（Ａ１０２９）。次に、確率設定変更中のコマンドを演出制御装置３００（演出制御基板）に送信し（Ａ１０３０）、ステップＡ１０３４の処理に移行する。なお、確率設定変更中のコマンドを受信した演出制御装置３００は、確率設定変更中であることを表示装置４１などにおいて報知する。
【０２０２】
遊技制御装置１００は、設定キースイッチ９３及びＲＡＭ初期化スイッチ１１２の少なくとも一方がオフであり（Ａ１０２１の結果が「Ｎ」）、ＲＡＭ異常フラグがセットされておらず（Ａ１０２２の結果が「Ｎ」）、且つ、確率設定変更中フラグがセットされていない場合に（Ａ１０２３の結果が「Ｎ」）、設定キースイッチ９３がオンであるか否かを判定する（Ａ１０３１）。設定キースイッチ９３がオンである場合に（Ａ１０３１の結果が「Ｙ」）、ＲＡＭ初期化スイッチ１１２はオフということになり、確率設定確認中（設定確認状態中）の処理が開始して、確率設定確認中であることを示す確率設定確認中フラグをセットする（Ａ１０３２）。そして、確率設定確認中のコマンドを演出制御装置３００（演出制御基板）に送信し（Ａ１０３３）、ステップＡ１０３４の処理に移行する。なお、確率設定変更中のコマンドを受信した演出制御装置３００は、確率設定確認中であることを表示装置４１などにおいて報知する。
【０２０３】
ステップＡ１０３０又はステップＡ１０３３の後に、遊技制御装置１００は、確率設定変更中と確率設定確認中の共通の処理として、ステップＡ１０３４からＡ１０４０の処理を実行する。
【０２０４】
遊技制御装置１００は、まず、確率設定変更中と確率設定確認中においてセキュリティ信号を出力するために、セキュリティ信号制御タイマ領域に１２８ｍｓ（所定時間）をセーブする（Ａ１０３４）。なお、セキュリティ信号制御タイマのカウントとセキュリティ信号の出力は、後述の確率設定変更/確認処理（図８）において実行されるが、確率設定変更又は確率設定確認が早期に終了した場合には、残りのセキュリティ信号制御タイマのカウントとセキュリティ信号の出力は、外部情報編集処理（Ａ１３２１）で実行される。確率設定変更中と確率設定確認中において、少なくとも５０ｍｓは、セキュリティ信号は出力される。
【０２０５】
次に、遊技制御装置１００は、割込みを許可する（Ａ１０３５）。これにより、タイマ割込み処理（図７）が実行可能となる。そして、設定キースイッチ９３がオフであるか否かを判定する（Ａ１０３６）。設定キースイッチ９３がオンである場合に（Ａ１０３６の結果が「Ｎ」）、停電が発生しているか否かを判定する（Ａ１０３７）。停電が発生していない場合に（Ａ１０３７の結果が「Ｎ」）、ステップＡ１０３６の処理に戻る。一方、停電が発生している場合に（Ａ１０３７の結果が「Ｙ」）、ステップＡ１０５５−Ａ１０６１の停電発生時の処理を実行する。
【０２０６】
このように、設定キースイッチ９３がオンであり、停電が発生していない限り、確率設定値を変更可能な設定可変状態（設定変更状態、設定変更モード）、又は、確率設定値を確認可能な設定確認状態（設定確認モード）が継続される。
【０２０７】
一方、遊技制御装置１００は、設定キースイッチ９３がオフである場合に（Ａ１０３６の結果が「Ｙ」）、割込みを禁止し（Ａ１０３８）、報知終了のコマンドを演出制御装置３００（演出制御基板）に送信する（Ａ１０３９）。なお、報知終了のコマンドを受信した演出制御装置３００は、確率設定確認中であることの報知又は確率設定変更中であることの報知を終了する。
【０２０８】
次に、遊技制御装置１００は、確率設定変更中フラグがセットされているか否か、即ち、これまで確率設定変更中であったか否かを判定する（Ａ１０４０）。確率設定変更中フラグがセットされている場合に（Ａ１０４０の結果が「Ｙ」）、即ち、これまで確率設定変更中であった場合に、ステップＡ１０４２−Ａ１０４４のＲＡＭ初期化処理（後述）を実行する。一方、確率設定変更中フラグがセットされていない場合に（Ａ１０４０の結果が「Ｎ」）、即ち、これまで確率設定確認中であった場合に、ステップＡ１０４５以降の電源投入時（電源復旧時）の通常の処理を実行する。
【０２０９】
遊技制御装置１００は、設定キースイッチ９３がオフである場合に（Ａ１０３１の結果が「Ｎ」）、ＲＡＭ初期化スイッチ１１２がオンであるか否かを判定する（Ａ１０４１）。ＲＡＭ初期化スイッチ１１２がオンである場合に（Ａ１０４１の結果が「Ｙ」）、ＲＡＭ１１１ｃにおいて、確率設定値を記憶するための確率設定値領域以外のＲＡＭ領域を０クリアする（Ａ１０４２）。即ち、確率設定値領域で記憶されている確率設定値を除いて、ＲＡＭ１１１ｃに記憶された遊技情報は０クリアされる。さらに、前述の確率設定変更中フラグもここでクリアされる。また、ここで、確率設定値領域の他に、スタック領域や未使用領域をクリアしない構成や、性能情報やその表示（性能表示）に関連するワークエリア、スタック領域をクリアしない構成も可能である。なお、性能情報は、入賞により得られた賞球数に基づいて導出されるもので、例えば、出玉率、ベース値（通常遊技状態における出玉率）、役物比率、排出球数などである。
【０２１０】
次に、遊技制御装置１００は、初期化すべき領域にＲＡＭ初期化時の初期値をセーブする（Ａ１０４３）。そして、ＲＡＭ初期化時のコマンドを演出制御装置３００（演出制御基板）に送信し（Ａ１０４４）、ステップＡ１０４７の処理に移行する。
【０２１１】
一方、遊技制御装置１００は、ＲＡＭ初期化スイッチ１１２がオフである場合に（Ａ１０４１の結果が「Ｎ」）、設定キースイッチ９３とＲＡＭ初期化スイッチ１１２が両方ともオフであるため、通常の電源投入時（電源復旧時）の処理を開始し、停電復旧処理を実行する（Ａ１０４５）。例えば、初期化すべき領域に停電復旧時（復電時）の初期値をセーブする。また、前述の確率設定確認中フラグもここでクリアされる。次に、後述の特図ゲーム処理を合理的に実行するために用意されている処理番号に対応する停電復旧時のコマンドを演出制御装置３００（演出制御基板）に送信し（Ａ１０４６）、ステップＡ１０４７の処理に移行する。
【０２１２】
なお、ステップＡ１０４４の処理で送信されるＲＡＭ初期化時のコマンド及びステップＡ１０４６の処理で送信される停電復旧時のコマンドには、遊技機の種類を示す機種指定コマンド、特図１、２の保留数を示す飾り特図１保留数コマンド及び飾り特図２保留数コマンド、確率の状態（高確率状態又は低確率状態）や時短状態の有無を示す確率情報コマンド、所定の演出モードで特図変動表示ゲームが実行された回数を示す演出回数情報コマンド、電源投入されたこと示す停電復旧コマンドが含まれる。
【０２１３】
さらに、ＲＡＭ初期化時のコマンド及び停電復旧時のコマンドには、遊技機１０の確率設定値（設定値）の情報である設定値情報を示す設定値情報コマンド（確率設定値情報コマンド）が含まれる。遊技制御装置１００は、電源の復旧（投入）時に、一度だけ設定値情報コマンドを演出制御装置３００に送信するだけでよく、以降、演出制御装置３００は自身が記憶した設定値情報を参照して演出制御を行える。
【０２１４】
なお、ＲＡＭ初期化時のコマンドには、ＲＡＭ初期化のコマンド（ＲＡＭクリアのコマンド）も含まれる。ＲＡＭ初期化のコマンドを受信した演出制御装置３００は、例えば、表示装置４１に客待ちデモを表示し、盤装飾装置４６等のＬＥＤとスピーカの音でＲＡＭ初期化（ＲＡＭクリア）の報知を３０秒間行う。また、停電復旧時のコマンドには、表示装置４１の画面の表示内容を指定する画面指定のコマンドが含まれる。なお、画面指定のコマンドは、特図１、２について共に普段処理中では（変動中でも当り中でもないとき）、客待ちデモコマンドであり、それ以外なら復旧画面コマンドである。
【０２１５】
ステップＡ１０４４又はステップＡ１０４６の後に、遊技制御装置１００は、乱数生成回路を起動設定する（Ａ１０４７）。具体的には、乱数生成回路内の所定のレジスタ（ＣＴＣ更新許可レジスタ）に乱数生成回路を起動させるためのコード（指定値）の設定などがＣＰＵ１１１ａによって行われる。また、乱数生成回路のハードウェアで生成されるハード乱数（ここでは大当り乱数）のビット転置パターンの設定も行われる。
【０２１６】
ビット転置パターンとは、抽出した乱数のビット配置（上段のビット転置前の配置）を、予め定められた順で入れ替えて異なるビット配置（下段のビット転置後の配置）として格納する際の入れ替え方を定めるパターンである。
【０２１７】
本実施形態では、ビット転置パターンに従い乱数のビットを入れ替えることで、乱数の規則性を崩すことができるとともに、乱数の秘匿性を高めることができる。なお、ビット転置パターンは、固定された単一のパターンであってもよいし、予め用意された複数のパターンから選択するようにしてもよい。また、ユーザーが任意に設定できるようにしてもよい。
【０２１８】
その後、遊技制御装置１００は、電源投入時の乱数生成回路内の所定のレジスタ（ソフト乱数レジスタ１〜ｎ）の値を抽出し、対応する各種初期値乱数（大当り図柄を決定する大当り図柄乱数の初期値（大当り図柄初期値乱数）、小当り図柄を決定する小当り図柄乱数の初期値（小当り図柄初期値乱数）、普図の当りを決定する当り乱数の初期値（当り初期値乱数）、転落抽選で使用する転落抽選乱数の初期値（転落抽選初期値乱数）等）のスタート値としてＲＷＭの所定領域にセーブし（Ａ１０４８）、割込みを許可する（Ａ１０４９）。本実施形態で使用するＣＰＵ１１１ａ内の乱数生成回路においては、電源投入ごとにソフト乱数レジスタの初期値が変わるように構成されているため、この値を各種初期値乱数のスタート値（初期値）とすることで、ソフトウェアで生成される乱数の規則性を崩すことができ、遊技者による不正な乱数の取得を困難にすることができる。
【０２１９】
続いて、遊技制御装置１００は、各種初期値乱数の値を更新して乱数の規則性を崩すための初期値乱数更新処理を実行する（Ａ１０５０）。なお、特に限定されるわけではないが、本実施形態においては、大当り乱数、大当り図柄乱数、当り乱数、転落抽選乱数は乱数生成回路において生成される乱数を使用して生成するように構成されている。ただし、大当り乱数はＣＰＵの動作クロックと同等以上の速度のクロックを基にして更新される所謂「高速カウンタ」であり、大当り図柄乱数、当り乱数、転落抽選乱数はプログラムの処理単位であるタイマ割込み処理と同周期となるＣＴＣ出力（タイマ割込み処理のＣＴＣ（ＣＴＣ０）とは別のＣＴＣ（ＣＴＣ２））を基にして更新される「低速カウンタ」である。
【０２２０】
また、大当り図柄乱数、当り図柄乱数、転落抽選乱数においては、乱数が一巡するごとに各々の初期値乱数（ソフトウェアで生成）を用いてスタート値を変更する所謂「初期値変更方式」を採用している。なお、前記各乱数は、＋１あるいは１によるカウンタ式更新でもよいし、一巡するまで範囲内のすべての値が重複なくバラバラに出現するランダム式更新でもよい。つまり、大当り乱数はハードウェアのみで更新される乱数であり、大当り図柄乱数、当り乱数、転落抽選乱数はハードウェア及びソフトウェアで更新される乱数である。
【０２２１】
続いて、遊技制御装置１００は、割込みを禁止し（Ａ１０５１）、性能情報やその表示（性能表示）を編集する性能表示編集処理を実行する（Ａ１０５２）。ここで、性能情報（役物比率や出玉率など）を計算してよい。また、ＲＡＭ異常フラグがレジスタにセットされていた場合に、性能情報やその表示（性能表示）に関連するワークエリア、スタック領域をクリアしてもよい（ステップＡ１０４２でクリアされていないなら）。その後、割込みを許可する（Ａ１０５３）。これにより、タイマ割込み処理（図７）が実行可能となる。
【０２２２】
次に、遊技制御装置１００は、停電が発生しているか否かを判定する（Ａ１０５４）。停電が発生していない場合に（Ａ１０５４の結果が「Ｎ」）、ステップＡ１０５０の処理に戻る。これにより、停電が発生するまで、ステップＡ１０５０−Ａ１０５４の処理が繰り返される。
【０２２３】
停電が発生した場合に（Ａ１０５４の結果が「Ｙ」）、遊技制御装置１００は、停電発生時の処理を開始し、一旦割込みを禁止し（Ａ１０５５）、全出力ポートにオフデータを出力する（１０５６）。その後、停電検査領域１に停電検査領域チェックデータ１をセーブし（Ａ１０５７）、停電検査領域２に停電検査領域チェックデータ２をセーブする（Ａ１０５８）。さらに、ＲＷＭの電源遮断時のチェックサムを算出するチェックサム算出処理を実行し（Ａ１０５９）、さらに、算出したチェックサムをセーブする（Ａ１０６０）。最後に、ＲＷＭへのアクセスを禁止する処理を実行し（Ａ１０６１）、遊技機の電源が遮断されるまで待機する。
【０２２４】
このように、停電検査領域にチェックデータをセーブするとともに、電源遮断時のチェックサムを算出することで、電源の遮断の前にＲＷＭに記憶されていた情報が正しくバックアップされているか否かを電源再投入時に判断することができる。
【０２２５】
〔タイマ割込み処理〕
次に、タイマ割込み処理について説明する。図７は、タイマ割込み処理（割込み処理プログラム）の手順を示すフローチャートである。タイマ割込み処理は、クロックジェネレータ内のＣＴＣ回路で生成される周期的なタイマ割込み信号がＣＰＵ１１１ａに入力されることで開始される。遊技用マイコン１１１においてタイマ割込みが発生すると、タイマ割込み処理が開始される。
【０２２６】
タイマ割込み処理が開始されると、遊技制御装置１００は、まず、使用するレジスタバンクとしてレジスタバンク１を指定し（Ａ１３０１）、所定のレジスタにＲＡＭ先頭アドレスの上位アドレスをセットする（Ａ１３０２）。タイマ割込み処理の開始時にメイン処理で使用するレジスタバンク０からレジスタバンク１に切り替えることで、メイン処理で使っているレジスタを退避したのと同等になる。なお、タイマ割込み処理が開始されると、自動的に割込み禁止状態になる。
【０２２７】
次に、遊技制御装置１００は、各種センサやスイッチからの入力や、信号の取り込み、すなわち、各入力ポートの状態を読み込む入力処理を実行する（Ａ１３０３）。次に、確率設定変更中フラグと確率設定確認中フラグに基づいて、確率設定変更中又は確率設定確認中であるか否かを判定する（Ａ１３０４）。確率設定変更中又は確率設定確認中である場合に（Ａ１３０４の結果が「Ｙ」）、確率設定値を変更又は確認するための確率設定変更／確認処理を実行する（Ａ１３０５）。
【０２２８】
遊技制御装置１００は、確率設定変更中でも確率設定確認中でもない場合に（Ａ１３０４の結果が「Ｎ」）、各種処理でセットされた出力データに基づき、ソレノイド（大入賞口ソレノイド３８ｂ，３９ｂ）等のアクチュエータの駆動制御などを行うための出力処理を実行する（Ａ１３０６）。なお、メイン処理におけるステップＡ１００５の処理で発射禁止の信号を出力した場合は、この出力処理が行われることで発射許可の信号が出力され、発射許可信号を許可状態に設定可能な状態とする。
【０２２９】
次に、遊技制御装置１００は、各種処理で送信バッファにセットされたコマンドを払出制御装置２００に出力する払出コマンド送信処理を実行し（Ａ１３０７）、さらに、乱数更新処理１（Ａ１３０８）、乱数更新処理２（Ａ１３０９）を実行する。その後、始動口１スイッチ３６ａ、始動口２スイッチ３７ａ、入賞口スイッチ３５ａ、下大入賞口スイッチ３８ａ、上大入賞口スイッチ３９ａから正常な信号の入力があるか否かの監視や、エラーの監視（前面枠やガラス枠が開放されていないかなど）を行う入賞口スイッチ／状態監視処理を実行する（Ａ１３１０）。
【０２３０】
次に、遊技制御装置１００は、大入賞口で遊技球の異常排出が発生中であるか否かを判定する（Ａ１３１１）。後述の異常排出監視処理（Ａ１３２０）によって異常排出発生中フラグが設定された場合に、異常排出が発生中であると判定できる。異常排出が発生中である場合に（Ａ１３１１の結果が「Ｙ」）、ステップＡ１３１７以降の処理を実行する。
【０２３１】
遊技制御装置１００は、異常排出が発生中でない場合に（Ａ１３１１の結果が「Ｎ」）、始動口１スイッチ３６ａ及び始動口２スイッチ３７ａにより始動口への入賞を監視する始動口スイッチ監視処理を実行する（Ａ１３１２）。続いて、特図１変動表示ゲームに関する処理を行う特図１ゲーム処理を実行し（Ａ１３１３）、次に、特図２変動表示ゲームに関する処理を行う特図２ゲーム処理を実行する（Ａ１３１４）。なお、特図１ゲーム処理と特図２ゲーム処理の詳細については後述する。
【０２３２】
次に、遊技制御装置１００は、普図変動表示ゲームに関する処理を行う普図ゲーム処理を実行する（Ａ１３１５）。遊技機１０に設けられ、特図変動ゲームの表示や遊技に関する各種情報を表示するセグメントＬＥＤを所望の内容を表示するように駆動するセグメントＬＥＤ編集処理を実行する（Ａ１３１６）。
【０２３３】
さらに、遊技制御装置１００は、磁気センサスイッチ６１からの検出信号をチェックして異常がないか否かを判定する磁石不正監視処理を実行する（Ａ１３１７）。さらに、遊技盤の電波センサ６２からの検出信号をチェックして異常がないか否かを判定する電波不正監視処理（盤電波不正監視処理）を実行する（Ａ１３１８）。
【０２３４】
その後、遊技制御装置１００は、振動センサ６５からの入力に基づいて振動による不正を監視する振動不正監視処理を実行する（Ａ１３１９）。次に、大入賞口からの異常排出を監視する異常排出監視処理を実行する（Ａ１３２０）。異常排出監視処理では、特別変動入賞装置３８、３９における大入賞口スイッチ４３（下大入賞口スイッチ３８ａ、上大入賞口スイッチ３９ａ）、特定領域スイッチ７２（Ｖ入賞口スイッチ）、残存球排出口スイッチ７３からの入力に基づいて、特別変動入賞装置３８、３９の異常排出を監視し、異常排出が発生した場合に異常排出発生中フラグが設定される。なお、特別変動入賞装置３８、３９の大入賞口スイッチ４３を通過した遊技球は、特定領域スイッチ７２（Ｖ入賞口スイッチ）又は残存球排出口スイッチ７３を通過して排出される。
【０２３５】
次に、遊技制御装置１００は、各種外部装置に出力する信号を出力バッファにセットする外部情報編集処理を実行する（Ａ１３２１）。そして、性能表示装置１５２の表示を制御する性能表示モニタ制御処理を実行する（Ａ１３２２）。その後、タイマ割込み処理を終了する。
【０２３６】
なお、タイマ割込み処理のリターンの際、割込み禁止状態の復元やレジスタバンクの指定の復元は、自動的に行われる構成とするが、使用するＣＰＵによっては、外部情報編集処理の後に、割込みを許可する処理やレジスタバンクの指定をレジスタバンク０に戻す処理を行ってもよい。
【０２３７】
〔確率設定変更／確認処理〕
次に、タイマ割込み処理における確率設定変更／確認処理（Ａ１３０５）の詳細について説明する。図８は、確率設定変更／確認処理の手順を示すフローチャートである。確率設定変更／確認処理では、確率設定値が変更又は確認できる。
【０２３８】
遊技制御装置１００は、まず、確率設定値が正常範囲内であるか否かを判定する（Ａ２４０１）。ここでの確率設定値は、ＲＡＭ１１１ｃの確率設定値領域に記憶されている。
【０２３９】
遊技制御装置１００は、確率設定値が正常範囲内である場合に（Ａ２４０１の結果が「Ｙ」）、確率設定値に対応する確率設定値表示データを設定して（Ａ２４０２）、性能表示装置１５２にドライバ１５０を介して出力する（Ａ２４０４）。確率設定値が正常範囲内でない場合に（Ａ２４０１の結果が「Ｎ」）、確率設定値表示データとして消灯データを設定して（Ａ２４０３）、性能表示装置１５２にドライバ１５０を介して出力する（Ａ２４０４）。
【０２４０】
ここで、確率設定値表示データは、性能表示装置１５２で表示される表示用確率設定値のデータであり、確率設定値表示データ領域に記憶されている。なお、ホール関係者等の混乱を防止するため、確率設定値が異なっても同じ大当り確率（及び小当たり確率）であれば、表示用確率設定値を大当り確率（及び小当たり確率）に対応付けて同じにしてよい。即ち、同じ表示用確率設定値は、同じ大当り確率（及び小当たり確率）を意味してよい。
【０２４１】
次に、遊技制御装置１００は、セキュリティ信号制御タイマが０でなければ−１更新する（Ａ２４０５）。セキュリティ信号制御タイマは、ステップＡ１０３４で設定された１２８ｍｓ（所定時間）である。続いて、外部装置（遊技場内部管理装置（ホールコンピュータ）など）に異常を知らせるためのセキュリティ信号のオンデータを外部情報端子７１に出力する（Ａ１０２６）。なお、ここで、大当り信号など外部情報端子７１への他の信号はオフ状態に維持される。
【０２４２】
その後、遊技制御装置１００は、確率設定変更中フラグがセットされているか否かを判定する（Ａ２４０７）。確率設定変更中フラグがセットされていない場合に（Ａ２４０７の結果が「Ｎ」）、即ち、確率設定確認中である場合に、何もせずに確率設定変更／確認処理を終了する。
【０２４３】
遊技制御装置１００は、確率設定変更中フラグがセットされている場合に（Ａ２４０７の結果が「Ｙ」）、即ち、確率設定変更中である場合に、電源投入後の最初のタイマ割込み処理であるか否かを判定する（Ａ２４０８）。電源投入後の最初のタイマ割込み処理である場合に（Ａ２４０８の結果が「Ｙ」）、確率設定変更／確認処理を終了する。これは、ＲＡＭ初期化スイッチ１１２を押しっぱなしだった場合に、意図せずに確率設定値の更新がされる事態を防止するためである。
【０２４４】
遊技制御装置１００は、電源投入後の最初のタイマ割込み処理でない場合に（Ａ２４０８の結果が「Ｎ」）、ＲＡＭ初期化スイッチ１１２の入力があるか否かを判定する（Ａ２４０９）。ＲＡＭ初期化スイッチの入力がない場合に（Ａ２４０９の結果が「Ｎ」）、確率設定変更／確認処理を終了する。
【０２４５】
遊技制御装置１００は、ＲＡＭ初期化スイッチ１１２の入力がある場合に（Ａ２４０９の結果が「Ｙ」）、作業用設定値領域（ＲＡＭ１１１ｃ内又はレジスタ）の作業用設定値を０〜５の範囲で＋１更新するとともに、作業用設定値に対応して確率設定値領域の確率設定値１〜６を＋１更新する（Ａ２４１０）。これにより、ＲＡＭ初期化スイッチ１１２が操作される度に、確率設定値領域の確率設定値が１ずつ更新される。その後、確率設定変更／確認処理を終了する。なお、設定変更モードに入ったときに作業用設定値を格納する作業用設定値領域（ＲＡＭ１１１ｃ内又はレジスタ）に、確率設定値領域から読み出した確率設定値に対応する値（確率設定値から１減算した値）が格納されてよい。
【０２４６】
なお、上記では、ＲＡＭ初期化スイッチ１１２が操作される度に、作業用設定値の更新に対応して確率設定値領域の確率設定値を直接更新するようにしたが、ＲＡＭ１１１ｃの作業用設定値領域に設定変更中の確率設定値（作業用設定値）を記憶するようにし、設定キースイッチ９３がオフになり設定変更作業が完了したときに（Ａ１０３６の結果が「Ｙ」）、作業用設定値領域の作業用設定値に対応する値をはじめて確率設定値領域に格納するようにしてもよい。このようにすれば、設定変更中に停電が発生した場合（Ａ１０３７の結果が「Ｙ」）に、遊技制御や演出制御等に使用される確率設定値（確率設定値領域に記憶される確率設定値）が意図しない値で変更される事態を防止できる。
【０２４７】
〔性能表示装置での表示例〕
図９は、性能表示装置１５２の表示例を示す図である。性能表示装置１５２は、４桁の７セグメント型（ドットＤｐを含めると８セグメント型）の表示器であるが、性能表示装置１５２の各桁は、８セグメントａ，ｂ，ｃ，ｄ，ｅ，ｆ，ｇ，Ｄｐからなる。
【０２４８】
図９（ａ）の例において、確率設定変更中において、桁１から桁３に、設定変更中であることを示すため「ＳＥＴ」という点灯表示がされている。一方、確率設定変更中にＲＡＭ初期化スイッチ１１２が操作される度に切り替わる作業用設定値０〜５に対応して、桁０では、表示用確率設定値が例えば「１」〜「６」に切り替わって点灯表示される。
【０２４９】
図９（ｂ）の例において、確率設定値が正常範囲内でなく異常な場合に（Ａ２４０１の結果が「Ｎ」）、確率設定値表示データとして消灯データを設定して（Ａ２４０３）、桁０が消灯する。なお、桁１から桁３において、設定変更中であることを示す「ＳＥＴ」の表示は、消灯されない。
【０２５０】
図９（ｃ）の例において、電源投入時にＲＡＭが異常の場合（Ａ１０２２の結果が「Ｙ」）や、確率設定変更中（設定変更が完了する前）に電源がオフして再起動した場合（Ａ１０２３の結果が「Ｙ」）に、遊技停止時の７セグ表示データエラー表示「Ｅ１」が桁１、２で点灯表示されている（Ａ１０２４）。
【０２５１】
〔始動口スイッチ監視処理〕
次に、前述のタイマ割込み処理における始動口スイッチ監視処理（Ａ１３１２）の詳細について説明する。図１０は、始動口スイッチ監視処理の手順を示すフローチャートである。
【０２５２】
遊技制御装置１００は、まず、第１始動入賞口３６（始動口１）への入賞を監視する始動口１入賞監視テーブルを準備し（Ａ２７０１）、大当り乱数としてハード乱数を取得するハード乱数取得処理を実行する（Ａ２７０２）。次に、第１始動入賞口３６への始動口入賞があったか否かを判定する（Ａ２７０３）。そして、始動口入賞がなかった場合（Ａ２７０３の結果が「Ｎ」）、ステップＡ２７０９の処理に移行する。
【０２５３】
遊技制御装置１００は、第１始動入賞口３６への始動口入賞があった場合（Ａ２７０３の結果が「Ｙ」）、通常遊技状態であるか否かを判定する（Ａ２７０４）。特図低確率＆時短なし中（大当りの発生確率が低確率状態であり且つ時短なしの状態（普電サポートなしの状態））であり、さらに後述の特図１ゲーム処理番号と特図２ゲーム処理番号が両方とも２以下であれば、通常遊技状態中であると判定できる。特図ゲームモードフラグ領域に特図低確率＆時短なしフラグが設定されていれば、特図低確率＆時短なし中であると判定できる。そして、通常遊技状態（Ａ２７０４の結果が「Ｙ」）である場合、ステップＡ２７０７の処理に移行する。
【０２５４】
遊技制御装置１００は、大当りの発生確率が低確率状態でない場合（高確率状態である場合）又は時短ありの状態（普電サポートありの状態）である場合（Ａ２７０４の結果が「Ｎ」）、演出コマンドとして右打ち指示報知コマンドを準備し（Ａ２７０５）、演出コマンド設定処理を実行する（Ａ２７０６）。これにより、演出制御装置３００は、特図高確率状態又は時短状態で第１始動入賞口３６への始動口入賞があった場合に、右打ちを指示する右打ち指示表示を警告として表示装置４１に表示することができる。なお、演出コマンド設定処理では、シリアル送信バッファに演出コマンドを書き込み、演出コマンドが演出制御装置３００に送信される。
【０２５５】
次に、遊技制御装置１００は、第１始動入賞口３６（始動口１）への入賞による保留の情報を設定するテーブルを準備し（Ａ２７０７）、特図始動口スイッチ共通処理を実行する（Ａ２７０８）。
【０２５６】
続いて、遊技制御装置１００は、普通変動入賞装置３７（第２始動入賞口、始動口２）への入賞を監視する始動口２入賞監視テーブルを準備し（Ａ２７０９）、大当り乱数としてハード乱数を取得するハード乱数取得処理を実行する（Ａ２７１０）。次に、普通変動入賞装置３７への始動口入賞があったか否かを判定する（Ａ２７１１）。始動口入賞がなかった場合（Ａ２７１１の結果が「Ｎ」）、始動口スイッチ監視処理を終了する。
【０２５７】
遊技制御装置１００は、普通変動入賞装置３７への始動口入賞があった場合（Ａ２７１１の結果が「Ｙ」）、普通変動入賞装置３７が作動中（普電作動中）であるか否かを判定する（Ａ２７１２）。普通変動入賞装置３７が作動中でない場合（Ａ２７１２の結果が「Ｎ」）、普通変動入賞装置３７に対する不正（普電不正）が発生中であるか否かを判定する（Ａ２７１３）。普通変動入賞装置３７への不正入賞数が不正発生判定個数以上（例えば５個以上）ある場合に、普電不正が発生中であると判定できる。普通変動入賞装置３７に対する不正が発生中である場合（Ａ２７１３の結果が「Ｙ」）、始動口スイッチ監視処理を終了する。
【０２５８】
遊技制御装置１００は、普通変動入賞装置３７に対する不正が発生中でない場合（Ａ２７１３の結果が「Ｎ」）、普通変動入賞装置３７（始動口２）への入賞による保留の情報を設定するテーブルを準備し（Ａ２７１４）、特図始動口スイッチ共通処理を実行し（Ａ２７１５）、始動口スイッチ監視処理を終了する。
【０２５９】
遊技制御装置１００は、普通変動入賞装置３７に対する不正が発生中である場合（Ａ２７１２の結果が「Ｙ」）、ステップＡ２７１３の処理を実行せず、ステップＡ２７１４とＡ２７１５の処理を実行する。
【０２６０】
〔特図始動口スイッチ共通処理〕
次に、前述の始動口スイッチ監視処理における特図始動口スイッチ共通処理（Ａ２７０８、Ａ２７１５）の詳細について説明する。図１１は、特図始動口スイッチ共通処理の手順を示すフローチャートである。特図始動口スイッチ共通処理は、始動口１スイッチ３６ａや始動口２スイッチ３７ａの入力があった場合に、各々の入力について共通して行われる処理である。
【０２６１】
遊技制御装置１００は、まず、始動口１スイッチ３６ａ及び始動口２スイッチ３７ａのうち、監視対象の始動口スイッチへの入賞の回数に関する情報を遊技機１０の外部の管理装置に対して出力する回数である始動口信号出力回数をロードし（Ａ２９０１）、ロードした値を＋１更新して（Ａ２９０２）、出力回数がオーバーフローするか否かを判定する（Ａ２９０３）。出力回数がオーバーフローしない場合（Ａ２９０３の結果が「Ｎ」）、更新後の値をＲＷＭの始動口信号出力回数領域にセーブして（Ａ２９０４）、ステップＡ２９０５の処理に移行する。一方、出力回数がオーバーフローする場合（Ａ２９０３の結果が「Ｙ」）、ステップＡ２９０５の処理に移行する。本実施形態では、始動口信号出力回数領域に「０」から「２５５」までの値を記憶することができる。そして、ロードした値が「２５５」である場合には＋１更新によって更新後の値は「０」になり、出力回数がオーバーフローすると判定するよう構成されている。
【０２６２】
次に、遊技制御装置１００は、始動口１スイッチ３６ａ及び始動口２スイッチ３７ａのうち、監視対象の始動口スイッチに対応する更新対象の特図保留数（始動記憶数）が上限値未満か否かを判定する（Ａ２９０５）。更新対象の特図保留数が上限値未満でない場合（Ａ２９０５の結果が「Ｎ」）は、特図始動口スイッチ共通処理を終了する。また、更新対象の特図保留数が上限値未満である場合（Ａ２９０５の結果が「Ｙ」）は、更新対象の特図保留数（特図１保留数又は特図２保留数）を＋１更新して（Ａ２９０６）、対象の始動口入賞フラグをセーブする（Ａ２９０７）。
【０２６３】
次に、遊技制御装置１００は、監視対象の始動口スイッチ及び特図保留数に対応する乱数格納領域のアドレスを算出して（Ａ２９０８）、ステップＡ２７０２にて準備した大当り乱数をＲＷＭの大当り乱数格納領域にセーブする（Ａ２９０９）。次に、監視対象の始動口スイッチの大当り図柄乱数を抽出し、準備して（Ａ２９１０）、ＲＷＭの大当り図柄乱数格納領域にセーブする（Ａ２９１１）。
【０２６４】
その後、遊技制御装置１００は、特図の大当り確率の高確率状態から低確率状態への転落を抽選するための転落抽選乱数を抽出し、準備し（Ａ２９１２）、転落抽選乱数を転落抽選乱数格納領域にセーブする（Ａ２９１３）。
【０２６５】
次に、遊技制御装置１００は、普通変動入賞装置３７（始動口２）への入賞であるか否かを判定する（Ａ２９１４）。普通変動入賞装置３７への入賞でない場合（Ａ２９１４の結果が「Ｎ」）には、ステップＡ２９１７の処理に移行する。一方、始動入賞口３６への入賞である場合（Ａ２９１４の結果が「Ｙ」）、小当り図柄乱数を抽出し、準備して（Ａ２９１５）、ＲＷＭの小当り図柄乱数格納領域にセーブする（Ａ２９１６）。
【０２６６】
次に、遊技制御装置１００は、変動パターン乱数１から３を対応するＲＷＭの変動パターン乱数格納領域にセーブして（Ａ２９１７）、特図保留情報判定処理を実行する（Ａ２９１８）。そして、監視対象の始動口スイッチ及び特図保留数に対応する飾り特図保留数コマンドを演出コマンドとして準備し（Ａ２９１９）、演出コマンド設定処理（Ａ２９２０）を実行して、特図始動口スイッチ共通処理を終了する。飾り特図保留数コマンドは、始動口１スイッチ３６ａでは飾り特図１保留数コマンドであり、始動口２スイッチ３７ａでは飾り特図２保留数コマンドである。
【０２６７】
ここで、遊技制御装置１００（ＲＡＭ１１１ｃ）は、始動入賞口３６や普通変動入賞装置３７の始動入賞領域への遊技球の流入に基づき、所定の乱数を抽出し前記変動表示ゲームの実行権利となる始動記憶として所定数を上限に記憶する始動記憶手段をなす。また、始動記憶手段（遊技制御装置１００）は、第１始動入賞口（始動入賞口３６）への遊技球の入賞に基づき抽出した各種の乱数値を、所定数を上限に第１始動記憶として記憶し、第２始動入賞口（普通変動入賞装置３７）への遊技球の入賞に基づき抽出した各種の乱数値を、所定数を上限に第２始動記憶として記憶する。
【０２６８】
〔特図保留情報判定処理〕
次に、前述の特図始動口スイッチ共通処理における特図保留情報判定処理（Ａ２９１８）の詳細について説明する。図１２Ａと図１２Ｂは、特図保留情報判定処理（先読み処理、事前判定処理）の前半と後半の手順を示すフローチャートである。なお、特図保留情報判定処理は、第１始動入賞口３６と普通変動入賞装置３７への遊技球の入賞に基づき発生した特図１、２始動記憶に対して実行される。
【０２６９】
遊技制御装置１００は、まず、大当り中（特別遊技状態中）であるか否かを判定する
（Ａ３００１）。大当り中である場合に（Ａ３００１の結果が「Ｙ」）、特図保留情報判定処理を終了する。大当り中でない場合に（Ａ３００１の結果が「Ｎ」）、第１始動入賞口３６（始動口１）への入賞であるか否かを判定する（Ａ３００２）。始動口１への入賞である場合に（Ａ３００２の結果が「Ｙ」）、即ち、第１始動入賞口３６（始動口１）への入賞である場合に、先読み処理（事前判定処理）を実行するため、ステップＡ３００４以降の処理に移行する。
【０２７０】
遊技制御装置１００は、始動口１の入賞でない場合に（Ａ３００２の結果が「Ｎ」）、大当りの発生確率が低確率状態であり且つ時短なしの状態（普電サポートなしの状態）であるか否か、即ち、特図低確率＆時短なし中（通常遊技状態）であるか否かを判定する（Ａ３００３）。特図低確率＆時短なし中である場合（Ａ３００３の結果が「Ｙ」）、特図保留情報判定処理を終了する。即ち、通常遊技状態で普通変動入賞装置３７（始動口２）への入賞である場合には、先読み処理（事前判定処理）を実行せずに、特図保留情報判定処理を終了する。なお、通常遊技状態では、後述のように特図２変動表示ゲームは長時間変動（長変動）になってはずれ結果で強制終了することも多いため、無駄にならないよう先読み処理（事前判定処理）を実行しない。
【０２７１】
遊技制御装置１００は、特図低確率＆時短なし中でない場合に（Ａ３００３の結果が「Ｎ」）、即ち、通常遊技状態以外（時短状態又は確変状態）で普通変動入賞装置３７（始動口２）への入賞である場合に、先読み処理（事前判定処理）を実行するため、ステップＡ３００４以降の処理に移行する。
【０２７２】
そして、遊技制御装置１００は、先読み処理（事前判定処理）を開始し、大当りの発生確率が高確率状態であるか否か、即ち特図高確率中であるか否かを判定する（Ａ３００４）。特図ゲームモードフラグ領域に特図高確率フラグ（本実施形態では、特図高確率＆時短ありフラグ）が設定されている場合に、特図高確率中であると判定できる。特図高確率中である場合に（Ａ３００４の結果が「Ｙ」）、ステップＡ２９１２で準備した転落抽選乱数は転落当選の判定値範囲内か判定し（Ａ３００５）、判定結果に対応する先読み転落抽選情報コマンドを演出コマンドとして準備し（Ａ３００６）、演出コマンド設定処理する（Ａ３００７）。次に、遊技制御装置１００は、低確率状態での先読み大当り判定を行うための低確率判定フラグを準備する（Ａ３００８）。特図高確率中でない場合に（Ａ３００４の結果が「Ｎ」）、高確率状態から低確率状態への転落はそもそもないため、転落に関する先読み処理を（Ａ３００５−Ａ３００７）を実行せずに、ステップＡ３００８の処理に移行する。
【０２７３】
その後、遊技制御装置１００は、ステップＡ２９０９で準備した大当り乱数に基づいて後述の先読み大当り判定処理を実行し（Ａ３００９）、先読み大当り判定処理の判定結果は大当りであるか否かを判定する（Ａ３０１０）。判定結果は大当りである場合に（Ａ３０１０の結果が「Ｙ」）、対象の始動口スイッチ（始動口１スイッチ３６ａ又は始動口２スイッチ３７ａ）に対応する大当り図柄乱数チェックテーブルを設定し（Ａ３０１１）、準備した大当り図柄乱数に対応する停止図柄情報を取得し（Ａ３０１２）、ステップＡ３０１９の処理に移行する。
【０２７４】
遊技制御装置１００は、先読み大当り判定処理の判定結果ははずれである場合に（Ａ３０１０の結果が「Ｎ」）、普通変動入賞装置３７（始動口２）への入賞であるか否かを判定する（Ａ３０１３）。始動口２への入賞である場合に（Ａ３０１３の結果が「Ｙ」）、始動口２への入賞によって実行される特図２変動表示ゲームでは小当りが発生可能であるため、小当りに関する先読み処理として後述の小当り判定処理を実行し（Ａ３０１４）、小当り判定処理の判定結果は小当りであるか否かを判定する（Ａ３０１５）。そして、判定結果は小当りである場合に（Ａ３０１５の結果が「Ｙ」）、小当り図柄乱数チェックテーブルを設定し（Ａ３０１６）、準備した小当り図柄乱数に対応する停止図柄情報を取得し（Ａ３０１７）、ステップＡ３０１９の処理に移行する。
【０２７５】
遊技制御装置１００は、始動口２への入賞でない場合に（Ａ３０１３の結果が「Ｎ」）、特図１変動表示ゲームでは小当りが発生可能でないため、はずれの停止図柄情報を設定する（Ａ３０１８）。即ち、判定結果が大当りにも小当りにもならない場合にはずれの停止図柄情報を設定する。また、始動口２への入賞で判定結果は小当りでない場合に（Ａ３０１５の結果が「Ｎ」）、即ち、判定結果が大当りにも小当りにもならない場合にはずれの停止図柄情報を設定する（Ａ３０１８）。その後、ステップＡ３０１９の処理に移行する。
【０２７６】
ステップＡ３０１２、Ａ３０１７、Ａ３０１８の後に、遊技制御装置１００は、停止図柄情報を図柄情報領域にセーブする（Ａ３０１９）。なお、図柄情報領域の停止図柄情報は、後述の変動パターン設定処理（Ａ３０３８）でも使用される。そして、対象の始動口スイッチ及び停止図柄情報に対応する低確率用の先読み停止図柄コマンド（低確率）を演出コマンドとして準備し（Ａ３０２０）、演出コマンド設定処理を実行する（Ａ３０２１）。
【０２７７】
次に、遊技制御装置１００は、高確率状態での先読み大当り判定を行うための高確率判定フラグを準備し（Ａ３０２２）、Ａ３００９−Ａ３０１８と同様に、Ａ３０２３−Ａ３０３２の処理を実行する。まず、後述の先読み大当り判定処理を実行し（Ａ３０２３）、先読み大当り判定処理の判定結果は大当りであるか否かを判定する（Ａ３０２４）。判定結果は大当りである場合に（Ａ３０２４の結果が「Ｙ」）、対象の始動口スイッチ（始動口１スイッチ３６ａ又は始動口２スイッチ３７ａ）に対応する大当り図柄乱数チェックテーブルを設定し（Ａ３０２５）、準備した大当り図柄乱数に対応する停止図柄情報を取得し（Ａ３０２６）、ステップＡ３０３３の処理に移行する。
【０２７８】
遊技制御装置１００は、先読み大当り判定処理の判定結果ははずれである場合に（Ａ３０２４の結果が「Ｎ」）、普通変動入賞装置３７（始動口２）への入賞であるか否かを判定する（Ａ３０２７）。始動口２への入賞である場合に（Ａ３０２７の結果が「Ｙ」）、始動口２への入賞によって実行される特図２変動表示ゲームでは小当りが発生可能であるため、小当りに関する先読み処理として後述の小当り判定処理を実行し（Ａ３０２８）、小当り判定処理の判定結果は小当りであるか否かを判定する（Ａ３０２９）。そして、判定結果は小当りである場合に（Ａ３０２９の結果が「Ｙ」）、小当り図柄乱数チェックテーブルを設定し（Ａ３０３０）、準備した小当り図柄乱数に対応する停止図柄情報を取得し（Ａ３０３１）、ステップＡ３０３３の処理に移行する。
【０２７９】
遊技制御装置１００は、始動口２への入賞でない場合に（Ａ３０２７の結果が「Ｎ」）、特図１変動表示ゲームでは小当りが発生可能でないため、はずれの停止図柄情報を設定する（Ａ３０３２）。即ち、判定結果が大当りにも小当りにもならない場合にはずれの停止図柄情報を設定する。また、始動口２への入賞で判定結果は小当りでない場合に（Ａ３０２９の結果が「Ｎ」）、即ち、判定結果が大当りにも小当りにもならない場合にはずれの停止図柄情報を設定する（Ａ３０３２）。その後、ステップＡ３０３３の処理に移行する。
【０２８０】
ステップＡ３０２６、Ａ３０３１、Ａ３０３２の後に、遊技制御装置１００は、特図高確率中であるか否かを判定する（Ａ３０３３）。特図高確率中である場合に（Ａ３０３３の結果が「Ｙ」）、停止図柄情報を上書きして図柄情報領域にセーブし（Ａ３０３４）、ステップＡ３０３５の処理に移行する。なお、図柄情報領域の停止図柄情報は、後述の変動パターン設定処理（Ａ３０３８）でも使用される。特図高確率中でない場合に（Ａ３０３３の結果が「Ｎ」）、図柄情報領域の停止図柄情報を上書きすることなく、ステップＡ３０３５の処理に移行する。
【０２８１】
そして、遊技制御装置１００は、対象の始動口スイッチ及び停止図柄情報に対応する高確率用の先読み停止図柄コマンド（高確率）を演出コマンドとして準備し（Ａ３０３５）、演出コマンド設定処理を実行する（Ａ３０３６）。
【０２８２】
続いて、変動パターンを設定するためのパラメータである特図情報を設定する特図情報設定処理を実行し（Ａ３０３７）、先読みとして特図変動表示ゲームの変動態様を設定する変動パターン設定処理を実行する（Ａ３０３８）。そして、特図変動表示ゲームの変動態様を示す変動パターン番号に対応する先読み変動パターンコマンドを演出コマンドとして準備し（Ａ３０３９）、演出コマンド設定処理を実行し（Ａ３０４０）、特図保留情報判定処理を終了する。
【０２８３】
なお、演出制御装置３００は、先読み停止図柄コマンド（低確率）と先読み停止図柄コマンド（高確率）の両方を受信するが、受信した時の大当り確率が低確率状態であれば先読み停止図柄コマンド（低確率）を使用して先読み図柄系コマンド処理（図５１）を実行し、受信した時の大当り確率が高確率状態であれば先読み停止図柄コマンド（高確率）を使用して先読み図柄系コマンド処理（図５１）を実行してよい。
【０２８４】
〔先読み大当り判定処理〕
次に、特図保留情報判定処理における先読み大当り判定処理（Ａ３００９、Ａ３０２３）の詳細について説明する。図１３は、先読み大当り判定処理の手順を示すフローチャートである。
【０２８５】
遊技制御装置１００は、まず、大当り判定値の下限判定値を設定し（Ａ３１０１）、対象の大当り乱数の値が下限判定値未満であるか否かを判定する（Ａ３１０２）。なお、大当りであるとは大当り乱数が大当り判定値と一致することである。大当り判定値は連続する複数の値であり、大当り乱数が、大当り判定値の下限の値である下限判定値以上で、かつ、大当り判定値の上限の値である上限判定値以下である場合に、大当りであると判定される。
【０２８６】
遊技制御装置１００は、対象の大当り乱数の値が下限判定値未満である場合（Ａ３１０２の結果が「Ｙ」）、判定結果としてはずれ（大当り以外）を設定し（Ａ３１０７）、先読み大当り判定処理を終了する。
【０２８７】
また、遊技制御装置１００は、大当り乱数の値が下限判定値未満でない場合には（Ａ３１０２の結果が「Ｎ」）、判定フラグが高確率判定フラグであるか否かを判定する（Ａ３１０３）。そして、判定フラグが高確率判定フラグである場合には（Ａ３１０３の結果が「Ｙ」）、確率設定値に対応する高確率中の上限判定値を設定する（Ａ３１０４）。一方、判定フラグが高確率判定フラグでない場合（低確率判定フラグである場合）には（Ａ３１０３の結果が「Ｎ」）、確率設定値に対応する低確率中の上限判定値を設定する（Ａ３１０５）。
【０２８８】
遊技制御装置１００は、大当り乱数の値の上限判定値を設定すると、対象の大当り乱数の値が上限判定値より大きいか否かを判定する（Ａ３１０６）。大当り乱数の値が上限判定値より大きい場合（Ａ３１０６の結果が「Ｙ」）、判定結果としてはずれ（大当り以外）を設定する（Ａ３１０７）。一方、大当り乱数の値が上限判定値より大きくない場合（Ａ３１０６の結果が「Ｎ」）、判定結果として大当りを設定する（Ａ３１０８）。判定結果を設定すると、先読み大当り判定処理を終了する。
【０２８９】
〔特図１ゲーム処理〕
次に、タイマ割込み処理における特図１ゲーム処理（Ａ１３１３）の詳細について説明する。図１４は、特図１ゲーム処理の手順を示すフローチャートである。
【０２９０】
遊技制御装置１００は、まず、特図１変動表示ゲームが中断中であることを示す特図１ゲーム中断フラグが設定されているか否かを判定する（Ａ３２０１）。
【０２９１】
遊技制御装置１００は、特図１変動表示ゲームが中断中であることを示す特図１ゲーム中断フラグが設定されていない場合（Ａ３２０１の結果が「Ｎ」）、特図２変動表示ゲームの大当り状態中又は小当り状態中であるか否かを判定する（Ａ３２０２）。特図２変動表示ゲームの大当り状態でも小当り状態中でもない場合（Ａ３２０２の結果が「Ｎ」）、大入賞口スイッチ監視処理を実行する（Ａ３２０３）。大入賞口スイッチ監視処理では、第１特別変動入賞装置３８内に設けられた下大入賞口スイッチ３８ａや第２特別変動入賞装置３９内に設けられた上大入賞口スイッチ３９ａでの遊技球の検出を監視する。そして、特定領域スイッチ７２からの入力を監視する特定領域スイッチ特定領域スイッチ監視処理を実行する（Ａ３２０４）。
【０２９２】
次に、遊技制御装置１００は、特図１ゲーム処理タイマが０でなければ−１更新する（１だけ減算する）（Ａ３２０５）。特図１ゲーム処理タイマは、−１更新によって、タイマ割込み処理の割込み周期（４ｍｓｅｃ）の分だけ計時されることになる。なお、特図ゲーム処理タイマの最小値は０に設定されている。特図２変動表示ゲームの大当り中状態又は小当り状態中である場合（Ａ３２０２の結果が「Ｙ」）、ステップＡ３２０３、Ａ３２０４の処理を行わずに、ステップＡ３２０５の処理を行う。次に、特図１ゲーム処理タイマが０であるか否かを判定する（Ａ３２０６）。特図１ゲーム処理タイマが０でない場合（Ａ３２０６の結果が「Ｎ」）、ステップＡ３２１７の処理に移行する。
【０２９３】
遊技制御装置１００は、特図１ゲーム処理タイマが０である場合（Ａ３２０６の結果が「Ｙ」）、すなわち、タイムアップした又は既にタイムアップしていた場合には、特図１ゲーム処理番号に対応する処理に分岐させるために参照する特図１ゲームシーケンス分岐テーブルをレジスタに設定する（Ａ３２０７）。さらに、特図１ゲームシーケンス分岐テーブルを用いて特図１ゲーム処理番号に対応する処理の分岐先アドレスを取得する（Ａ３２０８）。続いて、特図１ゲーム処理番号によるサブルーチンコールを行って、特図１ゲーム処理番号に応じたゲーム分岐処理を実行する（Ａ３２０９）。
【０２９４】
遊技制御装置１００は、ステップＡ３２０９にてゲーム処理番号が「０」の場合には、特図１変動表示ゲームの変動開始を監視し、特図１変動表示ゲームの変動開始の設定、演出の設定や、特図１変動中処理を行うために必要な情報の設定等を行う特図１普段処理を実行する（Ａ３２１０）。なお、特図１普段処理の詳細については、図１６にて後述する。
【０２９５】
遊技制御装置１００は、ステップＡ３２０９にてゲーム処理番号が「１」の場合には、特図１の停止表示時間の設定や、特図１表示中処理を行うために必要な情報の設定等を行う特図１変動中処理を実行する（Ａ３２１１）。なお、特図１変動中処理の詳細については、図３５にて後述する。
【０２９６】
遊技制御装置１００は、ステップＡ３２０９にてゲーム処理番号が「２」の場合には、特図１変動表示ゲームの遊技結果が大当りであれば、大当りの種類に応じた大当りファンファーレコマンドの設定や、各大当りの大入賞口開放パターンに応じたファンファーレ時間の設定、ファンファーレ／インターバル中処理を行うために必要な情報の設定等を行う特図１表示中処理を実行する（Ａ３２１２）。なお、特図１表示中処理の詳細については、図３７にて後述する。
【０２９７】
遊技制御装置１００は、ステップＡ３２０９にてゲーム処理番号が「３」の場合には、大入賞口の開放時間の設定や開放回数の更新、大入賞口開放中処理を行うために必要な情報の設定等を行うファンファーレ／インターバル中処理を実行する（Ａ３２１３）。なお、ファンファーレ／インターバル中処理の詳細については、図３９にて後述する。
【０２９８】
遊技制御装置１００は、ステップＡ３２０９にてゲーム処理番号が「４」の場合には、大当りラウンドが最終ラウンドでなければインターバルコマンドを設定する一方で最終ラウンドであればエンディングコマンドを設定する処理や、大入賞口残存球処理を行うために必要な情報の設定等を行う大入賞口開放中処理を実行する（Ａ３２１４）。
【０２９９】
遊技制御装置１００は、ステップＡ３２０９にてゲーム処理番号が「５」の場合には、インターバル時間やエンディング時間を設定する処理や、大当り終了処理を行うために必要な情報の設定等を行う大入賞口残存球処理を実行する（Ａ３２１５）。
【０３００】
遊技制御装置１００は、ステップＡ３２０９にてゲーム処理番号が「６」の場合には、特図２ゲームウェイト時間値（後述）を設定したり、特図１普段処理を実行するために必要な情報の設定等を行う特図１大当り終了処理を実行する（Ａ３２１６）。なお、特図１大当り終了処理の詳細については、図４０にて後述する。
【０３０１】
特図１ゲーム処理番号に基づく処理が終了すると、遊技制御装置１００は、特図１表示器５１の変動を制御するための特図１変動制御テーブルを準備した後（Ａ３２１７）、特図１表示器５１に係る図柄変動制御処理を実行し（Ａ３２１８）、レバーソレノイド８６ｂを制御するレバーソレノイド制御処理を実行し（Ａ３２１９）、特図１ゲーム処理を終了する。
【０３０２】
一方、特図１変動表示ゲームが中断中であることを示す特図１ゲーム中断フラグが設定されている場合（Ａ３２０１の結果が「Ｙ」）、遊技制御装置１００は、ステップＡ３２０２からＡ３２１６の処理を行わずに、特図１表示器５１の変動を制御するための特図１変動制御テーブルを準備した後（Ａ３２１７）、特図１表示器５１に係る図柄変動制御処理を実行し（Ａ３２１８）、レバーソレノイド８６ｂを制御するレバーソレノイド制御処理を実行し（Ａ３２１９）、特図１ゲーム処理を終了する。このようにして、特図１変動表示ゲームが中断中である場合には、変動時間を計時する変動時間タイマ（特図１ゲーム処理タイマ）の計時（更新）が停止する。なお、図柄変動制御処理によって、特図１表示器５１において、特別図柄の変動自体は見かけ上継続してもよい。
【０３０３】
〔特図２ゲーム処理〕
次に、タイマ割込み処理における特図２ゲーム処理（Ａ１３１４）の詳細について説明する。図１５Ａと図１５Ｂは、特図２ゲーム処理の前半と後半の手順を示すフローチャートである。
【０３０４】
遊技制御装置１００は、まず、特図１変動表示ゲームの大当り状態中であるか否かを判定する（Ａ３３０１）。特図１変動表示ゲームの大当り状態中でない場合（Ａ３３０１の結果が「Ｎ」）、大入賞口スイッチ監視処理を実行する（Ａ３３０２）。大入賞口スイッチ監視処理では、第１特別変動入賞装置３８内に設けられた下大入賞口スイッチ３８ａや第２特別変動入賞装置３９内に設けられた上大入賞口スイッチ３９ａでの遊技球の検出を監視する。そして、特定領域スイッチ７２からの入力を監視する特定領域スイッチ監視処理を実行する（Ａ３３０３）。
【０３０５】
次に、遊技制御装置１００は、特図２ゲーム処理タイマが０でなければ−１更新する（１だけ減算する）（Ａ３３０４）。特図２ゲーム処理タイマは、−１更新によって、タイマ割込み処理の割込み周期（４ｍｓｅｃ）の分だけ計時されることになる。なお、特図ゲーム処理タイマの最小値は０に設定されている。
【０３０６】
遊技制御装置１００は、特図１変動表示ゲームの大当り状態中である場合（Ａ３３０１の結果が「Ｙ」）、ステップＡ３３０２、Ａ３３０３の処理を行わずに、ステップＡ３３０４の処理を行う。
【０３０７】
次に、特図２ゲーム処理タイマが０であるか否かを判定する（Ａ３３０５）。特図２ゲーム処理タイマが０でない場合（Ａ３３０５の結果が「Ｎ」）、ステップＡ３３２３の処理に移行する。
【０３０８】
遊技制御装置１００は、特図２ゲーム処理タイマが０である場合（Ａ３３０５の結果が「Ｙ」）、すなわち、タイムアップした又は既にタイムアップしていた場合には、特図２ゲーム処理タイマの繰り返し回数が０であるか否かを判定する（Ａ３３０６）。特図２ゲーム処理タイマの繰り返し回数が０になっていない場合（Ａ３３０６の結果が「Ｎ」）、特図２ゲーム処理タイマの繰り返し回数を−１更新し（Ａ３３０７）、特図２ゲーム処理タイマ領域に長変動用タイマ値（例えば６００００ｍｓｅｃ（６０秒））をセーブする（Ａ３３０８）。なお、後述のように、特図２変動表示ゲームが長変動であり、変動時間が長時間（例えば１０分）である場合に、２バイトでは変動時間のタイマの設定できないため、ステップＡ３３０６−Ａ３３０８の処理によって長変動用タイマ値のカウントを繰り返し回数分だけ繰り返して、特図２変動表示ゲーム用の長い変動時間のタイマを用意している。
【０３０９】
遊技制御装置１００は、特図２ゲーム処理タイマが０である場合（Ａ３３０５の結果が「Ｙ」）且つ特図２ゲーム処理タイマの繰り返し回数が０である場合（Ａ３３０６の結果が「Ｙ」）、特図２ゲーム処理番号に対応する処理に分岐させるために参照する特図２ゲームシーケンス分岐テーブルをレジスタに設定する（Ａ３３０９）。さらに、特図２ゲームシーケンス分岐テーブルを用いて特図２ゲーム処理番号に対応する処理の分岐先アドレスを取得する（Ａ３３１０）。続いて、特図２ゲーム処理番号によるサブルーチンコールを行って、特図２ゲーム処理番号に応じたゲーム分岐処理を実行する（Ａ３３１１）。
【０３１０】
遊技制御装置１００は、ステップＡ３３１１にてゲーム処理番号が「０」の場合には、特図２変動表示ゲームの変動開始を監視し、特図２変動表示ゲームの変動開始の設定、演出の設定や、特図２変動中処理を行うために必要な情報の設定等を行う特図２普段処理を実行する（Ａ３３１２）。なお、特図２普段処理の詳細については、図１７にて後述する。
【０３１１】
遊技制御装置１００は、ステップＡ３３１１にてゲーム処理番号が「１」の場合には、特図２の停止表示時間の設定や、特図２表示中処理を行うために必要な情報の設定等を行う特図２変動中処理を実行する（Ａ３３１３）。なお、特図２変動中処理の詳細については、図３６にて後述する。
【０３１２】
遊技制御装置１００は、ステップＡ３３１１にてゲーム処理番号が「２」の場合には、特図２変動表示ゲームの遊技結果が大当りであれば、大当りの種類に応じた大当りファンファーレコマンドの設定や、各大当りの大入賞口開放パターンに応じたファンファーレ時間の設定、ファンファーレ／インターバル中処理を行うために必要な情報の設定等を行う特図２表示中処理を実行する（Ａ３３１４）。なお、特図２表示中処理の詳細については、図３８にて後述する。
【０３１３】
遊技制御装置１００は、ステップＡ３３１１にてゲーム処理番号が「３」の場合には、大入賞口の開放時間の設定や開放回数の更新、大入賞口開放中処理を行うために必要な情報の設定等を行うファンファーレ／インターバル中処理を実行する（Ａ３３１５）。なお、ファンファーレ／インターバル中処理は、特図１ゲーム処理内で実行するものと共通しており、詳細については、図３９にて後述する。
【０３１４】
遊技制御装置１００は、ステップＡ３３１１にてゲーム処理番号が「４」の場合には、大当りラウンドが最終ラウンドでなければインターバルコマンドを設定する一方で最終ラウンドであればエンディングコマンドを設定する処理や、大入賞口残存球処理を行うために必要な情報の設定等を行う大入賞口開放中処理を実行する（Ａ３３１６）。
【０３１５】
遊技制御装置１００は、ステップＡ３３１１にてゲーム処理番号が「５」の場合には、インターバル時間やエンディング時間を設定する処理や、大当り終了処理を行うために必要な情報の設定等を行う大入賞口残存球処理を実行する（Ａ３３１７）。
【０３１６】
遊技制御装置１００は、ステップＡ３３１１にてゲーム処理番号が「６」の場合には、特図２普段処理を実行するために必要な情報の設定等を行う特図２大当り終了処理を実行する（Ａ３３１８）。なお、特図２大当り終了処理の詳細については、図４１にて後述する。
【０３１７】
遊技制御装置１００は、ステップＡ３３１１にてゲーム処理番号が「７」の場合には、大入賞口の開放時間の設定や開放回数の更新、小当り中処理を行うために必要な情報の設定等を行う小当りファンファーレ中処理を実行する（Ａ３３１９）。なお、小当りファンファーレ中処理は、詳細について、図４５にて後述する。
【０３１８】
遊技制御装置１００は、ステップＡ３３１１にてゲーム処理番号が「８」の場合には、小当り終了コマンドを設定する処理や、小当り残存球処理を行うために必要な情報の設定等を行う小当り中処理を実行する（Ａ３３２０）。
【０３１９】
遊技制御装置１００は、ステップＡ３３１１にてゲーム処理番号が「９」の場合には、エンディング時間を設定する処理や、特図２小当り終了処理を行うために必要な情報の設定等を行う小当り残存球処理を実行する（Ａ３３２１）。
【０３２０】
遊技制御装置１００は、ステップＡ３３１１にてゲーム処理番号が「１０」の場合には、特図２普段処理を実行するために必要な情報の設定等を行う特図２小当り終了処理を実行する（Ａ３３２２）。なお、特図２小当り終了処理の詳細については、図４６にて後述する。
【０３２１】
特図２ゲーム処理番号に基づく処理が終了すると、遊技制御装置１００は、特図２表示器５２の変動を制御するための特図２変動制御テーブルを準備した後（Ａ３３２３）、特図２表示器５２に係る図柄変動制御処理を実行し（Ａ３３２４）、レバーソレノイド８６ｂを制御するレバーソレノイド制御処理を実行し（Ａ３３２５）、特図２ゲーム処理を終了する。
【０３２２】
〔特図１普段処理〕
次に、特図１ゲーム処理における特図１普段処理（Ａ３２１０）の詳細について説明する。図１６は、特図１普段処理の手順を示すフローチャートである。
【０３２３】
遊技制御装置１００は、まず、特図１変動表示ゲームが変動開始可能であるか否か判定する（Ａ３４０１）。なお、ここで、特図１変動表示ゲームと特図２変動表示ゲームの大当りの変動の終了（特図２表示中処理中）から大当り動作の終了（特図２大当り終了処理）まで、特図２変動表示ゲームの小当りの変動の終了（特図２表示中処理中）から小当り動作の終了（特図２小当り終了処理）まで、及び、特図１変動表示ゲームの実行中（変動中）は、特図１変動表示ゲームは、変動開始可能でないとされる。
【０３２４】
遊技制御装置１００は、特図１変動表示ゲームが変動開始可能である場合（Ａ３４０１の結果が「Ｙ」）、左打ち指示報知済みであるか否か判定する（Ａ３４０２）。既に、左打ち指示報知コマンドを演出コマンドとして準備して、演出制御装置３００に送信していれば、左打ち指示報知済みであると判断できる。左打ち指示報知済みである場合（Ａ３４０２の結果が「Ｙ」）、ステップＡ３４０６の処理に移行する。
【０３２５】
遊技制御装置１００は、左打ち指示報知フラグに基づいて左打ち指示報知済みでない場合（Ａ３４０２の結果が「Ｎ」）、左打ち指示報知コマンドを演出コマンドとして準備し（Ａ３４０３）、演出コマンド設定処理を実行し（Ａ３４０４）、表示装置４１等で左打ち指示の報知（表示）がされることを示す左打ち指示報知フラグをセットする（Ａ３４０５）。
【０３２６】
次に、遊技制御装置１００は、特図１保留数が０であるか否か判定する（Ａ３４０６）。特図１保留数が０でない場合（Ａ３４０６の結果が「Ｎ」）、現在の確率状態（低確率状態又は高確率状態）や時短状態の有無に対応する変動開始確率情報コマンドを演出コマンドとして準備し（Ａ３４０７）、演出コマンド設定処理を実行する（Ａ３４０８）。続いて、特図１変動表示ゲームを開始するための特図１変動開始処理を実行する（Ａ３４０９）。その後、特図１保留数に対応する飾り特図保留数コマンド（飾り特図１保留数コマンド）を演出コマンドとして準備し（Ａ３４１０）、演出コマンド設定処理を実行する（Ａ３４１１）。
【０３２７】
その後、遊技制御装置１００は、時短状態での残りの特図変動表示ゲームの回数である時間短縮変動回数に対応する残り遊技回数コマンドを演出コマンドとして準備し（Ａ３４１２）、演出コマンド設定処理を実行する（Ａ３４１３）。残り遊技回数コマンドを受信した演出制御装置３００は、時間短縮変動回数を把握することができる。
【０３２８】
次に、遊技制御装置１００は、ＲＷＭ内の特図ステータス領域に特図１変動中の情報をセットする（情報加算）（Ａ３４１４）。ここで、特図ステータス領域には、特図１変動中、又は、（特図１変動中＋特図２変動中）の情報がセットされることになる。次に、特図１変動中処理に移行するための処理である特図１変動中処理移行設定処理を実行する（Ａ３４１５）。特図１変動中処理移行設定処理では、例えば、特図１ゲーム処理番号領域に処理番号「１」をセーブする。
【０３２９】
遊技制御装置１００は、特図１保留数が０である場合（Ａ３４０６の結果が「Ｙ」）、通常遊技状態であるか否かを判定する（Ａ３４１６）。通常遊技状態である場合（Ａ３４１６の結果が「Ｙ」）、客待ちデモ開始済みであるか否か判定する（Ａ３４１７）。客待ちデモ開始済みでない場合（Ａ３４１７の結果が「Ｎ」）、客待ちデモ中フラグをセットする（Ａ３４１８）。
【０３３０】
次に、遊技制御装置１００は、現在の確率状態に対応する客待ちデモコマンドを演出コマンドとして準備し（Ａ３４１９）、演出コマンド設定処理を実行する（Ａ３４２０）。このように、通常遊技状態で特図１変動表示ゲーム（主変動表示ゲーム）の実行中でなく且つ特図１保留数が０であるような場合に、客待ちデモコマンドを受信した演出制御装置３００は、デモムービーの表示等の客待ちデモを表示装置４１において実行できる。その後、特図１ゲーム処理番号として特図１普段処理の番号「０」を設定し（Ａ３４２１）、ＲＷＭの特図１ゲーム処理番号領域にセーブする（Ａ３４２２）。
【０３３１】
〔特図２普段処理〕
次に、特図２ゲーム処理における特図２普段処理（Ａ３３１２）の詳細について説明する。図１７は、特図２普段処理の手順を示すフローチャートである。
【０３３２】
遊技制御装置１００は、まず、特図２変動表示ゲームが変動開始可能であるか否か判定する（Ａ３５０１）。特図２変動表示ゲームが変動開始可能でない場合（変動開始不可である場合）（Ａ３５０１の結果が「Ｎ」）、特図２ゲーム処理番号として特図２普段処理の番号「０」を設定し（Ａ３５１８）、ＲＷＭの特図２ゲーム処理番号領域にセーブする（Ａ３５１９）。なお、ここで、特図１変動表示ゲームと特図２変動表示ゲームの大当りの変動の終了（特図１表示中処理中）から大当り動作の終了（特図１大当り終了処理）まで、及び、特図２変動表示ゲームの小当り状態中及び実行中（変動中）は、特図２変動表示ゲームは、変動開始可能でないとされる。
【０３３３】
遊技制御装置１００は、特図２変動表示ゲームが変動開始可能である場合（Ａ３５０１の結果が「Ｙ」）、特図２保留数が０であるか否か判定する（Ａ３５０２）。特図２保留数が０でない場合（Ａ３５０２の結果が「Ｎ」）、現在の確率状態（低確率状態又は高確率状態）や時短状態の有無に対応する変動開始確率情報コマンドを演出コマンドとして準備し（Ａ３５０３）、演出コマンド設定処理を実行する（Ａ３５０４）。続いて、特図２変動表示ゲームを開始するための特図２変動開始処理を実行する（Ａ３５０５）。
【０３３４】
続いて、遊技制御装置１００は、特図２保留数に対応する飾り特図保留数コマンド（飾り特図２保留数コマンド）を演出コマンドとして準備し（Ａ３５０６）、演出コマンド設定処理を実行する（Ａ３５０７）。その後、遊技制御装置１００は、時短状態での残りの特図変動表示ゲームの回数である時間短縮変動回数に対応する残り遊技回数コマンドを演出コマンドとして準備し（Ａ３５０８）、演出コマンド設定処理を実行する（Ａ３５０９）。残り遊技回数コマンドを受信した演出制御装置３００は、時間短縮変動回数を把握することができる。
【０３３５】
次に、遊技制御装置１００は、ＲＷＭ内の特図ステータス領域に特図２変動中の情報をセットする（情報加算）（Ａ３５１０）。ここで、特図ステータス領域には、特図２変動中、又は、（特図１変動中＋特図２変動中）の情報がセットされることになる。次に、特図２変動中処理に移行するための処理である特図２変動中処理移行設定処理を実行する（Ａ３５１１）。特図２変動中処理移行設定処理では、例えば、特図２ゲーム処理番号領域に処理番号「１」をセーブする。
【０３３６】
遊技制御装置１００は、特図２保留数が０である場合（Ａ３５０２の結果が「Ｙ」）、
特図高確率中又は時短中であるか否か、即ち確変状態又は時短状態であるか否か判定する（Ａ３５１２）。特図高確率中又は時短中である場合（Ａ３５１２の結果が「Ｙ」）、客待ちデモ開始済みであるか否か判定する（Ａ３５１３）。客待ちデモ開始済みでない場合（Ａ３５１３の結果が「Ｎ」）、客待ちデモ中フラグをセットする（Ａ３５１４）。
【０３３７】
次に、遊技制御装置１００は、現在の確率状態に対応する客待ちデモコマンドを演出コマンドとして準備し（Ａ３５１５）、演出コマンド設定処理を実行する（Ａ３５１６）。このように、確変状態又は時短状態で特図２変動表示ゲーム（主変動表示ゲーム）の実行中でなく且つ特図２保留数が０であるような場合に、客待ちデモコマンドを受信した演出制御装置３００は、表示装置４１で客待ちデモを実行できる。その後、特図２ゲーム処理番号として特図２普段処理の番号「０」を設定し（Ａ３５１７）、ＲＷＭの特図２ゲーム処理番号領域にセーブする（Ａ３５１８）。
【０３３８】
一方、特図高確率中又は時短中でない場合（Ａ３５１２の結果が「Ｎ」）、客待ちデモコマンドを準備等せずに、特図２ゲーム処理番号として特図２普段処理の番号「０」を設定し（Ａ３５１７）、ＲＷＭの特図２ゲーム処理番号領域にセーブする（Ａ３５１８）。また、客待ちデモ開始済みである場合（Ａ３５１３の結果が「Ｙ」）にも、客待ちデモコマンドを準備等せずに、特図２ゲーム処理番号として特図２普段処理の番号「０」を設定し（Ａ３５１７）、ＲＷＭの特図２ゲーム処理番号領域にセーブする（Ａ３５１８）。
【０３３９】
〔特図１変動開始処理〕
次に、特図１普段処理における特図１変動開始処理（Ａ３４０９）の詳細について説明する。図１８は、特図１変動開始処理の手順を示すフローチャートである。
【０３４０】
遊技制御装置１００は、まず、特図１情報設定フラグをセットする（Ａ３６０１ａ）。なお、特図１情報設定フラグは、変動情報の設定用(先読み変動パターンの振り分けを含む)などに使用される。次に、特図１転落抽選乱数格納領域（保留数１用）から乱数をロードし、準備し（Ａ３６０２ａ）、特図１転落抽選乱数格納領域（保留数１用）を０クリアし（Ａ３６０３ａ）、後述の転落抽選処理を実行する（Ａ３６０４ａ）。なお、保留数１用とは、消化順序が最先（ここでは特図１のうちで最先）の特図始動記憶についての情報（乱数等）を格納する領域である。
【０３４１】
続いて、遊技制御装置１００は、特図１変動表示ゲームが大当りであるか否かを判別するための大当りフラグ１にはずれ情報や大当り情報を設定する大当りフラグ１設定処理（Ａ３６０５ａ）、特図１停止図柄（図柄情報）の設定に係る特図１停止図柄設定処理（Ａ３６０６ａ）、特図１変動表示ゲームの変動パターンを設定するためのパラメータである特図情報を設定する特図１情報設定処理（Ａ３６０７ａ）を実行する。
【０３４２】
次に、遊技制御装置１００は、特図１変動表示ゲームの変動パターンの設定に関する種々の情報を参照するための情報が設定されたテーブルである特図１変動パターン設定情報テーブルを準備する（Ａ３６０８ａ）。続いて、特図１変動表示ゲームにおける変動態様である変動パターンを設定する特図１変動パターン設定処理（Ａ３６０９ａ）、特図１変動表示ゲームの変動開始の情報を設定する変動開始情報設定処理（Ａ３６１０ａ）を実行する。そして、時間短縮変動回数を更新する時間短縮変動回数更新処理を実行する（Ａ３６１１ａ）。
【０３４３】
次に、遊技制御装置１００は、特図１変動中処理に移行するために処理番号として「１」を設定し（Ａ３６１２ａ）、特図１ゲーム処理番号領域に処理番号をセーブする（Ａ３６１３ａ）。続いて、客待ちデモフラグ領域をクリアし（Ａ３６１４ａ）、特図１の変動開始に関する信号（特別図柄１変動中信号のオンデータ）を試験信号出力データ領域にセーブする（Ａ３６１５ａ）。
【０３４４】
次に、遊技制御装置１００は、特図１変動制御フラグ領域に変動中フラグをセーブする（Ａ３６１６ａ）。続いて、特図１点滅制御タイマ領域に点滅制御タイマ（特図１表示器５１の点滅の周期のタイマ）の初期値（例えば１００ｍｓｅｃ）をセーブし（Ａ３６１７ａ）、特図１変動中図柄番号領域に変動中図柄番号の初期値（例えば、非点灯図柄を示す０）をセーブする（Ａ３６１８ａ）。
【０３４５】
続いて、遊技制御装置１００は、特図低確率＆時短なし中（通常遊技状態）あるか否かを判定する（Ａ３６１９ａ）。特図ゲームモードフラグ領域に特図低確率＆時短なしフラグが設定されていれば、大当りの発生確率が低確率状態であり且つ時短なしの状態（普電サポートなしの状態）であるため、特図低確率＆時短なし中であると判定できる。特図低確率＆時短なし中（通常遊技状態）である場合に（Ａ３６１９ａの結果が「Ｙ」）、特図２が大当り変動中であるか否か、即ち、イレギュラー大当り（前述）となる特図２変動表示ゲームが変動中であるか否かを判定する（Ａ３６２０ａ）。
【０３４６】
遊技制御装置１００は、特図２が大当り変動中である場合（Ａ３６２０ａの結果が「Ｙ」）、変動中の特図２変動表示ゲームの残りの変動時間が所定時間以内であるか否かを判定する（Ａ３６２１ａ）。なお、ここで、所定時間は、特図１変動表示ゲームの開始前に特図１変動表示ゲームに関する特定の演出（例えばＳＰリーチ演出）を他の演出（例えばＮリーチ演出やリーチなし演出）に差し替たり中止するために確保される時間であり、特図１変動表示ゲームの最長の変動時間（例えば１９６秒）よりも長い時間であることが好適である。例えば、特図２変動表示ゲームの通常遊技状態での変動時間が５９０秒（約１０分）であるのに対して、所定時間は、２００秒（約３分）程度である。
【０３４７】
遊技制御装置１００は、変動中の特図２変動表示ゲームの残りの変動時間が所定時間以内である場合に（Ａ３６２１ａの結果が「Ｙ」）、イレギュラー大当りの発生を示唆するとともに演出の調整が必要であることを示すイレギュラー大当り演出調整フラグをセットする（Ａ３６２２ａ）。なお、イレギュラー大当り演出調整フラグは、特図２変動表示ゲームの終了時に特図２表示中処理移行設定処理１（Ａ５４２８）などでクリアされる。
【０３４８】
次に、遊技制御装置１００は、演出を調整するための演出調整コマンドを演出コマンドとして準備し（Ａ３６２３ａ）、演出コマンド設定処理を実行し（Ａ３６２４ａ）、特図１変動開始処理を終了する。なお、演出調整コマンド（所定の情報）は、イレギュラー大当りの発生を演出制御装置３００に知らせる機能も有する。
【０３４９】
一方、遊技制御装置１００は、特図低確率＆時短なし中（通常遊技状態）でない場合（Ａ３６１９ａの結果が「Ｎ」）、特図２が大当り変動中でない場合（Ａ３６２０ａの結果が「Ｎ」）、変動中の特図２変動表示ゲームの残りの変動時間が所定時間より長い場合（Ａ３６２１ａの結果が「Ｎ」）、演出調整コマンドを準備することなく、特図１変動開始処理を終了する。
【０３５０】
このようにして、通常遊技状態において、イレギュラー大当りとなる特図２変動表示ゲームの残りの変動時間が所定時間以内になると、特図２変動表示ゲームの終了まで、特図１変動表示ゲームが開始される度に（各特図１変動表示ゲームの開始時に）、演出を調整するための演出調整コマンドが演出制御装置３００に送信される。即ち、イレギュラー大当り演出調整フラグがセットされている間（オンにされている間）、特図１変動表示ゲームが開始される度に演出調整コマンドが演出制御装置３００に送信される。そして、演出調整コマンドを受信した演出制御装置３００は、イレギュラー大当りによって飾り特図１変動表示ゲームが強制的にはずれ結果（大当り以外の結果）で停止しても遊技者が驚かないように、演出の内容を調整することができる。なお、イレギュラー大当りとなる特図２変動表示ゲームの残りの変動時間が所定時間以内になった後、最初に特図１変動表示ゲームが開始される際に一度だけ演出調整コマンドが演出制御装置３００に送信されるようにし、演出制御装置３００は、一度だけ受信した演出調整コマンドに基づいて演出の内容を調整してもよい。
【０３５１】
なお、通常遊技状態において特図２変動表示ゲームは長変動（例えば１０分）であり、特図２変動表示ゲームの開始時に演出調整コマンドを送信して演出の内容を調整すると、遊技者がイレギュラー大当りであることを長時間の特図２変動表示ゲームの開始直後から認識して、遊技の興趣が低下するとともに遊技者が操作ハンドル２４による遊技球の打ち出しを止めてしまう可能性もある。しかし、本実施形態では、イレギュラー大当りとなる特図２変動表示ゲームの残りの変動時間が所定時間になるまで演出調整コマンドは送信されないため、遊技者がイレギュラー大当りを認識するのが大幅に遅くなり、遊技の興趣の低下を防止できる。所定時間を小さくするほど、遊技者は、イレギュラー大当りを大当りの停止図柄が停止される直前に認識することになる。
【０３５２】
〔特図２変動開始処理〕
次に、特図２普段処理における特図２変動開始処理（Ａ３５０５）の詳細について説明する。図１９は、特図２変動開始処理の手順を示すフローチャートである。
【０３５３】
特図２変動開始処理は、ステップＡ３６０１ｂ−Ａ３６１８ｂにおいて、特図１変動開始処理（図１８）における「大当りフラグ１」を「大当りフラグ２」に、「特図１」を「特図２」に置き換えたものであり、特図１変動開始処理と同様の処理が行われるため、詳細な説明は省略する。なお、特図２変動開始処理におけるステップＡ３６０１ｂ−Ａ３６１８ｂは、それぞれ、特図１変動開始処理におけるステップＡ３６０１ａ−Ａ３６１８ａに対応する。
【０３５４】
ステップＡ３６１８ｂの次に、遊技制御装置１００は、特図高確率中又は時短中であるか否か、即ち確変状態又は時短状態であるか否かを判定する（Ａ３６１９ｂ）。特図ゲームモードフラグ領域に特図高確率＆時短ありフラグが設定されていれば、確変状態（高確率状態）であると判定でき、特図低確率＆時短ありフラグが設定されていれば、時短状態であると判定できる。特図高確率中又は時短中（確変状態又は時短状態）である場合に（Ａ３６１９ｂの結果が「Ｙ」）、特図１が大当り変動中であるか否か、即ち、イレギュラー大当り（前述）となる特図１変動表示ゲームが変動中であるか否かを判定する（Ａ３６２０ａ）。
【０３５５】
遊技制御装置１００は、特図１が大当り変動中である場合（Ａ３６２０ｂの結果が「Ｙ」）、イレギュラー大当りの発生を演出制御装置３００に知らせるとともに演出を調整するための演出調整コマンドを演出コマンドとして準備し（Ａ３６２１ｂ）、演出コマンド設定処理を実行し（Ａ３６２２ｂ）、特図１変動開始処理を終了する。ステップＡ３６２１ｂの演出調整コマンドは、ステップＡ３６２３ａと同一のものである。なお、特図１が大当り変動中である場合、大当りフラグ１とイレギュラー大当り演出調整フラグを兼用して、本実施形態では、簡単のためイレギュラー大当り演出調整フラグをセットしないが、セットするようにしてもよい。
【０３５６】
一方、遊技制御装置１００は、特図高確率中又は時短中（確変状態又は時短状態）でない場合（Ａ３６１９ｂの結果が「Ｎ」）、特図１が大当り変動中でない場合（Ａ３６２０ｂの結果が「Ｎ」）、演出調整コマンドを準備することなく、特図２変動開始処理を終了する。
【０３５７】
このようにして、確変状態又は時短状態において、イレギュラー大当りとなる特図１変動表示ゲームの開始後に、特図２変動表示ゲームが開始される度に（各特図２変動表示ゲームの開始時に）、演出を調整するための演出調整コマンドが演出制御装置３００に送信される。そして、演出調整コマンドを受信した演出制御装置３００は、イレギュラー大当りによって飾り特図２変動表示ゲームが強制的にはずれ結果（大当り以外の結果）で停止しても遊技者が驚かないように、演出の内容を調整することができる。なお、イレギュラー大当りとなる特図１変動表示ゲームの開始後、最初に特図２変動表示ゲームが開始される際に一度だけ演出調整コマンドが演出制御装置３００に送信されるようにし、演出制御装置３００は、一度だけ受信した演出調整コマンドに基づいて演出の内容を調整するようにしてもよい。
【０３５８】
〔転落抽選処理〕
次に、特図１変動開始処理及び特図２変動開始処理における転落抽選処理（Ａ３６０４ａ、Ａ３６０４ｂ）の詳細について説明する。図２０は、転落抽選処理の手順を示すフローチャートである。
【０３５９】
遊技制御装置１００は、まず、大当りの発生確率が高確率状態（確変状態）であるか否か、即ち特図高確率中であるか否かを判定する（Ａ３７０１）。特図高確率中でない場合に（Ａ３７０１の結果が「Ｎ」）、転落抽選処理を終了する。
【０３６０】
遊技制御装置１００は、特図高確率中である場合に（Ａ３７０１の結果が「Ｙ」）、対象（特図１又は特図２）の転落抽選乱数の値が転落抽選下限判定値未満であるか否かを判定する（Ａ３７０２）。転落抽選下限判定値未満である場合に（Ａ３７０２の結果が「Ｙ」）、転落抽選処理を終了する。転落抽選下限判定値以上である場合に（Ａ３７０２の結果が「Ｎ」）、対象の転落抽選乱数の値が転落抽選上限判定値より大きいか否かを判定する（Ａ３７０３）。転落抽選上限判定値より大きい場合に（Ａ３７０３の結果が「Ｙ」）、転落抽選処理を終了する。
【０３６１】
遊技制御装置１００は、転落抽選上限判定値以下の場合に（Ａ３７０３の結果が「Ｎ」）、対象の転落抽選乱数の値が転落抽選上限判定値と転落抽選下限判定値の間の値になるため、転落抽選の当選時の処理を開始し、まず、高確率終了に関する信号をＲＷＭの外部情報出力データ領域にセーブする（Ａ３７０４）。ここで、高確率終了に関する信号は、大当り２信号のオフデータ（オフ信号）と大当り４信号のオフデータ（オフ信号）である。これにより、高確率終了に関する信号が外部情報として外部情報端子７１ひいては外部装置（ホールコンピュータなど）に出力される。
【０３６２】
次に、遊技制御装置１００は、高確率＆時短の終了に関する信号を試験信号出力データ領域にセーブする（Ａ３７０５）。高確率＆時短の終了に関する信号は、例えば、特別図柄１高確率状態信号のオフデータ、特別図柄２高確率状態信号のオフデータ、特別図柄１変動時間短縮状態信号のオフデータ、特別図柄２変動時間短縮状態信号のオフデータである。
【０３６３】
続いて、遊技制御装置１００は、左打ち指示に関する信号を試験信号出力データ領域にセーブする（Ａ３７０６）。そして、ＲＷＭの遊技状態表示番号領域に時短なしの番号をセーブする（Ａ３７０７）。ＲＷＭの特図ゲームモードフラグ領域に特図低確率＆時短なしフラグをセーブし（Ａ３７０８）、転落抽選処理を終了する。特図低確率＆時短なしフラグは、大当りの確率が低確率で且つ時短状態がないこと（通常遊技状態）を示す。
【０３６４】
以上のように、確変状態（特図高確率中）では、各特図変動表示ゲームの開始時に転落抽選が実行され、転落抽選の当選時に、確変状態（高確率状態）から通常遊技状態（低確率状態）へ転落する転落処理（Ａ３７０４−Ａ３７０８）が実行される。
【０３６５】
〔大当りフラグ１設定処理〕
次に、特図１変動開始処理における大当りフラグ１設定処理（Ａ３６０５ａ）の詳細について説明する。図２１は、大当りフラグ１設定処理の手順を示すフローチャートである。
【０３６６】
遊技制御装置１００は、まず、ＲＷＭの大当りフラグ１領域にはずれ情報をセーブする（Ａ３８０１）。続いて、ＲＷＭの特図１大当り乱数格納領域（保留数１用）から大当り乱数をロードし、準備する（Ａ３８０２）。なお、保留数１用とは、消化順序が最先（ここでは特図１のうちで最先）の特図始動記憶についての情報（乱数等）を格納する領域である。その後、特図１大当り乱数格納領域（保留数１用）を０クリアする（Ａ３８０３）。
【０３６７】
次に、遊技制御装置１００は、大当りフラグ２は大当りであるか否か、即ち、大当りフラグ２領域に大当り情報がセーブされているか判定する（Ａ３８０４）。大当りフラグ２は大当りでない場合（Ａ３８０４の結果が「Ｎ」）、取得した大当り乱数値に基づいて、特図１変動表示ゲームが大当りであるか否かを判定する大当り判定処理を実行し（Ａ３８０５）、判定の結果が大当りであるか否か判断する（Ａ３８０６）。判定の結果が大当りである場合（Ａ３８０６の結果が「Ｙ」）、ステップＡ３８０１にてはずれ情報をセーブした大当りフラグ１領域に大当り情報を上書きしてセーブし（Ａ３８０７）、大当りフラグ１設定処理を終了する。なお、大当りフラグ２が大当りでない場合にのみ、大当りフラグ１が大当りとなり得る（大当りフラグ１領域に大当り情報がセーブされる）ので、大当りフラグ１と大当りフラグ２が同時に大当りとなることが避けられる。
【０３６８】
遊技制御装置１００は、大当りフラグ２は大当りである場合（Ａ３８０４の結果が「Ｙ」）、又は、特図１変動表示ゲームの判定結果が大当りでない場合（Ａ３８０６の結果が「Ｎ」）、大当りフラグ１設定処理を終了する。
【０３６９】
〔大当りフラグ２設定処理〕
次に、特図２変動開始処理における大当りフラグ２設定処理（Ａ３６０５ｂ）の詳細について説明する。図２２は、大当りフラグ２設定処理の手順を示すフローチャートである。
【０３７０】
遊技制御装置１００は、まず、ＲＷＭの小当りフラグ２領域にはずれ情報をセーブし（Ａ３９０１）、ＲＷＭの大当りフラグ２領域にはずれ情報をセーブする（Ａ３９０２）。続いて、ＲＷＭの特図２大当り乱数格納領域（保留数１用）から大当り乱数をロードし、準備する（Ａ３９０３）。なお、保留数１用とは、消化順序が最先（ここでは特図２のうちで最先）の特図始動記憶についての情報（乱数等）を格納する領域である。その後、特図２大当り乱数格納領域（保留数１用）を０クリアする（Ａ３９０４）。
【０３７１】
次に、遊技制御装置１００は、大当りフラグ１は大当りであるか否か、即ち、大当りフラグ１領域に大当り情報がセーブされているか判定する（Ａ３９０５）。大当りフラグ１は大当りでない場合（Ａ３９０５の結果が「Ｎ」）、取得した大当り乱数値に基づいて、特図２変動表示ゲームが大当りであるか否かを判定する大当り判定処理を実行し（Ａ３９０６）、判定の結果が大当りであるか否か判断する（Ａ３９０７）。判定の結果が大当りである場合（Ａ３９０７の結果が「Ｙ」）、ステップＡ３９０２にてはずれ情報をセーブした大当りフラグ２領域に大当り情報を上書きしてセーブし（Ａ３９０８）、大当りフラグ２設定処理を終了する。なお、大当りフラグ１が大当りでない場合にのみ、大当りフラグ２が大当りとなり得る（大当りフラグ２領域に大当り情報がセーブされる）ので、大当りフラグ１と大当りフラグ２が同時に大当りとなることが避けられる。
【０３７２】
遊技制御装置１００は、大当りフラグ１は大当りである場合（Ａ３９０５の結果が「Ｙ」）、又は、特図２変動表示ゲームの判定結果が大当りでない場合（Ａ３９０７の結果が「Ｎ」）、取得した大当り乱数値に基づいて、特図２変動表示ゲームが小当りであるか否かを判定する小当り判定処理を実行し（Ａ３９０９）、判定の結果は小当りであるか否か判断する（Ａ３９１０）。なお、本実施形態では、小当りの判定にも大当り乱数値が使用される（別の言い方では、小当り判定と大当り判定に同じ乱数値が使用される）。特図２変動表示ゲームが小当りである場合（Ａ３９１０の結果が「Ｙ」）、ステップＡ３９０１にてはずれ情報をセーブした小当りフラグ２領域に小当り情報を上書きしてセーブし（Ａ３９１１）、大当りフラグ２設定処理を終了する。特図２変動表示ゲームが小当りでない場合（Ａ３９１０の結果が「Ｎ」）、小当りフラグ２領域に小当り情報をセーブすることなく、大当りフラグ２設定処理を終了する。
【０３７３】
〔大当り判定処理〕
次に、大当りフラグ１設定処理と大当りフラグ２設定処理等における大当り判定処理（Ａ３８０５、Ａ３９０６）の詳細について説明する。図２３は、大当り判定処理の手順を示すフローチャートである。なお、大当り判定処理は、タイマ割込み処理中に実行される他の処理における大当り判定処理に共通する処理である。
【０３７４】
遊技制御装置１００は、まず、大当り判定値の下限判定値を設定し（Ａ４００１）、対象の大当り乱数の値が下限判定値未満であるか否かを判定する（Ａ４００２）。なお、大当りであるとは大当り乱数が大当り判定値と一致することである。大当り判定値は連続する複数の値であり、大当り乱数が、大当り判定値の下限の値である下限判定値以上で、かつ、大当り判定値の上限の値である上限判定値以下である場合に、大当りであると判定される。
【０３７５】
遊技制御装置１００は、対象の大当り乱数の値が下限判定値未満である場合（Ａ４００２の結果が「Ｙ」）、判定結果としてはずれ（大当り以外）を設定し（Ａ４００７）、大当り判定処理を終了する。
【０３７６】
また、遊技制御装置１００は、大当り乱数の値が下限判定値未満でない場合には（Ａ４００２の結果が「Ｎ」）、特図高確率中であるか否かを判定する（Ａ４００３）。そして、特図高確率中である場合には（Ａ４００３の結果が「Ｙ」）、確率設定値に対応する高確率中の上限判定値を設定する（Ａ４００４）。一方、特図高確率中でない場合には（Ａ４００３の結果が「Ｎ」）、確率設定値に対応する低確率中の上限判定値を設定する（Ａ４００５）。
【０３７７】
遊技制御装置１００は、大当り乱数の値の上限判定値を設定すると、対象の大当り乱数の値が上限判定値より大きいか否かを判定する（Ａ４００６）。大当り乱数の値が上限判定値より大きい場合（Ａ４００６の結果が「Ｙ」）、判定結果としてはずれ（大当り以外）を設定する（Ａ４００７）。一方、大当り乱数の値が上限判定値より大きくない場合（Ａ４００６の結果が「Ｎ」）、判定結果として大当りを設定する（Ａ４００８）。判定結果を設定すると、大当り判定処理を終了する。
【０３７８】
〔小当り判定処理〕
次に、大当りフラグ２設定処理等における小当り判定処理（Ａ３９０９）の詳細について説明する。図２４は、小当り判定処理の手順を示すフローチャートである。なお、小当り判定処理は、タイマ割込み処理中に実行される他の処理における小当り判定処理に共通する処理である。
【０３７９】
遊技制御装置１００は、まず、対象の大当り乱数の値が小当り下限判定値未満であるか否かを判定する（Ａ４１０１）。なお、小当りであるとは大当り乱数が小当り判定値と一致することである。小当り判定値は連続する複数の値であり、大当り乱数が、小当り判定値の下限の値である小当り下限判定値以上で、かつ、小当り判定値の上限の値である小当り上限判定値以下である場合に、小当りであると判定される。
【０３８０】
当然ながら、同じ特図変動表示ゲームの結果が小当り且つ大当りとなることを避けるべく、小当り判定値の範囲（小当り下限判定値と小当り上限判定値の間）は、前述の大当り判定値の範囲（下限判定値と上限判定値の間）とは重ならない。なお、本実施形態では、独自に小当り乱数を設けることはせず、小当りの判定にも大当り乱数を利用するが、独自の小当り乱数を設ける構成も可能である。
【０３８１】
遊技制御装置１００は、対象の大当り乱数の値が小当り下限判定値未満である場合（Ａ４１０１の結果が「Ｙ」）、判定結果としてはずれを設定し（Ａ４１０３）、小当り判定処理を終了する。
【０３８２】
また、遊技制御装置１００は、大当り乱数の値が小当り下限判定値未満でない場合には（Ａ４１０１の結果が「Ｎ」）、対象の大当り乱数の値が小当り上限判定値より大きいか否かを判定する（Ａ４１０２）。大当り乱数の値が小当り上限判定値より大きい場合（Ａ４１０２の結果が「Ｙ」）、判定結果としてはずれを設定する（Ａ４１０３）。一方、大当り乱数の値が小当り上限判定値より大きくない場合（Ａ４１０２の結果が「Ｎ」）、判定結果として小当りを設定する（Ａ４１０４）。判定結果を設定すると、小当り判定処理を終了する。
【０３８３】
〔大当り確率、小当り確率、転落確率〕
図２５（ａ）（ｂ）（ｃ）は、上述の大当り判定処理（図２３）と小当り判定処理（図２４）と転落抽選処理（図２０）の結果として決定される特図変動表示ゲームの大当り確率と小当り確率と転落確率を例示するテーブルである。
【０３８４】
図２５（ａ）の例では、高確率状態での大当り確率（高確率状態）は、確率設定値１〜６（設定１〜６）によらず同じである。一方、低確率状態での大当り確率（低確率状態）は、確率設定値が大きくなる（高い設定になる）とともに高くなる傾向になり、確率設定値が大きいほど大当りが発生し易くなり遊技者に有利となる。このように低確率状態の大当り確率と高確率状態の大当り確率のうち一方だけを、確率設定値が大きくなるとともに高くするように構成してもよい。大当り確率は、図２３の上限判定値と下限判定値の差分を大当り乱数の値の範囲で割ったものである。大当り確率は、上限判定値の他に、下限判定値又は大当り乱数の値の範囲を確率設定値に対応して変更することによって、確率設定値に応じて変更できる。
【０３８５】
また、設定１と設定２で、設定３と設定４で、又は、設定５と設定６で、大当り確率（高確率状態）と大当り確率（低確率状態）は同じである。なお、全ての設定で互いに大当り確率を異ならせてもよい。また、大当り確率が同じでも、演出制御装置３００は、各確率設定値に応じた演出を実行可能である（後述の変動演出設定処理）。
【０３８６】
図２５（ｂ）の例では、高確率状態であるか低確率状態であるかによらず、又、確率設定値（設定）によらず、小当り確率は一定である。小当り確率は、図２４の小当り上限判定値と小当り下限判定値の差分を大当り乱数の値の範囲で割ったものである。図１４のように、特図１変動表示ゲームでは、小当りは発生しない（小当り確率はゼロ）。なお、特図１変動表示ゲームで小当りが発生する構成も可能である。
【０３８７】
図２５（ｃ）の例では、転落抽選の当選確率としての転落確率は、確率設定値（設定）によらず、高確率状態であるか低確率状態であるかによらず、又、特図１変動表示ゲームであるか特図２変動表示ゲームであるかによらず一定（１／２３７）である。転落確率は、図２０の転落抽選上限判定値と転落抽選下限判定値の差分を転落抽選乱数の値の範囲で割ったものである。
【０３８８】
〔特図１停止図柄設定処理〕
次に、特図１変動開始処理における特図１停止図柄設定処理（Ａ３６０６ａ）の詳細について説明する。図２６は、特図１停止図柄設定処理の手順を示すフローチャートである。
【０３８９】
遊技制御装置１００は、まず、大当りフラグ１は大当りであるか否か、即ち、大当りフラグ１領域に大当り情報がセーブされているか判定する（Ａ４２０１）。大当りフラグ１が大当りである場合（Ａ４２０１の結果が「Ｙ」）、特図１大当り図柄乱数格納領域（保留数１用）から大当り図柄乱数をロードする（Ａ４２０２）。次に、特図１大当り図柄テーブルを設定し（Ａ４２０３）、ロードした大当り図柄乱数に対応する停止図柄番号を取得してＲＷＭの特図１停止図柄退避領域にセーブする（Ａ４２０４）。この処理により特別結果の種類が選択される。
【０３９０】
その後、遊技制御装置１００は、特図１大当り停止図柄情報テーブルを設定し（Ａ４２０５）、停止図柄番号に対応する停止図柄パターンを取得して停止図柄パターン領域にセーブする（Ａ４２０６）。停止図柄パターンとは、特図表示器（ここでは特図１表示器５１）での停止図柄や表示装置４１での停止図柄を設定するためのものである。そして、停止図柄番号に対応する時間短縮判定データを取得し、時間短縮判定データ領域にセーブする（Ａ４２０７）。時間短縮判定データは、大当り終了後の時短状態の有無（時短あり又は時短なし）の情報を含み、後述の特図１大当り終了処理と特図２大当り終了処理で使用される。
【０３９１】
次に、遊技制御装置１００は、停止図柄番号に対応するラウンド数上限値情報を取得し、ＲＷＭの特図１ラウンド数上限値情報領域にセーブし（Ａ４２０８）、停止図柄番号に対応する大入賞口開放情報を取得してＲＷＭの特図１大入賞口開放情報領域にセーブする（Ａ４２０９）。その後、ステップＡ４２１２の処理に移行する。これらの情報は、特別遊技状態の実行態様を設定するためのものである。
【０３９２】
一方、遊技制御装置１００は、大当りフラグ１が大当りでない場合（Ａ４２０１の結果が「Ｎ」）、はずれ時の停止図柄番号を特図１停止図柄退避領域にセーブし（Ａ４２１０）、はずれ停止図柄パターンを停止図柄パターン領域にセーブする（Ａ４２１１）。その後、ステップＡ４２１２の処理に移行する。
【０３９３】
遊技制御装置１００は、ステップＡ４２０９、Ａ４２１１の後、停止図柄パターンに対応する飾り特図１コマンドを準備し、演出コマンドとして飾り特図１コマンドを飾り特図１コマンド領域にセーブする（Ａ４２１２）。以上の処理により、特図１変動表示ゲームの結果に対応した停止図柄が設定される。
【０３９４】
その後、遊技制御装置１００は、演出コマンド設定処理を実行する（Ａ４２１３）。これにより、飾り特図１コマンドは、後に演出制御装置３００に送信される。
【０３９５】
次に、遊技制御装置１００は、停止図柄番号に対応する図柄データを試験信号出力データ領域にセーブし（Ａ４２１４）、特図１大当り図柄乱数格納領域（保留数１用）を０クリアする（Ａ４２１５）。その後、特図１停止図柄設定処理を終了する。
【０３９６】
〔特図２停止図柄設定処理〕
次に、特図２変動開始処理における特図２停止図柄設定処理（Ａ３６０６ｂ）の詳細について説明する。図２７は、特図２停止図柄設定処理の手順を示すフローチャートである。
【０３９７】
遊技制御装置１００は、まず、大当りフラグ２は大当りであるか否か、即ち、大当りフラグ２領域に大当り情報がセーブされているか判定する（Ａ４３０１）。大当りフラグ２が大当りである場合（Ａ４３０１の結果が「Ｙ」）、特図２大当り図柄乱数格納領域（保留数１用）から大当り図柄乱数をロードする（Ａ４３０２）。次に、特図２大当り図柄テーブルを設定し（Ａ４３０３）、ロードした大当り図柄乱数に対応する停止図柄番号を取得してＲＷＭの特図２停止図柄退避領域にセーブする（Ａ４３０４）。この処理により特別結果の種類が選択される。
【０３９８】
その後、遊技制御装置１００は、特図２大当り停止図柄情報テーブルを設定し（Ａ４３０５）、停止図柄番号に対応する停止図柄パターンを取得して停止図柄パターン領域にセーブする（Ａ４３０６）。停止図柄パターンとは、特図表示器（ここでは特図２表示器５２）での停止図柄や表示装置４１での停止図柄を設定するためのものである。そして、停止図柄番号に対応する時間短縮判定データを取得し、時間短縮判定データ領域にセーブする（Ａ４３０７）。時間短縮判定データは、大当り終了後の時短状態の有無（時短あり又は時短なし）の情報を含み、後述の特図１大当り終了処理と特図２大当り終了処理で使用される。
【０３９９】
次に、遊技制御装置１００は、停止図柄番号に対応するラウンド数上限値情報を取得し、ＲＷＭの特図２ラウンド数上限値情報領域にセーブし（Ａ４３０８）、停止図柄番号に対応する大入賞口開放情報を取得してＲＷＭの特図２大入賞口開放情報領域にセーブする（Ａ４３０９）。その後、ステップＡ４３１７の処理に移行する。これらの情報は、特別遊技状態の実行態様を設定するためのものである。
【０４００】
一方、遊技制御装置１００は、大当りフラグ２が大当りでない場合（Ａ４３０１の結果が「Ｎ」）、小当りフラグ２は小当りであるか否か、即ち、小当りフラグ２領域に小当り情報がセーブされているか判定する（Ａ４３１０）。小当りフラグ２は小当りである場合（Ａ４３１０の結果が「Ｙ」）、特図２小当り図柄乱数格納領域（保留数１用）から小当り図柄乱数をロードする（Ａ４３１１）。次に、特図１小当り図柄テーブルを設定し（Ａ４３１２）、ロードした小当り図柄乱数に対応する停止図柄番号を取得し、特図２停止図柄退避領域にセーブする（Ａ４３１３）。この処理により特定結果の種類が選択される。続いて、停止図柄番号に対応する停止図柄パターンを取得し、停止図柄パターン領域にセーブする（Ａ４３１４）。その後、ステップＡ４３１７の処理に移行する。
【０４０１】
遊技制御装置１００は、小当りフラグ２は小当りでない場合（Ａ４３１０の結果が「Ｎ」）、はずれ時の停止図柄番号を特図２停止図柄退避領域にセーブし（Ａ４３１５）、はずれ停止図柄パターンを停止図柄パターン領域にセーブする（Ａ４３１６）。その後、ステップＡ４３１７の処理に移行する。
【０４０２】
遊技制御装置１００は、ステップＡ４３０９、Ａ４３１４、Ａ４３１６の後、停止図柄パターンに対応する飾り特図２コマンドを準備し、演出コマンドとして飾り特図２コマンドを飾り特図２コマンド領域にセーブする（Ａ４３１７）。以上の処理により、特図２変動表示ゲームの結果に対応した停止図柄が設定される。
【０４０３】
その後、遊技制御装置１００は、演出コマンド設定処理を実行する（Ａ４３１８）。飾り特図２コマンドは、後に演出制御装置３００に送信される。
【０４０４】
次に、遊技制御装置１００は、停止図柄番号に対応する図柄データを試験信号出力データ領域にセーブし（Ａ４３１９）、特図２大当り図柄乱数格納領域（保留数１用）を０クリアし（Ａ４３２０）、特図２小当り図柄乱数格納領域（保留数１用）を０クリア（Ａ４３２１）する。その後、特図２停止図柄設定処理を終了する。
【０４０５】
このように、遊技制御装置１００が、第１始動入賞口３６での遊技球の検出に基づいて変動表示ゲームとして特図１変動表示ゲームを実行し、普通変動入賞装置３７での遊技球の検出に基づいて変動表示ゲームとして特図２変動表示ゲームを実行する変動表示ゲーム実行手段をなす。また、遊技制御装置１００が、判定手段（遊技制御装置１００）による判定結果に基づき変動表示ゲームの実行を制御する変動表示ゲーム実行制御手段をなす。
【０４０６】
〔特図大当り図柄振分の一例〕
図２８は、上述の特図１停止図柄設定処理と特図２停止図柄設定処理によって制御される特図１、２変動表示ゲームの大当りの種類の振分（大当り図柄振分）を例示するテーブルである。なお、各設定（各確率設定値）に対して大当りの種類の振分は共通する。
【０４０７】
図２８は、特図１停止図柄設定処理と特図２停止図柄設定処理で取得された大当り停止図柄番号に対応する大当りの種類とその振分率を規定するテーブルを例示する。図２８の例では、大当りの種類は、特図１、２変動表示ゲームで共通に、１０Ｒ確変大当り、４Ｒ確変大当り、１０Ｒ通常大当り（時短回数１００回）がある。その他、１０Ｒ通常大当り（時短回数０回）などを設けてもよい。
【０４０８】
なお、１０Ｒ確変大当り、４Ｒ確変大当り、１０Ｒ通常大当り（時短回数１００回）の振分率は、特図１変動表示ゲームで３０％、３０％、４０％であり、特図２変動表示ゲームで５０％、１０％、４０％で異なっている。なお、振分率は適宜変更可能である。
【０４０９】
〔特図１情報設定処理〕
次に、特図１変動開始処理における特図１情報設定処理（Ａ３６０７ａ）の詳細について説明する。図２９は、特図１情報設定処理の手順を示すフローチャートである。
【０４１０】
遊技制御装置１００は、まず、変動パターン選択情報テーブルを設定する（Ａ４４０１）。そして、特図１の停止図柄パターンに対応する前半オフセットデータと後半オフセットデータを取得する（Ａ４４０２）。
【０４１１】
ここで、前半オフセットデータ（変動振分情報１）は、前半変動を振り分けるためのテーブルポインタであり、後半オフセットデータ（変動振分情報２）は、後半変動を振り分けるためのテーブルポインタである。前半変動は、リーチ開始前までの変動態様であり、後半変動は、リーチ状態となった後の変動態様でありリーチの種類（ノーマルリーチやスペシャルリーチ等でありリーチなしを含む）に対応する。
【０４１２】
続いて、遊技制御装置１００は、特図１変動表示ゲームの結果が大当りであるか否か判定し（Ａ４４０３）、特図１変動表示ゲームの結果が大当りでない場合（Ａ４４０３の結果が「Ｎ」）、特図１保留数に応じて前半変動を振り分けるために前半オフセットデータに特図１保留数を加算して値を変換する（Ａ４４０４）。そして、ステップＡ４４０５の処理に移行する。
【０４１３】
遊技制御装置１００は、特図１変動表示ゲームの結果が大当りである場合（Ａ４４０３の結果が「Ｙ」）、ステップＡ４４０４の処理を行わず、ステップＡ４４０２で取得した前半オフセットデータを更新、変換せずに、ステップＡ４４０５の処理に移行する。
【０４１４】
そして、遊技制御装置１００は、前半オフセットデータ（変動振分情報１）をＲＷＭの変動振分情報１領域にセーブし（Ａ４４０５）、後半オフセットデータ（変動振分情報２）をＲＷＭの変動振分情報２領域にセーブし（Ａ４４０６）、特図１情報設定処理を終了する。
【０４１５】
〔特図２情報設定処理〕
次に、特図２変動開始処理における特図２情報設定処理（Ａ３６０７ｂ）の詳細について説明する。図３０は、特図２情報設定処理の手順を示すフローチャートである。
【０４１６】
遊技制御装置１００は、まず、大当りの発生確率が低確率状態であり且つ時短なしの状態（普電サポートなしの状態）であるか否か、即ち、特図低確率＆時短なし中（通常遊技状態中）であるか否か判定する（Ａ４５０１）。特図低確率＆時短なし中である場合（Ａ４５０１の結果が「Ｙ」）、ステップＡ４５０５の処理に移行する。
【０４１７】
遊技制御装置１００は、特図低確率＆時短なし中でない場合（Ａ４５０１の結果が「Ｎ」）、即ち、時短状態又は確変状態である場合に、これから開始する特図変動表示ゲームが時間短縮最終変動であるか否かを判定する（Ａ４５０２）。時間短縮最終変動とは、時短状態での最終（例えば１００回目）の特図変動表示ゲームである。これから開始する特図変動表示ゲームが時間短縮最終変動である場合に（Ａ４５０２の結果が「Ｙ」）、ステップＡ４５０６の処理に移行する。
【０４１８】
遊技制御装置１００は、これから開始する特図変動表示ゲームが時間短縮最終変動でない場合に（Ａ４５０２の結果が「Ｎ」）、変動パターン選択情報テーブルを設定する（Ａ４５０３）。そして、特図２の停止図柄パターンに対応する前半オフセットデータと後半オフセットデータを取得する（Ａ４５０４）。前述のように、前半オフセットデータ（変動振分情報１）は、前半変動を振り分けるためのテーブルポインタであり、後半オフセットデータ（変動振分情報２）は、後半変動を振り分けるためのテーブルポインタである。
【０４１９】
一方、遊技制御装置１００は、特図低確率＆時短なし中である場合（Ａ４５０１の結果が「Ｙ」）、これから開始する特図変動表示ゲームが高確率最終変動であるか否かを判定する（Ａ４５０５）。ここで、高確率最終変動は、転落抽選（図２０）に当選して確変状態（高確率状態）から通常遊技状態（低確率状態）に転落した際の特図変動表示ゲームである。
【０４２０】
遊技制御装置１００は、これから開始する特図変動表示ゲームが高確率最終変動である場合に（Ａ４５０５の結果が「Ｙ」）、又は、時間短縮最終変動である場合に（Ａ４５０２の結果が「Ｙ」）、最終変動であることを報知するための時間を確保するため、最終変動用の前半オフセットデータと後半オフセットデータを設定し（Ａ４５０６）、ステップＡ４５１１の処理に移行する。
【０４２１】
遊技制御装置１００は、これから開始する特図変動表示ゲームが高確率最終変動でない場合に（Ａ４５０５の結果が「Ｎ」）、特図２変動表示ゲームの結果が大当りであるか否か判定する（Ａ４５０７）。特図２変動表示ゲームの結果が大当りでない場合（Ａ４５０７の結果が「Ｎ」）、低確率時の特図２のはずれ・小当り用の前半オフセットデータを設定し（Ａ４５０８）、ステップＡ４５１０の処理に移行する。特図２変動表示ゲームの結果が大当りである場合（Ａ４５０７の結果が「Ｙ」）、低確率時の特図２の大当り用の前半オフセットデータを設定する（Ａ４５０９）。続いて、特図２変動表示ゲームの長時間変動用の後半オフセットデータを設定する（Ａ４５１０）。これにより、通常遊技状態では、特図２変動表示ゲームは特図１変動表示ゲームよりも長時間変動（長変動）になる。
【０４２２】
なお、確変状態（特図高確率状態）では、特図２変動表示ゲームの長時間変動用の後半オフセットデータを設定しないため、特図２変動表示ゲームは通常の変動時間の変動（長変動に比較して短変動）になる。これにより、確変状態（特図高確率状態）では、特図２変動表示ゲームにより小当りが頻繁に発生する小当りラッシュの状態が発生する。小当りでは確率状態は変化しないため、小当りが頻発する小当りラッシュ状態は、確変状態の開始から大当り状態の発生まで（特図変動表示ゲームの結果が大当り結果になるまで）継続する。なお、時短状態でも小当りラッシュの状態を可能にする構成も可能である。
【０４２３】
遊技制御装置１００は、ステップＡ４５０４、Ａ４５０６又はＡ４５１０の後、前半オフセットデータ（変動振分情報１）をＲＷＭの変動振分情報１領域にセーブし（Ａ４５１１）、後半オフセットデータ（変動振分情報２）をＲＷＭの変動振分情報２領域にセーブし（Ａ４５１２）、特図２情報設定処理を終了する。
【０４２４】
〔特図１変動パターン設定処理〕
次に、特図１変動開始処理における特図１変動パターン設定処理（Ａ３６０９ａ）の詳細について説明する。図３１は、特図１変動パターン設定処理の手順を示すフローチャートである。
【０４２５】
遊技制御装置１００は、まず、変動グループアドレステーブルを設定し（Ａ４６０１ａ）、変動振分情報２に対応する後半変動グループテーブルのアドレスを取得して準備し（Ａ４６０２ａ）、特図１の変動パターン乱数１格納領域（保留数１用）から乱数として変動パターン乱数１をロードして準備する（Ａ４６０３ａ）。
【０４２６】
続いて、遊技制御装置１００は、特図１変動表示ゲームの結果がはずれであるか否か判定する（Ａ４６０４ａ）。特図１変動表示ゲームの結果がはずれである場合（Ａ４６０４ａの結果が「Ｙ」）、変動パターン乱数１に基づく２バイト振り分け処理を実行し（Ａ４６０５ａ）、特図１変動表示ゲームの結果がはずれでない場合（大当り又は小当りの場合）（Ａ４６０４ａの結果が「Ｎ」）、変動パターン乱数１に基づく振り分け処理を実行する（Ａ４６０６ａ）。なお、２バイト振り分け処理と振り分け処理は、変動パターン乱数１に基づいて後半変動グループテーブルから特図１変動表示ゲームの後半変動選択テーブルを選択するための処理である。
【０４２７】
なお、後半変動グループテーブルの構造は、当り用とはずれ用で構造が異なり、当り用では振り分けの乱数は１バイトサイズ、はずれ用では２バイトサイズとなっている。当り用は、データ容量の節約のため１バイトサイズとしているが、特図１変動表示ゲームの当りの出現率自体が低いため１バイトでも足りる。なお、当りの場合（大当り又は小当りの場合）、変動パターン乱数１の下位の値だけを使用する。
【０４２８】
遊技制御装置１００は、ステップＡ４６０５ａ又はＡ４６０６ａの後、振り分けられた結果得られた後半変動選択テーブルのアドレスを取得して準備する（Ａ４６０７ａ）。続いて、特図１の変動パターン乱数２格納領域（保留数１用）から乱数として変動パターン乱数２をロードして準備し（Ａ４６０８ａ）、変動パターン乱数２に基づく振り分け処理を実行する（Ａ４６０９ａ）。そして、振り分けられた結果得られた後半変動番号を取得し、後半変動番号領域にセーブする（Ａ４６１０ａ）。ここでの振り分け処理は、変動パターン乱数２に基づいて、後半変動選択テーブル（後半変動パターングループ）から特図１変動表示ゲームの後半変動番号（後半変動パターン）を選択するための処理である。
【０４２９】
次に、遊技制御装置１００は、前半変動グループテーブルを設定し（Ａ４６１１ａ）、変動振分情報１と後半変動番号を基にテーブル選択ポインタを算出する（Ａ４６１２ａ）。続いて、算出したポインタに対応する前半変動選択テーブルのアドレスを取得して準備する（Ａ４６１３ａ）。さらに、特図１の変動パターン乱数３格納領域（保留数１用）から乱数として変動パターン乱数３をロードして準備し（Ａ４６１４ａ）、変動パターン乱数３に基づく振り分け処理を実行する（Ａ４６１５ａ）。ここでの振り分け処理は、変動パターン乱数３に基づいて、前半変動選択テーブル（前半変動パターングループ）から特図１変動表示ゲームの前半変動番号（前半変動パターン）を選択したりするための処理である。
【０４３０】
さらに、遊技制御装置１００は、振り分けられた結果得られた前半変動番号を取得し、前半変動番号領域にセーブし（Ａ４６１６ａ）、特図１変動パターン設定処理を終了する。
【０４３１】
以上の処理により、特図１変動表示ゲームの変動パターンが設定されることとなる。すなわち、遊技制御装置１００が、ゲームの実行態様である変動パターンを複数のうちから設定する変動パターン設定手段をなす。
【０４３２】
〔特図２変動パターン設定処理〕
次に、特図２変動開始処理における特図２変動パターン設定処理（Ａ３６０９ｂ）の詳細について説明する。図３２は、特図２変動パターン設定処理の手順を示すフローチャートである。
【０４３３】
特図２変動パターン設定処理は、特図１変動パターン設定処理（図３１）における「特図１」を「特図２」に置き換えたものであり、特図１変動パターン設定処理と同様の処理が行われるため、詳細な説明は省略する。なお、特図２変動パターン設定処理におけるステップＡ４６０１ｂ−Ａ４６１６ｂは、それぞれ、特図１変動パターン設定処理におけるステップＡ４６０１ａ−Ａ４６１６ａに対応する。
【０４３４】
以上の処理により、特図２変動表示ゲームの変動パターンが設定されることとなる。すなわち、遊技制御装置１００が、ゲームの実行態様である変動パターンを複数のうちから設定する変動パターン設定手段をなす。
【０４３５】
〔変動開始情報設定処理〕
次に、特図１変動開始処理と特図２変動開始処理における変動開始情報設定処理（Ａ３６１０ａ、Ａ３６１０ｂ）の詳細について説明する。図３３は、変動開始情報設定処理の手順を示すフローチャートである。
【０４３６】
遊技制御装置１００は、まず、使用した特図１の変動パターン乱数１〜３の乱数格納領域（保留球１用）をクリアする（Ａ５００１）。
【０４３７】
次に、遊技制御装置１００は、前半変動時間値テーブルを設定し（Ａ５００２）、前半変動番号に対応する前半変動時間値を取得する（Ａ５００３）。さらに、後半変動時間値テーブルを設定し（Ａ５００４）、後半変動番号に対応する後半変動時間値を取得する（Ａ５００５）。
【０４３８】
そして、遊技制御装置１００は、前半変動時間値と後半変動時間値を加算し（Ａ５００６）、加算値を対象の特図ゲーム処理タイマ領域にセーブする（Ａ５００７）。続いて、特図１変動表示ゲームに関して情報設定中であるか否かを判定する（Ａ５００８）。特図１変動表示ゲームに関して情報設定中でない場合（Ａ５００８の結果が「Ｎ」）、特図２変動表示ゲームに関して情報設定中であるため、特図２変動表示ゲームの長変動（長時間変動）を開始するか否かを判定する（Ａ５００９）。
【０４３９】
遊技制御装置１００は、特図２変動表示ゲームの長変動を開始しない場合（Ａ５００９の結果が「Ｎ」）、特図２ゲーム処理タイマの繰り返し回数領域に０をセーブし（Ａ５０１０）、特図２変動表示ゲームの長変動を開始する場合（Ａ５００９の結果が「Ｙ」）、特図２ゲーム処理タイマの繰り返し回数領域に９をセーブする（Ａ５０１１）。特図２変動表示ゲームの長変動では、２バイトのタイマでは足らない変動時間（例えば１０分）の変動をさせるため、特図２ゲーム処理タイマの所定の繰り返し回数（ここでは９）が繰り返し回数領域に設定される。なお、割込み周期４ｍｓｅｃ（ミリ秒）のタイマ割込み処理において、２バイトのタイマでは、約２６２秒まで設定できる。
【０４４０】
例えば、特図ゲーム処理タイマ領域への上記の加算値のセーブによって６００００ｍｓｅｃ（６０秒）のタイマが設定され、さらに９回の繰り返し回数がセーブされる場合に、タイマ割込み処理（特に、特図２ゲーム処理（図１５））でタイマを減算していき（Ａ３３０４）、タイムアップした時に（Ａ３３０５の結果が「Ｙ」）、繰り返し回数を１減算し（Ａ３３０７）、ゲーム処理タイマに長変動用タイマ値である６００００ｍｓ（６０秒）が再度セットされる（Ａ３３０８）。結果として、長変動の特図２変動表示ゲームを、６００００ｍｓｅｃ＋（６００００ｍｓｅｃ×９）＝１０分の長い変動時間とすることができる。
【０４４１】
なお、特図１変動表示ゲームの変動時間と、長変動でない場合（繰り返し回数＝０）の特図２変動表示ゲームの変動時間は、ステップＡ５００７で特図ゲーム処理タイマ領域にセーブされた前半変動時間値と後半変動時間値の加算値となる。
【０４４２】
遊技制御装置１００は、特図１変動表示ゲームに関して情報設定中である場合（Ａ５００８の結果が「Ｙ」）、タイマの繰り返し回数を設定することなく、ステップＡ５０１２に移行する。
【０４４３】
遊技制御装置１００は、ステップＡ５００８、Ａ５０１０、Ａ５０１１の後、前半変動番号に対応する変動コマンド（ＭＯＤＥ）を準備し（Ａ５０１２）、後半変動番号に対応する変動コマンド（ＡＣＴＩＯＮ）を準備する（Ａ５０１３）。そして、変動コマンドを演出コマンドとして送信するための演出コマンド設定処理を実行する（Ａ５０１４）。
【０４４４】
次に、遊技制御装置１００は、開始する特図変動表示ゲームの対象の特図保留数（特図１保留数又は特図２保留数）を−１更新し（Ａ５０１５）、対象の特図変動表示ゲームに係る乱数格納領域の内容をシフトし（Ａ５０１６）、シフト後の空き領域をクリアする（Ａ５０１７）。そして、変動開始情報設定処理を終了する。
【０４４５】
以上の処理により、特図変動表示ゲームの開始に関する情報が設定される。すなわち、遊技制御装置１００が、始動記憶手段（遊技制御装置１００）に記憶された各種の乱数値の判定を行う判定手段をなす。また、遊技制御装置１００が、始動記憶の判定情報に基づいて、変動表示ゲームで実行する識別情報の変動パターンを決定することが可能な変動パターン決定手段をなす。
【０４４６】
そして、これらの特図変動表示ゲームの開始に関する情報は後に演出制御装置３００に送信され、演出制御装置３００では、特図変動表示ゲームの開始に関する情報の受信に基づき、決定された変動パターンに応じて飾り特図変動表示ゲームでの詳細な演出内容を設定する。これらの特図変動表示ゲームの開始に関する情報としては、始動記憶数（保留数）に関する情報を含む飾り特図保留数コマンド、停止図柄に関する情報を含む飾り特図コマンド、特図変動表示ゲームの変動パターンに関する情報を含む変動コマンドが挙げられ、これらコマンドが演出制御装置３００に送信される。特に、飾り特図コマンドを変動コマンドよりも先に送信することで、演出制御装置３００での処理を効率よく進めることができる。
【０４４７】
〔時間短縮変動回数更新処理〕
次に、時間短縮変動回数更新処理（Ａ３６１１ａ、Ａ３６１１ｂ）の詳細について説明する。図３４は、時間短縮変動回数更新処理の手順を示すフローチャートである。
【０４４８】
遊技制御装置１００は、まず、特図高確率中（確変状態中）であるか否かを判定する（Ａ５１０１）。特図ゲームモードフラグ領域に特図高確率フラグ（本実施形態では、特図高確率＆時短ありフラグ）が設定されている場合に、特図高確率中であると判定できる。特図高確率中である場合に（Ａ５１０１の結果が「Ｙ」）、時間短縮変動回数更新処理を終了する。
【０４４９】
遊技制御装置１００は、特図高確率中でない場合に（Ａ５１０１の結果が「Ｎ」）、特図時短中（時短状態中）であるか否かを判定する（Ａ５１０２）。特図ゲームモードフラグ領域に時短ありフラグ（本実施形態では、特図低確率＆時短ありフラグ）が設定されている場合に、特図時短中であると判定できる。特図時短中でない場合（Ａ５１０２の結果が「Ｎ」）、時間短縮変動回数更新処理を終了する。
【０４５０】
遊技制御装置１００は、特図時短中（特図低確率で普電サポートありの状態）である場合（Ａ５１０２の結果が「Ｙ」）、時間短縮変動回数を−１更新する（１だけ減算する）（Ａ５１０３）。なお、時間短縮変動回数の初期値は、大当り終了後に時短状態が維持される変動回数であり、例えば１００回に設定されている（後述の大当り終了設定処理２）。また、特図１変動表示ゲーム又は特図２変動表示ゲームのいずれが変動開始する場合でも、時間短縮変動回数を−１更新する。
【０４５１】
続いて、遊技制御装置１００は、時間短縮変動回数が０であるか否かを判定する（Ａ５１０４）。時間短縮変動回数が０でない場合（Ａ５１０４の結果が「Ｎ」）、すなわち、次の特図変動表示ゲームの開始時に時短状態が継続する場合には、遊技制御装置１００は、時間短縮変動回数更新処理を終了する。時間短縮変動回数が０である場合（Ａ５１０４の結果が「Ｙ」）、遊技制御装置１００は、時短終了に関する信号を外部情報出力データ領域にセーブする（Ａ５１０５）。ここで、時短終了に関する信号は、大当り２信号のオフデータである。これにより、時短終了に関する信号が外部情報として外部情報端子７１ひいては外部装置（ホールコンピュータなど）に出力される。
【０４５２】
続いて、遊技制御装置１００は、時短終了に関する信号をＲＷＭの試験信号出力データ領域にセーブする（Ａ５１０６）。ここでの時短終了に関する信号は、例えば、特別図柄１変動時間短縮状態信号のオフデータ、特別図柄２変動時間短縮状態信号のオフデータ、普通図柄１変動時間短縮状態信号のオフデータ、普通電動役物１開放延長状態信号のオフデータである。
【０４５３】
次に、遊技制御装置１００は、遊技状態表示番号領域に低確率中の番号をセーブし（Ａ５１０７）、ＲＷＭの特図ゲームモードフラグ領域に特図低確率＆時短なしフラグをセーブし（Ａ５１０８）、普図ゲームモードフラグ領域に普図時短なしフラグをセーブし（Ａ５１０９）、時間短縮変動回数更新処理を終了する。
【０４５４】
このように、第２実施形態における時間短縮変動回数更新処理が実行されることで、時短状態（特図低確率且つ普電サポートありの状態）から適切に通常遊技状態（特図低確率且つ普電サポートなしの状態）へ移行させることができる。
【０４５５】
〔特図１変動中処理〕
次に、特図１ゲーム処理における特図１変動中処理（Ａ３２１１）の詳細について説明する。図３５は、特図１変動中処理の手順を示すフローチャートである。
【０４５６】
遊技制御装置１００は、まず、図柄確定回数出力回数を＋１更新する（Ａ５３０１）。図柄確定回数出力回数は、特図変動表示ゲームの停止図柄が確定する際に生成される図柄確定回数信号を外部装置に出力する図柄確定回数信号編集処理（外部情報編集処理の一部）において利用される。次に、飾り特図１コマンド領域から飾り特図１コマンドをロードして演出コマンドとして準備し（Ａ５３０２）、演出コマンド設定処理を実行する（Ａ５３０３）。その後、飾り特図１変動表示ゲームを停止させるための飾り特図１停止コマンドを演出コマンドとして準備し（Ａ５３０４）、演出コマンド設定処理を実行する（Ａ５３０５）。
【０４５７】
次に、遊技制御装置１００は、特図１の停止図柄の表示時間（停止表示時間）として、特図１の停止図柄パターンに対応する表示時間を設定する（Ａ５３０６）。例えば、停止図柄パターンに対応する表示時間は、停止図柄パターンが特図１のはずれ図柄であれば６００ｍｓｅｃ、特図１の大当り図柄であれば２０００ｍｓｅｃである。
【０４５８】
次に、遊技制御装置１００は、特図１変動表示ゲームの結果がはずれであるか否かを判定する（Ａ５３０７）。特図１変動表示ゲームの結果がはずれである場合（Ａ５３０７の結果が「Ｙ」）、前述の特図１停止図柄設定処理でセーブした情報（はずれ時の停止図柄番号）を特図１停止図柄退避領域からロードして特図１停止図柄領域にセーブする（Ａ５３２２）。
【０４５９】
遊技制御装置１００は、特図１変動表示ゲームの結果がはずれでない場合（大当りの場合）（Ａ５３０７の結果が「Ｎ」）、特図２も変動中（特図２変動表示ゲームも実行中）であるか否かを判定する（Ａ５３０８）。特図２は変動中でない場合（Ａ５３０８の結果が「Ｎ」）、ステップＡ５３１９の処理に移行する。特図２も変動中である場合（Ａ５３０８の結果が「Ｙ」）、後述の特図２表示中処理が実行中であるか否かを判定する（Ａ５３０９）。
【０４６０】
遊技制御装置１００は、特図２表示中処理が実行中である場合（Ａ５３０９の結果が「Ｙ」）、ステップＡ５３１１の処理に移行する。特図２表示中処理が実行中でない場合（Ａ５３０９の結果が「Ｎ」）、図柄確定回数出力回数を＋１更新する（Ａ５３１０）。続いて、特図２の表示時間として特図１の表示時間に４ｍｓｅｃを加算した値（特図１の表示時間＋４ｍｓｅｃ）の表示時間を設定し（Ａ５３１１）、特図２ゲーム処理タイマ領域に表示時間をセーブする（Ａ５３１２）。ここで、４ｍｓｅｃは、タイマ割込み処理の割込み周期（所定時間周期）である。４ｍｓｅｃを加算したのは、次の特図２ゲーム処理で特図２ゲーム処理タイマが−１更新（割込み周期に相当する４ｍｓｅｃだけ減算）されるため（Ａ３３０４）、余分に付加したものである。これにより、実際の特図１の停止図柄の表示時間と特図２の停止図柄の表示時間を同じに揃えることができる。なお、既に特図２の停止表示を開始していたら、ここでは表示時間が再設定されることになる（基本は表示時間の延長となるが、場合によっては短縮になる可能性もある）。
【０４６１】
次に、遊技制御装置１００は、飾り特図２のはずれ図柄コマンドを演出コマンドとして設定、準備し（Ａ５３１３）、飾り特図２コマンド領域にセーブし（Ａ５３１４）、演出コマンド設定処理を実行する（Ａ５３１５）。続いて、飾り特図２変動表示ゲームを停止させるための飾り特図２停止コマンドを演出コマンドとして準備し（Ａ５３１６）、演出コマンド設定処理を実行する（Ａ５３１７）。その後、特図２表示中処理を実行するための設定をする特図２表示中処理移行設定処理２を実行する（Ａ５３１８）。特図２表示中処理移行設定処理２では、特図２ゲーム処理番号領域に処理番号「２」をセーブしたり、特図２変動表示ゲームをはずれ結果で停止する処理を実行する。
【０４６２】
ステップＡ５３１１からＡ５３１８の処理により、特図１変動表示ゲームに係る制御である特図１変動中処理において、特図２変動表示ゲーム（飾り特図２変動表示ゲームも含む）のはずれ結果が設定され、特図２表示中処理の実行（特図２変動表示ゲームの終了）が設定される。このように、特図２変動表示ゲームが実行中（特図２の変動中）であっても、特図１変動表示ゲームが当り結果（大当り）になると、特図２変動表示ゲームは、はずれ結果で強制的に変動終了（強制終了）することになる。
【０４６３】
なお、特図１変動中処理は、変動時間の終了の際、即ち、特図１ゲーム処理タイマ（ステップＡ５００７で設定された特図１ゲーム処理タイマ領域の値）がタイムアップする際（Ａ３２０６の結果が「Ｙ」）に実行されるため、当り結果の特図１変動表示ゲームが変動停止する際に、特図２変動表示ゲームは強制的に変動終了（強制終了）することになる。
【０４６４】
次に、遊技制御装置１００は、飾り特図１コマンド領域から飾り特図１コマンドをロードし、当り図柄コマンド領域にセーブする（Ａ５３１９）。次に、前述の特図１ラウンド数上限値情報領域からラウンド数上限値情報をロードし、ラウンド数上限値情報領域にセーブし（Ａ５３２０）、前述の特図１大入賞口開放情報領域から大入賞口開放情報をロードし、大入賞口開放情報領域にセーブする（Ａ５３２１）。その後、前述の特図１停止図柄設定処理でセーブした情報（大当り時の停止図柄番号）を特図１停止図柄退避領域からロードし、特図１停止図柄領域にセーブする（Ａ５３２２）。次に、特図１表示中処理を実行するための設定をする特図１表示中処理移行設定処理１を実行し（Ａ５３２３）、特図１変動中処理を終了する。特図１表示中処理移行設定処理１では、特図１ゲーム処理番号領域に処理番号「２」をセーブしたり、特図１変動表示ゲームを停止する処理を実行するなど、特図１表示中処理に移行するために必要な処理を行う。
【０４６５】
以上のように、本実施形態では、遊技制御装置１００が、変動表示ゲームの停止結果態様を表示する停止時間（表示時間）を設定する停止時間設定手段（表示時間設定手段）をなす。また、遊技制御装置１００が、特図２変動表示ゲームが実行中（特図２の変動中）であっても、特図１変動表示ゲームが当り結果になると、特図２変動表示ゲームをはずれ結果で強制的に終了させる強制終了手段をなす。
【０４６６】
〔特図２変動中処理〕
次に、特図２ゲーム処理における特図２変動中処理（Ａ３３１３）の詳細について説明する。図３６は、特図２変動中処理の手順を示すフローチャートである。
【０４６７】
遊技制御装置１００は、まず、図柄確定回数出力回数を＋１更新する（Ａ５４０１）。図柄確定回数出力回数は、変動表示ゲームの停止図柄が確定する際に生成される図柄確定回数信号を外部装置に出力する図柄確定回数信号編集処理（外部情報編集処理の一部）において利用される。次に、飾り特図２コマンド領域から飾り特図２コマンドをロードして演出コマンドとして準備し（Ａ５４０２）、演出コマンド設定処理を実行する（Ａ５４０３）。その後、飾り特図２変動表示ゲームを停止させるための飾り特図２停止コマンドを演出コマンドとして準備し（Ａ５４０４）、演出コマンド設定処理を実行する（Ａ５４０５）。
【０４６８】
次に、遊技制御装置１００は、特図２の停止図柄の表示時間（停止表示時間）として、特図２の停止図柄パターンに対応する表示時間を設定する（Ａ５４０６）。例えば、停止図柄パターンに対応する表示時間は、停止図柄パターンが特図２のはずれ図柄であれば６００ｍｓｅｃ、特図２の大当り図柄であれば６００ｍｓｅｃ、特図２の小当り図柄であれば１３６ｍｓｅｃである。なお、特図２のはずれ図柄と大当り図柄の表示時間は、同じになっているが、特図２の小当り図柄の表示時間よりも長い。
【０４６９】
次に、遊技制御装置１００は、特図２変動表示ゲームの結果がはずれであるか否かを判定する（Ａ５４０７）。特図２変動表示ゲームの結果がはずれである場合（Ａ５４０７の結果が「Ｙ」）、前述の特図２停止図柄設定処理でセーブした情報（はずれ時の停止図柄番号）を特図２停止図柄退避領域からロードして特図２停止図柄領域にセーブする（Ａ５４２７）。
【０４７０】
遊技制御装置１００は、特図２変動表示ゲームの結果がはずれでない場合（Ａ５４０７の結果が「Ｎ」）、特図１も変動中（特図１変動表示ゲームも実行中）であるか否かを判定する（Ａ５４０８）。特図１は変動中でない場合（Ａ５４０８の結果が「Ｎ」）、ステップＡ５４２３の処理に移行する。特図１も変動中である場合（Ａ５４０８の結果が「Ｙ」）、特図２変動表示ゲームの結果が大当りであるか否かを判定する（Ａ５４０９）。
【０４７１】
遊技制御装置１００は、特図２変動表示ゲームの結果が大当りでない場合に（Ａ５４０９の結果が「Ｎ」）、即ち、小当りである場合に、特図１ゲーム中断フラグをセットし（Ａ５４１２）、飾り特図１中断コマンドを演出コマンドとして準備し（Ａ５４１３）、演出コマンド設定処理を実行する（Ａ５４１４）。その後、ステップＡ５４２３の処理に移行する。このように、特図１変動表示ゲームが実行中（特図１の変動中）であっても、特図２変動表示ゲームが小当りになると、特図１変動表示ゲームは、特図１ゲーム処理タイマによる変動時間の計測を中断することによって、中断することになる。この場合、特図１変動表示ゲームの結果の導出（停止図柄番号に対応する停止図柄の表示）を延期し、特図２変動表示ゲームに関する小当り動作の終了後に、中断していた特図１変動表示ゲームを再開できる。
【０４７２】
遊技制御装置１００は、特図２変動表示ゲームの結果が大当りである場合に（Ａ５４０９の結果が「Ｙ」）、後述の特図１表示中処理が実行中であるか否かを判定する（Ａ５４１０）。特図１表示中処理が実行中である場合（Ａ５４１０の結果が「Ｙ」）、ステップＡ５４１５の処理に移行する。特図１表示中処理が実行中でない場合（Ａ５４１０の結果が「Ｎ」）、図柄確定回数出力回数を＋１更新する（Ａ５４１１）。続いて、特図１の表示時間として特図２の表示時間に４ｍｓｅｃを加算した値（特図２の表示時間＋４ｍｓｅｃ）の表示時間を設定し（Ａ５４１５）、特図１ゲーム処理タイマ領域に表示時間をセーブする（Ａ５４１６）。ここで、４ｍｓｅｃは、タイマ割込み処理の割込み周期（所定時間周期）である。４ｍｓｅｃを加算したのは、次の特図１ゲーム処理で特図１ゲーム処理タイマが−１更新（割込み周期に相当する４ｍｓｅｃだけ減算）されるため（Ａ３２０５）、余分に付加したものである。これにより、実際の特図２の停止図柄の表示時間と特図１の停止図柄の表示時間を同じに揃えることができる。なお、既に特図１の停止表示を開始していたら、ここでは表示時間が再設定されることになる（基本は表示時間の延長となるが、場合によっては短縮になる可能性もある）。
【０４７３】
次に、遊技制御装置１００は、飾り特図１のはずれ図柄コマンドを演出コマンドとして設定、準備し（Ａ５４１７）、飾り特図１コマンド領域にセーブし（Ａ５４１８）、演出コマンド設定処理を実行する（Ａ５４１９）。続いて、飾り特図１変動表示ゲームを停止させるための飾り特図１停止コマンドを演出コマンドとして準備し（Ａ５４２０）、演出コマンド設定処理を実行する（Ａ５４２１）。その後、特図１表示中処理を実行するための設定をする特図１表示中処理移行設定処理２を実行する（Ａ５４２２）。特図１表示中処理移行設定処理２では、特図１ゲーム処理番号領域に処理番号「２」をセーブしたり、特図１変動表示ゲームをはずれ結果で停止する処理を実行する。
【０４７４】
ステップＡ５４１５からＡ５４２２の処理により、特図２変動表示ゲームに係る制御である特図２変動中処理において、特図１変動表示ゲーム（飾り特図１変動表示ゲームも含む）のはずれ結果が設定され、特図１表示中処理の実行（特図１変動表示ゲームの終了）が設定される。このように、特図１変動表示ゲームが実行中（特図１の変動中）であっても、特図２変動表示ゲームが大当りになると、特図１変動表示ゲームは、はずれ結果で強制的に変動終了（実行終了）することになる。
【０４７５】
なお、特図２変動中処理は、変動時間の終了の際、即ち、特図２ゲーム処理タイマの繰り返し回数が０であり且つ特図２ゲーム処理タイマがタイムアップする際（Ａ３３０５とＡ３３０６の結果が「Ｙ」）に実行されるため、当り結果の特図２変動表示ゲームが変動停止する際に、特図１変動表示ゲームは強制的に変動終了（実行終了）することになる。
【０４７６】
次に、遊技制御装置１００は、飾り特図２コマンド領域から飾り特図２コマンドをロードし、当り図柄コマンド領域にセーブする（Ａ５４２３）。次に、特図２変動表示ゲームの結果が小当りであるか否か判定する（Ａ５４２４）。特図２変動表示ゲームの結果が小当りである場合（Ａ５４２４の結果が「Ｙ」）、前述の特図２停止図柄設定処理でセーブした情報（小当り時の停止図柄番号）を特図２停止図柄退避領域からロードして特図２停止図柄領域にセーブする（Ａ５４２７）。
【０４７７】
遊技制御装置１００は、特図２変動表示ゲームの結果が小当りでない場合（大当りである場合）（Ａ５４２４の結果が「Ｎ」）、前述の特図２ラウンド数上限値情報領域からラウンド数上限値情報をロードし、ラウンド数上限値情報領域にセーブし（Ａ５４２５）、
前述の特図２大入賞口開放情報領域から大入賞口開放情報をロードし、大入賞口開放情報領域にセーブする（Ａ５４２６）。その後、前述の特図２停止図柄設定処理でセーブした情報（大当り時の停止図柄番号）を特図２停止図柄退避領域からロードし、特図２停止図柄領域にセーブする（Ａ５４２７）。次に、特図２表示中処理を実行するための設定をする特図２表示中処理移行設定処理１を実行し（Ａ５４２８）、特図２変動中処理を終了する。特図２表示中処理移行設定処理１では、特図２ゲーム処理番号領域に処理番号「２」をセーブしたり、特図２変動表示ゲームを停止する処理を実行するなど、特図２表示中処理に移行するために必要な処理を行う。
【０４７８】
以上のように、本実施形態では、遊技制御装置１００が、変動表示ゲームの停止結果態様を表示する停止時間（表示時間）を設定する停止時間設定手段（表示時間設定手段）をなす。また、遊技制御装置１００が、特図１変動表示ゲームが実行中（特図１の変動中）であっても、特図２変動表示ゲームが当り結果になると、特図１変動表示ゲームをはずれ結果で強制的に終了させる強制終了手段をなす。
【０４７９】
〔特図１表示中処理〕
次に、特図１ゲーム処理における特図１表示中処理（Ａ３２１２）の詳細について説明する。図３７は、特図１表示中処理の手順を示すフローチャートである。
【０４８０】
遊技制御装置１００は、まず、大当りフラグ１領域から大当りフラグ１（大当り情報、又は、はずれ情報を示す）をロードし（Ａ５７０１）、大当りフラグ１領域をクリアする（Ａ５７０２）。続いて、大当りフラグ１に基づいて特図１変動表示ゲームの結果は大当りか否かを判定する（Ａ５７０３）。
【０４８１】
遊技制御装置１００は、特図１変動表示ゲームの結果は大当りである場合（Ａ５７０３の結果が「Ｙ」）、特図１大当りの開始に関する信号をＲＷＭの試験信号出力データ領域にセーブする（Ａ５７０４）。例えば、特図１大当りの開始に関する信号は、条件装置作動中信号のオンデータ、特別図柄１当り信号のオンデータである。
【０４８２】
次に、遊技制御装置１００は、当り図柄コマンド領域から当り図柄コマンドをロードして演出コマンドとして準備し（Ａ５７０５）、演出コマンド設定処理を実行する（Ａ５７０６）。なお、特図１変動表示ゲームの結果が大当りであるため、この当り図柄コマンドは、大当り図柄に対応する。続いて、大当りファンファーレコマンドを演出コマンドとして準備し（Ａ５７０７）、演出コマンド設定処理を実行する（Ａ５７０８）。
【０４８３】
その後、遊技制御装置１００は、大入賞口開放情報と確率の状態に対応する信号を外部情報出力データ領域にセーブする（Ａ５７０９）。ここでの信号は、大当り２信号のオンデータ（オン信号）と大当り３信号のオンデータ（オン信号）を含む。なお、本実施形態では、２Ｒ大当りは存在しないため関係ないが、大当り２信号は、低確率中の２Ｒ確変大当りでオフしてもよく、大当り３信号は、高確率中の２Ｒ確変大当りでオフしてもよい。
【０４８４】
続いて、遊技制御装置１００は、大入賞口開放情報に対応する大当りファンファーレ時間を設定し（Ａ５７１０）、大当りファンファーレ時間を特図１ゲーム処理タイマ領域にセーブする（Ａ５７１１）。
【０４８５】
次に、遊技制御装置１００は、ファンファーレ／インターバル中処理に移行するために処理番号として「３」を設定し（Ａ５７１２）、特図１ゲーム処理番号領域に処理番号をセーブし（Ａ５７１３）、ファンファーレ／インターバル中処理移行設定処理を実行し（Ａ５７１４）、特図１表示中処理を終了する。
【０４８６】
ファンファーレ／インターバル中処理移行設定処理では、ファンファーレ／インターバル中処理に移行するための処理を実行する。具体的には、大当りの開始に関する信号として、大当り１信号のオンデータ（オン信号）と大当り４信号のオンデータ（オン信号）とを外部情報出力データ領域にセーブする。また、高確率＆時短の終了に関する信号を試験信号出力データ領域にセーブし、特図ゲームモードフラグ領域に特図低確率＆時短なしフラグをセーブする。さらに、時間短縮変動回数を保持する時間短縮変動回数領域をクリアする。また、ラウンド数領域を０クリアする。
【０４８７】
一方、遊技制御装置１００は、特図１変動表示ゲームの結果は大当りでない場合（大当りフラグ１は大当りでない場合）（Ａ５７０３の結果が「Ｎ」）、即ち、特図１変動表示ゲームの結果がはずれである場合、今回実行した特図１変動表示ゲームが高確率最終変動であるか否かを判定する（Ａ５７１５）。高確率最終変動は、転落抽選（図２０）に当選した場合の特図変動表示ゲームである。高確率最終変動でない場合（Ａ５７１５の結果が「Ｎ」）、今回実行した特図１変動表示ゲームが時間短縮最終変動であるか否かを判定する（Ａ５７１６）。時間短縮最終変動は、時短状態での最終（例えば１００回目）の特図変動表示ゲームである。時間短縮最終変動でない場合に（Ａ５７１６の結果が「Ｎ」）、ステップＡ５７２４の処理に移行する。
【０４８８】
遊技制御装置１００は、高確率最終変動である場合（Ａ５７１５の結果が「Ｙ」）又は時間短縮最終変動である場合に（Ａ５７１６の結果が「Ｙ」）、低確率を示す確率情報コマンド（低確率）を演出コマンドとして準備し（Ａ５７１７）、演出コマンド設定処理を実行する（Ａ５７１８）。続いて、停電復旧時送信コマンド領域に確率情報コマンド（低確率）をセーブし（Ａ５７１９）、左打ち指示報知フラグをクリアする（Ａ５７２０）。その後、特図２変動表示ゲームの小当り状態であるか否か判定する（Ａ５７２１）。特図２変動表示ゲームの小当り状態である場合（Ａ５７２１の結果が「Ｙ」）、ステップＡ５７２４の処理に移行する。
【０４８９】
遊技制御装置１００は、特図２変動表示ゲームの小当り状態でない場合（Ａ５７２１の結果が「Ｎ」）、左打ち指示に関する信号を試験信号出力データ領域にセーブする（Ａ５７２２）。続いて、右打ち時であることを報知する第２遊技状態表示部５６（ランプＤ８−Ｄ１０）を消灯させるために、遊技状態表示番号２領域に左打ち状態中の番号をセーブし（Ａ５７２３）、特図ステータス領域の特図１変動中をクリアする（情報減算）（Ａ５７２４）。その後、特図１変動表示ゲームの結果がはずれであるため、特図１普段処理に移行するために特図１普段処理の処理番号として「０」を設定し、特図１ゲーム処理番号領域に処理番号をセーブする（Ａ５７２５）。そして、特図１表示中処理を終了する。
【０４９０】
〔特図２表示中処理〕
次に、特図２ゲーム処理における特図２表示中処理（Ａ３３１４）の詳細について説明する。図３８Ａと図３８Ｂは、特図２表示中処理の手順を示すフローチャートである。図３８Ａは、特図２表示中処理の前半部分を示し、図３８Ｂは、特図２表示中処理の後半部分を示す。
【０４９１】
遊技制御装置１００は、まず、小当りフラグ２領域から小当りフラグ２（小当り情報、又は、はずれ情報を示す）をロードし（Ａ５８０１）、小当りフラグ２領域をクリアする（Ａ５８０２）。続いて、大当りフラグ２領域から大当りフラグ２（大当り情報、又は、はずれ情報を示す）をロードし（Ａ５８０３）、大当りフラグ２領域をクリアする（Ａ５８０４）。続いて、大当りフラグ２に基づいて特図２変動表示ゲームの結果は大当りか否かを判定する（Ａ５８０５）。
【０４９２】
遊技制御装置１００は、特図２変動表示ゲームの結果は大当りである場合（Ａ５８０５の結果が「Ｙ」）、特図２大当りの開始に関する信号をＲＷＭの試験信号出力データ領域にセーブする（Ａ５８０６）。例えば、特図２大当りの開始に関する信号は、条件装置作動中信号のオンデータ、特別図柄２当り信号のオンデータである。
【０４９３】
次に、遊技制御装置１００は、当り図柄コマンド領域から当り図柄コマンドをロードして演出コマンドとして準備し（Ａ５８０７）、演出コマンド設定処理を実行する（Ａ５８０８）。なお、特図２変動表示ゲームの結果が大当りであるため、この当り図柄コマンドは、大当り図柄に対応する。続いて、大当りファンファーレコマンドを演出コマンドとして準備し（Ａ５８０９）、演出コマンド設定処理を実行する（Ａ５８１０）。
【０４９４】
その後、遊技制御装置１００は、大入賞口開放情報と確率の状態に対応する信号を外部情報出力データ領域にセーブする（Ａ５８１１）。ここでの信号は、大当り２信号のオンデータと大当り３信号のオンデータを含む。なお、本実施形態では、２Ｒ大当りは存在しないため関係ないが、大当り２信号は、低確率中の２Ｒ確変大当りでオフしてもよく、大当り３信号は、高確率中の２Ｒ確変大当りでオフしてもよい。
【０４９５】
続いて、遊技制御装置１００は、大入賞口開放情報に対応する大当りファンファーレ時間を設定し（Ａ５８１２）、大当りファンファーレ時間を特図２ゲーム処理タイマ領域にセーブする（Ａ５８１３）。そして、ファンファーレ／インターバル中処理に移行するために処理番号として「３」を設定する（Ａ５８１４）。
【０４９６】
次に、遊技制御装置１００は、特図２ゲーム処理番号領域に処理番号をセーブし（Ａ５８１５）、ファンファーレ／インターバル中処理移行設定処理を実行し（Ａ５８１６）、特図２表示中処理を終了する。ファンファーレ／インターバル中処理移行設定処理は、特図１表示中処理内で実行するものと同様である。
【０４９７】
一方、遊技制御装置１００は、特図２変動表示ゲームの結果は大当りでない場合（Ａ５８０５の結果が「Ｎ」）、小当りフラグ２に基づいて特図２変動表示ゲームの結果は小当りであるか否か（小当りフラグ２は小当りであるか否か）を判定する（Ａ５８１７）。特図２変動表示ゲームの結果は小当りである場合（Ａ５８１７の結果が「Ｙ」）、今回実行した特図２変動表示ゲームが高確率最終変動であるか否かを判定する（Ａ５８１８）。高確率最終変動でない場合（Ａ５８１８の結果が「Ｎ」）、今回実行した特図２変動表示ゲームが時間短縮最終変動であるか否かを判定する（Ａ５８１９）。時間短縮最終変動でない場合に（Ａ５８１９の結果が「Ｎ」）、ステップＡ５８２０からＡ５８２３の処理をせず、ステップＡ５８２４の処理に移行する。
【０４９８】
遊技制御装置１００は、今回実行した特図２変動表示ゲームが高確率最終変動である場合（Ａ５８１８の結果が「Ｙ」）、又は、時間短縮最終変動である場合に（Ａ５８１９の結果が「Ｙ」）、低確率を示す確率情報コマンド（低確率）を演出コマンドとして準備し（Ａ５８２０）、演出コマンド設定処理を実行する（Ａ５８２１）。
【０４９９】
続いて、遊技制御装置１００は、ＲＷＭの停電復旧時送信コマンド領域に確率情報コマンド（低確率）をセーブし（Ａ５８２２）、左打ち指示報知フラグをクリアする（Ａ５８２３）。その後、当り図柄コマンド領域から当り図柄コマンドをロードして演出コマンドとして準備し（Ａ５８２４）、演出コマンド設定処理を実行する（Ａ５８２５）。なお、特図２変動表示ゲームの結果が小当りであるため、この当り図柄コマンドは、小当り図柄に対応する。
【０５００】
次に、遊技制御装置１００は、小当りファンファーレコマンドを演出コマンドとして準備し（Ａ５８２６）、演出コマンド設定処理を実行する（Ａ５８２７）。そして、右打ち指示に関する信号（発射位置指定信号１のオンデータ）を試験信号出力データ領域にセーブし（Ａ５８２８）、右打ち時であることを報知する第２遊技状態表示部５６（ランプＤ８−Ｄ１０）を点灯させるために、遊技状態表示番号２領域に右打ち状態中の番号をセーブする（Ａ５８２９）。
【０５０１】
次に、遊技制御装置１００は、本実施形態では小当りで下大入賞口が開放されるため、下大入賞口不正入賞数領域をクリアし（Ａ５８３０）、下大入賞口不正監視期間フラグ領域に不正監視期間外フラグをセーブし（Ａ５８３１）、特図２小当りファンファーレ中処理移行設定処理を実行し（Ａ５８３２）、特図２表示中処理を終了する。なお、小当りで大入賞口が開放されるが、表示装置４１の画面は変化させなくてもよい。
【０５０２】
特図２小当りファンファーレ中処理移行設定処理では、特図２小当りファンファーレ中処理に移行するための処理を実行する。具体的には、小当りファンファーレ中処理に移行するために処理番号として「７」を設定し、特図２ゲーム処理番号領域に処理番号をセーブする。また、小当りファンファーレ時間を特図２ゲーム処理タイマ領域にセーブし、小当りの開始に関する信号（大当り１信号のオンデータ）を外部情報出力データ領域にセーブする。さらに、特図２小当りの開始に関する信号（特別図柄２小当り信号のオンデータ）を試験信号出力データ領域にセーブし、特図ステータス領域に小当り中情報をセーブする。
【０５０３】
一方、遊技制御装置１００は、特図２変動表示ゲームの結果は小当りでない場合（小当りフラグ２は小当りでない場合）（Ａ５８１７の結果が「Ｎ」）、即ち、特図２変動表示ゲームの結果がはずれである場合、今回実行した特図２変動表示ゲームが高確率最終変動であるか否かを判定する（Ａ５８３３）。高確率最終変動でない場合（Ａ５８３３の結果が「Ｎ」）、今回実行した特図２変動表示ゲームが時間短縮最終変動であるか否かを判定する（Ａ５８３４）。時間短縮最終変動でない場合に（Ａ５８３４の結果が「Ｎ」）、ステップＡ５８３５からＡ５８３９の処理をせず、ステップＡ５８４０の処理に移行する。
【０５０４】
遊技制御装置１００は、高確率最終変動である場合（Ａ５８３３の結果が「Ｙ」）、又は、時間短縮最終変動である場合に（Ａ５８３４の結果が「Ｙ」）、確率情報コマンド（低確率）を演出コマンドとして準備し（Ａ５８３５）、演出コマンド設定処理を実行する（Ａ５８３６）。続いて、停電復旧時送信コマンド領域に確率情報コマンド（低確率）をセーブし（Ａ５８３７）、左打ち指示に関する信号を試験信号出力データ領域にセーブする（Ａ５８３８）。
【０５０５】
続いて、遊技制御装置１００は、右打ち時であることを報知する第２遊技状態表示部５６（ランプＤ８−Ｄ１０）を消灯させるために、遊技状態表示番号２領域に左打ち状態中の番号をセーブし（Ａ５８３９）、特図ステータス領域の特図２変動中をクリアする（情報減算）（Ａ５８４０）。その後、特図２変動表示ゲームの結果がはずれであるため、特図２普段処理に移行するために特図２普段処理の処理番号として「０」を設定し、特図１ゲーム処理番号領域に処理番号をセーブする（Ａ５８４１）。そして、特図２表示中処理を終了する。
【０５０６】
〔ファンファーレ／インターバル中処理〕
次に、特図１ゲーム処理と特図２ゲーム処理におけるファンファーレ／インターバル中処理（Ａ３２１３、Ａ３３１５）の詳細について説明する。図３９Ａと図３９Ｂは、ファンファーレ／インターバル中処理の手順を示すフローチャートである。
【０５０７】
遊技制御装置１００は、まず、特別変動入賞装置３８、３９の残存球をカウントする残存球カウンタが０であるか否かを判定する（Ａ６００１）。残存球カウンタが０でない場合に（Ａ６００１の結果が「Ｎ」）、ファンファーレ／インターバル中処理を終了する。残存球カウンタが０である場合に（Ａ６００１の結果が「Ｙ」）。初回の大当りラウンドであるか否かを判定する（Ａ６００２）。初回の大当りラウンドでない場合に（Ａ６００２の結果が「Ｎ」）、ステップＡ６０１０の処理に移行する。
【０５０８】
遊技制御装置１００は、初回の大当りラウンドである場合に（Ａ６００２の結果が「Ｙ」）、普図始動ゲート３４で遊技球の通過があったか否かを判定する（Ａ６００３）。普図始動ゲート３４で遊技球の通過がない場合に（Ａ６００３の結果が「Ｎ」）、ファンファーレ／インターバル中処理を終了する。即ち、右打ちが開始されて普図始動ゲート３４に遊技球が通過するまで、大当りに関する処理（大入賞口開放中処理など）に移行しない。
【０５０９】
遊技制御装置１００は、普図始動ゲート３４で遊技球の通過があった場合に（Ａ６００３の結果が「Ｙ」）、即ち、右打ちが開始された場合に、大当りの開始に関する情報の設定を実行する（Ａ６００４−Ａ６００９）。まず、ラウンド数上限値テーブルを設定し（Ａ６００４）、ラウンド数上限値情報領域のラウンド数上限値情報に対応するラウンド数上限値をラウンド数上限値テーブルから取得し、ＲＷＭのラウンド数上限値領域にセーブする（Ａ６００５）。なお、本実施形態において、ラウンド数上限値は、１０Ｒ、４Ｒである。
【０５１０】
続いて、遊技制御装置１００は、ラウンド数上限値情報領域のラウンド数上限値情報に対応するラウンドＬＥＤポインタをラウンド数上限値テーブルから取得し、ＲＷＭのラウンドＬＥＤポインタ領域にセーブする（Ａ６００６）。そして、本実施形態では大当りで上大入賞口が開放されるため、上大入賞口不正入賞数領域をクリアし（Ａ６００７）、ＲＷＭの上大入賞口不正監視期間フラグ領域に不正監視期間外フラグをセーブし（Ａ６００８）、役物連続作動装置作動中信号のオン出力データを試験信号出力データ領域にセーブする（Ａ６００９）。
【０５１１】
次に、遊技制御装置１００は、ラウンド数領域のラウンド数を＋１更新する（Ａ６０１０）。なお、ラウンド数領域のラウンド数は、ファンファーレ／インターバル中処理移行設定処理において０クリアされているため、今回の大当り動作開始前に０となっている。その後、大入賞口開放情報とラウンド数に対応するラウンドコマンドを演出コマンドとして準備し（Ａ６０１１）、演出コマンド設定処理を実行する（Ａ６０１２）。
【０５１２】
次に、遊技制御装置１００は、大入賞口開放情報とラウンド数に対応する大当り中処理制御ポインタ初期値を設定し（Ａ６０１３）、ＲＷＭの大当り中処理制御ポインタ領域にセーブする（Ａ６０１４）。ここで、一のラウンド中に大入賞口の開閉を繰り返すパターンの場合は、初期値として０を設定、一のラウンド中に大入賞口を１回だけ開くパターンの場合は、初期値としていきなり上限値（＝２１）を設定する。なお、開閉を繰り返すパターンの場合は初期値として０でなくても、０より大きく上限値未満の値でよい（即ち、途中の値から始める）。次に、大入賞口開放情報とラウンド数に対応する大入賞口開放時間を設定する（Ａ６０１５）。
【０５１３】
続いて、遊技制御装置１００は、特定領域８６（Ｖ入賞口）を開放させるレバーソレノイド８６ｂを動作させるレバーソレノイド動作ラウンドであるか否かを判定する（Ａ６０１６）。本実施形態では、レバーソレノイド動作ラウンドは、大当りラウンド１（第１回目の大当りラウンド）である。
【０５１４】
遊技制御装置１００は、レバーソレノイド動作ラウンドである場合に（Ａ６０１６の結果が「Ｙ」）、レバーソレノイド８６ｂの動作データを設定する（Ａ６０１７）。ここでは、確変大当り（１０Ｒ又は４Ｒ確変大当り）の場合に長時間で、通常大当り（１０Ｒ通常大当り）の場合に短時間（非常に短い時間）で、特定領域８６を開放するように、レバーソレノイド８６ｂの動作データを設定する。具体的には、レバーソレノイド制御ポインタ領域にデータを設定するとともに、レバーソレノイド制御タイマを０クリアする。一方、レバーソレノイド動作ラウンドでない場合に（Ａ６０１６の結果が「Ｎ」）、レバーソレノイドの停止データを設定する（Ａ６０１８）。
【０５１５】
次に、遊技制御装置１００は、大入賞口開放中処理に移行するために処理番号として「４」を設定し（Ａ６０１９）、特図１変動表示ゲームの大当りであるか否かを判定する（Ａ６０２０）。特図１変動表示ゲームの大当りである場合（Ａ６０２０の結果が「Ｙ」）、この処理番号を特図１ゲーム処理番号領域にセーブし（Ａ６０２１）、大入賞口開放時間を特図１ゲーム処理タイマ領域にセーブする（Ａ６０２２）。特図１変動表示ゲームの大当りでない場合（Ａ６０２０の結果が「Ｎ」）、この処理番号を特図２ゲーム処理番号領域にセーブし（Ａ６０２３）、大入賞口開放時間を特図２ゲーム処理タイマ領域にセーブする（Ａ６０２４）。
【０５１６】
次に、遊技制御装置１００は、上大入賞口開放開始に関する信号（特別電動役物１作動中信号のオンデータ）を試験信号出力データ領域にセーブし（Ａ６０２５）、ＲＷＭの大入賞口ソレノイド出力データ領域に、上大入賞口ソレノイド３９ｂ（大入賞口ソレノイド２）をオンする上大入賞口オンデータをセーブし（Ａ６０２６）、大入賞口カウント数をクリアし（Ａ６０２７）、ファンファーレ／インターバル中処理を終了する。
【０５１７】
なお、本実施形態では、上大入賞口だけを開放する大当りのみ存在するが、上大入賞口だけを開放する大当りと下大入賞口だけを開放する大当りの２タイプを設けてもよいし、上大入賞口と下大入賞口の両方を開放する大当りを設ける構成も可能である。
【０５１８】
〔特図１大当り終了処理〕
次に、特図１ゲーム処理における特図１大当り終了処理（Ａ３２１６）の詳細について説明する。図４０は、特図１大当り終了処理の手順を示すフローチャートである。
【０５１９】
遊技制御装置１００は、まず、時間短縮判定データによるサブルーチンコールを実行する（Ａ６１０１）。時間短縮判定データが時短なしのデータの場合に、大当り終了後に通常遊技状態に移行するために大当り終了設定処理１を実行し（Ａ６１０２）、時間短縮判定データが時短ありのデータの場合に、大当り終了後に時短状態に移行するために大当り終了設定処理２を実行する（Ａ６１０３）。
【０５２０】
次に、遊技制御装置１００は、特定領域８６（Ｖ入賞口）を遊技球が通過したことを示す特定領域通過情報があるか否かを判定する（Ａ６１０４）。なお、前述のように確変大当り（１０Ｒ又は４Ｒ確変大当り）の場合の大当りラウンド１（第１回目の大当りラウンド）において、特定領域８６は長時間開放され（Ａ６０１７）、特定領域スイッチ７２が特定領域８６への遊技球の通過（Ｖ入賞）をほぼ確実に検出する（特定領域レギュラー通過）。そして、遊技制御装置１００は、特定領域スイッチ７２の検出信号があった場合に、特定領域８６への遊技球の通過（Ｖ入賞）があったことを示す特定領域通過情報をＲＡＭに保存可能である。
【０５２１】
なお、通常大当り（１０Ｒ通常大当り）の場合の大当りラウンド１でも、特定領域８６はごく短時間だけ開放されるが、特定領域スイッチ７２が特定領域８６（Ｖ入賞口）への偶然の遊技球の通過（Ｖ入賞）を検出できることもある（特定領域イレギュラー通過）。この場合にも、遊技制御装置１００は特定領域通過情報をＲＡＭに保存可能である。
【０５２２】
遊技制御装置１００は、特定領域通過情報がない場合に（Ａ６１０４の結果が「Ｎ」）、ステップＡ６１０６の処理に移行する。一方、特定領域通過情報がある場合に（Ａ６１０４の結果が「Ｙ」）、大当り終了後に確変状態（確率変動状態）に移行するために、大当り終了設定処理３を実行する（Ａ６１０５）。なお、この場合に、大当り終了設定処理３で設定されたデータが大当り終了設定処理１、２で設定されたデータに対して上書きされ、大当り終了設定処理１、２で設定されたデータは無効になる。
【０５２３】
次に、遊技制御装置１００は、停電復旧時送信コマンド領域から確率情報コマンドをロードする（Ａ６１０６）。なお、大当り終了設定処理１−３において、停電復旧時送信コマンド領域には、低確率又は高確率の確率状態や時短状態の有無を示す確率情報コマンドがセーブされている。
【０５２４】
その後、遊技制御装置１００は、特定領域イレギュラー通過があったか否かを判定する（Ａ６１０７）。上述のように、特定領域イレギュラー通過（特定領域異常通過）とは、通常大当りの場合に、特定領域８６を遊技球が通過することであり、特定領域レギュラー通過（特定領域正常通過）とは、確変大当りの場合に、特定領域８６を遊技球が通過することである。例えば、通常大当りの場合に特定領域通過情報が生じていれば、特定領域イレギュラー通過があったと判定できる。なお、特定領域レギュラー通過だけでなく、特定領域イレギュラー通過があった場合でも、大当り終了後に確変状態（確率変動状態）に移行する。
【０５２５】
遊技制御装置１００は、特定領域イレギュラー通過があった場合に（Ａ６１０７の結果が「Ｙ」）、ロードした確率情報コマンドにイレギュラー確変情報を上乗せして含ませて（Ａ６１０８）、この確率情報コマンドを演出コマンドとして設定するよう演出コマンド設定処理を実行する（Ａ６１０９）。一方、特定領域イレギュラー通過がなかった場合に（Ａ６１０７の結果が「Ｎ」）、ロードした確率情報コマンドをそのまま演出コマンドとして設定するよう演出コマンド設定処理を実行する（Ａ６１０９）。
【０５２６】
次に、遊技制御装置１００は、特図１普段処理に戻るために処理番号として「０」を設定し（Ａ６１１０）、特図１ゲーム処理番号領域に処理番号をセーブする（Ａ６１１１）。そして、大当りの終了に関する信号を外部情報出力データ領域にセーブする（Ａ６１１２）。ここでの大当りの終了に関する信号は、大当り１信号のオフデータと大当り３信号のオフデータである。
【０５２７】
続いて、遊技制御装置１００は、大当りの終了に関する信号を試験信号出力データ領域にセーブする（Ａ６１１３）。ここでの大当りの終了に関する信号は、例えば、条件装置作動中信号のオフデータ、役物連続作動装置作動中信号のオフデータ、特別図柄１当り信号のオフデータ、特別図柄２当り信号のオフデータである。
【０５２８】
次に、遊技制御装置１００は、ラウンドＬＥＤポインタ領域に消灯の番号をセーブする（Ａ６１１４）。続いて、上大入賞口不正監視期間フラグ領域に不正監視期間中フラグをセーブし（Ａ６１１５）、特図ステータス領域をクリアする（Ａ６１１６）。その後、特図２ゲームウェイト時間値を特図２ゲーム処理タイマ領域にセーブし（Ａ６１１７）、特図１大当り終了処理を終了する。
【０５２９】
この特図２ゲームウェイト時間値は、強制終了した特図２変動表示ゲームの変動開始の判定（特図２ゲーム処理中の特図２普段処理）を、次回のタイマ割込み処理（図７）の時に遅らせるために設定するものである。ここでは、特図２ゲームウェイト時間値は、割込み周期の２倍の時間である８ｍｓｅｃ（即ち、特図２ゲーム処理タイマ領域にセーブされる値としては２）である。
【０５３０】
仮に、特図２ゲームウェイト時間値を設定しないとすると、特図１大当り終了処理が実行されている今回の特図１ゲーム処理（図７のＡ１３１３）の直後に行われる特図２ゲーム処理（図７のＡ１３１４）で、特図２変動表示ゲームの変動開始の判定が開始してしまうため（今回のタイマ割込み処理内で開始する）、特図１変動表示ゲームより特図２変動表示ゲームが先に開始することになり問題となる場合がある。なお、特図１大当り終了処理において特図１ゲーム処理タイマは設定していないので０のままとなっている。従って、特図１変動表示ゲームの変動開始の判定に関しては、次回のタイマ割込み処理（特図１ゲーム処理中の特図１普段処理）で行われる。
【０５３１】
特図２ゲームウェイト時間値は、割込み周期の２倍の時間（８ｍｓｅｃ）に設定されるが、今回の特図１ゲーム処理の直後の特図２ゲーム処理（今回のタイマ割込み処理内で開始する）で特図２ゲーム処理タイマが−１更新（４ｍｓｅｃの減少）するためである。次回のタイマ割込み処理における特図２ゲーム処理で、特図２ゲーム処理タイマがさらに−１更新（４ｍｓｅｃの減少）して０になり（Ａ３３０５の結果が「Ｙ」）、特図２変動表示ゲームの変動開始の判定（特図２ゲーム処理中の特図２普段処理）が行われる。これにより、特図１変動表示ゲームによる大当り状態終了後の次回のタイマ割込み処理内において、特図１変動表示ゲームと特図２変動表示ゲームの変動開始の判定（特図１ゲーム処理と特図２ゲーム処理内）が行われ、開始条件（始動条件）が成立していれば、特図１変動表示ゲームと特図２変動表示ゲームが同時に変動開始することができる。なお、前述のように、特図１変動表示ゲームが大当り状態中は、特図２変動表示ゲームははずれ図柄で停止している（強制終了しているか元々変動していない）。
【０５３２】
なお、大当り状態終了後に、特図２変動表示ゲームが特図１変動表示ゲームよりも先に開始しても特に遊技制御に問題が生じない場合には、ステップＡ６７１７の処理を省略して、特図２ゲームウェイト時間値を設定しなくてもよい。
【０５３３】
〔特図２大当り終了処理〕
次に、特図２ゲーム処理における特図２大当り終了処理（Ａ３３１８）の詳細について説明する。図４１は、特図２大当り終了処理の手順を示すフローチャートである。
【０５３４】
特図２大当り終了処理のステップＡ６２０１からＡ６２１６は、特図１大当り終了処理のステップＡ６１０１からＡ６１１６における「特図１」を「特図２」に置き換えたものであり、それぞれ、特図１大当り終了処理のステップＡ６１０１からＡ６１１６と同様の処理が行われるため、詳細な説明は省略する。
【０５３５】
なお、特図２大当り終了処理において、特図１ゲームウェイト時間値を設ける必要はない。特図１ゲーム処理タイマと特図２ゲーム処理タイマは設定していないので０のままとなっており、次回のタイマ割込み処理において、特図１変動表示ゲームと特図２変動表示ゲームの変動開始の判定（特図１ゲーム処理と特図２ゲーム処理内）が行われ、開始条件（始動条件）が成立していれば、特図１変動表示ゲームと特図２変動表示ゲームが同時に変動開始することができるためである。
【０５３６】
〔大当り終了設定処理１〕
次に、特図１、２大当り終了処理における大当り終了設定処理１（Ａ６１０２、Ａ６２０２）の詳細について説明する。図４２は、大当り終了設定処理１の手順を示すフローチャートである。
【０５３７】
遊技制御装置１００は、まず、時短状態なし（時短なし）の開始に関する信号を外部情報出力データ領域にセーブする（Ａ６３０１）。ここで、時短状態なしの開始に関する信号は、大当り２信号のオフデータである。時短状態なしの開始に関する信号を試験信号出力データ領域にセーブする（Ａ６３０２）。ここで、時短状態なしの開始に関する信号は、特別図柄１高確率状態信号のオフデータ、特別図柄２高確率状態信号のオフデータ、特別図柄１変動時間短縮状態信号のオフデータ、特別図柄２変動時間短縮状態信号のオフデータ、普通図柄１高確率状態信号のオフデータ、普通電動役物１開放延長状態信号のオフデータである。
【０５３８】
次に、遊技制御装置１００は、遊技状態表示番号領域に時短状態なしの番号をセーブし（Ａ６３０３）、普図ゲームモードフラグ領域に普図時短なしフラグをセーブして（Ａ６３０４）、特図ゲームモードフラグ領域に特図低確率＆時短なしフラグをセーブする（Ａ６３０５）。普図時短なしフラグは、普図変動表示ゲームの時間短縮変動状態（時短状態、普電サポート状態）でないことを示す。特図低確率＆時短なしフラグは、大当りの確率が低確率で且つ時短状態（普電サポート状態）でないことを示す。
【０５３９】
その後、遊技制御装置１００は、時間短縮変動回数領域を０クリアし（Ａ６３０６）、左打ち指示に関する信号（例えば、発射位置指定信号１のオフデータ）を試験信号出力データ領域にセーブする（Ａ６３０７）。そして、右打ち中の表示ＬＥＤ（第１遊技状態表示部５７）を消灯させるため、遊技状態表示番号２領域に左打ち状態中の番号をセーブして（Ａ６３０８）、停電復旧時送信コマンド領域に低確率を示す確率情報コマンド（低確率）をセーブし（Ａ６３０９）、大当り終了設定処理１を終了する。
【０５４０】
〔大当り終了設定処理２〕
次に、特図１、２大当り終了処理における大当り終了設定処理２（Ａ６１０３、Ａ６２０３）の詳細について説明する。図４３は、大当り終了設定処理２の手順を示すフローチャートである。
【０５４１】
遊技制御装置１００は、まず、時短の開始に関する信号を外部情報出力データ領域にセーブ（Ａ６５０１）。ここで、時短の開始に関する信号は、大当り２信号のオンデータである。なお、大当り２信号のオンデータは、大当りのファンファーレ開始の際に外部情報出力データ領域にセーブされており（Ａ５７０９、Ａ５８１１）、大当り２信号のオンデータが大当り中から継続して外部情報端子７１ひいては外部装置（ホールコンピュータなど）に出力されることになる。
【０５４２】
次に、遊技制御装置１００は、時短状態あり（時短あり）の開始に関する信号を試験信号出力データ領域にセーブする（Ａ６５０２）。ここで、時短状態ありの開始に関する信号は、特別図柄１高確率状態信号のオフデータ、特別図柄２高確率状態信号のオフデータ、特別図柄１変動時間短縮状態信号のオンデータ、特別図柄２変動時間短縮状態信号のオンデータ、普通図柄１高確率状態信号のオンデータ、普通電動役物１開放延長状態信号のオンデータである。
【０５４３】
続いて、遊技制御装置１００は、遊技状態表示番号領域に時短状態ありの番号をセーブし（Ａ６５０３）、普図ゲームモードフラグ領域に普図時短ありフラグをセーブして（Ａ６５０４）、特図ゲームモードフラグ領域に特図低確率＆時短ありフラグをセーブする（Ａ６５０５）。普図時短ありフラグは、普図変動表示ゲームの時間短縮変動状態（時短状態、普電サポート状態）であることを示す。特図低確率＆時短ありフラグは、大当りの確率が低確率で且つ時短状態（普電サポート状態）であることを示す。
【０５４４】
次に、遊技制御装置１００は、時間短縮変動回数を記憶する時間短縮変動回数領域に初期値（例えば１００）をセーブし（Ａ６５０６）、停電復旧時送信コマンド領域に時短状態であることを示す確率情報コマンド（時短）をセーブし（Ａ６５０７）、大当り終了設定処理２を終了する。
【０５４５】
なお、大当り状態中から右打ちが有利となる右打ち状態であるため、大当り終了設定処理２では、右打ちに関する設定は行われない。
【０５４６】
〔大当り終了設定処理３〕
次に、特図１、２大当り終了処理における大当り終了設定処理３（Ａ６１０５、Ａ６２０５）の詳細について説明する。図４４は、大当り終了設定処理３の手順を示すフローチャートである。
【０５４７】
遊技制御装置１００は、まず、時短の開始に関する信号を外部情報出力データ領域にセーブ（Ａ６８０１）。ここで、時短の開始に関する信号は、大当り２信号のオンデータである。なお、大当り２信号のオンデータは、大当りのファンファーレ開始の際に外部情報出力データ領域にセーブされており（Ａ５７０９、Ａ５８１１）、大当り２信号のオンデータが大当り中から継続して外部情報端子７１ひいては外部装置（ホールコンピュータなど）に出力されることになる。
【０５４８】
次に、遊技制御装置１００は、高確率＆時短ありの開始に関する信号を試験信号出力データ領域にセーブする（Ａ６８０２）。ここで、高確率＆時短ありの開始に関する信号は、特別図柄１高確率状態信号のオンデータ、特別図柄２高確率状態信号のオンデータ、特別図柄１変動時間短縮状態信号のオンデータ、特別図柄２変動時間短縮状態信号のオンデータである。
【０５４９】
次に、遊技制御装置１００は、遊技状態表示番号領域に時短状態ありの番号をセーブし（Ａ６８０３）、特図ゲームモードフラグ領域に特図高確率＆時短ありフラグをセーブする（Ａ６８０４）。特図高確率＆時短ありフラグは、大当りの確率が高確率で且つ時短状態（ここでは特図変動表示ゲームの時間短縮変動が実行される状態）であることを示す。
【０５５０】
その後、遊技制御装置１００は、右打ち指示に関する信号（例えば、発射位置指定信号１のオンデータ）を試験信号出力データ領域にセーブする（Ａ６８０５）。そして、右打ち中の表示ＬＥＤ（第１遊技状態表示部５７）を点灯させるため、遊技状態表示番号２領域に右打ち状態中の番号をセーブして（Ａ６８０６）、停電復旧時送信コマンド領域に高確率を示す確率情報コマンド（高確率）をセーブし（Ａ６８０７）、大当り終了設定処理３を終了する。
【０５５１】
〔小当りファンファーレ中処理〕
次に、特図２ゲーム処理における小当りファンファーレ中処理（Ａ３３１９）の詳細について説明する。図４５は、小当りファンファーレ中処理の手順を示すフローチャートである。
【０５５２】
遊技制御装置１００は、まず、下大入賞口開放の小当り開放中コマンドを演出コマンドとして準備し（Ａ６９０１）、演出コマンド設定処理を実行する（Ａ６９０２）。次に、処理番号として「８」を設定し（Ａ６９０３）、特図２ゲーム処理番号領域に処理番号をセーブし（Ａ６９０４）、下大入賞口の開放時間として小当り開放時間（例えば１６００ｍｓｅｃ）を特図２ゲーム処理タイマ領域にセーブする（Ａ６９０５）。
【０５５３】
続いて、遊技制御装置１００は、小当り動作の開始に関する信号（特別電動役物２作動中信号のオンデータ）を試験信号出力データ領域にセーブし（Ａ６９０６）、大入賞口ソレノイド出力データ領域に下大入賞口オンデータをセーブする（Ａ６９０７）。これにより、特図２変動表示ゲームの小当りでは下大入賞口（第１特別変動入賞装置３８）が開放される。
【０５５４】
次に、遊技制御装置１００は、大入賞口のカウントスイッチ（下大入賞口スイッチ３８ａ及び／又は上大入賞口スイッチ３９ａ）のカウント数（検出回数）を記憶する大入賞口カウント数領域をクリアし（Ａ６９０８）、小当りファンファーレ中処理を終了する。
【０５５５】
なお、本実施形態では、大入賞口が１回だけ開く小当り開放パターンだけであるが、大入賞口の開閉を繰り返す小当り開放パターンがあってもよい。また、処理番号として「８」を設定することにより、小当りファンファーレ中処理の終了後に、小当り中処理に移行できる。
【０５５６】
〔特図２小当り終了処理〕
次に、特図２ゲーム処理における特図２小当り終了処理（Ａ３３２２）の詳細について説明する。図４６は、特図２小当り終了処理の手順を示すフローチャートである。
【０５５７】
遊技制御装置１００は、特図２普段処理に戻るために処理番号として「０」を設定し（Ａ７３０１）、特図２ゲーム処理番号領域に処理番号をセーブする（Ａ７３０２）。続いて、小当りの終了に関する信号（特別図柄２小当り信号のオフデータ）を試験信号出力データ領域にセーブし（Ａ７３０３）、下大入賞口不正監視期間フラグ領域に不正監視期間中フラグをセーブする（Ａ７３０４）。さらに、ラウンドＬＥＤポインタ領域に消灯の番号をセーブし（Ａ７３０５）、特図ステータス領域をクリアする（Ａ７３０６）。
【０５５８】
次に、遊技制御装置１００は、大当りの発生確率が低確率状態であり且つ時短なしの状態（普電サポートなしの状態）であるか否か、即ち、特図低確率＆時短なし中（通常遊技状態中）であるか否かを判定する（Ａ７３０７）。特図低確率＆時短なし中（通常遊技状態中）でない場合に（Ａ７３０７の結果が「Ｎ」）、ステップＡ７３１０以降の処理を実行する。
【０５５９】
遊技制御装置１００は、特図低確率＆時短なし中（通常遊技状態中）である場合に（Ａ７３０７の結果が「Ｙ」）、左打ち指示に関する信号（発射位置指定信号１のオフデータ）を試験信号出力データ領域にセーブし（Ａ７３０８）、遊技状態表示番号２領域に左打ち状態中の番号をセーブし（Ａ７３０９）、特図１変動表示ゲームが中断中であるか否かを判定する（Ａ７３１０）。
【０５６０】
遊技制御装置１００は、特図１変動表示ゲームが中断中である場合（Ａ７３１０の結果が「Ｙ」）、飾り特図１再開コマンドを演出コマンドとして準備し（Ａ７３１１）、演出コマンド設定処理を実行する（Ａ７３１２）。飾り特図１再開コマンドを受信した演出制御装置３００は、飾り特図１変動表示ゲームの再開の処理を実行できる。その後、特図１ゲーム中断フラグ領域をクリアし（Ａ７３１３）、特図２小当り終了処理を終了する。特図１変動表示ゲームが中断中でない場合（Ａ７３１０の結果が「Ｎ」）、飾り特図１再開コマンドを準備することなく、特図１ゲーム中断フラグ領域をクリアし（Ａ７３１３）、特図２小当り終了処理を終了する
【０５６１】
なお、特図２大当り終了処理（図４１）と同じ理由により、特図２小当り終了処理において、ゲームウェイト時間値を設ける必要はない。
【０５６２】
［演出制御装置の制御］
以下に、演出制御装置３００が演出制御用プログラムによって実行する制御（処理）を説明する。
【０５６３】
〔メイン処理（演出制御装置）〕
最初に、演出制御装置３００によって実行されるメイン処理の詳細を説明する。図４７は、演出制御装置３００によって実行されるメイン処理（メインプログラム）の手順を示すフローチャートである。メイン処理は、遊技機１０に電源が投入されると主制御用マイコン３１１（演出用マイコン）によって実行される。なお、演出制御装置３００が実行する処理のフローチャートにおいて、ステップの符号（番号）は「Ｂ＊＊＊＊」と表されている。
【０５６４】
演出制御装置３００は、メイン処理の実行が開始されると、まず、割込みを禁止する（Ｂ０００１）。次にＣＰＵ３１１及びＶＤＰ３１２の初期設定を実行し（Ｂ０００２、Ｂ０００３）、割込みを許可する（Ｂ０００４）。割込みが許可されると、遊技制御装置１００から送信されたコマンドを受信するコマンド受信割込み処理を実行可能な状態となる。
【０５６５】
次に、演出制御装置３００は、表示装置４１等に表示する表示用データの生成を許可し（Ｂ０００５）、乱数生成に用いる乱数シードを設定する（Ｂ０００６）。そして、初期化すべき領域に電源投入時の初期値をセーブする（Ｂ０００７）。
【０５６６】
続いて、演出制御装置３００は、ＷＤＴ（ウォッチドックタイマ）をクリアする（Ｂ０００８）。ＷＤＴは、上述したＣＰＵ初期設定（Ｂ０００２）で起動され、ＣＰＵ３１１が正常に動作しているかどうかを監視する。ＷＤＴが一定周期を経過してもクリアされない場合は、ＷＤＴがタイムアップしてＣＰＵ３１１がリセットされる。
【０５６７】
その後、演出制御装置３００は、計時手段としてのＲＴＣ（リアルタイムクロック）３３８から時刻の情報を読み込むＲＴＣ読込処理を実行する（Ｂ０００９）。
【０５６８】
ＲＴＣ読込処理では、所定の周期（例えば１分おき）でＲＴＣ３３８から時刻の情報を読み込む構成としてもよく、ステップＢ０００９へ処理が移行する度に時刻の情報を読み込む必要はない。また、演出制御装置３００への電源投入（即ち遊技機１０への電源投入）の際に、一度だけ、ＲＴＣ読込処理を実行する構成としてもよい（ＲＴＣ読込処理の位置を変えて、例えばステップＢ０００３とＢ０００４の間で実行してもよい）。演出制御装置３００は、ＲＡＭ内のタイマ領域に時刻を計時する時刻用タイマ（計時手段）を設定し、所定の周期でＲＴＣ３３８から時刻の情報を読み込んだ際又は電源投入時に一度だけＲＴＣ３３８から時刻の情報を読み込んだ際に、時刻用タイマをＲＴＣ３３８の時刻に合わせるよう調整してよい。そして、演出制御装置３００は、ＲＴＣ３３８に代えて、時刻用タイマを使用して各種処理を実行してもよい。このようにすれば、ＲＴＣ３３８から時刻を読み込む処理の回数を低減でき、ＣＰＵ３１１の負荷が減少する。
【０５６９】
なお、ＲＴＣ読込処理において、読み込んだ時刻が複数の所定時刻（第１所定時刻、第２所定時刻、・・・）のいずれかに合致する場合に、所定の演出を実行してよいが、複数の所定時刻の時間間隔を設定値に応じた確率で抽選することによって、遊技者はこの時間間隔から設定値を推定することができる。例えば、長い時間間隔の選択率が、設定値が大きいほど小さくなるように抽選されてよい。また、所定の演出を実行する実行期間を設定値に応じた確率で抽選することによって、遊技者は所定の演出の実行期間から設定値を推定することができる。例えば、長い実行期間の選択率が、設定値が大きいほど大きくなるように抽選されてよい。
【０５７０】
次に、演出制御装置３００は、遊技者による演出ボタン２５の操作信号（演出ボタンスイッチ２５ａ又はタッチパネル２５ｂの信号）を検出したり、検出した信号に応じて演出内容（設定）を変更したりする演出ボタン入力処理を実行する（Ｂ００１０）。続いて、遊技場（遊技店）の責任者や遊技者等によるＬＥＤや液晶の輝度、音量の変更などの操作を受け付けるホール・遊技者設定モード処理を実行する（Ｂ００１１）。ホール・遊技者設定モード処理において、後述の演出ポイントに応じて、遊技者は演出をカスタマイズすることができる。
【０５７１】
次に、演出制御装置３００は、演出ポイントの加算やクリアを実行する演出ポイント制御処理を実行する（Ｂ００１２）。演出ポイント制御処理では、演出ポイントの加算対象となる演出や操作が実行されることで演出ポイントが加算される処理がされ、また、演出ポイントを次回の遊技に繰り越せるよう遊技終了時などに、例えば、演出ポイントの情報等を含む情報がＱＲコード（登録商標）として表示装置４１に表示される。例えば、演出制御装置３００は、ホール・遊技者設定モード処理において、ＱＲコード（登録商標）を表示装置４１に表示できる。なお、演出ポイントに加算する値（加算値）を設定値に応じた確率で抽選することによって、遊技者は加算値から設定値を推定することができる。例えば、大きな加算値の選択率が、設定値が大きいほど大きくなるように抽選してよい。
【０５７２】
次に、演出制御装置３００は、演出乱数などの乱数を更新するための乱数更新処理を実行し（Ｂ００１３）、遊技制御装置１００から受信した受信コマンドを解析して対応する受信コマンドチェック処理を実行する（Ｂ００１４）。なお、受信コマンドチェック処理の詳細については、図４８にて後述する。
【０５７３】
次に、演出制御装置３００は、表示装置４１等の表示装置（表示手段）に表示する内容に合わせて各種データの更新を行ったり、表示装置４１に表示する描画を表示フレームバッファに設定したりする演出表示編集処理を実行する（Ｂ００１５）。このとき設定される描画データは、フレーム周期１／３０秒（約３３．３ｍｓｅｃ）以内にＶＤＰ３１２が描画を完了することができるものであれば問題なく表示装置４１の画像を更新することができる。そして、表示フレームバッファへの描画準備を完了させて描画コマンド準備終了設定を実行する（Ｂ００１６）。
【０５７４】
続いて、演出制御装置３００は、フレーム切替タイミングであるか否かを判定する（Ｂ００１７）。フレーム切替タイミングでない場合は（Ｂ００１７の結果が「Ｎ」）、フレーム切替タイミングになるまでＢ００１７の処理を繰り返し、フレーム切替タイミングである場合は（Ｂ００１７の結果が「Ｙ」）、表示装置４１への画面描画を指示する（Ｂ００１８）。本実施形態のフレーム周期は１／３０秒なので、例えば１／６０秒（フレーム周期の１／２）毎の周期的なＶブランク（画像更新）が２回実行されるとフレームの切り替えが行われる。なお、１／６０秒で画像を更新せず、さらに間隔を大きくしてもよい。
【０５７５】
また、演出制御装置３００は、スピーカ１９から出力される音を制御するサウンド制御処理を実行する（Ｂ００１９）。
【０５７６】
また、演出制御装置３００は、ＬＥＤ等からなる装飾装置（盤装飾装置４６、枠装飾装置１８）を制御する装飾制御処理を実行する（Ｂ００２０）。装飾制御処理では、例えば、ＬＥＤ等の装飾装置の発光制御を実行する。
【０５７７】
さらに、演出制御装置３００は、モータ及びソレノイドで駆動される電動役物などの演出装置（盤演出装置４４、枠演出装置）を制御する可動体制御処理を実行する（Ｂ００２１）。可動体制御処理では、例えば、モータを駆動する役物動作演出を設定する。
【０５７８】
そして、演出制御装置３００は、前述のＢ００２１の処理を終えると、Ｂ０００８の処理に戻る。以降、Ｂ０００８からＢ００２１までの処理を繰り返す。
【０５７９】
〔受信コマンドチェック処理〕
次に、図４８を参照して、上述したメイン処理（図４７）における受信コマンドチェック処理（Ｂ００１４）の詳細について説明する。図４８は、演出制御装置３００によって実行される受信コマンドチェック処理の手順を示すフローチャートである。
【０５８０】
演出制御装置３００は、まず、遊技制御装置１００から受信したコマンド数をチェックするためにＲＡＭのコマンド受信カウンタ領域のコマンド受信カウンタの値をコマンド受信数としてロードする（Ｂ１１０１）。そして、コマンド受信数が０でないか否かを判定する（Ｂ１１０２）。コマンド受信数が０である場合、すなわち、遊技制御装置１００から受信したコマンドがない場合には（Ｂ１１０２の結果が「Ｎ」）、解析するコマンドがないので、受信コマンドチェック処理を終了する。
【０５８１】
一方、演出制御装置３００は、コマンド受信数が０でない場合、すなわち、遊技制御装置１００からコマンドを受信している場合には（Ｂ１１０２の結果が「Ｙ」）、コマンド受信カウンタ領域のコマンド受信カウンタ値をコマンド受信数分減算した後（Ｂ１１０３）、ＲＡＭの受信コマンドバッファの内容を解析用のコマンド領域にコピーする（Ｂ１１０４）。ここで、受信コマンドバッファはリングバッファなので、バッファ内の内容をコマンド領域にコピーする前にコマンド受信数を減算しても問題ない。また、コピー中に新たにコマンドを受信してもデータが上書きされることはない。
【０５８２】
そして、演出制御装置３００は、コマンド読出インデックスを０〜３１の範囲で＋１更新（１だけ加算）する（Ｂ１１０５）。受信コマンドバッファは受信したコマンドを３２個まで保存できるよう構成されている。受信したコマンドは、コマンド読出インデックス０〜３１の順に受信コマンドバッファに格納されており、ここではインデックス順に受信したコマンドを読み出して、解析用のコマンド領域にコピーする。なお、解析用のコマンド領域へのコピーが完了したタイミングで、読みだしたコマンド読出インデックスに対応する受信コマンドバッファの格納領域内はクリアされる。
【０５８３】
演出制御装置３００は、ステップＢ１１０１の処理にてロードしたコマンド受信数分のコマンドのコピーが完了したか否かを判定し（Ｂ１１０６）、コピーが完了していない場合は（Ｂ１１０６の結果が「Ｎ」）、ステップＢ１１０４からＢ１１０６の処理を繰り返す。
【０５８４】
遊技制御装置１００から送信されたコマンドを演出制御装置３００が受信すると、受信コマンドバッファに受信したコマンドの内容が保存されると同時にコマンド受信カウンタ領域のコマンド受信カウンタ値が加算更新される。受信コマンドバッファには３２個分のコマンドを保存することができるが、受信したコマンドの解析は、別途、解析用のコマンド領域で行われる。そして、解析用のコマンド領域に受信したコマンドの内容がコピーされると、受信コマンドバッファ及びコマンド受信カウンタ値はクリアされる。このように、受信コマンドバッファ内で直接解析を行わずに常に空き領域を確保しておくことで、コマンドの大量受信に備えることができる。
【０５８５】
続いて、演出制御装置３００は、コピーが完了した場合には（Ｂ１１０６の結果が「Ｙ］）、解析用のコマンド領域の受信したコマンド内容をロードし（Ｂ１１０７）、内容を解析する受信コマンド解析処理を実行する（Ｂ１１０８）。なお、受信コマンド解析処理の詳細については、次の図４９にて後述する。また、解析用のコマンド領域のアドレスを更新する（Ｂ１１０９）。その後、ステップＢ１１０１の処理にてロードしたコマンド受信数分のコマンドの解析が完了したか否かを判定し（Ｂ１１１０）、解析が完了していない場合は（Ｂ１１１０の結果が「Ｎ」）、ステップＢ１１０７からＢ１１１０の処理を繰り返す。解析が完了した場合には（Ｂ１１１０の結果が「Ｙ］）、受信コマンドチェック処理を終了する。
【０５８６】
〔受信コマンド解析処理〕
次に、図４９を参照して、前述した受信コマンドチェック処理（図４８）における受信コマンド解析処理（Ｂ１１０８）の詳細について説明する。図４９は、演出制御装置３００によって実行される受信コマンド解析処理の手順を示すフローチャートである。
【０５８７】
演出制御装置３００は、まず、受信したコマンドの上位バイトをＭＯＤＥ部、下位バイトをＡＣＴＩＯＮ部（ＡＣＴ部）として分離する（Ｂ１２０１）。遊技制御装置１００から演出制御装置３００に送信されるコマンドは、ＭＯＤＥ部（ＭＯＤＥコマンド）及びＡＣＴＩＯＮ部（ＡＣＴＩＯＮコマンド）によって構成されており、通常、コマンドの種類を示すＭＯＤＥ部から連続して送信される。従って、受信したコマンドの上位、下位はＭＯＤＥ部、ＡＣＴＩＯＮ部の順に構成される。
【０５８８】
次に、演出制御装置３００は、ＭＯＤＥ部が正常範囲であるか否かを判定する（Ｂ１２０２）。すなわち、コマンドの種類を示すＭＯＤＥ部が取り得る値（種類を示すコマンド仕様として割り当てられた値）であるか否かを判定する。そして、ＭＯＤＥ部が正常範囲である場合には（Ｂ１２０２の結果が「Ｙ」）、同様にＡＣＴＩＯＮ部が正常範囲であるか否かを判定する（Ｂ１２０３）。すなわち、コマンドの内容（具体的な演出指示等）を示すＡＣＴＩＯＮ部が取り得る値（内容を示すコマンド仕様として割り当てられた値）であるか否かを判定する。そして、ＡＣＴＩＯＮ部が正常範囲である場合には（Ｂ１２０３の結果が「Ｙ」）、さらに、ＭＯＤＥ部に対するＡＣＴＩＯＮ部は正しい組み合せか否かを判定する（Ｂ１２０４）。すなわち、ＡＣＴＩＯＮ部の値が、ＭＯＤＥ部によって特定される種類のコマンドが取り得る値であるのか否かを判定する。そして、正しい組み合せである場合には（Ｂ１２０４の結果が「Ｙ」）、Ｂ１２０５以降の処理でコマンドの系統に応じたコマンド処理を実行する。
【０５８９】
演出制御装置３００は、まず、ＭＯＤＥ部の値が変動系コマンドの範囲か否かを判定する（Ｂ１２０５）。なお、変動系コマンドは、飾り特別図柄の変動パターンを指令するコマンドであり、変動コマンド（変動開始情報設定処理で設定）がある。そして、ＭＯＤＥ部が変動系コマンドを表す場合には（Ｂ１２０５の結果が「Ｙ」）、変動系コマンド処理を実行し（Ｂ１２０６）、受信コマンド解析処理を終了する。
【０５９０】
演出制御装置３００は、ＭＯＤＥ部が変動系コマンドを表していない場合には（Ｂ１２０５の結果が「Ｎ」）、次に、ＭＯＤＥ部が当り系コマンドの範囲か否かを判定する（Ｂ１２０７）。なお、当り系コマンドは、当り中の演出に関する動作（ファンファーレ画面やラウンド画面の表示など）を指令するコマンドであり、例えば、大当りファンファーレコマンド（特図表示中処理で設定）、ラウンドコマンド（ファンファーレ／インターバル中処理で設定）、インターバルコマンド（大入賞口開放中処理で設定）、エンディングコマンド（大入賞口開放中処理で設定）、小当りファンファーレコマンド、小当り開放中コマンド（小当りラウンドコマンド）、小当り終了画面コマンド（小当りエンディングコマンド）などである。そして、ＭＯＤＥ部が当り系コマンドを表す場合には（Ｂ１２０７の結果が「Ｙ」）、当り系コマンド処理を実行し（Ｂ１２０８）、受信コマンド解析処理を終了する。
【０５９１】
演出制御装置３００は、ＭＯＤＥ部が当り系コマンドを表していない場合には（Ｂ１２０７の結果が「Ｎ」）、次に、ＭＯＤＥ部が図柄系コマンドの範囲か否かを判定する（Ｂ１２０９）。なお、図柄系コマンドには、停止図柄パターンに対応する飾り特図１コマンド、飾り特図２コマンドがある。そして、ＭＯＤＥ部が図柄系コマンドを表す場合には（Ｂ１２０９の結果が「Ｙ」）、図柄系コマンド処理を実行し（Ｂ１２１０）、受信コマンド解析処理を終了する。
【０５９２】
演出制御装置３００は、ＭＯＤＥ部が図柄系コマンドを表していない場合には（Ｂ１２０９の結果が「Ｎ」）、次に、ＭＯＤＥ部が単発系コマンドの範囲か否かを判定する（Ｂ１２１１）。そして、ＭＯＤＥ部が単発系コマンドを表す場合には（Ｂ１２１１の結果が「Ｙ」）、単発系コマンド処理を実行し（Ｂ１２１２）、受信コマンド解析処理を終了する。
【０５９３】
演出制御装置３００は、ＭＯＤＥ部が単発系コマンドを表していない場合には（Ｂ１２１１の結果が「Ｎ」）、次に、ＭＯＤＥ部が先読み図柄系コマンドの範囲か否かを判定する（Ｂ１２１３）。先読み図柄系コマンドには、先読み停止図柄コマンドがある。そして、ＭＯＤＥ部が先読み図柄系コマンドを表す場合には（Ｂ１２１３の結果が「Ｙ」）、先読み図柄系コマンド処理を実行し（Ｂ１２１４）、受信コマンド解析処理を終了する。なお、受信した時の大当り確率が低確率状態であれば先読み停止図柄コマンド（低確率）を使用して先読み図柄系コマンド処理を実行し、受信した時の大当り確率が高確率状態であれば先読み停止図柄コマンド（低確率）を使用して先読み図柄系コマンド処理を実行してよい。
【０５９４】
演出制御装置３００は、ＭＯＤＥ部が先読み図柄系コマンドを表していない場合には（Ｂ１２１３の結果が「Ｎ」）、次に、ＭＯＤＥ部が先読み変動系コマンドの範囲か否かを判定する（Ｂ１２１５）。先読み変動系コマンドには、先読み変動パターンコマンドがある。そして、ＭＯＤＥ部が先読み変動系コマンドを表す場合には（Ｂ１２１５の結果が「Ｙ」）、先読み変動系コマンド処理を実行し（Ｂ１２１６）、受信コマンド解析処理を終了する。
【０５９５】
一方、演出制御装置３００は、ＭＯＤＥ部が先読み変動系コマンドを表していない場合には（Ｂ１２１５の結果が「Ｎ」）、予期しないコマンド（例えば、テストモード中のみ使用するコマンド）を受信した可能性があるので、受信コマンド解析処理を終了する。また、ＭＯＤＥ部が正常範囲でない場合（Ｂ１２０２の結果が「Ｎ」）、ＡＣＴＩＯＮ部が正常範囲でない場合（Ｂ１２０３の結果が「Ｎ」）、もしくは、ＭＯＤＥ部に対するＡＣＴＩＯＮ部が正しい組合せでない場合も（Ｂ１２０４の結果が「Ｎ」）、受信コマンド解析処理を終了する。
【０５９６】
〔単発系コマンド処理〕
次に、図５０を参照して、前述した受信コマンド解析処理（図４９）における単発系コマンド処理（Ｂ１２１２）の詳細について説明する。図５０は、演出制御装置３００によって実行される単発系コマンド処理の手順を示すフローチャートである。
【０５９７】
演出制御装置３００は、まず、ＭＯＤＥ部が遊技機の種類を示す機種指定コマンドを表すか否かを判定する（Ｂ１３０１）。そして、ＭＯＤＥ部が機種指定コマンドを表す場合には（Ｂ１３０１の結果が「Ｙ」）、遊技機の種類を設定する機種設定処理を実行し（Ｂ１３０２）、単発系コマンド処理を終了する。
【０５９８】
演出制御装置３００は、ＭＯＤＥ部が機種指定コマンドを表していない場合には（Ｂ１３０１の結果が「Ｎ」）、次に、ＭＯＤＥ部がＲＡＭ初期化のコマンドを表すか否かを判定する（Ｂ１３０３）。そして、ＭＯＤＥ部がＲＡＭ初期化のコマンドを表す場合には（Ｂ１３０３の結果が「Ｙ」）、ＲＡＭ初期化の報知等を行うＲＡＭ初期化設定処理を実行し（Ｂ１３０４）、単発系コマンド処理を終了する。
【０５９９】
演出制御装置３００は、ＭＯＤＥ部がＲＡＭ初期化のコマンドを表していない場合には（Ｂ１３０３の結果が「Ｎ」）、次に、ＭＯＤＥ部が停電復旧コマンドを表すか否かを判定する（Ｂ１３０５）。そして、ＭＯＤＥ部が停電復旧コマンドを表す場合には（Ｂ１３０５の結果が「Ｙ」）、停電復旧設定処理を実行し（Ｂ１３０６）、単発系コマンド処理を終了する。
【０６００】
演出制御装置３００は、ＭＯＤＥ部が停電復旧コマンドを表していない場合には（Ｂ１３０５の結果が「Ｎ」）、次に、ＭＯＤＥ部が客待ちデモコマンドを表すか否かを判定する（Ｂ１３０７）。そして、ＭＯＤＥ部が客待ちデモコマンドを表す場合には（Ｂ１３０７の結果が「Ｙ」）、客待ちデモ設定処理を実行し（Ｂ１３０８）、単発系コマンド処理を終了する。客待ちデモ設定処理では、表示装置４１におけるデモムービーの表示など、客待ちデモの内容を設定する。
【０６０１】
演出制御装置３００は、ＭＯＤＥ部が客待ちデモコマンドを表していない場合には（Ｂ１３０７の結果が「Ｎ」）、次に、ＭＯＤＥ部が飾り特図１保留数コマンドを表すか否かを判定する（Ｂ１３０９）。そして、ＭＯＤＥ部が飾り特図１保留数コマンドを表す場合には（Ｂ１３０９の結果が「Ｙ」）、特図１保留情報設定処理を実行し（Ｂ１３１０）、単発系コマンド処理を終了する。
【０６０２】
演出制御装置３００は、ＭＯＤＥ部が飾り特図１保留数コマンドを表していない場合には（Ｂ１３０９の結果が「Ｎ」）、次に、ＭＯＤＥ部が飾り特図２保留数コマンドを表すか否かを判定する（Ｂ１３１１）。そして、ＭＯＤＥ部が飾り特図２保留数コマンドを表す場合には（Ｂ１３１１の結果が「Ｙ」）、特図２保留情報設定処理を実行し（Ｂ１３１２）、単発系コマンド処理を終了する。
【０６０３】
演出制御装置３００は、ＭＯＤＥ部が飾り特図２保留数コマンドを表していない場合には（Ｂ１３１１の結果が「Ｎ」）、次に、ＭＯＤＥ部が確率情報コマンドを表すか否かを判定する（Ｂ１３１３）。そして、ＭＯＤＥ部が確率情報コマンドを表す場合には（Ｂ１３１３の結果が「Ｙ」）、確率情報設定処理を実行し（Ｂ１３１４）、単発系コマンド処理を終了する。
【０６０４】
演出制御装置３００は、ＭＯＤＥ部が確率情報コマンドを表していない場合には（Ｂ１３１３の結果が「Ｎ」）、次に、ＭＯＤＥ部がエラー／不正／打ち方指示系のコマンドを表すか否かを判定する（Ｂ１３１５）。なお、エラー／不正／打ち方指示系のコマンドとして、例えば、不正発生コマンド、不正解除コマンド、状態オフコマンド、状態オンコマンド、右打ち指示報知コマンド、左打ち指示報知コマンドがある。状態オンコマンドとして、ガラス枠開放検出スイッチ６３からの信号の発生（ガラス枠開放エラー）や、前面枠開放検出スイッチ６４（本体枠開放検出スイッチ）からの信号の発生（本体枠開放エラー、前面枠開放エラー）を示すコマンドがある。また、状態オフコマンドは、エラーの不発生を示す。
【０６０５】
そして、ＭＯＤＥ部がエラー／不正／打ち方指示系のコマンドを表す場合には（Ｂ１３１５の結果が「Ｙ」）、エラーや不正や打ち方（右打ち又は左打ち）の報知や報知解除をするためのエラー／不正／打ち方設定処理を実行し（Ｂ１３１６）、単発系コマンド処理を終了する。
【０６０６】
演出制御装置３００は、ＭＯＤＥ部がエラー／不正系のコマンドを表していない場合には（Ｂ１３１５の結果が「Ｎ」）、次に、ＭＯＤＥ部が演出モード切替用のコマンド（特図表示中処理等で設定）を表すか否かを判定する（Ｂ１３１７）。そして、ＭＯＤＥ部が演出モード切替用のコマンドを表す場合には（Ｂ１３１７の結果が「Ｙ」）、演出モード切替設定処理を実行し（Ｂ１３１８）、単発系コマンド処理を終了する。
【０６０７】
演出制御装置３００は、ＭＯＤＥ部が演出モード切替用のコマンドを表していない場合には（Ｂ１３１７の結果が「Ｎ」）、次に、ＭＯＤＥ部がアウト球数を示すアウト球数コマンドを表すか否かを判定する（Ｂ１３１９）。そして、ＭＯＤＥ部がアウト球数コマンドを表す場合には（Ｂ１３１９の結果が「Ｙ」）、アウト球数受信時処理を実行し（Ｂ１３２０）、単発系コマンド処理を終了する。
【０６０８】
演出制御装置３００は、ＭＯＤＥ部がアウト球数コマンドを表していない場合には（Ｂ１３１９の結果が「Ｎ」）、次に、ＭＯＤＥ部がカウントのコマンド（大入賞口カウントコマンド）を表すか否かを判定する（Ｂ１３２１）。そして、ＭＯＤＥ部が大入賞口スイッチのカウントのコマンドを表す場合には（Ｂ１３２１の結果が「Ｙ」）、カウント情報設定処理を実行し（Ｂ１３２２）、単発系コマンド処理を終了する。
【０６０９】
演出制御装置３００は、ＭＯＤＥ部がカウントのコマンドを表していない場合には（Ｂ１３２１の結果が「Ｎ」）、ＭＯＤＥ部が設定値情報コマンド（確率設定値情報コマンド）を表すか否かを判定する（Ｂ１３２３）。設定値情報コマンドは、図６ＢのステップＡ１０４６の停電復旧時のコマンド及びステップＡ１０４４の処理で送信されるＲＡＭ初期化時のコマンドに含まれる。そして、ＭＯＤＥ部が設定値情報コマンドを表す場合には（Ｂ１３２３の結果が「Ｙ」）、設定値受信時処理を実行し（Ｂ１３２４）、単発系コマンド処理を終了する。設定値受信時処理では、設定値（確率設定値）をＲＡＭ等の記憶部に記憶するとともに必要な処理を実行する。
【０６１０】
演出制御装置３００は、ＭＯＤＥ部が設定値情報コマンドを表していない場合には（Ｂ１３２３の結果が「Ｎ」）、ＭＯＤＥ部が設定変更系のコマンドを表すか否かを判定する（Ｂ１３２５）。設定変更系のコマンドとして、例えば、確率設定変更中のコマンド（Ａ１０３０）がある。そして、ＭＯＤＥ部が設定変更系のコマンドを表す場合には（Ｂ１３２５の結果が「Ｙ」）、設定変更系情報設定処理を実行し（Ｂ１３２６）、単発系コマンド処理を終了する。設定変更系情報設定処理では、設定変更系のコマンドの内容を記憶し、コマンドに対応する処理を実行する。例えば、確率設定変更中のコマンドを受信した場合に、設定変更系情報設定処理では、遊技者に設定変更中であること報知する設定変更中表示を表示装置４１に表示する。
【０６１１】
演出制御装置３００は、ＭＯＤＥ部が設定変更系のコマンドを表していない場合には（Ｂ１３２５の結果が「Ｎ」）、ＭＯＤＥ部が設定確認系のコマンドを表すか否かを判定する（Ｂ１３２７）。設定確認系のコマンドとして、例えば、確率設定確認中のコマンド（Ａ１０３３）がある。そして、ＭＯＤＥ部が設定確認系のコマンドを表す場合には（Ｂ１３２７の結果が「Ｙ」）、設定確認系情報設定処理を実行し（Ｂ１３２８）、単発系コマンド処理を終了する。設定確認系情報設定処理では、設定確認系のコマンドの内容を記憶し、コマンドに対応する処理を実行する。例えば、確率設定確認中のコマンドを受信した場合に、設定確認系情報設定処理では、遊技者に設定確認中であること報知する設定確認中表示を表示装置４１に表示する。
【０６１２】
演出制御装置３００は、ＭＯＤＥ部が設定確認系のコマンドを表さない場合には（Ｂ１３２７の結果が「Ｎ」）、ＭＯＤＥ部が演出調整コマンドを表すか否かを判定する（Ｂ１３２９）。ＭＯＤＥ部が演出調整コマンドを表す場合（Ｂ１３２９の結果が「Ｙ」）、演出調整情報設定処理を実行し（Ｂ１３３０）、単発系コマンド処理を終了する。演出調整情報設定処理では、演出調整コマンドの内容を記憶し、コマンドに対応する処理を実行する。
【０６１３】
演出制御装置３００は、ＭＯＤＥ部が演出調整コマンドを表さない場合（Ｂ１３２９の結果が「Ｎ」）、ＭＯＤＥ部が図柄停止のコマンドを表すか否かを判定する（Ｂ１３３１）。なお、図柄停止のコマンドには、例えば、特図１の図柄停止コマンド（飾り特図１停止コマンド）と特図２の図柄停止コマンド（飾り特図２停止コマンド）がある。そして、ＭＯＤＥ部が図柄停止のコマンドを表す場合には（Ｂ１３３１の結果が「Ｙ」）、演出制御装置３００は、次に、ＭＯＤＥ部のコマンドが正常なコマンドであるか否かを判定する（Ｂ１３３２）。
【０６１４】
ＭＯＤＥ部のコマンドが正常なコマンドである場合には（Ｂ１３３２の結果が「Ｙ」）、演出制御装置３００は、対応する特図の停止態様を設定し（Ｂ１３３３）、全図柄が停止した後に遊技状態フラグを通常状態に設定して（Ｂ１３３４）、単発系コマンド処理を終了する。Ｂ１３３２の処理では、一例として、遊技状態フラグを通常状態に設定しているが、本処理が実行されるタイミングによって、遊技状態フラグは、「変動中」「大当り中」「小当り中」のフラグが設定される。
【０６１５】
一方、ＭＯＤＥ部が図柄停止のコマンドを表していない場合（Ｂ１３３１の結果が「Ｎ」）、または、ＭＯＤＥ部のコマンドが正常ではない場合（Ｂ１３３２の結果が「Ｎ」）には、演出制御装置３００は、単発系コマンド処理を終了する。
【０６１６】
その他、図５０には記載されていないが、ＭＯＤＥ部が飾り特図１中断コマンド（Ａ５４１３）や飾り特図１再開コマンド（Ａ７３１１）を表す場合には、演出制御装置３００は、飾り特図１変動表示ゲームを中断したり再開したりする処理を実行してよい。
【０６１７】
〔先読み図柄系コマンド処理〕
次に、図５１を参照して、前述した受信コマンド解析処理（図４９）における先読み図柄系コマンド処理（Ｂ１２１４）の詳細について説明する。図５１は、演出制御装置３００によって実行される先読み図柄系コマンド処理の手順を示すフローチャートである。
【０６１８】
演出制御装置３００は、まず、最新保留情報が特図１保留（特図１始動記憶）の情報であるか否か、例えば、最新で受信した飾り特図保留数コマンドが飾り特図１保留数コマンドであるか否かを判定する（Ｂ１６０１）。最新保留情報が特図１保留の情報である場合（Ｂ１６０１の結果が「Ｙ」）、先読み図柄系コマンド（先読み停止図柄コマンド）を特図１保留数に対応する特図１先読み図柄コマンド領域にセーブする（Ｂ１６０２）。
【０６１９】
演出制御装置３００は、最新保留情報が特図１保留の情報でない場合（Ｂ１６０１の結果が「Ｎ」）、即ち、最新で受信した飾り特図保留数コマンドが飾り特図２保留数コマンドである場合、先読み図柄系コマンド（先読み停止図柄コマンド）を特図２保留数に対応する特図２先読み図柄コマンド領域にセーブする（Ｂ１６０３）。
【０６２０】
演出制御装置３００は、ステップＢ１６０２とＢ１６０３の後、先読み変動系コマンドの受信待ちであることを示す先読み変動系コマンド受信待ちフラグを設定する（Ｂ１６０４）。これは、先読み図柄系コマンドと先読み変動系コマンドがセットになっているため、遊技制御装置１００から先読み図柄系コマンドに続いて先読み変動系コマンドが送信されるためである。その後、先読み図柄系コマンド処理を終了する。
【０６２１】
〔先読み変動系コマンド処理〕
次に、図５２を参照して、前述した受信コマンド解析処理（図４９）における先読み変動系コマンド処理（Ｂ１２１６）の詳細について説明する。図５２は、演出制御装置３００によって実行される先読み変動系コマンド処理の手順を示すフローチャートである。
【０６２２】
演出制御装置３００は、まず、先読み変動系コマンドの受信待ち中であるか否かを判定する（Ｂ１７０１）。前述の先読み変動系コマンド受信待ちフラグ（Ｂ１６０４）が設定されている場合、先読み変動系コマンドの受信待ち中であると判定できる。先読み変動系コマンドの受信待ち中でない場合（Ｂ１７０１の結果が「Ｎ」）、先読み変動系コマンド処理を終了する。先読み変動系コマンドの受信待ち中である場合（Ｂ１７０１の結果が「Ｙ」）、先読み変動系コマンド受信待ちフラグをクリアする（Ｂ１７０２）。
【０６２３】
次に、演出制御装置３００（サブ基板）は、最新保留情報の図柄（特図１又は特図２）の保留数に対応する先読み変動ＭＯＤＥ変換テーブルを設定し（Ｂ１７０３）、先読み変動系コマンドのＭＯＤＥ部に対応してサブ内先読み変動コマンドＭＯＤＥ部を取得する（Ｂ１７０４）。次に、先読み変動ＡＣＴ変換テーブルを設定し（Ｂ１７０５）、先読み変動系コマンドのＡＣＴＩＯＮ部（ＡＣＴ部）に対応するサブ内先読み変動コマンドＡＣＴ部を取得する（Ｂ１７０６）。
【０６２４】
次に、演出制御装置３００は、変換後のＭＯＤＥ部とＡＣＴ部（即ち、サブ内先読み変動コマンドＭＯＤＥ部とＡＣＴ部）が共に０以外であるか否かを判定する（Ｂ１７０７）。なお、正常（有効）なコマンドであれば０以外に変換される。変換後のＭＯＤＥ部、ＡＣＴ部が共に０以外である場合（Ｂ１７０７の結果が「Ｙ」）、変換後のＭＯＤＥ部とＡＣＴ部から構成される変換後のコマンドを最新保留情報、保留数に対応する先読み変動コマンド領域（特図１先読み変動コマンド領域又は特図２先読み変動コマンド領域）にセーブする（Ｂ１７０８）。そして、先読みコマンド整合チェック処理を実行して（Ｂ１７０９）、変換後のＭＯＤＥ部とＡＣＴ部の組合せが正常であるか否か判定する（Ｂ１７１０）。
【０６２５】
なお、保留が変動表示ゲームを開始するときの保留数によって、ＭＯＤＥ部に対応する前半変動の時間が変化する。保留が変動表示ゲームを開始するときに、保留が他になければ長めの前半変動になり、新たに保留が発生して保留数が多ければ短めの前半変動となる。従って、前半変動の時間値が遷移しても、演出制御装置３００の内部コマンドが同じに扱えるように、受信した先読み変動系コマンドのＭＯＤＥ部をサブ内先読み変動コマンドＭＯＤＥ部に変換しておく。
【０６２６】
また、リーチの種類は保留数に関係ないため、サブ内先読み変動コマンドＡＣＴ部に対応する後半変動は保留数に依存しない。しかし、同一系統のリーチにも種類があるため、仮に先読み変動系コマンドのＡＣＴ部（後半変動の値）を変換せずに、演出制御装置３００がそのまま使うと数が多くなりチェックが困難になる。例えば、ノーマルリーチにも、ノーマルリーチ−１停止はずれ、ノーマルリーチ＋１停止はずれなどの種類が存在する。従って、同一系統のリーチを示すＡＣＴ部を、同じサブ内先読み変動コマンドＡＣＴ部に変換することで、数を減らし、先読みコマンド整合チェック処理等のチェック処理の負担を軽減する。
【０６２７】
次に、演出制御装置３００は、変換後のＭＯＤＥ部とＡＣＴ部（即ち、サブ内先読み変動コマンドＭＯＤＥ部とＡＣＴ部）の少なくとも一方が０である場合（Ｂ１７０７の結果が「Ｎ」）、又は、変換後のＭＯＤＥ部とＡＣＴ部の組合せが正常でない場合（Ｂ１７１０の結果が「Ｎ」）、変換後のコマンドに異常があるとして、先読み変動系コマンド処理を終了する。
【０６２８】
演出制御装置３００は、変換後のＭＯＤＥ部とＡＣＴ部の組合せが正常である場合（Ｂ１７１０の結果が「Ｙ」）、先読み対象の保留情報（最新保留の情報）を先読み変動コマンド領域からロードし（Ｂ１７１１）、最新保留の先読み演出に関する先読み抽選処理を実行する（Ｂ１７１２）。先読み演出としては、例えば、連続予告演出（チャンス目先読み演出を含む）、先読みゾーン演出、保留変化予告などがある。続いて、最新保留の先読み演出（保留変化予告等）が発生するか否かを判定する（Ｂ１７１３）。最新保留の先読み演出が発生する場合（Ｂ１７１３の結果が「Ｙ」）、選出された先読み演出に対応するポイント情報を設定する（Ｂ１７１４）。
【０６２９】
次に、演出制御装置３００は、発生する先読み演出（保留変化予告等）が直ちに開始する演出であるか否か判定する（Ｂ１７１５）。発生する先読み演出が直ちに開始する演出である場合（Ｂ１７１５の結果が「Ｙ」）、選出された先読み演出に対応する表示を設定する（Ｂ１７１６）。発生する先読み演出が直ちに開始する演出でない場合（Ｂ１７１５の結果が「Ｎ」）、保留シフト時（保留表示の移動時、保留数減少時）の先読み演出に対応する表示を設定、保存する（Ｂ１７１７）。そして、先読み変動系コマンド処理を終了する。
【０６３０】
一方、演出制御装置３００は、最新保留の先読み演出が発生しない場合（Ｂ１７１３の結果が「Ｎ」）、又は、発生する先読み演出が直ちに開始する演出でない場合（Ｂ１７１５の結果が「Ｎ」）、そのまま。先読み変動系コマンド処理を終了する。
【０６３１】
〔図柄系コマンド処理〕
次に、図５３を参照して、前述した受信コマンド解析処理（図４９）における図柄系コマンド処理（Ｂ１２１０）の詳細について説明する。図５３は、演出制御装置３００によって実行される図柄系コマンド処理の手順を示すフローチャートである。
【０６３２】
演出制御装置３００は、受信した図柄系コマンド（飾り特図１コマンド又は飾り特図２コマンド）のＭＯＤＥ部に対応する特図種別を設定する（Ｂ１８０１）。特図種別は、特図１又は特図２である。そして、図柄系コマンドのＭＯＤＥ部とＡＣＴＩＯＮ部（ＡＣＴ部）の組合せに対応する図柄種別を設定し、ＲＡＭ等の所定領域にセーブする（Ｂ１８０２）。ここで、特図１と特図２では、図柄の振分け割合が変わるので、ＭＯＤＥ毎にテーブルを使用して、図柄種別を設定する。なお、本実施形態において、図柄種別は、はずれ図柄や、小当り図柄や、図２８に示した１０Ｒ確変大当り図柄、４Ｒ確変大当り図柄、１０Ｒ通常大当り図柄に対応する。
【０６３３】
〔変動系コマンド処理〕
次に、図５４を参照して、前述した受信コマンド解析処理（図４９）における変動系コマンド処理（Ｂ１２０６）の詳細について説明する。図５４は、演出制御装置３００によって実行される変動系コマンド処理の手順を示すフローチャートである。
【０６３４】
演出制御装置３００は、受信した変動系コマンド（変動コマンド）の特図種別（特図１又は特図２）が未確定であるか否かを判定する（Ｂ１９０１）。特図種別が未確定である場合（Ｂ１９０１の結果が「Ｙ」）、変動系コマンド処理を終了する。特図種別が未確定でない場合（Ｂ１９０１の結果が「Ｎ」）、受信した変動系コマンドと図柄系コマンドの組合せをチェックし（Ｂ１９０２）、変動系コマンドと図柄種別が不整合であるか否かを判定する（Ｂ１９０３）。ここで、不整合とは、はずれの変動系コマンドを受信したのに大当り図柄の図柄系コマンドを受信していた場合など、演出を行う上で矛盾してしまうことである。変動系コマンドと図柄種別が不整合である場合（Ｂ１９０３の結果が「Ｙ」）、変動系コマンド処理を終了する。
【０６３５】
演出制御装置３００は、変動系コマンドと図柄種別が不整合でない場合（Ｂ１９０３の結果が「Ｎ」）、変動系コマンド（変動コマンド）から変動パターン種別を判別し（Ｂ１９０４）、変動中の演出である変動演出を設定する変動演出設定処理を実行する（Ｂ１９０５）。なお、同じ変動系コマンドに対して、複数の演出が存在する。続いて、遊技状態（Ｐ機状態）を示す遊技状態フラグに特図変動中を設定し（Ｂ１９０６）、連続予告演出の先読み演出回数（連続予告演出の残り回数）が０でなければ−１更新する（Ｂ１９０７）。
【０６３６】
〔変動演出設定処理〕
次に、図５５を参照して、前述した変動系コマンド処理（図５４）における変動演出設定処理（Ｂ１９０５）の詳細について説明する。図５５は、演出制御装置３００によって実行される変動演出設定処理の手順を示すフローチャートである。
【０６３７】
演出制御装置３００は、まず、変動パターン種別が、リーチなし変動（リーチ状態にならない変動）であるか否かを判定する（Ｂ２００１）。変動パターン種別がリーチなし変動である場合（Ｂ２００１の結果が「Ｙ」）、演出ポイントのポイント数、機種コード、特図種別、演出モード、設定値（確率設定値）に対応する前半予告振分グループアドレステーブルを設定し（Ｂ２００２）、変動系コマンド（変動コマンド）のＭＯＤＥ部と特図種別の保留数に対応する前半予告振分グループテーブルのアドレスを取得する（Ｂ２００３）。リーチなし変動の場合、保留数が多いほど変動時間が短縮されるため、保留数に対応するテーブルのアドレスを取得している。
【０６３８】
演出制御装置３００は、変動パターン種別がリーチなし変動でない場合（Ｂ２００１の結果が「Ｎ」）、即ち、リーチあり変動である場合、演出ポイントのポイント数、機種コード、特図種別、演出モード、図柄種別、設定値（確率設定値）に対応する前半予告振分グループアドレステーブルを設定し（Ｂ２００４）、変動系コマンド（変動コマンド）のＭＯＤＥ部と変動パターン種別に対応する前半予告振分グループテーブルのアドレスを取得する（Ｂ２００５）。
【０６３９】
演出制御装置３００は、ステップＢ２００３、Ｂ２００５の後、前半変動中（リーチ前）に出現する予告の抽選を行う（Ｂ２００６）。なお、予告の抽選確率は、設定値に依存することになる。続いて、演出ポイントのポイント数、機種コード、特図種別、演出モード、図柄種別、設定値（確率設定値）に対応する後半予告振分グループアドレステーブルを設定し（Ｂ２００７）、変動系コマンドのＡＣＴ部に対応する後半予告振分グループテーブルのアドレスを取得し（Ｂ２００８）、後半変動中（リーチ中）に出現する予告の抽選を行う（Ｂ２００９）。なお、予告の抽選確率は、設定値に依存することになる。その後、変動系コマンド（変動コマンド）のＭＯＤＥ部、ＡＣＴ部に対応する変動演出の内容を決定する（Ｂ２０１０）。なお、変動系コマンドから変動時間や主なリーチ内容などがわかる。
【０６４０】
次に、演出制御装置３００は、予告の抽選結果に対応する演出（予告演出）の内容を決定する（Ｂ２０１１）。そして、設定値（確率設定値、設定）を示唆するための設定示唆演出の内容を抽選等によって決定する（Ｂ２０１２）。なお、抽選によって選択される内容には、設定示唆演出を実行しないという内容も含む。次に、演出を調整するための演出調整処理を実行する（Ｂ２０１３）。その後、例えばリーチ演出等の変動演出や予告演出の内容に応じて、飾り特図変動表示ゲームの停止図柄を決定する停止図柄設定処理を実行する（Ｂ２０１４）。ここで、はずれ図柄の場合にばらけ目を決定するなど、飾り停止図柄を具体的に決定する。
【０６４１】
次に、演出制御装置３００は、設定示唆演出の表示設定を行う（Ｂ２０１５）。リーチ演出等の変動演出の表示設定を行い（Ｂ２０１６）、予告演出の表示設定を行う（Ｂ２０１７）。続いて、特図種別に対応する保留減少（保留シフト）の表示設定を行い、例えば、今回変動する飾り特図に対応する保留表示が減る表示が設定される他、保留シフト時の先読み演出に対応する表示情報（Ｂ１７１７）等が読み出される（Ｂ２０１８）。続いて、スピーカの音声による演出態様（音出力態様）を定める音声番号、装飾装置の発光による演出態様を定める装飾番号を設定する（Ｂ２０１９）。装飾装置（盤装飾装置４６、枠装飾装置１８）は、複数の装飾用発光部（装飾ＬＥＤ等）を有し、装飾番号で定められる発光態様（各ＬＥＤの色や発光タイミング等）で発光する。
【０６４２】
なお、音声番号や装飾番号を、演出内容に基づいて設定するだけでなく、設定値（確率設定値）に応じた抽選確率で抽選して設定することも可能である。このようにすると、遊技者は、装飾装置の発光態様、即ち、装飾用発光部（ＬＥＤ）の発光態様から遊技機１０の設定値（確率設定値）を推測することを楽しめる。
【０６４３】
次に、演出制御装置３００は、特図種別に対応する飾り特図変動の表示設定を行い（Ｂ２０２０）、第一から第三の特別図柄以外に第四特別図柄（第４図柄、識別情報）に関する第４図柄変動の表示設定を行う（Ｂ２０２１）。なお、第４図柄変動は、表示装置４１以外に設けた前述のランプ表示装置８０のランプ表示部１、２（ＬＥＤ）、及び／又は、表示装置４１で表示される。続けて、可動役物（可動体）の動作を設定する役物動作設定処理を実行し（Ｂ２０２２）、変動演出設定処理を終了する。
【０６４４】
なお、演出制御装置３００は、開始する変動表示ゲームが主変動表示ゲームである場合のみ、変動演出設定処理において、設定示唆演出（Ｂ２０１５）、変動演出（Ｂ２０１６）、及び、予告演出（Ｂ２０１７）の表示設定を行うようにしてよく、開始する変動表示ゲームが従変動表示ゲームである場合には、設定示唆演出（Ｂ２０１５）、変動演出（Ｂ２０１６）、及び、予告演出（Ｂ２０１７）を実行しないようにこれら演出の表示設定を行わなくてもよい。
【０６４５】
〔演出調整処理〕
次に、図５６を参照して、変動演出設定処理（図５５）における演出調整処理（Ｂ２０１３）の詳細について説明する。図５６は、演出制御装置３００によって実行される演出調整処理の手順を示すフローチャートである。
【０６４６】
演出制御装置３００は、まず、特図種別が特図１であるか否か、即ち、これから開始する特図変動表示ゲームが特図１変動表示ゲームであるか否かを判定する（Ｂ２０３０）。特図種別が特図１である場合に（Ｂ２０３０の結果が「Ｙ」）、演出調整コマンド（所定の情報）を受信しているか否かを判定する（Ｂ２０３１）。演出調整コマンドを受信している場合には（Ｂ２０３１の結果が「Ｙ」）、特図１変動表示ゲームの変動演出等を調整する（Ｂ２０３２）。本実施形態では、変動演出等の調整として、ＳＰリーチ演出をＮリーチ演出又はリーチなし演出に変更してＳＰリーチ演出を実行しないようにし（ＳＰリーチ演出を禁止し）、さらに、背景演出を専用の背景演出に変更する。その後、演出調整処理を終了する。
【０６４７】
なお、ＳＰリーチ演出は、大当りの期待度が通常の期待度より高い特定の演出、或は、演出時間が通常の演出時間より長い特定の演出の一例であり、ステップＢ２０３２での変動演出等の調整として、擬似連続演出やステップアップ予告などの特定の演出を実行しないように調整してもよい。通常の期待度は、例えばＮリーチの期待度（数パーセント以下）であり、通常の演出時間は、例えば数十秒であってよい。
【０６４８】
ここで、期待度は、ある演出（予告）が選択（実行）された場合に大当りになる確率に相当し、大当りであるときのその演出の選択率及び大当りでないとき(はずれのとき）のその演出の選択率などに基づいて算出することができる。
【０６４９】
なお、擬似連続演出は、１回の変動表示ゲームの開始から終了までの間に、飾り特別図柄（識別情報）を変動及び仮停止させる擬似変動を所定回数（所定ステップ）だけ行う演出である。ステップアップ予告は、複数段階に設定された単演出（副演出）を下位の段階（ステップ）から所定の段階（所定ステップ）まで順次実行する演出である。また、ステップＢ２０３２での変動演出等の調整として、擬似連続演出やステップアップ予告の上記の所定ステップ（擬似変動の所定回数、所定の段階）を減らすように調整してもよい。
【０６５０】
一方、特図種別が特図２である場合（Ｂ２０３０の結果が「Ｎ」）、或は、演出調整コマンドを受信していない場合（Ｂ２０３１の結果が「Ｎ」）、演出制御装置３００は、何もせずに演出調整処理を終了する。
【０６５１】
特図１変動表示ゲームが開始する際に演出調整コマンドを受信するのは、通常遊技状態において大当り変動中の特図２変動表示ゲームの残りの変動時間が所定時間以内である場合に相当する（Ａ３６２３ａ）。このため、特図１変動表示ゲーム（主変動表示ゲーム）が開始する際に演出調整コマンド（所定の情報）を受信した場合には、特図２変動表示ゲーム（従変動表示ゲーム）のイレギュラー大当りに備えて、ステップＢ２０１０等において期待度が高い特定の演出や長時間の特定の演出が設定されても、ステップＢ２０３２において、このような特定の演出（ここではＳＰリーチ演出）を他の演出（ここではＮリーチ演出又はリーチなし演出）に変更し、背景演出を専用の背景演出に変更できる。なお、本実施形態において、ＳＰリーチ演出、Ｎリーチ演出、リーチなし演出、背景演出は、表示装置４１の表示画面における表示演出である。
【０６５２】
なお、通常遊技状態において、期待度が高い特定の演出や長時間の特定の演出が実行される飾り特図１変動表示ゲーム（主変動表示ゲーム）に期待した遊技者は、特図２変動表示ゲーム（従変動表示ゲーム）のイレギュラー大当りによって飾り特図１変動表示ゲーム（主変動表示ゲーム）が突然に強制的にはずれ結果で停止すると、驚いたり違和感を抱いたりする事態が生じる。しかし、飾り特図１変動表示ゲームに関する特定の演出を他の演出に変更することなどによって特定の演出を実行しないようにし、驚いたり違和感を抱いたりする事態を防止でき、遊技の興趣の低下も防止できる。また、専用の背景演出によって、表示装置４１の表示画面の背景が専用の背景になるため、遊技者に特図２変動表示ゲーム（従変動表示ゲーム）のイレギュラー大当りが発生することを報知（予告）でき、遊技者は下皿２３の球抜き穴２３ａを開くなど大当りになる準備をすることができる。
【０６５３】
本実施形態では、ＳＰリーチ演出をＮリーチ演出又はリーチなし演出に変更しても、特図１変動表示ゲームの変動時間は同じである。しかし、遊技制御装置１００が、特図１変動表示ゲームの変動時間自体（Ａ５００７の加算値に相当する）を、ＳＰリーチ演出に対応する長い変動時間からＮリーチ演出又はリーチなし演出に対応する短い変動時間に変更する構成も可能である。
【０６５４】
〔停止図柄設定処理〕
次に、図５７を参照して、変動演出設定処理（図５５）における停止図柄設定処理（Ｂ２０１４）の詳細について説明する。図５７は、演出制御装置３００によって実行される停止図柄設定処理の手順を示すフローチャートである。
【０６５５】
演出制御装置３００は、まず、特図種別が特図２であるか否か、即ち、これから開始する特図変動表示ゲームが特図２変動表示ゲームであるか否かを判定する（Ｂ２０４０）。特図種別が特図２である場合に（Ｂ２０４０の結果が「Ｙ」）、特図２変動表示ゲームの図柄種別は小当りであるか否かを判定する（Ｂ２０４１）。図柄種別が小当りである場合に（Ｂ２０４１の結果が「Ｙ」）、演出調整コマンドを受信しているか否かを判定する（Ｂ２０４２）。演出調整コマンドを受信している場合には（Ｂ２０４２の結果が「Ｙ」）、飾り特図２変動表示ゲームの停止図柄をはずれ図柄（小当りに対応しないばらけ目）に設定する（Ｂ２０４３）。その後、停止図柄設定処理を終了する。
【０６５６】
一方、特図種別が特図１である場合に（Ｂ２０４０の結果が「Ｎ」）、図柄種別が小当りでない場合（Ｂ２０４１の結果が「Ｎ」）、或は、演出調整コマンドを受信していない場合（Ｂ２０４２の結果が「Ｎ」）、演出制御装置３００は、通常の通り、図柄種別（はずれ図柄や、小当り図柄や、１０Ｒ確変大当り図柄、４Ｒ確変大当り図柄、１０Ｒ通常大当り図柄など）に応じた停止図柄を設定し（Ｂ２０４４）、その後、停止図柄設定処理を終了する。
【０６５７】
特図２変動表示ゲームが開始する際に演出調整コマンドを受信するのは、確変状態又は時短状態において特図１変動表示ゲームが大当り変動中の場合に相当する（Ａ３６２１ｂ）。このため、特図２変動表示ゲーム（主変動表示ゲーム）が開始する際に演出調整コマンドを受信した場合には、特図１変動表示ゲーム（従変動表示ゲーム）のイレギュラー大当り（第１特別結果）に備えて、演出を調整する。具体的には、たとえ一括表示装置５０の第２特図変動表示部５２で実行される特図２変動表示ゲーム（主変動表示ゲーム）の結果が小当り結果（第２特別結果）で大入賞口が開放されても、表示装置４１に表示される演出上の停止図柄を小当りに対応しないはずれ図柄に設定する。この場合、特図２変動表示ゲームの演出上の停止図柄としては、小当り結果に対応しない図柄（結果表示）であれば、はずれ図柄以外に特殊図柄を用いてもよい。
【０６５８】
これにより、特図２変動表示ゲームの結果は図２５（ｂ）のように高確率で小当り結果になるにもかかわらず、イレギュラー大当りの直前に、表示装置４１に飾り特図２変動表示ゲーム（主変動表示ゲーム）の小当り図柄（小当り結果）が表示されなくなる。従って、特図２変動表示ゲームの小当り図柄が表示装置４１に表示された直後に、開始したばかりの特図２変動表示ゲームがイレギュラー大当りによってすぐに強制的にはずれ結果で停止して、表示装置４１において小当り図柄が突然はずれ図柄に変わったような印象を与えて遊技者を驚かす事態を防止できる。従って、遊技の興趣の低下も防止できる。また、表示装置４１において飾り特図２変動表示ゲーム（主変動表示ゲーム）の小当り結果が表示される前に、小当り図柄（左、右、中の３つの図柄）を構成する一部の図柄（左の図柄、右の図柄等）が仮停止するような構成であれば、当該仮停止した図柄がイレギュラー大当りによってはずれ図柄に対応するものに突然切替わるような事態も防止できる。
【０６５９】
また、小当りが頻発する小当りラッシュ状態は確変状態の開始から大当りの発生まで継続するが、イレギュラー大当りによって小当りラッシュ状態が終了することは、遊技者にとって嬉しくないことである。そこで、特図２変動表示ゲームの結果が小当りで大入賞口が開放されても、表示装置４１に小当り図柄を停止しない（小当り結果に対応しないはずれ図柄や特殊図柄を停止する）ことによって遊技者に違和感を与え、特図１変動表示ゲームのイレギュラー大当りを察知させて小当りラッシュ状態の終了を事前に報知することができる。
【０６６０】
前述のように時短状態又は確変状態（Ａ３６２１ｂ）と通常遊技状態（Ａ３６２３ａ）における演出調整コマンドは同一のものであるが、同一の演出調整コマンドを受信しても、演出制御装置３００は状況（遊技状態）に応じて異なる処理を実行する。これにより、状況（遊技状態）に応じた適切な処理が行える。また、状況（遊技状態）に応じて異なる演出調整コマンドを準備する必要がなく、処理が簡単になる。前述のように、同一の演出調整コマンドを受信しても、時短状態又は確変状態では、主変動表示ゲーム（特図２変動表示ゲーム）の結果が小当り結果であっても、表示装置４１に表示される演出上の停止図柄をはずれ図柄（ばらけ目）に設定する一方（Ｂ２０４３）、通常遊技状態では主変動表示ゲーム（特図１変動表示ゲーム）の変動演出等を調整する（Ｂ２０３２）。
【０６６１】
〔役物動作設定処理〕
次に、図５８を参照して、変動演出設定処理（図５５）における役物動作設定処理（Ｂ２０２２）の詳細について説明する。図５８は、演出制御装置３００によって実行される役物動作設定処理の手順を示すフローチャートである。
【０６６２】
演出制御装置３００は、まず、特図高確率中又は時短中であるか否か、即ち確変状態又は時短状態であるか否かを判定する（Ｂ２０５０）。特図高確率中又は時短中（確変状態又は時短状態）である場合に（Ｂ２０５０の結果が「Ｙ」）、特図種別が特図１であるか否か、即ち、これから開始する特図変動表示ゲームが特図１変動表示ゲームであるか否かを判定するを判定する（Ｂ２０５１）。特図種別が特図１である場合に（Ｂ２０５１の結果が「Ｙ」）、特図１変動表示ゲームの図柄種別は大当りであるか否かを判定する（Ｂ２０５２）。
【０６６３】
演出制御装置３００は、特図１変動表示ゲームの図柄種別が大当りである場合に（Ｂ２０５２の結果が「Ｙ」）、可動役物（上部演出ユニット４０ｃや側部演出ユニット４０ｄなど）の動作を禁止する（Ｂ２０５３）。なお、動作中の可動役物は初期位置に移動する。
【０６６４】
一方、特図高確率中又は時短中でない場合（通常遊技状態の場合）（Ｂ２０５０の結果が「Ｎ」）、特図種別が特図２である場合に（Ｂ２０５１の結果が「Ｎ」）、或は、特図１変動表示ゲームの図柄種別が大当りでない場合に（Ｂ２０５２の結果が「Ｎ」）、演出制御装置３００は、通常の通り、予告演出と変動演出に応じた可動役物の動作を設定する（Ｂ２０５４）。
【０６６５】
突然のイレギュラー大当りで特図２変動表示ゲーム（主変動表示ゲーム）が強制的にはずれ図柄で停止する際に、可動役物が特図２変動表示ゲーム（主変動表示ゲーム）の演出として動作中であると違和感が生じてしまう。そこで、確変状態又は時短状態において特図１変動表示ゲーム（従変動表示ゲーム、長変動ではない）がイレギュラー大当りとなる場合に、特図１変動表示ゲームの開始時に、イレギュラー大当りに備えて、可動役物の動作を禁止するとともに、動作中の可動役物は初期位置に移動して、違和感が生じるのを防止している。なお、本実施形態では、通常遊技状態において長変動の特図２変動表示ゲーム（従変動表示ゲーム）がイレギュラー大当りとなる場合に、興趣低下防止のために、可動役物の動作を禁止するなどの処理を実行しないが、実行する構成としてもよい。
【０６６６】
〔当り系コマンド処理〕
次に、図５９を参照して、前述した受信コマンド解析処理（図４９）における当り系コマンド処理（Ｂ１２０８）の詳細について説明する。図５９は、演出制御装置３００によって実行される当り系コマンド処理の手順を示すフローチャートである。
【０６６７】
演出制御装置３００は、まず、受信した当り系コマンドのＭＯＤＥ部がファンファーレを表すか否かを判定する（Ｂ２１０１）。当り系コマンドのＭＯＤＥ部がファンファーレを表す場合（Ｂ２１０１の結果が「Ｙ」）、即ち、当り系コマンドが大当りファンファーレコマンド又は小当りファンファーレコマンドである場合、ファンファーレ演出を設定するためのファンファーレ演出設定処理を実行する（Ｂ２１０２）。なお、ファンファーレコマンドには、今回の大当りのラウンド数上限値の情報が含まれている。続いて、現在の遊技機１０の遊技状態（Ｐ機状態）を示す遊技状態フラグにファンファーレ中を設定し（Ｂ２１０３）、当り系コマンド処理を終了する。なお、ラウンド数上限値は、図柄系コマンド（停止図柄パターンに対応する飾り特図コマンド）から判定される図柄種別からも得ることができる。
【０６６８】
演出制御装置３００は、受信した当り系コマンドのＭＯＤＥ部がファンファーレを表さない場合には（Ｂ２１０１の結果が「Ｎ」）、当り系コマンドのＭＯＤＥ部がラウンドを表すか否かを判定する（Ｂ２１０４）。ＭＯＤＥ部がラウンドを表す場合（Ｂ２１０４の結果が「Ｙ」）、即ち、当り系コマンドがラウンドコマンド又は小当り開放中コマンドである場合、演出制御装置３００は、ラウンド演出設定処理を実行し、現在の遊技機１０の遊技状態（Ｐ機状態）を示す遊技状態フラグにラウンド中を設定し（Ｂ２１０５、Ｂ２１０６）、当り系コマンド処理を終了する。
【０６６９】
受信した当り系コマンドのＭＯＤＥ部がラウンドを表さない場合には（Ｂ２１０４の結果が「Ｎ」）、演出制御装置３００は、当り系コマンドのＭＯＤＥ部がインターバルを表すか否かを判定する（Ｂ２１０７）。ＭＯＤＥ部がインターバルを表す場合（Ｂ２１０７の結果が「Ｙ」）、即ち、当り系コマンドがインターバルコマンドである場合、演出制御装置３００は、インターバル演出設定処理を実行し、現在の遊技機１０の遊技状態（Ｐ機状態）を示す遊技状態フラグにインターバル中を設定し（Ｂ２１０８、Ｂ２１０９）、当り系コマンド処理を終了する。なお、小当りで大入賞口が一回だけ開放される場合、即ち、小当りが１ラウンドである場合、インターバルコマンドはない。
【０６７０】
受信した当り系コマンドのＭＯＤＥ部がインターバルを表さない場合には（Ｂ２１０７の結果が「Ｎ」）、演出制御装置３００は、当り系コマンドのＭＯＤＥ部がエンディングを表すか否かを判定する（Ｂ２１１０）。ＭＯＤＥ部がエンディングを表す場合（Ｂ２１１０の結果が「Ｙ」）、即ち、当り系コマンドがエンディングコマンド又は小当り終了画面コマンドである場合、演出制御装置３００は、エンディング演出を設定するためのエンディング演出設定処理を実行し、現在の遊技機１０の遊技状態（Ｐ機状態）を示す遊技状態フラグにエンディング中を設定し（Ｂ２１１１、Ｂ２１１２）、当り系コマンド処理を終了する。
【０６７１】
なお、受信した当り系コマンドのＭＯＤＥ部がエンディングを表さない場合には（Ｂ２１１０の結果が「Ｎ」）、演出制御装置３００は、いずれの処理も実行せずに、当り系コマンド処理を終了する。
【０６７２】
〔役物動作設定処理〕
次に、図６０を参照して、当り系コマンド処理（図５９）におけるファンファーレ演出設定処理（Ｂ２１０２）の詳細について説明する。図６０は、演出制御装置３００によって実行されるファンファーレ演出設定処理の手順を示すフローチャートである。
【０６７３】
演出制御装置３００は、まず、特図高確率中又は時短中に発生した大当りであるか否か、即ち確変状態又は時短状態に発生した大当りであるか否かを判定する（Ｂ２３０１）。特図高確率中又は時短中に発生した大当りである場合に（Ｂ２３０１の結果が「Ｙ」）、通常通りファンファーレ演出を設定するとともに、表示装置４１の全画面で大きな右打ち指示表示（右打ち表示）を表示するように設定する（Ｂ２３０６：通常設定）。
【０６７４】
演出制御装置３００は、特図高確率中又は時短中に発生した大当りでない場合（通常遊技状態中に発生した大当りの場合）（Ｂ２３０１の結果が「Ｎ」）、今回の大当りが特図２変動表示ゲームの大当りであるか否かを判定する（Ｂ２３０２）。今回の大当りが特図１変動表示ゲームの大当りである場合には（Ｂ２３０２の結果が「Ｎ」）、通常通りファンファーレ演出を設定するとともに、表示装置４１の全画面で大きな右打ち指示表示（右打ち表示）を表示するように設定する（Ｂ２３０６：通常設定）。
【０６７５】
演出制御装置３００は、通常遊技状態における特図２変動表示ゲームの大当りである場合に（Ｂ２３０２の結果が「Ｙ」）、客待ち中であるか否か、即ち、表示装置４１で客待ちデモを実行中であるか否かを判定する（Ｂ２３０３）。客待ち中でない場合に（Ｂ２３０３の結果が「Ｎ」）、特殊設定１として、通常のファンファーレ演出を設定せずに表示装置４１の全画面で大きな右打ち指示表示（右打ち表示）を表示するように設定する（Ｂ２３０４）（図６４Ｂ（コ）参照）。客待ち中である場合に（Ｂ２３０３の結果が「Ｙ」）、特殊設定２として、通常のファンファーレ演出を設定せずに表示装置４１の右上隅で縮小した小さな右打ち指示表示（右打ち表示）を表示するように設定する（Ｂ２３０５）（図６５Ａ（ツ）参照）。
【０６７６】
〔タイムチャート〕
図６１と図６２は、各々、通常遊技状態と時短状態／確変状態において、以上の遊技制御と演出制御により実行される特図１変動表示ゲーム及び特図２変動表示ゲームの様子を例示するタイムチャートである。
【０６７７】
図６１の例（通常遊技状態）において、従変動表示ゲームである特図２変動表示ゲームの変動中に、主変動表示ゲームである特図１変動表示ゲームが複数回実行される。ここで、特図２変動表示ゲームは、大当りフラグ２が設定されているためイレギュラー大当りとなるものである。通常遊技状態での特図２変動表示ゲームは、前述の通り、長時間変動（長変動、ここでは５９０秒の変動時間）である。
【０６７８】
特図２変動表示ゲームの残りの変動時間が所定時間（ここでは２００秒）以内になると（Ａ３６２１ａの結果が「Ｙ」）、イレギュラー大当り演出調整フラグがセットされる（Ａ３６２２ａ）。以降、特図１変動表示ゲームが開始される度に（各特図１変動表示ゲームの開始時に）、演出を調整するための演出調整コマンドが遊技制御装置１００から演出制御装置３００に送信される。そして、特図２変動表示ゲームの大当り結果が表示されると、特図１変動表示ゲームが強制的にはずれ結果で停止する。
【０６７９】
図６２の例（時短状態又は確変状態）において、従変動表示ゲームである特図１変動表示ゲームの変動中に、主変動表示ゲームである特図２変動表示ゲームが複数回実行される。ここで、特図１変動表示ゲームは、大当りフラグ１が設定されているためイレギュラー大当りとなるものである。時短状態又は確変状態での特図１変動表示ゲームは、従変動表示ゲームであっても長時間変動（長変動）ではなく、例えば４秒の変動時間である。このため、イレギュラー大当りとなる従変動表示ゲーム中に実行される主変動表示ゲームの回数は、図６２の例（時短状態又は確変状態）の方が図６１の例（通常遊技状態）よりも少ない。
【０６８０】
イレギュラー大当りとなる特図１変動表示ゲームの開始後に、特図２変動表示ゲームが開始される度に（各特図２変動表示ゲームの開始時に）、演出を調整するための演出調整コマンドが遊技制御装置１００から演出制御装置３００に送信される。そして、特図１変動表示ゲームの大当り結果が表示されると、特図２変動表示ゲームが強制的にはずれ結果で停止する。
【０６８１】
なお、図６２において複数回実行される特図２変動表示ゲームが小当り結果になる場合には、特図１ゲーム処理タイマによる変動時間の計測（特図１ゲーム処理タイマの更新）を中断することによって、特図１変動表示ゲームは中断される。その後、特図２変動表示ゲームに関する小当り動作の終了後に中断していた特図１変動表示ゲームを再開できる。なお、中断中も、特図１表示器５１と表示装置４１において特別図柄（識別情報）の変動自体は見かけ上継続してよい。
【０６８２】
〔通常遊技状態からイレギュラー大当りが発生する場合の演出例〕
図６３は、前述の遊技制御と演出制御により実現される演出例を、通常遊技状態からイレギュラー大当りが発生する場合について示すタイムチャートである。
【０６８３】
図６３（ａ）は、図６１の一部に対応するが、イレギュラー大当りとなる特図２変動表示ゲーム（従変動表示ゲーム）の変動中に、特図１変動表示ゲーム（主変動表示ゲーム）が複数回実行される。なお、イレギュラー大当りとなる特図２変動表示ゲームの開始後、時間Ｔ１までにｎ回（図６３では１回）の特図１変動表示ゲームが開始されてよい。
【０６８４】
時間Ｔ１において、特図１変動表示ゲームの変動中に、イレギュラー大当りとなる特図２変動表示ゲームの残りの変動時間が所定時間になり、特図２変動表示ゲーム中にイレギュラー大当り演出調整フラグがセットされる（Ａ３６２２ａ）。時間Ｔ１以後、特図２変動表示ゲームの終了まで、各特図１変動表示ゲームの開始時に、演出を調整するための演出調整コマンド（Ａ３６２３ａ）と変動パターンに関する情報を含む変動コマンド（Ａ５０１２、Ａ５０１３）の両方が遊技制御装置１００から演出制御装置３００に送信される。一方、時間Ｔ１以前において、各特図１変動表示ゲームの開始時に、変動コマンドは送信されるが、演出調整コマンドは送信されない。
【０６８５】
表示装置４１では、時間Ｔ１以前に開始された特図１変動表示ゲーム（主変動表示ゲーム）の飾り特別図柄（識別情報）が、表示画面の中央において大きな図柄（大図柄）で表示される。一方、時間Ｔ１以後、演出制御装置３００は、演出調整コマンドの受信によって、通常より大当りの期待度の高い又は演出時間の長い特定の演出（ＳＰリーチ演出、擬似連続演出等）を実行しないように設定するとともに、表示装置４１の表示画面の背景を専用背景に変更する（Ｂ２０３２）。例えば、専用背景の画像（所定の画像、所定の背景画像）として、表示画面の中央において「大チャンス」という文字画像が大きく表示されるとともに、特殊な画像が文字表示の周りで表示される。また、演出制御装置３００は、専用背景の邪魔にならないように特図１変動表示ゲームの飾り特別図柄（識別情報）を、表示画面の端において小さな図柄（小図柄）で表示する。
【０６８６】
なお、特図２変動表示ゲーム（従変動表示ゲーム）の飾り特別図柄（識別情報）は、表示装置４１の表示画面の端において小さな図柄（小図柄）で表示されるが、表示しない構成も可能である。
【０６８７】
その後、時間Ｔ２において、イレギュラー大当りとなる特図２変動表示ゲームが終了して大当り図柄が停止表示（大当り確定）されるとともに、特図１変動表示ゲームがはずれ図柄で強制停止される。また、時間Ｔ２において、図柄停止コマンド（飾り特図１停止コマンドと飾り特図２停止コマンド）が遊技制御装置１００から演出制御装置３００に送信される。表示装置４１の専用背景に変化はなくてよい。
【０６８８】
その後、時間Ｔ３において、大当りファンファーレコマンド（Ａ５８０９）が遊技制御装置１００から演出制御装置３００に送信されるとともに、大当りファンファーレ時間（Ａ５８１３）が開始する。また、時間Ｔ３において、演出制御装置３００は、大当りファンファーレコマンドの受信によって、表示装置４１の表示画面における表示を、専用背景から全画面での大きな右打ち指示表示６５７（右打ち表示）に切り換える（Ｂ２３０４の特殊設定１）。なお、通常実行される大当りファンファーレ演出は行われない。
【０６８９】
その後、時間Ｔ４において、大当りファンファーレ時間が経過しても、右打ちによって遊技球が普図始動ゲート３４（所謂ドキドキゲート）を通過するまでゲート通過の待ち時間となり、大当り状態（大入賞口の開放（ラウンド））にならない（Ａ６００３の結果が「Ｎ」）。これにより、遊技者の意思と関係なく、大当り状態になることが防止されている。なお、大当りファンファーレ時間中に右打ちによって遊技球が普図始動ゲート３４を通過した場合には、大当りファンファーレ時間が経過した時点で大当り状態になる（ゲート通過の待ち時間＝０）。
【０６９０】
その後、時間Ｔ５において、遊技者が右打ちを開始することによって遊技球が普図始動ゲート３４を通過すると、大当りラウンドが開始して大入賞口が開放される（Ａ６００４−Ａ６０２７）。また、時間Ｔ５において、ラウンドコマンド（Ａ６０１１）が遊技制御装置１００から演出制御装置３００に送信され、ラウンドコマンドを受信した演出制御装置３００は、全画面で、大きな右打ち指示表示６５７に代えて大当りのラウンド演出を開始する。
【０６９１】
図６３（ｂ）は、イレギュラー大当りとなる特図２変動表示ゲームの変動中に客待ち状態となっている場合を例示する。即ち、イレギュラー大当りの結果が確定表示される時間Ｔ２より前において、特図２変動表示ゲーム（従変動表示ゲーム）の変動中に、特図１変動表示ゲーム（主変動表示ゲーム）が実行されないとともに、特図１保留数が０である。このため、特図２変動表示ゲームの変動中でも客待ち状態となっており、表示装置４１の表示画面において、デモムービーの表示等の客待ちデモが実行されている（Ａ３４１９、Ｂ１３０８）。なお、客待ち状態になる前が特図１変動表示ゲームの大当り状態である場合には、客待ちデモとして、大当りの飾り特別図柄（「３，３，３」等の数字が３つ揃ったもの）が表示されてもよい。時間Ｔ２を経過しても時刻Ｔ３まで、客待ち状態に変化はない。
【０６９２】
なお、本実施形態では、従変動表示ゲーム（ここでは特図２変動表示ゲーム）が実行されていても、主変動表示ゲーム（ここでは特図１変動表示ゲーム）が変動中でなく、且つ、主変動表示ゲームに関する保留数（ここでは特図１保留数）が０であれば、客待ち状態となる（図１６のＡ３４０１、Ａ３４０６、Ａ３４１６）。
【０６９３】
時刻Ｔ３において、大当りファンファーレコマンドが遊技制御装置１００から演出制御装置３００に送信される。演出制御装置３００は、大当りファンファーレコマンドの受信によって、表示装置４１の表示画面において客待ちデモを終了して、表示画面の右上隅で小さな右打ち指示表示６５８（縮小右打ち表示）を表示する（Ｂ２３０５の特殊設定２）。なお、通常実行されるファンファーレ演出は行われない。
【０６９４】
その後、図６３（ａ）の場合と同様に、時間Ｔ３から時間Ｔ４までの大当りファンファーレ時間と時間Ｔ４から時間Ｔ５までのゲート通過の待ち時間が経過して、時間Ｔ５において、遊技球が普図始動ゲート３４を通過すると、ラウンドコマンドを受信した演出制御装置３００は、大当りのラウンド演出を開始する。
【０６９５】
図６３（ｂ）の例では、通常遊技状態（特図低確率且つ時短なし）における客待ち中において、遊技者が遊技機１０の近傍にいない（無人状態）である可能性が高いため、時間Ｔ３から時間Ｔ５まで目立たない小さな右打ち指示表示６５８を表示装置４１に表示する。仮に、大きく目立つ右打ち指示表示をした場合には、無人状態において、イレギュラー大当りとなる始動入賞（普通変動入賞装置３７への入賞）を発生させていない無関係な者（遊技場内を歩行中の者など）が、目立つ右打ち指示表示に気付いて右打ちを行って普図始動ゲート３４に遊技球を通過させ、大当りのラウンド遊技を行う不公平な事態が発生する。しかし、時間Ｔ３から時間Ｔ５まで目立たない小さな右打ち指示表示６５８を表示装置４１に表示することによって、無関係な者が右打ち指示表示に気付き難くしてこのような不公平な事態を防止できる。
【０６９６】
図６３（ｃ）も、図６３（ｂ）と同様に、イレギュラー大当りとなる特図２変動表示ゲームの変動中に客待ち状態となっている場合を例示するが、大当りファンファーレコマンド送信からラウンドコマンド送信までの期間である時間Ｔ３と時間Ｔ５の間で、時間Ｔａにおいて、始動入賞口３６への入賞によって特図１保留（第１始動記憶、特図１始動記憶）が発生している。なお、時間Ｔ３と時間Ｔ５の間で特図１保留が発生しても、大当り状態となるため、特図１変動表示ゲームは開始しない。
【０６９７】
イレギュラー大当り確定後（特図２ゲーム処理番号が「３」）の時間Ｔａにおいて、特図１保留の発生（始動入賞口３６への入賞）に伴って、右打ち指示報知コマンドが遊技制御装置１００から演出制御装置３００に送信されている（Ａ２７０５、Ａ２７０６）。この右打ち指示報知コマンドを受信した演出制御装置３００は、時間Ｔ３以降に表示画面の右上隅で小さく表示されていた右打ち指示表示６５８（縮小右打ち表示）を、全画面での大きな右打ち指示表示６５７（右打ち表示）に切り換える（Ｂ１３１６）。特図１保留（始動入賞口３６への入賞）が発生したということは無人状態ではなく、特図１保留の発生させた遊技者が、そのまま大きな右打ち指示表示６５７にしたがって右打ちを行って普図始動ゲート３４に遊技球を通過させ、大当りのラウンド遊技を行えるようにしている。
【０６９８】
〔画面遷移１（ｉ）〕
図６４Ａと図６４Ｂは、表示装置４１の表示画面を時系列で示した画面遷移図の一例であり、通常遊技状態からイレギュラー大当りが発生する場合を示す。図６４Ａと図６４Ｂは、図６３（ａ）の一部に対応するものである。
【０６９９】
図６４Ａの（ア）は、通常遊技状態で主変動表示ゲームとなる特図１変動表示ゲーム（飾り特図１変動表示ゲーム）を開始する直前の表示画面である。表示画面の中央部の変動表示領域６１０には、前回の特図１変動表示ゲームのはずれ停止図柄「９，４，６」が大きく表示されている。表示画面の右端部の変動表示領域６１５において、通常遊技状態で従変動表示ゲームとなる特図２変動表示ゲーム（飾り特図２変動表示ゲーム）が変動表示されている。ここで変動中の特図２変動表示ゲームは、後に大当り結果（イレギュラー大当り）が表示されるものである。なお、表示装置４１において、従変動表示ゲーム（ここでは特図２変動表示ゲーム）の変動、及び、はずれ結果を表示せず、大当り結果（大当り図柄）のみを表示する構成でもよいし、また、従変動表示ゲームの変動表示を１つの飾り特別図柄だけで行ってもよい。
【０７００】
また、（ア）では、特図１変動表示ゲームの実行状態を示す第１所定画像６７５は、特図１変動表示ゲームが停止中であることを示す記号「×」となっており、特図２変動表示ゲームの実行状態を示す第２所定画像６７６は、特図２変動表示ゲームが実行中（変動中）であることを示す記号「○」になっている。第２所定画像６７６「○」は、第四特別図柄（第４図柄）として点滅してよい。表示画面の第１表示部６２０において、特図１変動表示ゲーム（主変動表示ゲーム）の実行権利となる特図１保留（特図１始動記憶）に対応する特図１保留表示６２０ａ（特図１始動記憶表示）が４つ表示されている。保留消化領域６４０では何も表示されていない。また、特図１保留数表示６５０は、現在の特図１保留の数「４」を表示し、特図２保留数表示６６０は、現在の特図２保留の数「４」を表示する。
【０７０１】
続いて、（イ）では、主変動表示ゲームとなる特図１変動表示ゲームと従変動表示ゲームとなる特図２変動表示ゲームが、共に実行中（変動中）の状態となる。また、第１所定画像６７５は、特図１変動表示ゲームが実行中であることを示す記号「○」となっており、第２所定画像６７６は、特図２変動表示ゲームは実行中であることを示す記号「○」になっている。第１所定画像６７５「○」と第２所定画像６７６「○」は、第四特別図柄（第４図柄）として点滅してよい。
【０７０２】
また、（イ）では、第１表示部６２０において、各特図１保留表示６２０ａは、左隣の特図１保留表示６２０ａの表示位置に移動している（保留シフト）。さらに、第１表示部６２０の左端に位置する特図１保留表示６２０ａは、第１表示部６２０から保留消化領域６４０に移動している（保留シフト）。第１表示部６２０の特図１保留表示６２０ａは、実行前の変動表示ゲームに係る始動記憶に対応する始動記憶表示（変動前保留表示）であるのに対して、保留消化領域６４０の特図１保留表示６２０ｂは、実行中の変動表示ゲームに係る始動記憶に対応する始動記憶表示（変動中保留表示）である。また、特図１保留数表示６５０は、現在の特図１保留の数「３」を表示し、特図２保留数表示６６０は、現在の特図２保留の数「４」を表示する。
【０７０３】
主変動表示ゲームとなる特図１変動表示ゲームは、第１表示態様で表示され、従変動表示ゲームとなる特図２変動表示ゲームは、第２表示態様で表示される。ここでは、第１表示態様は、第２表示態様よりも大きな表示態様で、メイン表示として表示画面の中央部で大きく表示される態様であり、第２表示態様は、サブ表示として表示画面の端部で小さく表示される表示態様である。即ち、変動する飾り特別図柄（飾り図柄）は、第１表示態様では大図柄であり、第２表示態様では小図柄である。なお、第１表示態様を、飾り特別図柄（飾り図柄）がキャラクタと数字と枠によって形成されて変動表示される態様とし、第２表示態様を、飾り特別図柄（飾り図柄）が数字のみによって形成されて変動表示される態様としてもよい。また、特図１変動表示ゲームと特図２変動表示ゲームの各々を、第１表示態様と第２表示態様の２種類の態様で表示してもよい。
【０７０４】
次に、（ウ）では、主変動表示ゲームとなる特図１変動表示ゲームは、リーチ状態（ノーマルリーチ）となり、変動表示領域６１０において、左図柄と右図柄が同一の図柄「３」で仮停止表示される。
【０７０５】
その後、（エ）では、特図１変動表示ゲームに関連するリーチ演出の系統（種類）がＳＰリーチ（例えばＳＰ１リーチ）であるため、リーチがノーマルリーチの状態からＳＰ３リーチに発展して、表示画面の中央でムービー演出（動画演出）が実行されるとともに、特図１変動表示ゲームの左図柄と右図柄が画面の上側の角に移動する。
【０７０６】
なお、（エ）は、図６３（ａ）の時間Ｔ１における表示画面に相当し、イレギュラー大当りとなる特図２変動表示ゲームの変動時間の残りが所定時間になっている。なお、ＳＰリーチ演出は、時間Ｔ１以前に開始された特図１変動表示ゲーム（主変動表示ゲーム）に係る演出であるため、他の演出に切り換えられることなく（禁止されることなく）そのまま実行される。
【０７０７】
次に、（オ）では、特図１変動表示ゲームが終了して、表示画面の中央部の変動表示領域６１０には、はずれ停止図柄「３，４，３」が大きな図柄（大図柄、第１表示態様、メイン表示）で表示されている。また、第１所定画像６７５は、特図１変動表示ゲームが停止中であることを示す記号「×」となっており、保留消化領域６４０の特図１保留表示６２０ｂ（変動中保留表示）は消えている。
【０７０８】
続いて、（カ）では、特図１変動表示ゲームが開始され、特図１変動表示ゲームと特図２変動表示ゲームが、共に実行中の状態となる。第１所定画像６７５は記号「○」となっており、第２所定画像６７６は記号「○」になっている。保留シフトによって、保留消化領域６４０に変動中保留表示として特図１保留表示６２０ｂが表示される。また、特図１保留数表示６５０で示される特図１保留数は、「３」から「２」に減少する。
【０７０９】
（カ）の特図１変動表示ゲームの開始の際に、演出制御装置３００が演出調整コマンドを受信することによって、ＳＰリーチ演出等の期待度の高い特定の演出や演出時間の長い特定の演出が実行されなくなるとともに、表示装置４１の表示画面では、表示画面の中央における「大チャンス」という大きな文字画像とその周囲の特殊な画像（斜線で示す）からなる専用背景の画像が表示される。また、専用背景の邪魔にならないように特図１変動表示ゲームは、表示画面の左端の変動表示領域６１３において、第２表示態様（サブ表示）の小さな飾り特別図柄（小図柄）で変動表示される。なお、専用背景となった場合に、保留に関係する表示である保留表示６２０ａ、６２０ｂや保留消化領域６４０の枠などを消してよい。
【０７１０】
続いて、図６４Ｂの（キ）では、特図１変動表示ゲームが終了して、表示画面の左端の変動表示領域６１３には、はずれ停止図柄「８，３，５」が小さな図柄（小図柄、第２表示態様、サブ表示）で表示されている。また、第１所定画像６７５は記号「×」となっており、保留消化領域６４０の特図１保留表示６２０ｂは消えている。
【０７１１】
次に、（ク）では、特図１変動表示ゲームが開始され、特図１変動表示ゲームと特図２変動表示ゲームが、共に実行中（変動中）の状態となる。第１所定画像６７５は記号「○」となっており、第２所定画像６７６は記号「○」になっている。保留シフトによって、保留消化領域６４０に変動中保留表示として特図１保留表示６２０ｂが表示される。また、特図１保留数表示６５０で示される特図１保留数は、「２」から「１」に減少する。特図１変動表示ゲームの開始の際に、演出制御装置３００が演出調整コマンドを受信することによって、継続して、ＳＰリーチ演出等の期待度の高い特定の演出や演出時間の長い特定の演出が実行されないとともに専用背景が表示される。また、特図１変動表示ゲームは、表示画面の左端の変動表示領域６１３において小さな飾り特別図柄（小図柄）で変動表示される。
【０７１２】
続いて、（ケ）は、図６３（ａ）の時間Ｔ２における表示画面に相当する。ここで、特図２変動表示ゲームが大当り結果（イレギュラー大当り）で終了して、表示画面の右端部の変動表示領域６１５において、小さな図柄で大当り停止図柄「５，５，５」が表示される。なお、大当り停止図柄として、「○，○，○」などと表示されてもよい。また、特図１変動表示ゲームがはずれ結果で強制的に終了して、表示画面の左端の変動表示領域６１３には、はずれ停止図柄「７，４，９」が小さな図柄で表示されている。また、第１所定画像６７５と第２所定画像６７６は記号「×」となっており、保留消化領域６４０の特図１保留表示６２０ｂは消えている。
【０７１３】
次に、（コ）は、図６３（ａ）の時間Ｔ３における表示画面に相当する。ここで、演出制御装置３００での大当りファンファーレコマンドの受信に対応して、表示画面において、「大チャンス」という文字画像等の専用背景の画像が、全画面での大きな右打ち指示表示６５７（右打ち表示）の画像に切り換えられる。その後、大当りファンファーレ時間とゲート通過の待ち時間が経過する。
【０７１４】
次に、（サ）は、図６３（ａ）の時間Ｔ５における表示画面に相当する。ここで、演出制御装置３００でのラウンドコマンドの受信に対応して、全画面での大きな右打ち指示表示６５７（右打ち表示）の画像が、全画面での大当りのラウンド演出の画像（動画）に切り換えられる。
【０７１５】
以上のように、通常遊技状態において、大当り結果（第１特別結果）となる特図２変動表示ゲーム（従変動表示ゲーム）が変動中であり且つ特図２変動表示ゲームの残りの変動時間が所定時間以下である場合に、各特図１変動表示ゲーム（主変動表示ゲーム）が開始する際に演出調整コマンド（所定の情報）が演出制御装置３００に送信される。そして、演出制御装置３００は、受信した演出調整コマンド（所定の情報）に対応して、通常よりも期待度が高い演出又は通常よりも長時間の演出である特定の演出（ＳＰリーチや擬似連続演出等）を実行しないように設定する。これにより、図６４Ａ（カ）から図６４Ｂ（ク）において、各特図１変動表示ゲーム（主変動表示ゲーム）に関連する期待度が高い演出中又は長時間の演出が実行されないため、特図２変動表示ゲームが突然イレギュラー大当りとなって遊技者が驚くような事態を防止できる。
【０７１６】
また、図６４Ａ（カ）から図６４Ｂ（ク）の専用背景の表示によって、イレギュラー大当りを報知できる。さらに、専用背景が特図２変動表示ゲームの開始（図６４Ａ（ア）よりも前）から相当の時間を経過してから表示されるため、遊技者がイレギュラー大当りを認識するのが特図２変動表示ゲームの開始よりも大幅に遅れる。これにより、特図２変動表示ゲームの開始直後から遊技者が遊技球の打ち出しを止めてしまうことを防止でき、また、特図２変動表示ゲームの開始から相当な時間の間、遊技の興趣を継続させることができる。
【０７１７】
〔画面遷移１（ｉｉ）〕
図６５Ａと図６５Ｂは、表示装置４１の表示画面を時系列で示した画面遷移図の一例であり、通常遊技状態（特図低確率且つ時短なし）での客待ち中からイレギュラー大当りが発生する場合を示す。図６５Ａと図６５Ｂは、それぞれ、図６３（ｂ）と図６３（ｃ）に対応するものである。
【０７１８】
図６５Ａの（タ）では、表示画面においてデモムービーの表示等の客待ちデモが実行されている。第１所定画像６７５は、特図１変動表示ゲームが停止中であることを示す記号「×」となっており、第２所定画像６７６は、特図２変動表示ゲームが実行中（変動中）であることを示す記号「○」になっている。特図１保留数表示６５０は、現在の特図１保留の数「０」を表示し、特図２保留数表示６６０は、現在の特図２保留の数「１」を表示する。なお、本実施形態において、特図２変動表示ゲーム（従変動表示ゲーム）が変動中であっても、特図１変動表示ゲーム（主変動表示ゲーム）が実行されず特図１保留数が０であれば、客待ち状態となる。また、従変動表示ゲームである飾り特図２変動表示ゲームを表示装置４１（変動表示領域６１５）で表示しない構成も可能である。
【０７１９】
次に、（チ）は、図６３（ｂ）の時間Ｔ２における表示画面に相当し、特図２変動表示ゲーム（従変動表示ゲーム）が終了して、大当りの停止図柄「５，５，５」が表示されている。なお、大当り停止図柄として、「○，○，○」などと表示されてもよい。
【０７２０】
次に、（ツ）は、図６３（ｂ）の時間Ｔ３における表示画面に相当し、表示画面において客待ちデモが終了して、図６４Ｂ（コ）の大きな右打ち指示表示６５７とは異なって、表示画面の右上隅で目立たないように小さな右打ち指示表示６５８が表示される。これにより、無関係な者（遊技場内を歩行中の者など）が遊技機１０で大当りが発生していることに気付かないようにしている。なお、遊技機１０が無人状態ではなく遊技者が着座している場合に、この遊技者が気付く大きさで右打ち指示表示６５８が表示される。
【０７２１】
次に、（テ）は、図６３（ｂ）の時間Ｔ５における表示画面に相当し、大当りのラウンド演出が開始されている。なお、大当りのラウンド演出は、図６４Ｂの（サ）とは異なり、表示画面の所定の領域４１ａ内で目立たないように小さく表示されている。これによって、無関係な者（遊技場内を歩行中の者など）が遊技機１０で大当りが発生していることに気付かないようにしている。なお、図６４Ｂの（サ）と同様に、全画面で大当りのラウンド演出を表示してもよい。
【０７２２】
図６５Ｂの（タ）から（ツ）は、図６５Ａの（タ）から（ツ）と同じであるが、図６５Ｂの（ツ’）では、図６３（ｃ）の時間Ｔａに対応して、特図１保留の発生（始動入賞口３６への入賞）に伴って、小さく表示されていた右打ち指示表示６５８（縮小右打ち表示）を、全画面での大きな右打ち指示表示６５７（右打ち表示）に切り換わる。これによって、特図１保留を発生させた遊技者に目立つように右打ちを示唆している。
【０７２３】
その後、図６５Ｂの（テ’）では、図６３（ｃ）の時間Ｔ５に対応し、図６４Ｂの（サ）と同様に、全画面で大当りのラウンド演出が表示されている。従って、特図１保留を発生させた遊技者に目立つようにラウンド演出が表示されている。
【０７２４】
〔時短状態又は確変状態からイレギュラー大当りが発生する場合の演出例〕
図６６は、前述の遊技制御と演出制御により実現される演出例を、時短状態又は確変状態（小当りラッシュ状態）からイレギュラー大当りが発生する場合について示すタイムチャートである。
【０７２５】
図６６（ａ）は、図６２の一部に対応するが、イレギュラー大当りとなる特図１変動表示ゲームの変動中に、特図２変動表示ゲームが複数回実行される。本実施形態において、特図２変動表示ゲーム（主変動表示ゲーム）の飾り特別図柄（識別情報）は、表示装置４１の表示画面の中央において大さな図柄（大図柄）で表示される。一方、特図１変動表示ゲーム（従変動表示ゲーム）の飾り特別図柄は、表示装置４１の表示画面の端において小さな図柄（小図柄）で表示されるが、特図１変動表示ゲームを表示しない構成も可能である。
【０７２６】
なお、時短状態又は確変状態であるため、イレギュラー大当りとなる特図１変動表示ゲームの開始時に可動役物の動作は禁止され、動作中の可動役物は初期位置に戻されている（Ｂ２０５３）。
【０７２７】
イレギュラー大当りとなる特図１変動表示ゲームの開始から終了まで、各特図２変動表示ゲームの開始時に、演出調整コマンド（Ａ３６２１ｂ）と変動コマンド（Ａ５０１２、Ａ５０１３）の両方が遊技制御装置１００から演出制御装置３００に送信される。一方、イレギュラー大当りとなる特図１変動表示ゲームの開始以前において、各特図２変動表示ゲームの開始時に、変動コマンドは送信されるが、演出調整コマンドは送信されない。
【０７２８】
イレギュラー大当りとなる特図１変動表示ゲーム（従変動表示ゲーム）の開始以前において、演出調整コマンドを受信しないため（Ａ３６２０ｂの結果が「Ｎ」、Ｂ２０４２の結果が「Ｎ」）、演出制御装置３００は、図柄種別（はずれ図柄や、小当り図柄や、大当り図柄など）に応じて、表示装置４１における飾り特図２変動表示ゲームの停止図柄を設定する（Ｂ２０４４）。
【０７２９】
しかし、イレギュラー大当りとなる特図１変動表示ゲーム（従変動表示ゲーム）の開始後において、演出制御装置３００は、特図２変動表示ゲーム（主変動表示ゲーム）の開始の際に演出調整コマンドを受信する（Ａ３６２０ｂの結果が「Ｙ」、Ｂ２０４２の結果が「Ｙ」）。このため、演出制御装置３００は、たとえ一括表示装置５０の第２特図変動表示部５２で実行される特図２変動表示ゲームの結果が小当り結果で大入賞口が開放されても、表示装置４１における演出上の飾り特図２変動表示ゲームの停止図柄をはずれ図柄（小当り結果に対応しない図柄）に設定する（Ｂ２０４３）。これにより、遊技者はイレギュラー大当りに備えることができる。
【０７３０】
その後、時間Ｔ２において、イレギュラー大当りとなる特図１変動表示ゲームが終了して大当り図柄が停止表示（大当り確定）されるとともに、特図２変動表示ゲームがはずれ図柄で強制停止される。また、時間Ｔ２において、図柄停止コマンド（飾り特図１停止コマンドと飾り特図２停止コマンド）が遊技制御装置１００から演出制御装置３００に送信される。時間Ｔ２において、特図２変動表示ゲームの飾り特別図柄は、変動中から停止表示されるが、大さなはずれ図柄（大図柄）で表示される。
【０７３１】
その後、時間Ｔ３において、大当りファンファーレコマンド（Ａ５８０９）が遊技制御装置１００から演出制御装置３００に送信されるとともに、大当りファンファーレ時間（Ａ５８１３）が開始する。また、時間Ｔ３において、演出制御装置３００は、大当りファンファーレコマンドの受信によって、表示装置４１の表示画面において、大当りファンファーレ演出を表示するとともに、全画面で大きな右打ち指示表示６５７を表示する（Ｂ２３０６）。
【０７３２】
その後、時間Ｔ４において、大当りファンファーレ時間が経過して大当りファンファーレ演出が終了するが、右打ちによって遊技球が普図始動ゲート３４（所謂ドキドキゲート）を通過するまでゲート通過の待ち時間となり、大当り状態（大入賞口の開放（ラウンド））は開始しない（Ａ６００３の結果が「Ｎ」）。これにより、遊技者の意思と関係なく、大当り状態になることが防止されている。なお、大当りファンファーレ時間中に右打ちによって遊技球が普図始動ゲート３４を通過した場合には、大当りファンファーレ時間が経過した時点で大当り状態になる（ゲート通過の待ち時間＝０）。
【０７３３】
その後、時間Ｔ５において、遊技者が右打ちを開始することによって遊技球が普図始動ゲート３４を通過すると、大当りラウンドが開始して大入賞口が開放される（Ａ６００４−Ａ６０２７）。また、時間Ｔ５において、ラウンドコマンド（Ａ６０１１）が遊技制御装置１００から演出制御装置３００に送信され、ラウンドコマンドを受信した演出制御装置３００は、全画面で、大きな右打ち指示表示６５７に代えて大当りのラウンド演出を開始する。
【０７３４】
図６６（ｂ）は、イレギュラー大当りとなる特図１変動表示ゲーム（従変動表示ゲーム）の変動中に客待ち状態となっている場合を例示する。即ち、イレギュラー大当りの結果が確定表示される時間Ｔ２より前において、特図１変動表示ゲーム（従変動表示ゲーム）の変動中に、特図２変動表示ゲーム（主変動表示ゲーム）が実行されないとともに、特図２保留数が０である。このため、特図１変動表示ゲームの変動中でも客待ち状態となっており、表示装置４１の表示画面において、デモムービーの表示等の客待ちデモが実行されている（Ａ３５１４、Ｂ１３０８）。なお、客待ち状態になる前が特図２変動表示ゲームの大当り状態である場合には、客待ちデモとして、大当りの飾り特別図柄（「３，３，３」等の数字が３つ揃ったもの）が表示されてもよい。時間Ｔ２を経過しても時刻Ｔ３まで、客待ち状態に変化はない。
【０７３５】
なお、本実施形態では、従変動表示ゲーム（ここでは特図１変動表示ゲーム）が実行されていても、主変動表示ゲーム（ここでは特図２変動表示ゲーム）が変動中でなく、且つ、主変動表示ゲームに関する保留数（特図２保留数）が０であれば、客待ち状態となる（図１７のＡ３５０１、Ａ３５０２、Ａ３５１２）。
【０７３６】
時刻Ｔ３において、大当りファンファーレコマンドが遊技制御装置１００から演出制御装置３００に送信される。演出制御装置３００は、大当りファンファーレコマンドの受信によって、表示装置４１の表示画面において客待ちデモを終了して、表示装置４１の表示画面において、ファンファーレ演出を表示するとともに、全画面で大きな右打ち指示表示６５７を表示する（Ｂ２３０６）。
【０７３７】
その後、時間Ｔ３以降において、図６３（ａ）の場合と同じ演出が実行される。
【０７３８】
図６６（ｂ）の例では、時短状態又は確変状態における客待ち中において、遊技者が遊技機１０の近傍にいる可能性が高いため、時間Ｔ３から時間Ｔ５まで目立つように大きな右打ち指示表示６５７を表示装置４１に表示する。
【０７３９】
図６６（ｃ）も、図６６（ｂ）と同様に、イレギュラー大当りとなる特図１変動表示ゲーム（従変動表示ゲーム）の変動中に客待ち状態となっている場合を例示するが、大当りファンファーレコマンド送信からラウンドコマンド送信までの期間である時間Ｔ３と時間Ｔ５の間で、時間Ｔａにおいて、普通変動入賞装置３７への入賞によって特図２保留（第２始動記憶、特図２始動記憶）が発生している。なお、時間Ｔ３と時間Ｔ５の間で特図２保留が発生しても、大当り状態となるため特図２変動表示ゲームは開始しない。時短状態又は確変状態における客待ち中は、既に右打ちすべき状態であるため、図６３（ｃ）とは異なって、時間Ｔａにおいて、遊技制御装置１００から右打ち指示報知コマンドは送信されず、時間Ｔ３以降、図６３（ｂ）の場合と同じ演出が実行される。
【０７４０】
〔画面遷移２（ｉ）〕
図６７Ａ、図６７Ｂ、及び、図６７Ｃは、表示装置４１の表示画面を時系列で示した画面遷移図の一例であり、時短状態又は確変状態からイレギュラー大当りが発生する場合を示す。図６７Ａ、図６７Ｂ、及び、図６７Ｃは、図６６（ａ）の一部に対応するものである。
【０７４１】
図６７Ａの（あ）は、時短状態又は確変状態で主変動表示ゲームとなる特図２変動表示ゲーム（飾り特図２変動表示ゲーム）を開始する直前の表示画面である。表示画面の中央部の変動表示領域６１０には、前回の特図２変動表示ゲームのはずれ停止図柄「３，４，６」が大きく表示されている。表示画面の左端部の変動表示領域６１３において、時短状態又は確変状態で従変動表示ゲームとなる特図１変動表示ゲーム（飾り特図１変動表示ゲーム）が変動表示されている。ここで変動中の特図１変動表示ゲームは、後にはずれ結果が表示されるものである。なお、表示装置４１において、従変動表示ゲーム（ここでは特図１変動表示ゲーム）の変動とはずれ結果を表示せず、大当り結果（大当り図柄）のみを表示する構成でもよいし、また、従変動表示ゲームの変動表示を１つの飾り特別図柄だけで行ってもよい。
【０７４２】
また、（あ）では、第１所定画像６７５は、特図２変動表示ゲームが停止中であることを示す記号「×」となっており、第２所定画像６７６は、特図１変動表示ゲームが実行中（変動中）であることを示す記号「○」になっている。表示画面の第２表示部６３０において、特図２変動表示ゲーム（主変動表示ゲーム）の実行権利となる特図２保留（特図２始動記憶）に対応する特図２保留表示６３０ａ（特図２始動記憶表示）が４つ表示されている。保留消化領域６４０では何も表示されていない。また、特図１保留数表示６５０は、現在の特図１保留の数「４」を表示し、特図２保留数表示６６０は、現在の特図２保留の数「４」を表示する。
【０７４３】
続いて、（い）では、主変動表示ゲームとなる特図１変動表示ゲームと従変動表示ゲームとなる特図２変動表示ゲームが、共に実行中（変動中）の状態となる。第１所定画像６７５は記号「○」となっており、第２所定画像６７６も記号「○」になっている。
【０７４４】
また、（い）では、第２表示部６３０において、各特図２保留表示６３０ａは、右隣の特図２保留表示６３０ａの表示位置に移動している（保留シフト）。さらに、第２表示部６３０の右端に位置する特図２保留表示６３０ａは、第２表示部６３０から保留消化領域６４０に移動している（保留シフト）。第２表示部６３０の特図２保留表示６３０ａは、実行前の変動表示ゲームに係る始動記憶に対応する始動記憶表示（変動前保留表示６３０ａ）であるのに対して、保留消化領域６４０の特図２保留表示６３０ｂは、実行中の変動表示ゲームに係る始動記憶に対応する始動記憶表示（変動中保留表示）である。また、特図１保留数表示６５０は、現在の特図１保留の数「４」を表示し、特図２保留数表示６６０は、現在の特図２保留の数「３」を表示する。
【０７４５】
主変動表示ゲームとなる特図２変動表示ゲームは、第１表示態様（大図柄）でメイン表示として表示画面の中央部で大きく表示され、従変動表示ゲームとなる特図１変動表示ゲームは、第２表示態様（小図柄）でサブ表示として表示画面の左端部の変動表示領域６１３において小さく表示される。
【０７４６】
その後、（う）では、主変動表示ゲームとなる特図２変動表示ゲームの結果が小当り結果となり、小当り図柄（小当り停止図柄）「１，２，３」が導出され、表示画面の上部で大図柄として大きく表示される。ここでの小当りは正常小当りである。なお、主変動表示ゲームである特図２変動表示ゲームの結果が小当り結果となることによって、従変動表示ゲームである特図１変動表示ゲームが中断する（特図１ゲーム処理タイマの更新が停止する）。しかし、表示画面の左端部の変動表示領域６１３において、飾り特図１変動表示ゲームの変動自体は見かけ上継続する。
【０７４７】
また、（う）では、小当りファンファーレ演出が表示画面の中央部で実行される。小当りファンファーレ演出の一部として、文字表示で「小当りおめでとう」と、小当りの発生を祝福して報知する祝福演出が実行される。また、小当りファンファーレ演出として、小当り状態に対応する演出モードとして「虎モード」に突入することが「虎モード突入」と報知される。そして、小当り状態であるため、右打ちを遊技者に推奨するために、中間の大きさの右打ち指示表示６５９が表示画面の右上で表示される。
【０７４８】
なお、第１所定画像６７５は、特図１変動表示ゲームが中断中であることを示す記号「△」となっており、第２所定画像６７６は、特図２変動表示ゲームは停止中であることを示す記号「×」になっている。保留消化領域６４０では何も表示されていない。
【０７４９】
続いて、（え）では、小当り中演出が表示画面の中央部でキャラクタ表示などによって実行される。小当り中演出は、演出モード「虎モード」に対応する演出となる。また、図示されていないが、小当り状態の最後に小当りエンディング演出が実行されてもよい。
【０７５０】
その後、（お）では、小当り状態が終了し、第２表示部６３０において保留シフトが実行され、主変動表示ゲームである飾り特図２変動表示ゲームが、メイン表示によって変動表示領域６１０で開始する。また、従変動表示ゲームである特図１変動表示ゲームが再開する（特図１ゲーム処理タイマの更新が再開する）が、表示画面の左端部の変動表示領域６１３では、中断中も変動自体は見かけ上継続するため変化はない。
【０７５１】
また、（お）では、第１所定画像６７５は記号「○」となっており、第２所定画像６７６も記号「○」になっている。特図１保留数表示６５０は、現在の特図１保留の数「４」を表示し、特図２保留数表示６６０は、現在の特図２保留の数「２」を表示する。
【０７５２】
その後、（か）では、変動表示領域６１３において、特図１変動表示ゲームがはずれ図柄「９，５，２」で停止表示される。第１所定画像６７５は、特図１変動表示ゲームが停止中であることを示す記号「×」になっている。しかし、特図２変動表示ゲームは、特図１変動表示ゲームのはずれ結果では影響を受けないため、表示画面の中央部の変動表示領域６１０においてそのまま変動している。
【０７５３】
続いて、（き）では、イレギュラー大当りとなる特図１変動表示ゲームが変動表示領域６１３において開始されている。ここで、第１所定画像６７５は、特図１変動表示ゲームが実行中であることを示す記号「○」に変化し、特図１保留数表示６５０は、「４」から「３」に変化する。
【０７５４】
その後、（く）では、特図２変動表示ゲームははずれ結果となって、変動表示領域６１０においてはずれ図柄「７，９，２」で停止する。特図２変動表示ゲームは停止中であることを示す記号「×」になっている。保留消化領域６４０では何も表示されていない。なお、この特図２変動表示ゲームは、イレギュラー大当りとなる特図１変動表示ゲームの実行前に開始したものであり、開始時の演出調整コマンドが送信されておらず、仮に小当りとなる場合には、通常通り、飾り特図２変動表示ゲームは小当り図柄で停止して、小当りファンファーレ演出や小当り中演出などの小当り演出が実行される。
【０７５５】
続いて、（け）では、保留シフトが実行され、主変動表示ゲームである特図２変動表示ゲームが、メイン表示によって変動表示領域６１０で開始する。また、第２所定画像６７６は、特図２変動表示ゲームが実行中であることを示す記号「○」に変化し、特図２保留数表示６６０は、「２」から「１」に変化する。ここで、イレギュラー大当りとなる特図１変動表示ゲームの開始後に特図２変動表示ゲームが開始するため、演出調整コマンドが遊技制御装置１００から演出制御装置３００に送信される。
【０７５６】
その後、（こ）では、主変動表示ゲームである特図２変動表示ゲームが小当り結果となり大入賞口が開放される。本実施形態では、表示画面の右上隅で目立たないように小さな右打ち指示表示６５８が表示されるが、表示されなくてもよい。（こ）では、図６７Ａの（う）における特図１変動表示ゲームのはずれ変動中とは異なり、大当り結果となる特図１変動表示ゲームの変動中であるため、演出調整コマンドによって、演出上の変動表示ゲームである飾り特図２変動表示ゲームは、小当り図柄「１，２，３」ではなく、はずれ図柄「３，６，８」で停止する（表示装置４１では小当り図柄で停止しない）。なお、一括表示装置５０の第２特図変動表示部５２では、特図２変動表示ゲームは小当り図柄で停止表示されている。また、ここで、小当り結果に対応しない図柄であれば、はずれ図柄「３，６，８」ではなく特殊図柄（例えば「？，？，？」）を表示装置４１で表示してもよい。
【０７５７】
なお、特図２変動表示ゲームの結果が小当り結果となることによって、特図１変動表示ゲームが中断する（特図１ゲーム処理タイマの更新が停止する）。しかし、表示画面の左端部の変動表示領域６１３において、飾り特図１変動表示ゲームの変動自体は見かけ上継続する。なお、第１所定画像６７５は、特図１変動表示ゲームが中断中であることを示す記号「△」となっており、第２所定画像６７６は、特図２変動表示ゲームは停止中であることを示す記号「×」になっている。保留消化領域６４０では何も表示されていない。
【０７５８】
次に、（さ）では、保留シフトが実行され、主変動表示ゲームである特図２変動表示ゲームが、メイン表示によって変動表示領域６１０で開始する。また、第１所定画像６７５は、特図１変動表示ゲームが実行中であることを示す記号「○」に変化し、特図２保留数表示６６０は、「１」から「０」に変化する。
【０７５９】
その後、（し）では、特図１変動表示ゲームが大当り結果（イレギュラー大当り）で終了して、表示画面の左端部の変動表示領域６１３において、小さな図柄（小図柄、第２表示態様、サブ表示）で大当り停止図柄「７，７，７」が表示される。なお、大当り停止図柄として、「○，○，○」が表示されてもよい。また、特図２変動表示ゲームがはずれ結果で強制的に終了して、表示画面の中央の変動表示領域６１０には、はずれ停止図柄「２，４，９」が大きな図柄（大図柄、第１表示態様、メイン表示）で表示されている。また、第１所定画像６７５と第２所定画像６７６は記号「×」となっており、保留消化領域６４０の特図１保留表示６３０ｂ（変動中保留表示）は消えている。
【０７６０】
次に、（す）は、図６６（ａ）の時間Ｔ３に対応し、演出制御装置３００での大当りファンファーレコマンドの受信に対応して、表示画面において、全画面での大きな右打ち指示表示６５７が表示されるともに、大当りファンファーレ演出を表示する。例えば、大当りファンファーレ演出として、文字画像「ボーナス」が表示される。
【０７６１】
その後、（せ）は、図６６（ａ）の時間Ｔ４に対応し、大当りファンファーレ時間が経過した後に、大当りファンファーレ演出が終了して、表示画面において、全画面での大きな右打ち指示表示６５７だけが表示されている。
【０７６２】
続いて、（そ）は、図６６（ａ）の時間Ｔ５に対応し、大当りファンファーレ時間とゲート通過の待ち時間が経過した後、演出制御装置３００でのラウンドコマンドの受信に対応して、全画面で、大当りのラウンド演出の画像（動画）が表示されている。
【０７６３】
以上のように、時短状態又は確変状態において、大当り結果（第１特別結果）となる特図１変動表示ゲーム（従変動表示ゲーム）が変動中である場合に、各特図２変動表示ゲーム（主変動表示ゲーム）が開始する際に演出調整コマンド（所定の情報）が演出制御装置３００に送信される。そして、図６７Ｂの（こ）のように、演出制御装置３００は、受信した演出調整コマンド（所定の情報）に対応して、特図２変動表示ゲーム（主変動表示ゲーム）の結果が小当り結果（第２特別結果）で大入賞口が開放されても、表示装置４１における演出上の飾り特図２変動表示ゲームの停止図柄をはずれ図柄に設定する。
【０７６４】
このように、特図２変動表示ゲームの結果が小当りで大入賞口が開放されても、表示装置４１に小当り図柄を停止しない（小当り結果に対応しない図柄を停止する）ことによって、遊技者に違和感を与え、イレギュラー大当りによって時短状態や確変状態（小当りラッシュ状態）が終了することを事前に報知することができる。従って、遊技者は、イレギュラー大当りによって特図２変動表示ゲームがはずれ図柄で強制停止されることに驚かず、イレギュラー大当りによる遊技の興趣の低下も防止できる。
【０７６５】
〔画面遷移２（ｉｉ）〕
図６８は、表示装置４１の表示画面を時系列で示した画面遷移図の一例であり、時短状態又は確変状態での客待ち中からイレギュラー大当りが発生する場合を示す。図６８は、それぞれ、図６６（ｂ）と図６６（ｃ）に対応するものである。
【０７６６】
図６８の（た）では、表示画面においてデモムービーの表示等の客待ちデモが実行されている。特図１変動表示ゲームが、表示画面の左端部の変動表示領域６１３において変動中である。第１所定画像６７５は、特図１変動表示ゲームが実行中（変動中）であることを示す記号「○」になっており、第２所定画像６７６は、特図２変動表示ゲームが停止中であることを示す記号「×」となっている。特図１保留数表示６５０は、現在の特図１保留の数「１」を表示し、特図２保留数表示６６０は、現在の特図２保留の数「０」を表示する。なお、本実施形態において、特図１変動表示ゲーム（従変動表示ゲーム）が変動中であっても、特図２変動表示ゲーム（主変動表示ゲーム）が実行されず特図２保留数が０であれば、客待ち状態となる。
【０７６７】
次に、（ち）は、図６６（ｂ）の時間Ｔ２における表示画面に相当し、特図１変動表示ゲーム（従変動表示ゲーム）が終了して、変動表示領域６１３において大当りの停止図柄「５，５，５」が表示されている。
【０７６８】
次に、（つ）は、図６６（ｂ）の時間Ｔ３における表示画面に相当し、表示画面において客待ちデモが終了して、表示装置４１の表示画面において、大当りファンファーレ演出（「ボーナス」の文字表示）を表示するとともに、全画面で大きな右打ち指示表示６５７を表示する。なお、時短状態又は確変状態では客待ち中においても、遊技機１０が無人状態ではなく遊技者が遊技機１０の近傍にいる可能性が高いため、目立つように大きな態様（第２態様）での右打ち指示表示６５７を表示装置４１に表示する。一方、前述のように、通常遊技状態では客待ち中において、遊技機１０が無人状態である可能性が高いため、無関係の者が大当りのラウンド遊技を行うことを防止するために、右打ち指示表示６５７よりも小さな態様（第１態様）での右打ち指示表示６５８を目立たないように表示装置４１に表示する。
【０７６９】
次に、（て）は、図６６（ｂ）の時間Ｔ４における表示画面に相当し、大当りファンファーレ時間が経過した後に、大当りファンファーレ演出が終了して、表示画面において、全画面での大きな右打ち指示表示６５７だけが表示されている。
【０７７０】
次に、（と）は、図６３（ｂ）の時間Ｔ５における表示画面に相当し、遊技機１０が無人状態ではない可能性が高く、全画面で大当りのラウンド演出が開始されている。
【０７７１】
なお、図６８の（つ）から（と）において、時間Ｔ３と時間Ｔ５の間の時間Ｔａにおいて、普通変動入賞装置３７への入賞によって特図２保留（第２始動記憶、特図２始動記憶）が発生しても、表示画面での演出は同じである。
【０７７２】
このように、客待ち中（客待ち状態）からイレギュラー大当りとなった場合に、遊技状態の変化に伴って所定の表示（右打ち指示表示）を表示装置４１に表示するが、図６８（つ）の時短状態又は確変状態（第２遊技状態）からのイレギュラー大当りと、図６５Ｂ（ツ）の通常遊技状態（第１遊技状態）からのイレギュラー大当りとで、異なる態様で所定の表示が表示される。即ち、時短状態又は確変状態（第２遊技状態）では、目立つ第２態様で所定の表示（右打ち指示表示）がされ、通常遊技状態（第１遊技状態）では目立たない第１態様で所定の表示（右打ち指示表示）がされる。なお、図６５Ｂ（ツ）でも大当りファンファーレ演出を実行して、所定の表示として大当りファンファーレ演出を図６８（つ）とは異なる態様（目立たない小さな態様）で表示してもよい。なお、目立たない第１態様として、小さい態様だけでなく、半透明な態様や淡い態様としてもよく、目立つ第２態様として、大きな態様だけでなく、透明でない態様や濃い態様としてもよい。
【０７７３】
以上のように第１実施形態を説明したが、演出調整コマンドを受信した際の演出制御装置３００の処理が、通常遊技状態の場合と、時短状態又は確変状態の場合とで異なる場合に限らず、同一の処理を実行したり、通常遊技状態の場合の処理と時短状態又は確変状態の場合の処理を上記説明したものから入れ替えたり、適宜変更することもできる。
【０７７４】
[第１実施形態の作用・効果]
第１実施形態において、遊技機１０は、主始動領域への遊技球の入球、又は、当該主始動領域と異なる従始動領域への遊技球の入球に基づいて、識別情報を変動表示させる変動表示ゲームを実行可能な遊技制御手段（遊技制御装置１００）と、変動表示ゲームに関連する演出を制御可能な演出制御手段（演出制御装置３００）と、を備え、変動表示ゲームの結果が特別結果となる場合に、遊技者に有利な特別遊技状態を発生可能である。遊技制御手段（遊技制御装置１００）は、主始動領域への遊技球の入球に基づいて実行される主変動表示ゲームと、従始動領域への遊技球の入球に基づいて実行される従変動表示ゲームを共に変動中の状態とすることが可能であり、従変動表示ゲームが特別結果（大当り結果）となった場合に、主変動表示ゲームを強制的に終了させる。遊技制御手段（遊技制御装置１００）は、特別結果（大当り）となる従変動表示ゲームが変動中であり且つ残りの変動時間が所定時間以内である場合に、主変動表示ゲームが開始する際に所定の情報（例えば演出調整コマンド）を演出制御手段に送信する。演出制御手段（演出制御装置３００）は、所定の情報を受信した場合に、特定の演出（ＳＰリーチ等、通常よりも期待度が高い又は長時間の演出）を実行しないように設定する。
【０７７５】
従って、従変動表示ゲームの特別結果（イレギュラー大当り）によって、特定の演出の途中で主変動表示ゲームが突然に強制的に終了して遊技の興趣が低下することが防止できる。また、遊技制御手段（遊技制御装置１００）は、従変動表示ゲームの残りの変動時間が所定時間以内になるまで、所定の情報（例えば演出調整コマンド）を演出制御手段に送信しないため、従変動表示ゲームの特別結果（イレギュラー大当り）を遊技者が認識するのが従変動表示ゲームの開始から大幅に遅れて、遊技の興趣の低下を防止できる。
【０７７６】
第１実施形態において、所定時間が、主変動表示ゲームの最長の変動時間よりも長くてよい。このようにすれば、特定の演出（例えばＳＰリーチ演出）を他の演出（例えばＮリーチ演出やリーチなし演出）に差し替えるための時間を確保することができる。
【０７７７】
第１実施形態において、演出制御手段（演出制御装置３００）は、所定の情報を受信した場合に、特定の演出を実行しないように設定するとともに、表示装置４１において所定の画像（例えば背景画像）を表示してよい。このようにすれば、従変動表示ゲームの大当り（イレギュラー大当り）を報知（予告）することができる。
【０７７８】
第１実施形態において、遊技機１０は、第１始動領域（例えば始動入賞口３６）と、当該第１始動領域と異なる第２始動領域（例えば普通変動入賞装置３７）と、を備える。遊技制御手段（遊技制御装置１００）は、第１始動領域への遊技球の入球が推奨され、第１始動領域が主始動領域となるとともに、第２始動領域が従始動領域となる第１遊技状態（通常遊技状態）と、第２始動領域への遊技球の入球が推奨され、第２始動領域が主領域となるとともに、第１始動領域が従領域となる第２遊技状態（時短状態又は確変状態）と、を発生可能である。遊技制御手段（遊技制御装置１００）は、第１遊技状態（通常遊技状態）において、特別結果（大当り）となる従変動表示ゲーム（特図２変動表示ゲーム）が変動中であり且つ残りの変動時間が所定時間以内である場合に、主変動表示ゲーム（特図１変動表示ゲーム）が開始する際に所定の情報（例えば演出調整コマンド）を演出制御手段（演出制御装置３００）に送信する。
【０７７９】
従って、従変動表示ゲーム（特図２変動表示ゲーム）が長変動となる第１遊技状態（通常遊技状態）で、遊技制御手段（遊技制御装置１００）は、従変動表示ゲームの残りの変動時間が所定時間以内になるまで、所定の情報（例えば演出調整コマンド）を演出制御手段に送信しないため、遊技者が従変動表示ゲームの大当り（イレギュラー大当り）を認識するのが大幅に遅くなり、遊技の興趣の低下を防止できる。
【０７８０】
第１実施形態において、遊技制御手段（遊技制御装置１００）は、主始動領域への遊技球の入球に基づいて実行される主変動表示ゲームと、従始動領域への遊技球の入球に基づいて実行される従変動表示ゲームを共に変動中の状態とすることが可能であり、従変動表示ゲームが第１特別結果（大当り結果）となった場合に、主変動表示ゲームを強制的に終了させる。遊技制御手段（遊技制御装置１００）は、第１特別結果（大当り結果）となる従変動表示ゲームが変動中である場合に、主変動表示ゲームが開始する際に所定の情報（例えば演出調整コマンド）を演出制御手段（演出制御装置３００）に送信する。演出制御手段（演出制御装置３００）は、主変動表示ゲームに対応する飾り変動表示ゲームを演出として表示装置４１に表示可能であり、所定の情報を受信した後に、主変動表示ゲームが第２特別結果（小当り結果）となったとしても、飾り変動表示ゲームの結果として第２特別結果（小当り結果）に対応しない結果（はずれ結果等）を表示装置４１に表示する。
【０７８１】
このように、従変動表示ゲームが第１特別結果（イレギュラー大当り結果）となる前に、主変動表示ゲームが第２特別結果（小当り結果）となったとしても、主変動表示ゲームに対応する飾り変動表示ゲームの結果としては第２特別結果（小当り結果）を表示装置４１に表示できないようにする。従って、遊技者に違和感を与えて、従変動表示ゲームが第１特別結果（イレギュラー大当り結果）となることを事前に察知させて、イレギュラー大当り結果で遊技者を驚かす事態を防止でき、遊技の興趣の低下も防止できる。
【０７８２】
第１実施形態において、第２遊技状態（時短状態又は確変状態）において、第１特別結果（イレギュラー大当り結果）となる従変動表示ゲームが変動中である場合に、主変動表示ゲームが開始する際に所定の情報を演出制御手段（演出制御装置３００）に送信してよい。このようにすれば、第２遊技状態（時短状態又は確変状態）において、従変動表示ゲームが第１特別結果（イレギュラー大当り結果）となって第２遊技状態（時短状態又は確変状態）が終了することを、遊技者に事前に察知させることができる。
【０７８３】
第１実施形態において、特別結果となる従変動表示ゲームが変動中である場合に、主変動表示ゲームが開始する際に所定の情報（演出調整コマンド）を演出制御手段（演出制御装置３００）に送信可能であり、演出制御手段（演出制御装置３００）は、所定の情報を受信した場合に、特定の演出（例えばＳＰリーチ演出や、主変動表示ゲームに対応する飾り変動表示ゲームの小当り結果の表示）を実行しないように設定する。従って、遊技者を驚かす事態を防止でき、遊技の興趣の低下も防止できる。
【０７８４】
第１実施形態において、遊技制御手段（遊技制御装置１００）は、特別結果（大当り）となる確率が低い第１遊技状態（通常遊技状態）と、特別結果（大当り）となる確率が第１遊技状態よりも高い第２遊技状態（時短状態又は確変状態）を発生可能である。遊技制御手段（遊技制御装置１００）は、特別結果となる従変動表示ゲームが変動中である場合に、主変動表示ゲームが開始する際に所定の情報を演出制御手段（演出制御装置３００）に送信可能である。演出制御手段（演出制御装置３００）は、同一の所定の情報（演出調整コマンド）を受信した場合に、第１遊技状態（通常遊技状態）と第２遊技状態（時短状態又は確変状態）とで異なる演出制御を実行する。
【０７８５】
従って、第１遊技状態（通常遊技状態）と第２遊技状態（時短状態又は確変状態）の両方で、適切な演出制御を実行できる。また、第１遊技状態（通常遊技状態）と第２遊技状態（時短状態又は確変状態）に対応して、所定の情報を（演出調整コマンド）を２種類設ける必要がなく、制御が簡単になるとともにコストが削減できる。
【０７８６】
第１実施形態において、演出制御手段（演出制御装置３００）は、第１遊技状態（通常遊技状態）で主変動表示ゲームが実行されていない客待ち中から、従変動表示ゲームが特別結果（大当り）となった場合に、第１態様（目立たない態様、小さな態様、半透明な態様等）で所定の表示（右打ち指示表示等）を表示装置４１に表示し、第２遊技状態（時短状態又は確変状態）で主変動表示ゲームが実行されていない客待ち中から、従変動表示ゲームが特別結果（大当り）となった場合に、第１態様と異なる第２態様（目立つ態様、大きな態様、透明でない態様等）で所定の表示（右打ち指示表示等）を表示装置４１に表示する。
【０７８７】
従って、特別結果（大当り）となる確率が低い第１遊技状態（通常遊技状態）において、客待ち中に遊技機１０の近傍で無人となり易いが、第１遊技状態（通常遊技状態）の客待ち中において特別結果（大当り）となった場合の所定の表示を、第２遊技状態（時短状態又は確変状態）の客待ち中において特別結果（大当り）となった場合とは異なる態様で表示装置４１に表示することによって、無関係の者が所定の表示に気付いて有利な特別遊技状態で遊技することを防止できる。
【０７８８】
第１実施形態において、演出制御手段（演出制御装置３００）は、主変動表示ゲームが実行されている状態から従変動表示ゲームが特別結果となった場合に、第２態様（目立つ態様、大きな態様、透明でない態様等）で所定の表示（右打ち指示表示等）を表示装置に表示する。従って、主変動表示ゲームが実行されている客待ち中でない状態から従変動表示ゲームが特別結果となった場合に、遊技機１０の近傍で遊技者は通常着座しているため、第２態様によって遊技者にわかりやすく所定の表示（右打ち指示表示等）を表示できる。
【０７８９】
［第２実施形態］
図６９から図７５を参照して第２実施形態の遊技機１０について説明する。なお、以下で述べる以外の構成は、第１実施形態と同様でよい。また、以下の実施形態では、第１実施形態と同じ機能を果たす構成には同一の符号を用い、重複する記載を適宜省略して説明する。
【０７９０】
〔ホール・遊技者設定モード処理〕
まず、図６９を参照して、前述したメイン処理（図４７）におけるホール・遊技者設定モード処理（Ｂ００１１）の詳細について説明する。図６９は、演出制御装置３００によって実行されるホール・遊技者設定モード処理の手順を示すフローチャートである。ホール・遊技者設定モード処理によって、ホール（遊技店）の係員等が遊技機１０の各種設定を行えるホール設定モード、又は、遊技者が遊技機１０の各種設定を行える遊技者設定モードを起動させることができる。
【０７９１】
演出制御装置３００は、まず、ホール設定モード中であるか否か判定する（Ｂ０４０１）。後述のホール設定モード中フラグが設定されている場合に、ホール設定モード中であると判定できる。ホール設定モード中である場合に（Ｂ０４０１の結果が「Ｙ」）、Ｂ０４０６−Ｂ０４１６の処理を行って、ホール（遊技店）の係員等による演出ボタン２５（演出ボタンスイッチ２５ａ、タッチパネル２５ｂ）の操作に基づいて、各種設定や各種調整を行う。
【０７９２】
演出制御装置３００は、ホール設定モード中でない場合に（Ｂ０４０１の結果が「Ｎ」）、遊技者設定モード中であるか否か判定する（Ｂ０４０２）。後述の遊技者設定モード中フラグが設定されている場合に、遊技者設定モード中であると判定できる。遊技者設定モード中である場合に（Ｂ０４０２の結果が「Ｙ」）、Ｂ０４２０−Ｂ０４２５の処理を行って、遊技者による演出ボタン２５の操作に基づいて各種設定や各種調整を行う。
【０７９３】
演出制御装置３００は、遊技者設定モード中でない場合に（Ｂ０４０２の結果が「Ｎ」）、ホール設定モード開始条件が成立したか否か判定する（Ｂ０４０３）。例えば、前面枠１２又はガラス枠１５が開放されているような所定の状況において、ホール設定モードに入るための演出ボタン２５の操作が操作信号として演出ボタン入力処理（Ｂ００１０）で検出された場合などに、ホール設定モード開始条件が成立したと判定できる。ホール設定モード開始条件が成立していない場合に（Ｂ０４０３の結果が「Ｎ」）、Ｂ０４１７の処理を実行する。
【０７９４】
演出制御装置３００は、ホール設定モード開始条件が成立した場合に（Ｂ０４０３の結果が「Ｙ」）、ホール設定モードにおける表示装置４１に対する画面描画（ホール設定画面の描画）を開始するための画面描画開始設定を行う（Ｂ０４０４）。そして、ホール設定モード中フラグを設定する（Ｂ０４０５）。
【０７９５】
次に、演出制御装置３００は、ホールの係員等による演出ボタン２５の操作に基づいて、上スピーカ１９ａ及び下スピーカ１９ｂの音量を調整するホール音量調整処理（Ｂ０４０６）、枠装飾装置１８や盤装飾装置４６のＬＥＤの輝度を調整するホールＬＥＤ輝度調整処理（Ｂ０４０７）、表示装置４１の表示部（液晶ディスプレイ等）の輝度を調整する液晶輝度調整処理（Ｂ０４０８）、省電力の設定を行う省電力設定処理（Ｂ０４０９）を実行する。
【０７９６】
次に、演出制御装置３００は、ロゴ役物の発行色等を設定するロゴカラー設定処理を実行する（Ｂ０４１０）。そして、設定確定操作入力があったか否か判定する（Ｂ０４１１）。演出ボタン２５の設定確定操作による操作信号が演出ボタン入力処理（Ｂ００１０）で検出された場合に、設定確定操作入力があったと判定できる。設定確定操作入力がない場合に（Ｂ０４１１の結果が「Ｎ」）、ホール・遊技者設定モード処理を終了する。
【０７９７】
演出制御装置３００は、設定確定操作入力があった場合に（Ｂ０４１１の結果が「Ｙ」）、工場出荷時の設定で確定したか否か判定する（Ｂ０４１２）。設定確定操作以外に演出ボタン２５の操作がなかった場合に、工場出荷時の設定で確定したと判定できる。工場出荷時の設定で確定しなかった場合に（Ｂ０４１２の結果が「Ｎ」）、Ｂ０４１４の処理に進む。工場出荷時の設定で確定した場合に（Ｂ０４１２の結果が「Ｙ」）、工場出荷時の設定で各種設定や各種調整を行う工場出荷時設定処理を実行する（Ｂ０４１３）。工場出荷時の設定は、ＲＯＭ３２１等のメモリに記憶されているデフォルトの設定である。次に、Ｂ０４０６−Ｂ０４１０やＢ０４１３で決定された音量や各種輝度などのホール設定データ（又はホール調整データ）をバックアップメモリ（例えばＦｅＲＡＭ３２３）に書き込む（Ｂ０４１４）。
【０７９８】
次に、演出制御装置３００は、ホール設定モードにおける表示装置４１に対する画面描画を終了するための画面描画終了設定を行う（Ｂ０４１５）。そして、ホール設定モード中フラグをクリアする（Ｂ０４１６）。
【０７９９】
演出制御装置３００は、ホール設定モード開始条件が成立していない場合に（Ｂ０４０３の結果が「Ｎ」）、遊技者設定モード開始条件が成立したか否か判定する（Ｂ０４１７）。客待ち中において、遊技者設定モードに入るための演出ボタン２５の操作が操作信号として演出ボタン入力処理（Ｂ００１０）で検出された場合などに、遊技者設定モード開始条件が成立したと判定できる。なお、客待ち中とは、例えば、表示装置４１に客待ち用の映像（客待ちデモ）が表示されるような状態である。遊技者設定モード開始条件が成立していない場合に（Ｂ０４１７の結果が「Ｎ」）、ホール・遊技者設定モード処理を終了する。
【０８００】
演出制御装置３００は、遊技者設定モード開始条件が成立した場合に（Ｂ０４１７の結果が「Ｙ」）、遊技者設定モードにおける表示装置４１に対する画面描画を開始するための画面描画開始設定を行う（Ｂ０４１８）。そして、遊技者設定モード中フラグを設定する（Ｂ０４１９）。
【０８０１】
次に、演出制御装置３００は、遊技者が遊技機の演出における報知に関するパラメータを設定するための遊技者設定選択処理（Ｂ０４２０）を実行する。遊技者設定選択処理は、図７０のような設定選択画面（メニュー画面）を表示装置４１に表示して、遊技者によって指定、選択された項目に基づいて選択画面（調整画面等）を表示する処理である。
【０８０２】
次に、演出制御装置３００は、選択画面における遊技者による演出ボタン２５の操作に基づいて、演出に関する報知を実行可能な報知手段としての上スピーカ１０ａ及び下スピーカ１０ｂの音量を調整する遊技者音量調整処理（Ｂ０４２１）、或いは、枠装飾装置１８や盤装飾装置４６において演出に関する報知を実行可能な報知手段としてのＬＥＤの輝度を調整する遊技者ＬＥＤ輝度調整処理（Ｂ０４２２）を実行する。
【０８０３】
次に、演出制御装置３００は、選択画面における遊技者による演出ボタン２５等の操作に基づいて演出をカスタマイズ（個別設定）する演出カスタマイズ処理を実行する（Ｂ０４２３）。そして、設定確定操作入力（一例として、図７１等において説明する「確定表示領域７１５ａ」が選択される）があったか否か判定する（Ｂ０４２４）。設定確定操作入力がない場合に（Ｂ０４２４の結果が「Ｎ」）、ホール・遊技者設定モード処理を終了する。設定確定操作入力があった場合に（Ｂ０４２４の結果が「Ｙ」）、遊技者設定モードにおける表示装置４１に対する画面描画を終了するための画面描画終了設定を行う（Ｂ０４２５）。そして、遊技者設定モード中フラグをクリアする（Ｂ０４２６）。なお、Ｂ０４２１−Ｂ０４２２で決定された音量や輝度などの遊技者設定データ（又は遊技者調整データ）は、消えてもよいため、バックアップメモリに書き込まない。
【０８０４】
なお、上記において、一旦ホール設定モード又は遊技者設定モードに入った後の描画更新設定（メニュー表示におけるハイライト項目の更新など)は、演出ボタン入力処理（Ｂ００１０）の方で行うものとする。
【０８０５】
〔遊技者による設定選択画面の例〕
図７０は、第２実施形態に関して、ホール・遊技者設定モード処理の遊技者設定モード中における遊技者設定選択処理（Ｂ０４２０）に伴って表示装置４１に表示される画面の一例を説明する図である。図７０に示す画面例では、表示画面の中央部に飾り特別図柄表示「３，４，３」が表示されている。変動表示ゲームにおいては、この図柄は、特図１変動表示ゲームの第１表示態様（メイン表示）に対応する。
【０８０６】
画面例では、図柄表示「３，４，３」の手前側であって、表示装置４１の中央領域に、遊技者によって設定可能な項目を表示するための、「機種紹介６３１」、「音量・輝度の調整６３２」、「実機カスタマイズ６３３」、「初心者講座６３４」、「遊技ログ６３５」の各種項目表示領域がメニュー形式で表示されている。
【０８０７】
また、図７０に示す画面例には、消化中の保留を示す保留消化領域６４０、特図１保留の数を表示するための特図１保留数表示６５０、特図２保留の数を表示するための特図２保留数表示６６０、特図１変動表示ゲームの実行状態を示す第１所定画像６７５、特図２変動表示ゲームの実行状態を示す第２所定画像６７６が表示されている。
【０８０８】
図７０の画面例において、項目表示領域の各々（「機種紹介６３１」、「音量・輝度の調整６３２」、「実機カスタマイズ６３３」、「初心者講座６３４」、「遊技ログ６３５」）は、図柄表示「３，４，３」等に重ねるように表示してよい。
【０８０９】
上述した図７０に示す設定選択画面（メニュー画面）において、遊技者は、演出ボタン２５のタッチパネル２５ｂにおいて、上下方向の指の動き（タッチ箇所の動き）によるタッチ操作を行うことで、項目（設定項目）を、「機種紹介６３１」、「音量・輝度の調整６３２」、「実機カスタマイズ６３３」、「初心者講座６３４」、「遊技ログ６３５」の順番に指定することができる。また、タッチ操作を続けることにより、項目の指定をループして行うことができる。
【０８１０】
図７０においては、タッチ操作によって、報知に関するパラメータである音量又は音域（周波数領域）、或いは、ＬＥＤ（発光部材）の輝度或いは光量の設定、すなわち、項目「音量・輝度の調整６３２」が指定されたことが示されている。図７０においては、指定された項目「音量・輝度の調整６３２」は、枠を太く示す特定表示態様で表示されている。ここで、タッチ操作によって指定された項目の特定表示態様としては、枠を太く示す強調表示のほか、例えば、選択された項目を明るく表示するハイライト表示や、選択された項目のサイズを大きくする拡大表示としてもよい。
【０８１１】
本実施形態では、タッチパネル２５ｂの中央部にタッチすることによって、指定された項目の選択を確定することができる。すなわち、本実施形態において、表示装置４１及び演出ボタン２５は、設定手段を構成する。
【０８１２】
上述のように、第２実施形態において、遊技者は、演出ボタン２５のタッチパネル２５ｂにより、「機種紹介６３１」、「音量・輝度の調整６３２」、「実機カスタマイズ６３３」、「初心者講座６３４」、「遊技ログ６３５」から、音量・輝度等のパラメータを調整するための「音量・輝度の調整６３２」などの所望の項目を指定することができる。例えば、「音量・輝度の調整６３２」が指定された場合には、遊技者設定選択処理（Ｂ０４２０）によって、図７１の選択画面（調整画面）に移行する。「実機カスタマイズ６３３」が指定された場合には、遊技者設定選択処理（Ｂ０４２０）によって、カスタマイズ画面（図示せず）に移行する。演出カスタマイズ処理（Ｂ０４２３）によって、カスタマイズ画面で選択した項目が設定できる。
【０８１３】
なお、本実施形態では、タッチパネル２５ｂの中央部を確定のためのボタンとして用いるが、このほか、確定ボタンとして機能する別のボタンが設けられていてもよい。図７０の下図のように、上下方向又は左右方向の指の動きを促すように、演出ボタン２５のＬＥＤ６９０が点灯してもよい。
【０８１４】
項目表示領域の各々は、項目の内容を示す「機種紹介」、「音量・輝度の調整」等の文字を遊技者に視認し易くするために、表示装置４１の画面に表示される客待ちデモ演出とは区別し易い色合いに設定される。項目の内容を示す「機種紹介」、「音量・輝度の調整」等の文字の色は、項目表示領域に設定された色合いに対して対象的な色合いに設定される。
【０８１５】
なお、図７０に示す遊技者設定モードの画面例が表示可能になるのは、客待ち中であるため、第１所定画像６７５及び第２所定画像６７６には、それぞれの変動表示ゲームが停止中であることを示す記号「×」が表示されており、特図１保留数表示６５０及び特図２保留数表示６６０には「０」が表示されており、保留消化領域６４０には何も表示されていない。
【０８１６】
〔調整画面の例１（音量・輝度（光量）ごと）〕
図７１は、図７０において項目「音量・輝度の調整６３２」が選択されたことによって表示される調整画面（選択画面）の一例を示す。本実施形態においては、図７１に示すように、音を出力する音出力手段としての上スピーカ１９ａ及び下スピーカ１９ｂの音量を設定するための音量設定Ａ（通常）のゲージ７１１ａと、音量設定Ｂ（期待度大）のゲージ７１１ｂが表示される。また、発光部材としてのＬＥＤの輝度（ひいては光量）を設定するためのＬＥＤ輝度設定Ａ（通常）のゲージ７１３ａと、ＬＥＤ輝度設定Ｂ（期待度大）のゲージ７１３ｂが表示される。すなわち、本実施形態においては、所定演出が期待度の大きい（高い）ような特定の態様になった際或は特定の態様になった以後における報知（報知演出）のパラメータ（報知パラメータ、演出パラメータ）を設定可能である。ここでパラメータは、スピーカの音量やＬＥＤの輝度などである。
【０８１７】
これらのゲージ７１１ａ，７１１ｂ，７１３ａ及び７１３ｂは、飾り図柄（例えば、前述の図柄表示「３，４，３」）に重ねるように表示してよい。
【０８１８】
また、調整画面には、図７１に示すように、ゲージ７１１ａ，７１１ｂ，７１３ａ及び７１３ｂにおいて選択された設定値（パラメータの設定値）を確定するための確定表示領域７１５ａと、一つ前の表示（すなわち、図７０に示した設定選択画面）に戻ることを選択するための戻る表示領域７１５ｂとが表示される。
【０８１９】
ここで、音量設定Ａ及びＬＥＤ輝度設定Ａにおける「通常」とは、実行されている演出の大当りの期待度が通常の状態（大きくない状態）ことである。期待度は、ある演出が実行された場合に大当りになる確率に相当する。通常の期待度は、例えば、例えば数パーセント以下の期待度でよい。
【０８２０】
本実施形態においては、音量設定Ａ及びＬＥＤ輝度設定Ａによって、通常の期待度の状態において使用される通知音、効果音、ＢＧＭ、ＬＥＤ点灯等に関するパラメータ（音量や輝度等）の調整が可能である。なお、通知音、効果音、ＢＧＭをまとめて報知音と呼ぶことがある。ＢＧＭは、バックグラウンドミュージックの略で、演出に伴って再生される楽曲をＢＧＭとして取り扱ってよい。
【０８２１】
また、音量設定Ｂ及びＬＥＤ輝度設定Ｂにおける「期待度大」とは、実行されている演出の大当りの期待度が通常よりも大きい状態のことであり、「期待度大」の状態の一例としては、赤い保留表示としてのいわゆる「赤保留」の発生した状態が挙げられる。本実施形態においては、音量設定Ｂ及びＬＥＤ輝度設定Ｂによって、この「期待度大」の状態において使用される通知音、効果音、ＢＧＭ、ＬＥＤ点灯等に関するパラメータ（音量や輝度等）の調整が可能である。
【０８２２】
すなわち、本実施形態においては、所定演出が特定の態様になった際において当該所定演出と関連して実行される報知に関して、報知のパラメータが設定可能とされている。一例として、所定演出が保留表示演出又は保留変化予告あれば、特定の態様は、期待度の通常よりも大きい赤保留の表示や赤保留への変化でよく、報知手段はスピーカであり、報知手段による報知は保留発生音や保留変化音の再生（発生）である。なお、本実施形態において、保留表示演出は、保留表示（始動記憶表示）を表示装置４１に表示する演出であり、保留変化予告は、保留表示の態様を変化させて表示する演出であるが、保留変化予告を保留表示演出の範疇に含めてもよい。
【０８２３】
なお、音量設定Ｂ及びＬＥＤ輝度設定Ｂにおいてパラメータを設定可能な報知（報知演出）としては、期待度の通常よりも大きい赤保留の発生の際に「赤保留の発生」自体を報知するための保留発生音の再生（発生）やＬＥＤ点灯であってもよいし、「赤保留の発生」以後（以降）に「赤保留の発生」とは関連なく実施される報知音（通知音、効果音、ＢＧＭ等）の再生（発生）やＬＥＤ点灯であってもよい。
【０８２４】
図７１に示すように、ゲージ７１１ａ，７１１ｂ，７１３ａ及び７１３ｂの各々には、左から右に進むにつれて高さが増加する１０個のレベルバーが表示されており、これらがパラメータの設定値に対応している。図７１においては、選択された設定値に該当するレベルバーがベタ塗り表示（実機においては、例えば、バーの内側が全面点灯）される。
【０８２５】
本実施形態においては、通知音、効果音、ＢＧＭ等の報知音は、一連の報知演出での再生中に、演出として音量が変化することはあり得る。同様に、ＬＥＤ等の報知点灯は、一連の報知演出での点灯中に、演出として輝度や光量が変化することはあり得る。
【０８２６】
このため、本実施形態において、遊技者によって調整可能な音量の「設定値」とは、例えば、アンプ回路３３７（図４参照）の増幅率（ゲイン）を示し、一連の報知演出における基本の音量レベルが、例えば「５」に設定されている。すなわち、「設定値」が１つ上がると、基本の音量レベルから所定比率分だけ大きく設定し、「設定値」が１つ下がると、基本の音量レベルから所定比率分だけ小さく設定される。
【０８２７】
ＬＥＤ等の報知演出の設定においても同様に、一連の報知演出における基本の輝度レベルが、例えば「５」に設定されており、「設定値」が１つ上がると、基本の輝度レベルから所定比率分だけ大きく設定され、「設定値」が１つ下がると、基本の音量レベルから所定比率分だけ小さく設定される。
【０８２８】
図７１に示す調整画面において、遊技者は、演出ボタン２５のタッチパネル２５ｂにおいて、上下方向の指の動き（タッチ箇所の動き）によるタッチ操作を行うことで、ゲージ７１１ａ，７１１ｂ，７１３ａ及び７１３ｂを順番に指定することができる。また、上下方向のタッチ操作を続けることにより、各ゲージの指定をループして行うことができる。
【０８２９】
また、遊技者は、演出ボタン２５のタッチパネル２５ｂにおいて、左右方向の指の動きによるタッチ操作を行うことで、選択された設定対象のゲージ（項目）において、パラメータの所望とする設定値に対応するレベルバーを選択することができる。また、左右方向のタッチ操作を続けることにより、レベルバーの指定をループして行うことができる。
【０８３０】
図７１には、音量設定Ａ（通常）のゲージ７１１ａにおいて、音量レベル７（左側から７番目）に設定され、音量設定Ｂ（期待度大）のゲージ７１１ｂにおいて、音量レベル９（左側から９番目）に設定されている状態が示されている。また、ＬＥＤ輝度設定Ａ（通常）のゲージ７１３ａにおいて、輝度レベル６（左側から６番目）に設定され、ＬＥＤ輝度設定Ｂ（期待度大）のゲージ７１３ｂにおいて、輝度レベル８（左側から８番目）に設定されている状態が示されている。
【０８３１】
また、図７１においては、上下方向のタッチ操作によって、音量設定Ｂ（期待度大）のゲージ７１１ｂが選択されたことが示されている。図７１においては、選択されたゲージ７１１ｂは、枠を太く示す特定表示態様で表示されている。ここで、タッチ操作によって選択された項目の特定表示態様としては、枠を太く示す強調表示のほか、例えば、選択された項目を明るく表示するハイライト表示や、選択された項目のサイズを大きくする拡大表示としてもよい。
【０８３２】
図７１においては、確定表示領域７１５ａを選択してタッチパネル２５ｂの中央部にタッチすることによって、指定されたゲージ７１１ｂの選択を確定することができる。同様に、左右方向のタッチ操作によってレベルバーの設定値を指定し、確定することができる。なお、確定ボタンとして機能する別のボタンが設けられていてもよい。図７１の下図のように、上下方向又は左右方向の指の動きを促すように、演出ボタン２５のＬＥＤ６９０部が点灯してもよい。
【０８３３】
なお、上記においてゲージ７１１ａ（期待度が通常の場合）とゲージ７１１ｂ（期待度が大きい場合）でパラメータとして音量を設定する例を示したが、音域（即ち周波数領域）を設定する構成としてもよい。例えば、「設定値」が１つ上がると、基本の音域から所定比率分だけ音域が拡大し、「設定値」が１つ下がると、基本の音域から所定比率分だけ音域が縮小するように設定される。音域を調整するために、演出制御装置３００のアンプ回路３３７にバンドパスフィルタの機能を持たせてよい。
【０８３４】
このように、第２実施形態によれば、大当りの期待度が通常である状態において使用される通知音、効果音、ＢＧＭ等の音量（音域）、即ち、上スピーカ１０ａ及び下スピーカ１０ｂにおける音量（音域）の調整が可能である。また、期待度が通常である状態における枠装飾装置１８や盤装飾装置４６等に用いられるＬＥＤの輝度（光量）の調整が可能である。同様に、大当りの期待度が通常よりも大きい状態、即ち、所定演出が期待度の大きい特定の態様になった状態における音量（音域）或いは輝度（光量）の調整が可能である。
【０８３５】
従って、第２実施形態によれば、所定演出が特定の態様になった際又は以後（以降）の期待できる状況において種々の演出に関連して実行される報知に関して、報知のパラメータを他の状況とは異ならせることができる。これにより、遊技の興趣を向上させることができる。報知は、所定演出（例えば保留表示演出や保留変化予告）と関連して実行されるもの（例えば保留発生音や保留変化音の発生）でも、所定演出（例えば保留表示演出や保留変化予告）と関連せずに他の演出（例えばリーチ演出）に関連して実行されるもの（例えばＢＧＭの発生）でもよい。
【０８３６】
本実施形態において、ゲージ７１１ａ，７１１ｂ，７１３ａ，７１３ｂの各々は、図７０において説明した項目表示領域と同様、レベルバーを遊技者に視認し易くするために、表示装置４１の画面に表示される客待ちデモ演出とは区別し易い色合いに設定される。また、ゲージ７１１ａ，７１１ｂ，７１３ａ，７１３ｂの各々は、背景である客待ちデモ演出或いは飾り図柄表示「３，４，３」が見えるような半透明で表示されてもよい。
【０８３７】
表示装置４１が、例えば、ノーマリーホワイトの液晶ディスプレイの場合には、ゲージ７１１ａ，７１１ｂ，７１３ａ，７１３ｂを白地の背景に設定し、表示装置４１における表示画面に対する各項目表示領域の面積を可能な限り広く設定することにより、遊技者設定モード時における消費電力を節約することができる。
【０８３８】
なお、本実施形態においては、音量設定のためのゲージにおけるレベルバーの設定可能範囲は、予め決められていてもよい。例えば、音量設定Ｂ及びＬＥＤ輝度設定Ｂは、いずれも、元々期待度大の状況での報知に関するパラメータを設定するものであるため、遊技者によって設定可能なレベルの範囲が、例えば、基準レベル５以上である、６〜１０に制限されていてもよい。
【０８３９】
或いは、音量設定Ｂの設定レベルは、音量設定Ａの設定レベルよりも低いレベルには設定できないように決められていてもよい。例えば、音量設定Ａにおいて、レベル７が選択された場合には、音量設定Ｂでは、レベル８〜１０のいずれかのみ選択可能とする。
【０８４０】
ＬＥＤ輝度設定のためのゲージにおけるレベルバーの設定可能範囲についても音量設定の場合と同様とすることができる。
【０８４１】
〔調整画面の例２（音量・輝度（光量）ごと）〕
図７２は、図７０における項目「音量・輝度の調整６３２」の調整画面の別の例を説明するものである。図７２に示す画面表示例では、音量について、より細やかな項目について設定可能とされている。本実施形態においては、図７２に示すように、音量設定として、ＢＧＭの音量とセリフの音量とが個別に設定される。
【０８４２】
図７２に示す調整画面の例では、ＢＧＭ音量を設定するためのＢＧＭ音量設定Ａ（通常）のゲージ７１７ａと、ＢＧＭ音量設定Ｂ（期待度大）のゲージ７１７ｂが表示される。また、セリフ音量を設定するためのセリフ音量設定Ａ（通常）のゲージ７１９ａと、セリフ音量設定Ｂ（期待度大）のゲージ７１９ｂが表示される。
【０８４３】
また、音量調整用のゲージとともに、ＬＥＤの輝度を設定するためのＬＥＤ輝度設定のゲージ７２１も表示される。
【０８４４】
これらのゲージ７１７ａ，７１７ｂ，７１９ａ，７１９ｂ及び７２１は、飾り図柄（例えば、前述の図柄表示「３，４，３」）に重ねて表示してよい。
【０８４５】
また、調整画面には、図７１と同様に、ゲージ７１７ａ，７１７ｂ，７１９ａ，７１９ｂ及び７２１において選択された設定値を確定するための確定表示領域７１５ａと、一つ前の表示（すなわち、図７０に示した設定選択画面）に戻ることを選択するための戻る表示領域７１５ｂとが表示される。
【０８４６】
また、図７１の表示例と同様に、図７２においても、ゲージ７１７ａ，７１７ｂ，７１９ａ，７１９ｂ及び７２１には、左から右に進むにつれて高さが増加する１０個のレベルバーが表示されており、これらがパラメータの設定値に対応している。
【０８４７】
図７２に示す調整画面において、遊技者は、演出ボタン２５のタッチパネル２５ｂにおいて、上下方向の指の動きによるタッチ操作を行うことで、ゲージ７１７ａ，７１７ｂ，７１９ａ，７１９ｂ及び７２１を順番に指定することができる。また、上下方向のタッチ操作を続けることにより、各ゲージの指定をループして行うことができる。
【０８４８】
また、遊技者は、演出ボタン２５のタッチパネル２５ｂにおいて、左右方向の指の動きによるタッチ操作を行うことで、選択された設定対象のゲージ（項目）において、所望とする設定値に対応するレベルバーを選択することができる。また、左右方向のタッチ操作を続けることにより、レベルバーの指定をループして行うことができる。
【０８４９】
図７２においては、ＢＧＭ音量設定Ａ（通常）のゲージ７１７ａにおいて、音量レベル７（左側から７番目）に設定され、ＢＧＭ音量設定Ｂ（期待度大）のゲージ７１７ｂにおいて、音量レベル９（左側から９番目）に設定されている状態が示されている。また、セリフ音量設定Ａ（通常）のゲージ７１９ａにおいて、音量レベル６（左側から６番目）に設定され、セリフ音量設定Ｂ（期待度大）のゲージ７１９ｂにおいて、音量レベル８（左側から８番目）に設定されている状態が示されている。また、ＬＥＤ輝度設定のゲージ７２１において、輝度レベル６（左から６番目）に設定されている状態が示されている。
【０８５０】
また、図７２においては、上下方向のタッチ操作によって、ＢＧＭ音量設定Ａ（通常）のゲージ７１７ａが選択されたことが示されている。図７２においては、選択されたゲージ７１７ａは、枠を太く示す特定表示態様で表示されている。
【０８５１】
図７２においては、タッチパネル２５ｂの中央部にタッチすることによって、指定されたゲージ７１７ａの選択を確定することができる。同様に、左右方向のタッチ操作によってレベルバーの設定値を指定し、確定することができる。なお、確定ボタンとして機能する別のボタンが設けられていてもよい。図７２の下図のように、上下方向又は左右方向の指の動きを促すように、演出ボタン２５のＬＥＤ６９０部が点灯してもよい。
【０８５２】
このように、本実施形態によれば、期待度が通常の状態において使用される通知音、効果音、ＢＧＭ等の音量（音域）、即ち上スピーカ１０ａ及び下スピーカ１０ｂにおける音量（音域）が、セリフやＢＧＭ等の報知内容の種類ごとに細やかに設定可能である。また、期待度が通常である状態における枠装飾装置１８や盤装飾装置４６等に用いられるＬＥＤの輝度（光量）が、セリフやＢＧＭ等の報知内容の種類ごとに細やかに設定可能である。同様に、大当りの期待度が通常よりも大きい状態、即ち、所定演出が期待度の大きい特定の態様になった状態における音量（音域）についても、報知内容の種類ごとにより細やかに設定可能である。また、図示されていないが、輝度（光量）についても、報知内容の種類（例えばＬＥＤの色や配置される場所）ごとに細やかに設定可能である。
【０８５３】
従って、本実施形態によれば、演出に関連する報知に関するパラメータのうち、例えば、所定演出が特定の態様になった際又は以後の期待できる状況において発生される音声に関して、ＢＧＭとセリフ音量とを個別に、独立的に、期待できない他の状況とは異なるように設定できる。これにより、遊技の興趣を、より一層向上させることができる。
【０８５４】
図７２において、ゲージ７１７ａ，７１７ｂ，７１９ａ，７１９ｂ，７２１の各々は、図７０において説明した項目表示領域と同様、レベルバーを遊技者に視認し易くするために、表示装置４１の画面に表示される客待ちデモ演出とは区別し易い色合いに設定される。また、ゲージ７１７ａ，７１７ｂ，７１９ａ，７１９ｂ，７２１の各々は、背景である客待ちデモ演出或いは飾り図柄表示「３，４，３」が見えるような半透明で表示されてもよい。
【０８５５】
なお、本実施形態においては、音量設定のためのゲージにおけるレベルバーの設定可能範囲は、予め決められていてもよい。例えば、ＢＧＭ音量設定Ｂ及びセリフ音量設定Ｂは、いずれも、元々期待度大の状況での報知に関するパラメータを設定するものであるため、遊技者によって設定可能なレベルの範囲が、例えば、基準レベル５以上である、６〜１０に制限されていてもよい。
【０８５６】
或いは、ＢＧＭ音量設定Ｂの設定レベルは、ＢＧＭ音量設定Ａの設定レベルよりも低いレベルに設定できないように決められていてもよい。例えば、ＢＧＭ音量設定Ａにおいて、レベル７が選択された場合には、ＢＧＭ音量設定Ｂでは、レベル８〜１０のいずれかのみ選択可能とする。或いは、ＢＧＭ音量設定Ａにおいて、レベル１０が選択されている場合には、ＢＧＭ音量設定Ｂはレベル１０に固定されるようにできる。
【０８５７】
また、例えば、ＢＧＭ音量設定Ａにおいて、レベル１０が選択された場合には、ＢＧＭ音量設定Ｂでは、レベル１０よりも上のレベルを設定可能なように、ゲージ７１７ｂの表示のされ方が変更されてもよい。例えば、レベルバーの幅が狭くなるかわりに、合計１５個が表示されるようにもできる。
【０８５８】
ＬＥＤ輝度設定のためのゲージ７２１におけるレベルバーの設定可能範囲についても音量設定の場合と同様とすることができる。また、ＬＥＤ輝度設定についても同様に報知内容の種類ごとに細やかな設定が可能とされていてもよい。例えば、ＬＥＤの、遊技機における設置部位毎に個別に設定が可能とされていてもよい。
【０８５９】
〔画面遷移例１〕
図７３は、図７１を用いて説明した音量・輝度（光量）の調整画面例１に基づいて設定された音量・輝度による報知が実行される場合について、表示装置４１の表示画面を時系列で示した画面遷移図の一例である。すなわち、音量に関しては、音量設定Ａ（通常）のゲージ７１１ａにおいて、音量レベル７（左側から７番目）に設定され、音量設定Ｂ（期待度大）のゲージ７１１ｂにおいて、音量レベル９（左側から９番目）に設定された場合である。また、ＬＥＤ輝度については、ＬＥＤ輝度設定Ａ（通常）のゲージ７１３ａにおいて、輝度レベル６（左側から６番目）に設定され、ＬＥＤ輝度設定Ｂ（期待度大）のゲージ７１３ｂにおいて、輝度レベル８（左側から８番目）に設定された場合である。
【０８６０】
また、図７３では、大当りの期待度を報知する特定の予告（ここでは、セリフ予告）に対応して、上部演出ユニット４０ｃ（盤装飾装置４６の一部）に配置された報知手段としてのＬＥＤが発光されるとともに、報知手段としての上スピーカ１９ａ及び下スピーカ１９ｂから報知音が発せられる。
【０８６１】
図７３の（ナ）は、通常遊技状態で主変動表示ゲームとなる特図１変動表示ゲーム（飾り特図１変動表示ゲーム）を開始する直前の表示画面である。表示画面の中央部の変動表示領域６１０には、前回の特図１変動表示ゲームのはずれ停止図柄「９，４，６」が大きく表示されている。また、表示画面の右端部の変動表示領域６１５において、通常遊技状態で従変動表示ゲームとなる特図２変動表示ゲーム（飾り特図２変動表示ゲーム）が変動表示されている。
【０８６２】
また、（ナ）では、特図１変動表示ゲームの実行状態を示す第１所定画像６７５は、特図１変動表示ゲームが停止中であることを示す記号「×」となっており、特図２変動表示ゲームの実行状態を示す第２所定画像６７６は、特図２変動表示ゲームが実行中（変動中）であることを示す記号「○」になっている。第２所定画像６７６「○」は、第四特別図柄（第４図柄）として点滅してよい。表示画面の第１表示部６２０において、特図１変動表示ゲーム（主変動表示ゲーム）の実行権利となる特図１保留（特図１始動記憶）に対応する特図１保留表示６２０ａ（特図１始動記憶表示）が３つ表示されている。保留消化領域６４０には何も表示されていない。また、特図１保留数表示６５０は、現在の特図１保留の数「３」を表示し、特図２保留数表示６６０は、現在の特図２保留の数「４」を表示する。
【０８６３】
続いて、図７３の（ニ）では、主変動表示ゲームとなる特図１変動表示ゲームと従変動表示ゲームとなる特図２変動表示ゲームが、共に実行中の状態となる。また、第１所定画像６７５は、特図１変動表示ゲームが実行中であることを示す記号「○」となっており、第２所定画像６７６は、特図２変動表示ゲームは実行中であることを示す記号「○」になっている。第１所定画像６７５「○」と第２所定画像６７６「○」は、第四特別図柄（第４図柄）として点滅してよい。
【０８６４】
また、（ニ）では、第１表示部６２０において、各特図１保留表示６２０ａは、左隣の特図１保留表示６２０ａの表示位置に移動している（保留シフト）。さらに、第１表示部６２０の左端に位置する特図１保留表示６２０ａを第１表示部６２０から保留消化領域６４０に移動する（保留シフト）。第１表示部６２０の特図１保留表示６２０ａは、実行前の変動表示ゲームに係る始動記憶に対応する始動記憶表示（変動前保留表示）であるのに対して、保留消化領域６４０の特図１保留表示６２０ａは、実行中の変動表示ゲームに係る始動記憶に対応する始動記憶表示（変動中保留表示）である。
【０８６５】
（ニ）では、第１表示部６２０の左端に位置する特図１保留表示６２０ａが第１表示部６２０から保留消化領域６４０に保留シフトされて、特図１変動表示ゲームが実行されたところで、遊技球が始動入賞口３６を通過したため、特図１変動表示ゲームの実行権利となる特図１保留（第１始動記憶、特図１始動記憶）が発生する。そして、特図１保留に対応する特図１保留表示６２０ａが通常の期待度の白い保留表示（通常保留表示）として１つ増えて（通常保留発生）、特図１保留数表示６５０は、現在の特図１保留の数「３」を表示する。また、特図２保留数表示６６０は、現在の特図２保留の数「４」を表示する。
【０８６６】
このとき、保留発生音として「通常保留発生」を報知する報知音「キュイーン」が、図７１の音量設定Ａ（通常）のゲージ７１１ａにおいて設定された音量レベル７の音量で報知される。
【０８６７】
次に、図７３の（ヌ）において、表示装置４１の表示画面では、特図１変動表示ゲームと特図２変動表示ゲームが共に実行中の状態のままで、大当りの期待度を報知する演出として、虎のキャラクタ７５４とともにセリフ「チャンス！」の文字７５５がセリフ予告として表示される。また、このキャラクタ表示演出に合わせて、「チャンス！」のセリフ音が図７１の音量設定Ａ（通常）のゲージ７１１ａにおいて設定された音量レベル７の音量でセリフ予告として報知される。
【０８６８】
また、（ヌ）において、上部演出ユニット４０ｃに配置されたＬＥＤがＬＥＤ輝度設定Ａ（通常）のゲージ７１３ａにおいて設定された輝度レベル６で所定の期間だけ点灯される。ここで、上部演出ユニット４０ｃに配置されたＬＥＤは、キャラクタ７５４とセリフ「チャンス！」の文字７５５が表示されたこと（特定の情報）を報知するために発光してよいし、大当りの期待度（特定の情報）を報知する報知演出として発光してもよい。
【０８６９】
続いて、図７３の（ネ）では、特図１変動表示ゲームと特図２変動表示ゲームが共に実行中の状態の間に、遊技球が更に始動入賞口３６を通過し、特図１変動表示ゲームの実行権利となる特図１保留（第１始動記憶、特図１始動記憶）が発生する。そして、特図１保留に対応する特図１保留表示６２０ｃが大きい期待度の保留表示（赤い保留表示）として１つ増え（いわゆる赤保留発生）、特図１保留数表示６５０は、現在の特図１保留の数「４」を表示する。
【０８７０】
このとき、保留発生音として「赤保留発生」を報知する報知音「キュイーン」が、図７１の音量設定Ｂ（期待度大）のゲージ７１１ｂにおいて設定された音量レベル９の音量で大きく報知される。このようにして、所定演出としての保留表示演出が赤い色の表示態様（特定の態様）になった際に当該保留表示演出に関連して実行される保留発生音の発生（保留発生の報知）に関して、保留発生音の音量（音量レベル９）を通常の表示態様（白い色の表示態様）である際の音量（音量レベル７（ニ））とは異なるように大きく設定できる。
【０８７１】
続いて、図７３の（ノ）において、表示装置４１の表示画面では、特図１変動表示ゲームと特図２変動表示ゲームが共に実行中の状態のままで、「赤保留発生」を報知する演出とは別に、虎のキャラクタ７５４とともにセリフ「チャンス！」の文字７５５がセリフ予告として表示される。また、このキャラクタ表示演出に合わせて、「チャンス！」のセリフ音が図７１の音量設定Ｂ（期待度大）のゲージ７１１ａにおいて設定された音量レベル９の音量でセリフ予告として報知される。
【０８７２】
また、（ノ）において、上部演出ユニット４０ｃに配置されたＬＥＤがＬＥＤ輝度設定Ｂ（期待度大）のゲージ７１３ｂにおいて設定された輝度レベル８で所定の期間だけ点灯される。ここで、上部演出ユニット４０ｃに配置されたＬＥＤは、キャラクタ７５４とセリフ「チャンス！」の文字７５５が表示されたこと（特定の情報）を報知するために発光してよいし、又は、赤保留発生（特定の情報）を報知する演出の一環として発光してよい。
【０８７３】
すなわち、本実施形態においては、所定演出（保留表示演出）が「赤保留変化」等の特定の態様になった以降において当該所定演出とは関連せずに実行される、キャラクタ及びセリフ演出等の報知に関して、報知のパラメータ（セリフ音の音量）が、遊技者によって設定可能である。
【０８７４】
この後、図７３の（ハ）では、図７３（ニ）で開始された主変動表示ゲーム（特図１変動表示ゲーム）が停止する。一例として、主変動表示ゲーム（特図１変動表示ゲーム）のはずれ結果（特定結果）に対応するはずれ図柄「７，４，３」が表示画面の中央部に表示される。図７３（ハ）に示す状態では、従変動表示ゲーム（特図２変動表示ゲーム）は、実行中のままである。
【０８７５】
この後、図７３には図示されていないが、特図１保留数表示６５０に表示された保留数分の特図１変動表示ゲーム、及び特図２保留数表示６６０に表示された保留数分の特図２変動表示ゲームが順次実行される。
【０８７６】
本実施形態によれば、図７３を用いて説明したように、所定演出（保留表示演出、保留変化予告演出）が「赤保留変化」等の特定の態様になった際において当該所定演出と関連して実行される報知（保留発生音やＬＥＤ発光）に関して、報知のパラメータ（音量、ＬＥＤ輝度）が設定可能とされている。このように、本実施形態においては、遊技者自らが設定したパラメータ（ここでは、音量、ＬＥＤ輝度）に基づいて特定の態様が報知されるため、当該所定演出を大きく盛り上げることができ、遊技の興趣が高められる。
【０８７７】
また、本実施形態においては、所定演出（保留表示演出、保留変化予告演出）が「赤保留変化」等の特定の態様になった以降において当該所定演出とは関連せずに実行される、セリフ予告や上部演出ユニット４０ｃのＬＥＤの発光等の報知に関して、報知のパラメータ（ここでは、セリフ音量やＬＥＤ輝度）が、遊技者によって設定可能である。
【０８７８】
これにより、本実施形態においては、例えば、「赤保留変化」等の特定の態様になった以降において、「赤保留変化」と関連せずに実行される演出に対しても、バリエーションに富んだ演出を実行するこができ、遊技の興趣を向上させることができる。
【０８７９】
〔調整画面の例３（特定の演出に対応する報知設定）〕
図７４Ａは、遊技者による報知に関するパラメータの設定を、所定の演出に対応して設定可能とした調整画面（選択画面）の一例である。この調整画面は、図７０の設定選択画面（メニュー画面）の項目「音量・輝度の調整６３２」又は「実機カスタマイズ６３３」が選択された場合に移行する画面でよい。図７４Ａには、表示装置４１の表示画面に、所定の演出時において音量を上げる音量アップモード＃１を設定するためのゲージ７２２ａと、音量アップモード＃２を設定するためのゲージ７２２ｂと、ＬＥＤの輝度を上げる輝度アップモードを設定するためのゲージ７２３とが表示される。また、振動部材としての演出ボタン２５の振動を強めるボタン振動アップモードを設定するためのゲージ７２５と、エアバイブ（空気の断続的な吹き付けによる振動感）を強めるエアバイブアップモードを設定するためのゲージ７２７とが表示される。これらのゲージ７２２ａ，７２２ｂ，７２３，７２５及び７２７は、飾り図柄（例えば、前述の図柄表示「３，４，３」）に重ねるように表示してよい。なお、演出ボタン２５は、内蔵された振動機構によって振動可能である。操作ハンドル２４に設けられたエアバイブ機構によってエアバイブが発生可能である。
【０８８０】
音量アップモード＃１は、指定された演出において使用される通知音、効果音、ＢＧＭ等の報知音の音量を所定の演出を契機としてアップ可能にするモードであり、遊技者は、音量をアップ（増大）する契機となる演出を指定することができる。ゲージ７２２ａには、音量アップモード＃１を発動させるか否か（「オン」／「オフ」）を指定するための指定領域７３１ａ，７３１ｂと、音量をアップする契機として、「役物動作」、「リーチ」、「ＳＰリーチ」、「擬似連３回目」等を指定するための指定領域７３１ｃ，７３１ｄ，７３１ｅ，７３１ｆとが表示される。
【０８８１】
また、音量アップモード＃２は、指定された演出において適用される通知音、効果音、ＢＧＭ等の報知音の音量を所定の演出の段階に応じてアップ可能にするモードであり、遊技者は、音量を段階的にアップ（増大）する演出を指定することができる。ゲージ７２２ｂには、音量アップモード＃２を発動させるか否か（「オン」／「オフ」）を指定するための指定領域７３３ａ，７３３ｂと、音量の段階的アップを行う演出として、「保留変化」、「チャンス目」、「ステップアップ」、「擬似連」等を指定するための指定領域７３３ｃ，７３３ｄ，７３３ｅ，７３３ｆとが表示される。音量アップモード＃２の詳細については、図７４Ｂを用いて後段にて説明する。
【０８８２】
輝度アップモードは、指定された演出において適用されるＬＥＤ等の輝度（光量）をアップ可能なモードであり、遊技者は、輝度（光量）をアップする契機となる演出を指定できる。ゲージ７２３には、輝度アップモードを発動させるか否か（「オン」／「オフ」）を指定するための指定領域７３５ａ，７３５ｂと、輝度をアップする契機として、「赤保留」、「リーチ」、「ＳＰリーチ」、「擬似連３回目」等を指定するための指定領域７３５ｃ，７３５ｄ，７３５ｅ，７３５ｆとが表示される。
【０８８３】
ボタン振動アップモードは、指定された演出において適用される演出ボタン２５を振動させる報知態様において、ボタン振動の振動量をアップ可能なモードであり、遊技者は、ボタン振動をアップする契機となる演出を指定できる。ゲージ７２５には、ボタン振動アップモードを発動させるか否か（「オン」／「オフ」）を指定するための指定領域７３７ａ，７３７ｂと、ボタン振動を強める契機として、「赤保留」、「リーチ」、「ＳＰリーチ」、「擬似連３回目」等を指定するための指定領域７３７ｃ，７３７ｄ，７３７ｅ，７３７ｆとが表示される。
【０８８４】
エアバイブアップモードは、指定された演出において適用されるエアバイブの報知態様において、エアバイブの強さをアップ可能なモードであり、遊技者は、エアバイブをアップする契機となる演出を指定できる。ゲージ７２７には、エアバイブアップモードを発動させるか否か（「オン」／「オフ」）を指定するための指定領域７３９ａ，７３９ｂと、エアバイブを強める契機として、「赤保留」、「リーチ」、「ＳＰリーチ」、「擬似連３回目」等を指定するための指定領域７３９ｃ，７３９ｄ，７３９ｅ，７３９ｆとが表示される。
【０８８５】
なお、音量アップモード＃１、輝度アップモード、ボタン振動アップモード、エアバイブアップモードは、アップの契機となる演出の実行中だけでなくアップの契機となる演出以後に実行される種々の演出の実行中においてパラメータ（音量、ＬＥＤ等の輝度（光量）、ボタン振動の振動量、エアバイブの強さ）をアップさせるものでもよい。
【０８８６】
また、図７４Ａに示す調整画面には、ゲージ７２２ａ，７２２ｂ，７２３，７２５及び７２７において指定された項目を確定するための確定表示領域７１５ａと、一つ前の表示に戻ることを選択するための戻る表示領域７１５ｂとが表示される。
【０８８７】
図７４Ａにおいて、遊技者は、演出ボタン２５のタッチパネル２５ｂにおいて、上下方向の指の動き（タッチ箇所の動き）によるタッチ操作を行うことで、ゲージ７２２ａ，７２２ｂ，７２３，７２５及び７２７を順番に指定することができる。また、上下方向のタッチ操作を続けることにより、各ゲージの指定をループして行うことができる。指定されたゲージは、図７４Ａでは、太枠に表示されている。
【０８８８】
また、遊技者は、演出ボタン２５のタッチパネル２５ｂにおいて、左右方向の指の動きによるタッチ操作を行うことで、選択されたゲージ内において、設定対象の項目を指定することができる。また、左右方向のタッチ操作を続けることにより、項目の指定をループして行うことができる。
【０８８９】
図７４Ａにおいて、各ゲージ７２２ａ，７２２ｂ，７２３，７２５及び７２７に表示された指定領域のうち、斜線で表された指定領域は、選択されたものであることを示す。例えば、音量アップモード＃１のゲージ７２２ａでは、音量アップモード＃１を発動することを示す「オン」に該当する指定領域７３１ａが選択され、音量アップの契機として「ＳＰリーチ」に該当する指定領域７３１ｅが選択された状態であることが示されている。
【０８９０】
また、図７４Ａにおいて、ゲージ７２２ｂは、枠を太く示す特定表示態様で表示されている。これは、遊技者によって、現在、このゲージ７２２ｂが指定されていることを示している。遊技者は、演出ボタン２５のタッチパネル２５ｂにおいて、上下方向或いは左右方向の指の動きによるタッチ操作を行うことで、所望のゲージ及びゲージ内に表示される指定領域を指定することができる。
【０８９１】
また、遊技者は、確定表示領域７１５ａを選択してタッチパネル２５ｂの中央部にタッチすることによって、指定されたゲージ７１１ｂの選択を確定することができる。なお、確定ボタンとして機能する別のボタンが設けられていてもよい。図７４Ａの下図のように、上下方向又は左右方向の指の動きを促すように、演出ボタン２５のＬＥＤ６９０部が点灯してもよい。
【０８９２】
なお、タッチ操作によって選択されたゲージ及び項目の特定表示態様としては、枠を太く示す強調表示のほか、例えば、選択された項目を明るく表示するハイライト表示や、選択された項目のサイズを大きくする拡大表示としてもよい。
【０８９３】
図７４Ａに示す音量アップモード＃１は、例えば、図７１で説明した音量レベルを基準レベル５から基準レベル１０に上げる等のように、音量の増加分については、予め決定された設定値とすることができる。これに対して、上記モード＃１において、「役物動作」、「リーチ」、「ＳＰリーチ」及び「擬似連３回目」から、いずれかの設定項目が選択されると、選択された設定項目に対して、図７１に示したような、パラメータの設定のためのゲージを表示する画面に切り換えてもよい。音量設定ゲージでは、上述したようにレベルバーによる設定値の変更を可能とする。
【０８９４】
また、図７４Ａにおいて、複数のパラメータについて設定可能な場合であって、表示画面に収まらない場合には、パラメータ設定のために複数の設定画面を用意して、切り換え可能としてもよい。また、スクロール画面とすることもできる。この場合には、遊技者がスクロール画面の枠部分に表示されたスクロールバーを操作することによって、表示画面に表示されていない項目を表示画面の範囲内に順次表示させることができる。これにより設定可能な項目を増やすことができる。
【０８９５】
続いて、音量アップモード＃２について詳細に説明する。図７４Ｂは、音量アップモード＃２において、音量を段階的にアップする演出を具体的に説明するものである。図７４Ｂ（ａ）は、指示領域７３３ｃにおいて指定される「保留変化」の音量設定を説明する図である。特図１変動表示ゲームの実行権利に対応する各保留の保留表示には、期待度の小→大（低→高）の順番に、白保留（通常保留、白い保留表示）、青保留（青い保留表示）、赤保留（赤い保留表示）と、表示態様（ここでは色）を変化する保留変化予告演出が設定されている。本実施形態においては、保留表示の第１段階である白保留のときに音量「小」で保留変化（保留発生）を報知する保留変化音が報知され、第２段階である青保留のときに音量「中」で保留変化音が報知され、第３段階である赤保留のときに音量「大」で保留変化音が報知される。発生時に白保留であった保留表示が、保留の大当りの期待度に応じて、段階的に青保留に、さらには赤保留に変化してよい。或は、発生時に青保留であった保留表示が、保留の大当りの期待度に応じて、赤保留に変化してよい。
【０８９６】
図７４Ｂ（ｂ）は、指示領域７３３ｄにおいて指定される「チャンス目」の音量設定を説明する図である。本実施形態において、「チャンス目」とは、チャンス目先読み演出を表す。チャンス目先読み演出とは、飾り特図変動表示ゲームの停止結果態様が特別結果態様（大当り結果態様）とならない場合に、当該停止結果態様を特定の停止結果態様とすることによって、先読み（事前判定）の対象の保留の判定結果（或いは大当りの期待度）を報知する演出である。チャンス目先読み演出は、連続予告演出として、複数回の飾り特図変動表示ゲームに亘って実行される。
【０８９７】
チャンス目先読み演出の継続回数は、期待度小→大（低→高）の順番に、１回→２回→３回が設定されている。本実施形態においては、チャンス目先読み演出の継続回数が１回のときに音量「小」でチャンス目停止音が報知され、２回のときに音量「中」でチャンス目停止音が報知され、３回のときに音量「大」でチャンス目停止音が報知される。
【０８９８】
図７４Ｂ（ｃ）は、指示領域７３３ｅにおいて指定される「ステップアップ」の音量設定を説明する図である。本実施形態において、「ステップアップ」とは、ステップアップ予告を表す。ステップアップ予告とは、複数段階に設定された単演出（副演出）を下位の段階（ステップ）から所定の段階（ステップ）まで順次実行する演出である。
【０８９９】
ステップアップ予告の実行回数は、期待度小→大（低→高）の順番に、１回→２回→３回が設定されている。本実施形態においては、ステップアップ予告の実行回数が１回（１段階目）のときに音量「小」で効果音が報知され、２回（２段階目）のときに音量「中」で効果音が報知され、３回（３段階目）のときに音量「大」で効果音が報知される。
【０９００】
図７４Ｂ（ｄ）は、指示領域７３３ｆにおいて指定される「擬似連」の音量設定を説明する図である。本実施形態において、「擬似連」とは、擬似連続演出を表す。擬似連続演出とは、１回の変動表示ゲームの開始から終了までの間に、飾り特別図柄（識別情報）を変動及び仮停止させる擬似変動を所定回数（所定ステップ）だけ行う演出である。
【０９０１】
擬似連続演出の実行回数（擬似連回数）は、期待度小→大（低→高）の順番に、２回→３回→４回が設定されている。本実施形態においては、擬似連続演出の実行回数が２回のときに音量「小」で効果音が報知され、３回のときに音量「中」で効果音が報知され、４回のときに音量「大」で効果音が報知される。
【０９０２】
このように、本実施形態においては、遊技者は、段階的に実行可能とされた所定演出（保留変化予告演出、チャンス目先読み演出、ステップアップ予告演出、擬似連続演出等）において、所定演出が各段階又は各実行回数になった際の報知（保留変化音、チャンス目停止音、効果音の発生）に関するパラメータ（音量）を設定することができる。
【０９０３】
輝度アップモード、ボタン振動アップモード、エアバイブモードについても、音量アップモード＃１と同様、所定の演出に対応付けて予め決められた報知パターンにより報知が実行される。
【０９０４】
すなわち、本実施形態においては、遊技者は、保留変化予告演出、リーチ演出、擬似連続演出、役物動作演出等の所定演出が段階的に実行可能とされた場合において、所定演出が、例えば、赤保留、ＳＰリーチ、擬似連ｎ回目（擬似連続演出の実行回数がｎ回）、役物動作等の所定段階になった際の報知に関するパラメータを設定することができる。
【０９０５】
従って、例えば、遊技制御装置１００において実行される先読み処理（事前判定処理）の判定結果に基づいて実行される保留変化予告等の所定演出が特定の態様（例えば赤保留）になった際又は以後の期待できる状況において、それ以前とは報知のパラメータを変化させることができる。例えば、パラメータが音量であれば、事前判定手段の判定結果がよい場合に音量を大きくし、それ以前や判定結果が悪い場合には音量を小さいままに維持する等の設定が可能である。
【０９０６】
このため、当該所定演出が特定の態様になる、などした場合の演出を大きく盛り上げることができ、遊技の興趣が高められる。一方、特定の態様になる前段階においては、音量等を小さく、ＬＥＤ輝度を低めに設定することができるため、遊技場の騒音を減らすことができる。
【０９０７】
本実施形態においては、例えば保留変化の指示領域７３３ｃが選択されれば、図７４Ｂ（ａ）に示された音量出力パターンのテーブルに基づいて、保留変化を報知する報知演出（保留変化音の発生演出）の音量が各保留表示態様（保留変化の各段階）に予め設定されている。これに対して、図７４Ｂに示された各音量の設定値を遊技者が所望とする値に調整する構成にもできる。輝度アップモード、ボタン振動アップモード、エアバイブモードについても同様である。
【０９０８】
〔画面遷移例２〕
図７５は、表示装置４１の表示画面を時系列で示した画面遷移図の一例である。図７５において、図７４Ａ及び図７４Ｂを用いて説明した調整画面例に基づいて設定された音量・輝度を用いた報知演出が実行される。図７５に示す演出では、上部演出ユニット４０ｃに配置された発光部材としてのＬＥＤ（報知手段）が発光されるとともに、音を発生可能な音出力手段（報知手段）としての上スピーカ１９ａ及び下スピーカ１９ｂから報知音が発せられる。
【０９０９】
図７５の（マ）は、主変動表示ゲームとなる特図１変動表示ゲーム（飾り特図１変動表示ゲーム）が表示装置４１の表示画面の中央部において実行中であって、表示画面の右端部の変動表示領域６１５において、通常遊技状態で従変動表示ゲームとなる特図２変動表示ゲーム（飾り特図２変動表示ゲーム）が変動表示された状態を示す。特図１変動表示ゲームと特図２変動表示ゲームが共に変動表示された状態において、上部演出ユニット４０ｃは、小さな輝度である輝度小（基準レベル）で弱く点灯している。
【０９１０】
また、（マ）において、特図１変動表示ゲームの実行状態を示す第１所定画像６７５は、特図１変動表示ゲームが変動中であることを示す記号「○」となっており、特図２変動表示ゲームの実行状態を示す第２所定画像６７６は、特図２変動表示ゲームが実行中（変動中）であることを示す記号「○」になっている。第２所定画像６７６「○」は、第四特別図柄（第４図柄）として点滅してよい。表示画面の第１表示部６２０において、特図１変動表示ゲーム（主変動表示ゲーム）の実行権利となる特図１保留（特図１始動記憶）に対応する特図１保留表示６２０ａ（特図１始動記憶表示）が２つ表示されている。また、特図１変動表示ゲームが変動中（消化中）であるため、保留消化領域６４０には記号「○」が表示されている。また、特図１保留数表示６５０は、現在の特図１保留の数「２」を表示し、特図２保留数表示６６０は、現在の特図２保留の数「４」を表示する。
【０９１１】
次に、図７５の（ミ）では、特図１変動表示ゲームと特図２変動表示ゲームが共に変動表示された状態において、遊技球が始動入賞口３６を通過したことにより、特図１変動表示ゲームの実行権利となる特図１保留表示６２０ａが青い保留表示として１つ増えて（青保留発生）、特図１保留数表示６５０は、現在の特図１保留の数「３」を表示する。このとき、保留変化音又は保留発生音として「青保留発生」を報知する報知音「キュイーン」が、図７４Ａで選択された音量アップモード＃２に設定された「保留変化音」の音量「中」で報知される（図７４Ｂ（ａ））。なお、この間、上部演出ユニット４０ｃは、輝度小（基準レベル）で点灯している。
【０９１２】
続く、図７３の（ム）では、図７５（ミ）から所定時間経過しているが、特図１変動表示ゲームと特図２変動表示ゲームが共に変動表示されている間に、図７３（ミ）において発生した「青保留」が「赤保留」に変化したことが示されている。即ち、所定演出としての保留変化予告が、特定の態様としての赤保留になっている。
【０９１３】
このとき、特図１保留表示６２０ａが赤保留に変化したので、保留変化音として「赤保留発生」を報知する報知音「キュイーン」が、図７４Ａで選択された音量アップモード＃２に設定された「保留変化音」の音量「大」で報知される（図７４Ｂ（ａ））。また、このとき、上部演出ユニット４０ｃは、図７４Ａで選択された輝度アップモードに設定されたアップの契機「赤保留」の輝度、即ち基準レベルよりも大きな輝度（輝度大）で強い点灯を開始する。
【０９１４】
続いて、図７５の（メ）では、変動表示領域６１０の中央部において、左図柄と右図柄が「リーチ」の仮停止態様で停止し、表示装置４１の表示画面に「リーチ」が報知されたところが表示されている。このとき、「リーチ」を報知するＢＧＭが音量「小」（基準レベル）で開始される。なお、上部演出ユニット４０ｃのＬＥＤは、赤保留への保留変化の際だけでなく赤保留が表示されている間、輝度大（高輝度レベル）で点灯を継続している。即ち、所定演出としての保留変化予告が、特定の態様（赤保留）になった以後も、ＬＥＤは、輝度アップモードで設定された大きな輝度（輝度大）で点灯を継続している。
【０９１５】
続いて、図７５の（モ）には、「リーチ」の態様が変化（発展）し、所定の演出として、ムービーを表示するムービー表示領域７４０が出現する演出（「ＳＰリーチ」）が表示されている。このとき、「リーチ」を報知するＢＧＭの音量は、図７４Ａで選択された音量アップモード＃１に設定された音量「大」で報知される。なお、この間、上部演出ユニット４０ｃは、輝度大（高輝度レベル）で点灯している。
【０９１６】
この後、図７３の（ラ）では、特図１変動表示ゲームが停止する。一例として、特図１変動表示ゲームのはずれ結果（特定結果）に対応するはずれ図柄「３，４，３」が表示画面の中央部に表示される。なお、（ラ）では、特図２変動表示ゲームは、実行中の状態のままである。
【０９１７】
図７５には、図示されていないが、その後、特図１保留数表示６５０に表示された保留数分の特図１変動表示ゲーム、及び特図２保留数表示６６０に表示された保留数分の特図２変動表示ゲームが順次実行される。
【０９１８】
上述したように、本実施形態によれば、図７５を用いて説明したように、保留表示の表示態様（色）を変化させる所定演出（保留変化演出）が、「白保留」→「青保留変化」→「赤保留変化」等の態様の変化に応じて、最終的に「赤保留変化」等の特定の態様になる。この際に当該所定演出と関連して実行される報知（保留変化音やＬＥＤ発光）に関して、報知のパラメータ（音量、ＬＥＤ輝度）が設定可能とされている。また、例えば、所定演出としてのリーチ演出が通常の「リーチ」（Ｎリーチ）から「ＳＰリーチ」（特定の態様、新たな段階）に発展した場合に、「リーチ」の報知（ここではＢＧＭの再生）も同様に、音量をアップする設定が可能とされている。
【０９１９】
従って、本実施形態によれば、遊技者自らが設定したパラメータ（ここでは、音量、ＬＥＤ輝度）に基づいて、期待度の高まりに応じて、段階的に報知の態様が変化するため、当該所定演出を大きく盛り上げることができ、遊技の興趣が高められる。
【０９２０】
なお、図７４Ａにおいて、音量アップモード＃１，＃２を構成する「役物動作」、「リーチ」、「ＳＰリーチ」、「擬似連３回目」、「保留変化」、「チャンス目」、「ステップアップ」、「擬似連」等は、これらに限定されない。また、ＢＧＭやＬＥＤ輝度を段階的にアップする設定も可能である。また、図７４Ａでは、音量や輝度のアップが選択できる場合について説明したが、反対に、音量や輝度のダウン（減少）を設定できる構成としてもよい。
【０９２１】
また、図７４Ａにおいて、音量アップモード＃１は、アップの契機の１つとして「役物動作」が設定されているが、役物動作時における効果音を、段階的にアップ可能な設定としてもよい。同様に、「擬似連３回目」の開始時の報知音を、段階的にアップする設定としてもよい。同様に、「ＳＰリーチ」発展以降に適用される効果音やＢＧＭを段階的にアップする設定としてもよい。
【０９２２】
以上のように第２実施形態を説明したが、報知のパラメータ（音量、輝度等）は、ホール・遊技者設定モード処理の遊技者設定モードにおいて遊技者によって設定できるだけでなく、同様に、ホール設定モードにおいてホール（遊技場）の係員や管理者等のホール関係者によって設定されてよい（Ｂ０４０６、Ｂ０４０７、Ｂ０４０８）。なお、ホール設定モードにおいて、報知のパラメータとして、表示装置４１の表示部（液晶ディスプレイ等）の輝度も設定されてよい（Ｂ０４０８）。また、演出ボタン２５のタッチパネル２５ｂの操作によって、表示装置４１の表示画面における項目等が選択される例が説明されたが、遊技機１０が十字形状の所謂十字キーを備える場合には、十字キーの操作によって項目等が選択されてもよい。
【０９２３】
また、第２実施形態を、設定値（確率設定値、設定）を示唆する設定示唆演出（Ｂ２０１２）に適用してもよい。例えば、表示装置４１の画面における設定示唆演出に関連する報知のパラメータ（スピーカの音量やＬＥＤの輝度）を図７１、図７２の調整画面で設定してよい。この場合に、図７１、図７２の期待度が大きいこと（期待度大）を確率設定値が高いこと（高設定）に置き換えもよく、例えば、図７３の期待度大の赤保留発生を高設定の設定示唆演出に置き換えてもよい。さらに、図７４Ａにおけるパラメータ（音量、輝度、ボタン振動やエアバイブの強度）のアップの契機として設定示唆演出を追加して、設定示唆演出の実行を契機としてパラメータを増加してもよい。
【０９２４】
なお、図５５（変動演出設定処理）のステップＢ２０１２において、設定示唆演出の内容を抽選によって決定してよいが、この抽選に使用する抽選テーブルを、ホールの係員等がホール設定モード（図６９）にて設定できるようにしてよい。例えば、全ての（又は特定の）設定値に対する設定示唆演出の出現率が高い抽選テーブルＡと低い抽選テーブルＢ（デフォルトのテーブル）のいずれか一方をホール設定モードで設定できるようにしてよい。ホール設定モードにおいて、ホールの係員等が演出ボタン２５の操作で設定示唆演出に関するオンの項目を表示画面で選択すると抽選テーブルＡが設定され、オフの項目を選択すると抽選テーブルＢが設定されるようにできる。設定示唆演出の出現率が高い抽選テーブルＡを設定することによってホールの集客が向上する。なお、遊技機１０の停電後（電源断後）の電源投入時には抽選テーブルＢ（デフォルトのテーブル）に戻るようにしてよい。これによって、集客を向上させたい特定日のみ抽選テーブルＡをホール設定モードで設定すればよいので、ホールの係員等の手間が省ける。
【０９２５】
また、図７１、図７２の調整画面において、通常の期待度の演出が実行される状態と期待度大の演出が実行される状態に分けて報知のパラメータ（音量や輝度等）を設定したが、さらに細かく、各演出が実行される状態毎に報知のパラメータを設定してもよい。
【０９２６】
［第２実施形態の作用・効果］
第２実施形態において、遊技機１０は、演出に関連する報知（保留変化音、効果音、ＢＧＭ等の音発生、或いは、ＬＥＤなどの光発生）を実行可能な報知手段（上スピーカ１０ａ及び下スピーカ１０ｂ、枠装飾装置１８のＬＥＤ，盤装飾装置４６のＬＥＤ）と、操作手段（演出ボタン２５）が操作されることによって、報知に関するパラメータ（音量、ＬＥＤ輝度等）を設定可能な設定手段（演出制御装置３００及び演出ボタン２５）と、を備え、設定手段（演出制御装置３００及び演出ボタン２５）は、所定演出（保留表示演出、保留変化予告演出、リーチ演出、擬似連続演出、役物動作演出、設定示唆演出等）が特定の態様（赤保留、ＳＰリーチ、擬似連ｎ回目、役物動作、高設定の設定示唆態様等）になった際又は以後におけるパラメータを設定可能である。
【０９２７】
従って、所定演出（保留表示演出、保留変化予告演出、リーチ演出、擬似連続演出、役物動作演出等）が特定の態様（赤保留、ＳＰリーチ、擬似連ｎ回目、役物動作等）になった際又は特定の態様になった以後における期待できる状況において、演出に関連する報知のパラメータが、期待できない他の状況とは異なるようになる。従って、遊技の興趣を向上させることができる。
【０９２８】
第２実施形態において、設定手段は、所定演出が特定の態様になった際又は以後におけるパラメータを報知の内容に応じて設定可能であってよい（図７２）。これにより、報知の内容に応じてパラメータ（音量、ＬＥＤ輝度等）を増減できるため、バリエーションに富んだ演出を実行でき、遊技の興趣が向上する。例えば、報知の内容は、スピーカからの音声による報知の場合にはＢＧＭ、セリフ等であり、ＬＥＤの発光による報知の場合には発光色や発光するＬＥＤの配置場所である。
【０９２９】
第２実施形態において、設定手段は、所定演出が特定の態様になった際又は以後におけるパラメータを変化させるか否か（アップモードのオンオフ）を所定演出毎に設定可能であってよい（図７４Ａ）。例えば、音量アップモードや輝度アップモードを、保留変化予告演出、役物動作演出、ＳＰリーチ演出、擬似連続演出毎に設定する。これにより、バリエーションに富んだ演出を実行でき、遊技の興趣が向上する。
【０９３０】
第２実施形態において、遊技機１０は、ゲーム（変動表示ゲーム）に関連する演出を実行可能であり、ゲームの結果が特別結果（大当り）となった場合に遊技者にとって有利な特別遊技状態を発生可能である。設定手段は、所定演出が特定の態様になった場合に特別結果（大当り）が発生する期待度に応じて、パラメータを設定可能である（図７４Ｂ）。これにより、例えば期待度が大きいほどパラメータ（音量、ＬＥＤ輝度等）を大きくして演出を盛り上げることができ、遊技の興趣が向上する。
【０９３１】
第２実施形態において、所定演出（保留変化予告演出、リーチ演出、擬似連続演出、役物動作演出等）は、段階的に実行可能であり、設定手段（演出制御装置３００及び演出ボタン２５）は、所定演出（保留変化予告演出、リーチ演出、擬似連続演出、役物動作演出等）が、所定の段階になった際のパラメータを設定可能である。これにより、保留変化予告や擬似連続演出など、段階的に実行可能な所定演出において、所定演出が所定の段階になった際の期待できる状況において、演出に関連する報知のパラメータが、期待できない他の状況とは異なるようになる。また、段階ごとに報知のパラメータ（音量、ＬＥＤ輝度等）を設定でき、段階が増えるに応じて増加する大当りの期待度を、パラメータを変えて報知できる。従って、遊技の興趣を向上させることができる。
【０９３２】
第２実施形態において、設定手段（演出制御装置３００及び演出ボタン２５）は、所定演出（保留表示演出、保留変化予告演出、リーチ演出、擬似連続演出、役物動作演出等）が特定の態様（赤保留、ＳＰリーチ、擬似連ｎ回目、役物動作等）になった際において当該所定演出と関連して実行される報知（例えば、所定の演出の特定の態様が赤保留である場合の保留発生音や保留変化音等）に関して、パラメータ（音量等）を設定可能である。これにより、所定演出が特定の態様になった際にこの所定演出と関連して実行される報知のパラメータを設定できるため、この所定演出を大きく盛り上げることができる。
【０９３３】
第２実施形態において、設定手段（演出制御装置３００及び演出ボタン２５）は、所定演出（保留表示演出、保留変化予告演出、リーチ演出、擬似連続演出、役物動作演出等）が特定の態様（赤保留、ＳＰリーチ、擬似連ｎ回目、役物動作等）になった以後において、所定演出とは関連せずに実行される報知（例えば、所定演出の特定の態様が赤保留である場合の赤保留変化以後のムービーのＢＧＭ等）に関して、パラメータを設定可能である。これにより、所定演出が特定の態様になった以後において、この所定演出と関連せずに実行される報知のパラメータを設定できるため、バリエーションに富んだ演出を実行でき、遊技者の期待を煽るとともに遊技の興趣を向上させることができる。
【０９３４】
第２実施形態において、識別情報を変動表示する変動表示ゲームを実行可能な制御手段（遊技制御装置１００）と、変動表示ゲームの実行権利として始動記憶を記憶可能な始動記憶手段（遊技制御装置１００）と、始動記憶手段（遊技制御装置１００）によって記憶される始動記憶に基づく変動表示ゲームが実行されるよりも前に当該始動記憶に関する変動表示ゲームの結果を判定可能な事前判定手段（遊技制御装置１００における先読み処理及び事前判定処理）と、事前判定手段の判定結果に基づいて、所定演出（保留変化予告）を実行する予告演出手段（演出制御装置３００）と、を備える。
【０９３５】
これにより、遊技制御装置１００において実行される先読み処理（事前判定処理）の判定結果に基づいて実行される所定演出（保留変化予告等）が特定の態様になった際又は特定の態様になった以後の期待できる状況において、それ以前とは報知のパラメータを変化させることができる。例えば、パラメータが音量であれば、先読み処理の判定結果が良い場合に音量を大きくし、それ以前や判定結果が悪い場合に音量を小さいままに維持して、遊技場の騒音を減らすことができる。
【０９３６】
第２実施形態において、報知手段は、音を発生可能な音出力手段（上スピーカ１９ａ及び下スピーカ１９ｂ）であり、パラメータは、音出力手段（上スピーカ１９ａ及び下スピーカ１９ｂ）の音量又は音域（周波数領域）とすることができる。このように、報知に関するパラメータが音量又は音域であるため、所定演出（保留表示演出、保留変化予告演出、リーチ演出、擬似連続演出、役物動作演出等）が特定の態様（赤保留、ＳＰリーチ、擬似連ｎ回目、役物動作等）になるまでを小さな音量或いは中音域とし、所定演出が特定の態様になって初めて大きな音量や高音域（低音域）にすることができる。従って、遊技場の騒音を減らすことができる。
【０９３７】
第２実施形態において、報知手段は、発光可能な発光部材（枠装飾装置１８のＬＥＤ，盤装飾装置４６のＬＥＤ）であり、パラメータは、発光部材（ＬＥＤ）の輝度又は光量とすることができる。このように、報知のパラメータが発光部材（ＬＥＤ）の輝度又は光量であるため、所定演出（保留表示演出、保留変化予告演出、リーチ演出、擬似連続演出、役物動作演出等）が特定の態様（赤保留、ＳＰリーチ、擬似連ｎ回目、役物動作等）になるまでを低い輝度又は光量に、所定演出が特定の態様になって初めて高い輝度又は光量にすることができる。従って、遊技者の目の疲れを低減できる。
【０９３８】
第２実施形態において、報知手段は、振動可能な振動部材（演出ボタン２５、振動機構、エアバイブ機構）であり、パラメータは、振動部材（演出ボタン２５、振動機構、エアバイブ機構）の振動の大きさとすることができる。このように、報知のパラメータが振動部材（演出ボタン２５、振動機構、エアバイブ機構）の振動の大きさであるため、所定演出（保留表示演出、保留変化予告演出、リーチ演出、擬似連続演出、役物動作演出等）が特定の態様（赤保留、ＳＰリーチ、擬似連ｎ回目、役物動作等）になるまでを弱い振動に、所定演出が特定の態様になって初めて強い振動にすることができる。従って、報知演出にメリハリを持たせることができ、遊技の興趣を向上できる。
【０９３９】
なお、本発明は、以上説明した実施形態に限定されることなく、その技術的思想の範囲内において種々の変形や変更が可能であり、それらも本発明の技術的範囲に含まれることが明白である。例えば、複数の実施形態を組合せることも可能である。また、例えば、本発明を他の種類の遊技機（スロットマシンなど）に適用することもできる。本発明の範囲は特許請求の範囲によって示され、特許請求の範囲と均等の意味及び内容の範囲でのすべての変更が含まれることが意図される。
【符号の説明】
【０９４０】
１０    遊技機
２５    演出ボタン
３０    遊技盤
３２    遊技領域
３６    第１始動入賞口（第１始動入賞領域）
３７    普通変動入賞装置
３８    第１特別変動入賞装置
３９    第２特別変動入賞装置
４０    センターケース
４１    表示装置
４４    盤演出装置
４６    盤装飾装置
５０    一括表示装置（ＬＥＤ）
１００    遊技制御装置（主基板）
１５２    性能表示装置
２００    払出制御装置
３００    演出制御装置（サブ基板）
４００    電源装置
【図１】
2020065813.tif 000003
【図２】
2020065813.tif 000004
【図３】
2020065813.tif 000005
【図４】
2020065813.tif 000006
【図５】
2020065813.tif 000007
【図６Ａ】
2020065813.tif 000008
【図６Ｂ】
2020065813.tif 000009
【図７】
2020065813.tif 000010
【図８】
2020065813.tif 000011
【図９】
2020065813.tif 000012
【図１０】
2020065813.tif 000013
【図１１】
2020065813.tif 000014
【図１２Ａ】
2020065813.tif 000015
【図１２Ｂ】
2020065813.tif 000016
【図１３】
2020065813.tif 000017
【図１４】
2020065813.tif 000018
【図１５Ａ】
2020065813.tif 000019
【図１５Ｂ】
2020065813.tif 000020
【図１６】
2020065813.tif 000021
【図１７】
2020065813.tif 000022
【図１８】
2020065813.tif 000023
【図１９】
2020065813.tif 000024
【図２０】
2020065813.tif 000025
【図２１】
2020065813.tif 000026
【図２２】
2020065813.tif 000027
【図２３】
2020065813.tif 000028
【図２４】
2020065813.tif 000029
【図２５】
2020065813.tif 000030
【図２６】
2020065813.tif 000031
【図２７】
2020065813.tif 000032
【図２８】
2020065813.tif 000033
【図２９】
2020065813.tif 000034
【図３０】
2020065813.tif 000035
【図３１】
2020065813.tif 000036
【図３２】
2020065813.tif 000037
【図３３】
2020065813.tif 000038
【図３４】
2020065813.tif 000039
【図３５】
2020065813.tif 000040
【図３６】
2020065813.tif 000041
【図３７】
2020065813.tif 000042
【図３８Ａ】
2020065813.tif 000043
【図３８Ｂ】
2020065813.tif 000044
【図３９Ａ】
2020065813.tif 000045
【図３９Ｂ】
2020065813.tif 000046
【図４０】
2020065813.tif 000047
【図４１】
2020065813.tif 000048
【図４２】
2020065813.tif 000049
【図４３】
2020065813.tif 000050
【図４４】
2020065813.tif 000051
【図４５】
2020065813.tif 000052
【図４６】
2020065813.tif 000053
【図４７】
2020065813.tif 000054
【図４８】
2020065813.tif 000055
【図４９】
2020065813.tif 000056
【図５０】
2020065813.tif 000057
【図５１】
2020065813.tif 000058
【図５２】
2020065813.tif 000059
【図５３】
2020065813.tif 000060
【図５４】
2020065813.tif 000061
【図５５】
2020065813.tif 000062
【図５６】
2020065813.tif 000063
【図５７】
2020065813.tif 000064
【図５８】
2020065813.tif 000065
【図５９】
2020065813.tif 000066
【図６０】
2020065813.tif 000067
【図６１】
2020065813.tif 000068
【図６２】
2020065813.tif 000069
【図６３】
2020065813.tif 000070
【図６４Ａ】
2020065813.tif 000071
【図６４Ｂ】
2020065813.tif 000072
【図６５Ａ】
2020065813.tif 000073
【図６５Ｂ】
2020065813.tif 000074
【図６６】
2020065813.tif 000075
【図６７Ａ】
2020065813.tif 000076
【図６７Ｂ】
2020065813.tif 000077
【図６７Ｃ】
2020065813.tif 000078
【図６８】
2020065813.tif 000079
【図６９】
2020065813.tif 000080
【図７０】
2020065813.tif 000081
【図７１】
2020065813.tif 000082
【図７２】
2020065813.tif 000083
【図７３】
2020065813.tif 000084
【図７４Ａ】
2020065813.tif 000085
【図７４Ｂ】
2020065813.tif 000086
【図７５】
2020065813.tif 000087